(57)【要約】  ＡＧＣ部１１１は、ＡＤ変換部１０４から出力されているデジタルベースバンド信号にビット飽和が起こった場合に可変利得増幅部１０２の利得の制御を開始し、ＡＤ変換部１０４から出力されているデジタルベースバンド信号からＳＴＳの検出が開始された場合に可変利得増幅部１０２の利得の制御を開始する。ＡＧＣ部１１１は、ＳＴＳの検出が開始された場合に可変利得増幅部１０２に対する利得制御を１回行い、ビット飽和が起こった場合に可変利得増幅部１０２に対する利得制御をＳＴＳの検出が開始された場合の利得制御回数より多い２回行う。
2008139672.tif 000002
【特許請求の範囲】
【請求項１】
利得の値が可変であり、入力されるアナログ信号を増幅する可変利得増幅部と、
前記可変利得増幅部による増幅後のアナログ信号をデジタル信号に変換するＡＤ変換部と、
前記ＡＤ変換部から出力されるデジタル信号が所定のレンジ外にあるか否かを判定するデジタル信号判定部と、
前記ＡＤ変換部から出力されるデジタル信号から無線パケット信号の先頭に付加されるプリアンブル信号に係る区間の開始を検出するプリアンブル開始検出部と、
前記ＡＤ変換部から出力されるデジタル信号に基づいて前記可変利得増幅部の利得を制御する利得制御部と、
を備え、
前記利得制御部は、
前記デジタル信号判定部によって前記ＡＤ変換部から出力されているデジタル信号が前記レンジ外にあると判定されて前記可変利得増幅部の利得の制御を行う場合には、前記可変利得増幅部の利得の制御を第１利得制御処理により行い、
前記プリアンブル開始検出部によって前記プリアンブル信号に係る区間の開始が検出されて前記可変利得増幅部の利得の制御を行う場合には、前記可変利得増幅部の利得の制御を前記第１利得制御処理と異なる第２利得制御処理により行う
ことを特徴とする受信装置。
【請求項２】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせをＭ（Ｍは１以上の整数）回行い、
前記第１利得制御処理は、設定する利得の値の算出と算出した利得の値の設定との組み合わせをＮ（ＮはＭより大きい整数）回行う
ことを特徴とする請求項１記載の受信装置。
【請求項３】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理及び前記第２利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合及び前記プリアンブル開始検出部によって前記プリアンブル信号に係る区間の開始が検出された場合の何れかの場合には前記可変利得増幅部の利得の制御を再度行う
ことを特徴とする請求項１記載の受信装置。
【請求項４】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理及び前記第２利得制御処理の何れかを行った後所定時間前記プリアンブル検出部によって前記第１プリアンブル信号が検出されなかった場合には、前記可変利得増幅部に予め定められた利得の値を設定する
ことを特徴とする請求項１記載の受信装置。
【請求項５】
前記受信装置は、
利得の値が可変であり、入力される第１アナログ信号を増幅し、増幅された第１アナログ信号を前記アナログ信号として前記可変利得増幅部へ出力する第１可変利得増幅部
を更に備え、
前記利得制御部は、更に、前記第１アナログ信号に基づいて前記第１可変利得増幅部の利得の制御を行う
ことを特徴とする請求項１記載の受信装置。
【請求項６】
前記受信装置は、
前記第１アナログ信号が所定の電力値以上の強入力であるか否かを判定する強入力判定部
を更に備え、
前記利得制御部は、前記強入力判定部によって前記第１アナログ信号が強入力であると判定された場合に、前記第１可変利得増幅部の利得の値が小さくなるように当該第１可変利得増幅部の利得を制御する
ことを特徴とする請求項５記載の受信装置。
【請求項７】
前記利得制御部は、前記強入力判定部によって前記第１アナログ信号が強入力であると判定されて前記可変利得増幅部の利得の制御を行う場合には、前記可変利得増幅部の利得の制御を前記第２利得制御処理と異なる第３利得制御処理により行う
ことを特徴とする請求項６記載の受信装置。
【請求項８】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせをＰ（Ｐは１以上の整数）回行い、
前記第１利得制御処理は、設定する利得の値の算出と算出した利得の値の設定との組み合わせをＱ（ＱはＰより大きい整数）回行い、
前記第３利得制御処理は、設定する利得の値の算出と算出した利得の値の設定との組み合わせをＲ（ＲはＰより大きい整数）回行う
ことを特徴とする請求項７記載の受信装置。
【請求項９】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理、前記第２利得制御処理及び前記第３利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合、前記プリアンブル開始検出部によって前記プリアンブル信号に係る区間の開始が検出された場合及び前記強入力判定部によって前記第１アナログ信号が強入力であると判定された場合の何れかの場合には前記可変利得増幅部の利得の制御を再度行う
ことを特徴とする請求項７記載の受信装置。
【請求項１０】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理、前記第２利得制御処理及び前記第３利得制御処理の何れかを行った後所定時間前記プリアンブル検出部によって前記第１プリアンブル信号が検出されなかった場合には、前記可変利得増幅部に予め定められた利得の値を設定する
ことを特徴とする請求項７記載の受信装置。
【請求項１１】
前記受信装置は、
前記第１可変利得増幅部から出力される増幅後の第１アナログ信号から直流成分を含む低周波成分を除去して除去後の第１アナログ信号を前記アナログ信号として前記可変利得増幅部へ出力する第１動作モードと、前記第１可変利得増幅部から出力される増幅後の第１アナログ信号をそのまま前記アナログ信号として前記可変利得増幅部へ出力する第２動作モードとが前記利得制御部によって切り替えられるフィルタ部
を更に備え、
前記利得制御部は、前記フィルタ部の動作モードを前記第１動作モードに設定し、前記第１利得制御処理、前記第２利得制御処理及び前記第３利得制御処理の何れかが終了した後に前記フィルタ部の動作モードを前記第１動作モードから前記第２動作モードに切り替える
ことを特徴とする請求項７記載の受信装置。
【請求項１２】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせを第１所定期間繰り返して行い、
前記第１利得制御処理は、設定する利得の値の算出と算出した利得の値の設定との組み合わせを前記第１所定期間より長い第２所定期間繰り返して行う
ことを特徴とする請求項１記載の受信装置。
【請求項１３】
前記受信装置は、
周波数チャネルのうちの一の第１周波数チャネルにおいて、前記ＡＤ変換部から出力されるデジタル信号から前記無線パケット信号に前記プリアンブル信号より後に付加される第１プリアンブル信号を検出する第１プリアンブル検出部と、
前記第１周波数チャネルに隣接する２つの周波数チャネルのうちの一方の第２周波数チャネルにおいて、前記ＡＤ変換部から出力されるデジタル信号から前記第１プリアンブル信号を検出する第２プリアンブル検出部と、
前記第１周波数チャネルに隣接する２つの周波数チャネルのうちの他方の第３周波数チャネルにおける信号成分の電力値を前記ＡＤ変換部から出力されるデジタル信号に基づいて検出する隣接電力値検出部と、
前記第１プリアンブル検出部による検出結果と前記第２プリアンブル検出部による検出結果と前記隣接電力値検出部による検出結果とに基づいて前記ＡＤ変換部から出力されているデジタル信号が干渉信号に係るデジタル信号であるか否かを判定する判定部と、
を更に備えることを特徴とする請求項１記載の受信装置。
【請求項１４】
前記利得制御部は、前記判定部によって前記ＡＤ変換部から出力されているデジタル信号が干渉信号に係るデジタル信号であると判定されなかった場合、前記可変利得増幅部の利得の値を固定する
ことを特徴とする請求項１３記載の受信装置。
【請求項１５】
前記受信装置は、
前記ＡＤ変換部から出力されるデジタル信号から宛先に関する宛先情報を抽出する宛先情報抽出部
を更に備え、
前記判定部は、前記宛先情報抽出部により抽出される宛先情報に基づいて前記ＡＤ変換部から出力されているデジタル信号が干渉信号に係るデジタル信号であるか否かを更に判定する
ことを特徴とする請求項１３記載の受信装置。
【請求項１６】
前記隣接電力値検出部は、更に、前記第２周波数チャネルに隣接する２つの周波数チャネルのうちの前記第１周波数チャネルでない方の第４周波数チャネルにおける信号成分の電力値を前記ＡＤ変換部から出力されるデジタル信号に基づいて検出し、
前記受信装置は、
前記ＡＤ変換部から出力されているデジタル信号に基づいて前記第１周波数チャネルのガードバンドにおけるサブキャリアの有無を検出し、前記第２周波数チャネルのガードバンドにおけるサブキャリアの有無を検出する帯域外サブキャリア検出部
を更に備え、
前記判定部は、前記ＡＤ変換部から出力されているデジタル信号が干渉信号に係るデジタル信号であるか否かの判定を、前記第１プリアンブル検出部による検出結果と前記第２プリアンブル検出部による検出結果と前記隣接電力値検出部による検出結果と前記帯域外サブキャリア検出部による検出結果とに基づいて行う
ことを特徴とする請求項１３記載の受信装置。
【請求項１７】
利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号に基づいて前記可変利得増幅部の利得を制御する利得制御部と、を備えた受信装置において行われる受信方法であって、
前記ＡＤ変換部から出力されるデジタル信号が所定のレンジ外にあるか否かを判定するデジタル信号判定ステップと、
前記ＡＤ変換部から出力されるデジタル信号から無線パケット信号の先頭に付加されるプリアンブル信号に係る区間の開始を検出するプリアンブル開始検出ステップと、
前記デジタル信号判定ステップにおいて前記ＡＤ変換部から出力されているデジタル信号が前記レンジ外にあると判定されて前記利得制御部が前記可変利得増幅部の利得の制御を行う場合には、前記利得制御部は前記可変利得増幅部の利得の制御を第１利得制御処理により行う第１利得制御ステップと、
前記プリアンブル開始検出ステップにおいて前記プリアンブル信号に係る区間の開始が検出されて前記利得制御部が前記可変利得増幅部の利得の制御を行う場合には、前記利得制御部は前記可変利得増幅部の利得の制御を前記第１利得制御処理と異なる第２利得制御処理により行う第２利得制御ステップと、
を有することを特徴とする受信方法。
【発明の詳細な説明】
【技術分野】
【０００１】
本発明は、無線ＬＡＮ（Local Area Network）システムなどの無線通信システムにおける無線信号の受信技術に関する。
【背景技術】
【０００２】
例えば、デジタル無線通信システムでは、無線通信機器は、受信したアナログ信号である無線パケット信号をデジタル信号に変換するためのＡＤコンバータ（Analog to Digital Converter）を搭載する。そして、無線通信機器は、ＡＤコンバータの入力に係るダイナミックレンジが有限であることから、ＡＤコンバータに入力されるアナログ信号の信号レベルが上記ダイナミックレンジ内に収まるように調整するための自動利得制御装置を搭載する。【０００３】
自動利得制御装置とＡＤコンバータとを搭載した従来の無線通信機器として、ＩＥＥＥ（Institute of Electrical and Electronics Engineers）８０２．１１ａ規格に準拠した無線通信機器がある（例えば、特許文献１参照。）。
図４２に示す従来の無線通信機器１０００では、ＡＧＣ（Auto Gain Control）部１００９は、まず、可変利得増幅部１００２に所定の利得の値を設定する。【０００４】
アンテナ１００１によって受信されたアナログ信号は、可変利得増幅部１００２によって増幅され、周波数変換部１００３によって周波数変換され、ＡＤ変換部（ＡＤコンバータに該当）１００４によってデジタル信号に変換される。【０００５】
また、アンテナ１００１によって受信されているアナログ信号の電力値がアナログ信号電力検出部１００５によって検出され、検出された電力値を示すアナログ信号はＡＤ変換部１００６によってデジタル信号に変換される。【０００６】
ＡＧＣ部１００９は、ＳＴＳ検出部１００７によってＡＤ変換部１００４から出力されているデジタル信号からショートトレーニングシンボルが検出されると、ＡＤ変換部１００６から入力されるデジタル信号が示す電力値に基づいて可変利得増幅部１００２に設定する利得の値を算出し、可変利得増幅部１００２に算出した利得の値を設定する。【０００７】
ＡＧＣ部１００９は、ＬＴＳ検出部１００８によってＡＤ変換部１００４から出力されているデジタル信号からロングトレーニングシンボルが検出されると復調部１０１０による無線パケット信号の復調が完了するまで、可変利得増幅部１００２の利得の値を固定する。【０００８】
上述したように、ＡＧＣ部１００９は、ショートトレーニングシンボルが検出された場合にのみアンテナ１００１によって受信されたアナログ信号の電力値に基づいて可変利得増幅部１００２の利得を制御する。
【特許文献１】特開２００３−８６７６号公報
【発明の開示】
【発明が解決しようとする課題】
【０００９】
しかしながら、ＡＤ変換部１００４から出力されているデジタル信号が所定のレンジ外にある場合には、当該デジタル信号はアンテナ１００１によって受信されたアナログ信号の振幅の変化を表せなくなってしまう。この結果、例えば、ＡＤ変換部１００４からショートトレーニングシンボルに関するデジタル信号が出力されていてもＳＴＳ検出部１００７はショートトレーニングシンボルを検出できない。【００１０】
このため、ＡＤ変換部１００４から出力されているデジタル信号が所定のレンジ外にある場合にも、ＡＤ変換部１００４から出力されるデジタル信号が所望のレンジ内に収まるように、ＡＧＣ部１００９は可変利得増幅部１００２の利得制御を行う必要がある。【００１１】
そこで、本発明は、自装置が備えるＡＤコンバータから出力されているデジタル信号が所定のレンジ外にある場合とショートトレーニングシンボルなどのプリアンブル信号が検出された場合とにおいて自装置が備える可変利得増幅部の利得制御を最適に行うことが可能な受信装置及び受信方法を提供することを目的とする。
【課題を解決するための手段】
【００１２】
上記目的を達成するために本発明の受信装置は、利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号が所定のレンジ外にあるか否かを判定するデジタル信号判定部と、前記ＡＤ変換部から出力されるデジタル信号から無線パケット信号の先頭に付加されるプリアンブル信号に係る区間の開始を検出するプリアンブル開始検出部と、前記ＡＤ変換部から出力されるデジタル信号に基づいて前記可変利得増幅部の利得を制御する利得制御部と、を備え、前記利得制御部は、前記デジタル信号判定部によって前記ＡＤ変換部から出力されているデジタル信号が前記レンジ外にあると判定されて前記可変利得増幅部の利得の制御を行う場合には、前記可変利得増幅部の利得の制御を第１利得制御処理により行い、前記プリアンブル開始検出部によって前記プリアンブル信号に係る区間の開始が検出されて前記可変利得増幅部の利得の制御を行う場合には、前記可変利得増幅部の利得の制御を前記第１利得制御処理と異なる第２利得制御処理により行う。【００１３】
本発明の受信方法は、利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号に基づいて前記可変利得増幅部の利得を制御する利得制御部と、を備えた受信装置において行われる受信方法であって、前記ＡＤ変換部から出力されるデジタル信号が所定のレンジ外にあるか否かを判定するデジタル信号判定ステップと、前記ＡＤ変換部から出力されるデジタル信号から無線パケット信号の先頭に付加されるプリアンブル信号に係る区間の開始を検出するプリアンブル開始検出ステップと、前記デジタル信号判定ステップにおいて前記ＡＤ変換部から出力されているデジタル信号が前記レンジ外にあると判定されて前記利得制御部が前記可変利得増幅部の利得の制御を行う場合には、前記利得制御部は前記可変利得増幅部の利得の制御を第１利得制御処理により行う第１利得制御ステップと、前記プリアンブル開始検出ステップにおいて前記プリアンブル信号に係る区間の開始が検出されて前記利得制御部が前記可変利得増幅部の利得の制御を行う場合には、前記利得制御部は前記可変利得増幅部の利得の制御を前記第１利得制御処理と異なる第２利得制御処理により行う第２利得制御ステップと、を有する。
【発明の効果】
【００１４】
上記受信装置及び受信方法の夫々によれば、利得制御部は無線パケット信号の先頭に付加されるプリアンブル信号に係る区間の開始が検出された場合のみならずＡＤ変換部から出力されるデジタル信号がレンジ外にある場合にも可変利得増幅部の利得の制御を行う。このため、ＡＤ変換部から出力されるデジタル信号が所定のレンジ外にあることによるプリアンブル信号の検出ができなくなる状況が継続することを回避できる。【００１５】
また、利得制御部は、ＡＤ変換部から出力されているデジタル信号がレンジ外にある場合とプリアンブル信号に係る区間の開始が検出された場合とで異なる利得制御処理を行う。このため、夫々の場合における適した利得制御処理を利得制御部に行わせることが可能になる。【００１６】
上記の受信装置において、前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、前記第２利得制御処理は、設定する利得の値の算出と算出した利得の値の設定との組み合わせをＭ（Ｍは１以上の整数）回行い、前記第１利得制御処理は、設定する利得の値の算出と算出した利得の値の設定との組み合わせをＮ（ＮはＭより大きい整数）回行うようにしてもよい。【００１７】
ＡＤ変換部から出力されるデジタル信号が所定のレンジ外にある場合、ＡＤ変換部から出力されるデジタル信号が所定のレンジ内にある場合に比べ、可変利得増幅部の利得制御を多くする必要があると考えられる。【００１８】
このことから、上記の受信装置では、ＡＤ変換部から出力されるデジタル信号が所定のレンジ外にある場合の可変利得増幅部の利得制御を行う回数をプリアンブル信号に係る区間の開始が検出された場合の可変利得増幅部の利得制御を行う回数より多くしている。【００１９】
このため、上記の受信装置によれば、ＡＤ変換部から出力されているデジタル信号が所定のレンジ外にある場合とプリアンブル信号に係る区間の開始が検出された場合との夫々において適した利得制御処理が実現されている。【００２０】
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理及び前記第２利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合及び前記プリアンブル開始検出部によって前記プリアンブル信号に係る区間の開始が検出された場合の何れかの場合には前記可変利得増幅部の利得の制御を再度行うようにしてもよい。【００２１】
これによれば、利得制御部はプリアンブル信号に係る区間の開始が検出された場合に可変利得増幅部の利得の制御を再度行い、ＡＤ変換部から出力されるデジタル信号が所定のレンジ外になった場合に可変利得増幅部の利得の制御を再度行う。このため、無線通信の状況に適した利得の値で可変利得増幅部を動作させることが可能になる。【００２２】
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理及び前記第２利得制御処理の何れかを行った後所定時間前記プリアンブル検出部によって前記第１プリアンブル信号が検出されなかった場合には、前記可変利得増幅部に予め定められた利得の値を設定するようにしてもよい。【００２３】
これによれば、利得制御部は第１プリアンブル信号が所定期間検出されなかった場合、可変利得増幅部に予め定められた利得の値を設定するため、無線通信の状況に適した利得の値で可変利得増幅部を動作させることが可能になる。【００２４】
上記の受信装置において、前記受信装置は、利得の値が可変であり、入力される第１アナログ信号を増幅し、増幅された第１アナログ信号を前記アナログ信号として前記可変利得増幅部へ出力する第１可変利得増幅部を更に備え、前記利得制御部は、更に、前記第１アナログ信号に基づいて前記第１可変利得増幅部の利得の制御を行うようにしてもよい。【００２５】
これによれば、トータルの利得の幅を大きくすることが可能になる。【００２６】
上記の受信装置において、前記受信装置は、前記第１アナログ信号が所定の電力値以上の強入力であるか否かを判定する強入力判定部を更に備え、前記利得制御部は、前記強入力判定部によって前記第１アナログ信号が強入力であると判定された場合に、前記第１可変利得増幅部の利得の値が小さくなるように当該第１可変利得増幅部の利得を制御するようにしてもよい。【００２７】
これによれば、第１可変利得増幅の適した利得制御が実現される。【００２８】
上記の受信装置において、前記利得制御部は、前記強入力判定部によって前記第１アナログ信号が強入力であると判定されて前記可変利得増幅部の利得の制御を行う場合には、前記可変利得増幅部の利得の制御を前記第２利得制御処理と異なる第３利得制御処理により行うようにしてもよい。【００２９】
これによれば、利得制御部は、第１アナログ信号が強入力である場合とプリアンブル信号に係る区間の開始が検出された場合とで異なる利得制御処理を行う。このため、夫々の場合における適した利得制御処理を利得制御部に行わせることが可能になる。【００３０】
上記の受信装置において、前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、前記第２利得制御処理は、設定する利得の値の算出と算出した利得の値の設定との組み合わせをＰ（Ｐは１以上の整数）回行い、前記第１利得制御処理は、設定する利得の値の算出と算出した利得の値の設定との組み合わせをＱ（ＱはＰより大きい整数）回行い、前記第３利得制御処理は、設定する利得の値の算出と算出した利得の値の設定との組み合わせをＲ（ＲはＰより大きい整数）回行うようにしてもよい。【００３１】
第１アナログ信号が強入力である場合、ＡＤ変換部から出力されるデジタル信号が所定のレンジ外の可能性がある。また、ＡＤ変換部から出力されるデジタル信号が所定のレンジ外にある場合、ＡＤ変換部から出力されるデジタル信号が所定のレンジ内にある場合に比べ、可変利得増幅部の利得制御を多くする必要があると考えられる。【００３２】
これらのことから、上記の受信装置では、ＡＤ変換部から出力されるデジタル信号がレンジ外にある場合の可変利得増幅部の利得制御を行う回数及び第１アナログ信号が強入力である場合の可変利得増幅部の利得制御を行う回数の夫々をプリアンブル信号に係る区間の開始が検出された場合の可変利得増幅部の利得制御を行う回数より多くしている。【００３３】
このため、上記の受信装置によれば、ＡＤ変換部から出力されているデジタル信号がレンジ外にある場合と第１アナログ信号が強入力である場合とプリアンブル信号に係る区間の開始が検出された場合との夫々において適した利得制御処理が実現されている。【００３４】
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理、前記第２利得制御処理及び前記第３利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合、前記プリアンブル開始検出部によって前記プリアンブル信号に係る区間の開始が検出された場合及び前記強入力判定部によって前記第１アナログ信号が強入力であると判定された場合の何れかの場合には前記可変利得増幅部の利得の制御を再度行うようにしてもよい。【００３５】
これによれば、利得制御部はプリアンブル信号に係る区間の開始が検出された場合に可変利得増幅部の利得の制御を再度行い、ＡＤ変換部から出力されるデジタル信号がレンジ外になった場合に可変利得増幅部の利得の制御を再度行い、第１アナログ信号が強入力である場合に可変利得増幅部の利得の制御を再度行う。このため、無線通信の状況に適した利得の値で可変利得増幅部を動作させることが可能になる。【００３６】
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理、前記第２利得制御処理及び前記第３利得制御処理の何れかを行った後所定時間前記プリアンブル検出部によって前記第１プリアンブル信号が検出されなかった場合には、前記可変利得増幅部に予め定められた利得の値を設定するようにしてもよい。【００３７】
これによれば、利得制御部は第１プリアンブル信号が所定期間検出されなかった場合、可変利得増幅部に予め定められた利得の値を設定するため、無線通信の状況に適した利得の値で可変利得増幅部を動作させることが可能になる。【００３８】
上記の受信装置において、前記受信装置は、前記第１可変利得増幅部から出力される増幅後の第１アナログ信号から直流成分を含む低周波成分を除去して除去後の第１アナログ信号を前記アナログ信号として前記可変利得増幅部へ出力する第１動作モードと、前記第１可変利得増幅部から出力される増幅後の第１アナログ信号をそのまま前記アナログ信号として前記可変利得増幅部へ出力する第２動作モードとが前記利得制御部によって切り替えられるフィルタ部を更に備え、前記利得制御部は、前記フィルタ部の動作モードを前記第１動作モードに設定し、前記第１利得制御処理、前記第２利得制御処理及び前記第３利得制御処理の何れかが終了した後に前記フィルタ部の動作モードを前記第１動作モードから前記第２動作モードに切り替えるようにしてもよい。【００３９】
これによれば、可変利得増幅部の利得制御を正確に行うことが可能になる。【００４０】
上記の受信装置において、前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、前記第２利得制御処理は、設定する利得の値の算出と算出した利得の値の設定との組み合わせを第１所定期間繰り返して行い、前記第１利得制御処理は、設定する利得の値の算出と算出した利得の値の設定との組み合わせを前記第１所定期間より長い第２所定期間繰り返して行うようにしてもよい。【００４１】
ＡＤ変換部から出力されるデジタル信号が所定のレンジ外にある場合、ＡＤ変換部から出力されるデジタル信号が所定のレンジ内にある場合に比べ、可変利得増幅部の利得制御を多くする必要があると考えられる。【００４２】
このことから、上記の受信装置では、ＡＤ変換部から出力されるデジタル信号が所定のレンジ外にある場合の可変利得増幅部の利得制御を行う時間をプリアンブル信号に係る区間の開始が検出された場合の可変利得増幅部の利得制御を行う時間より多くしている。【００４３】
このため、上記の受信装置によれば、ＡＤ変換部から出力されているデジタル信号がレンジ外にある場合とプリアンブル信号に係る区間の開始が検出された場合との夫々において適した利得制御処理が実現されている。【００４４】
上記の受信装置において、前記受信装置は、周波数チャネルのうちの一の第１周波数チャネルにおいて、前記ＡＤ変換部から出力されるデジタル信号から前記無線パケット信号に前記プリアンブル信号より後に付加される第１プリアンブル信号を検出する第１プリアンブル検出部と、前記第１周波数チャネルに隣接する２つの周波数チャネルのうちの一方の第２周波数チャネルにおいて、前記ＡＤ変換部から出力されるデジタル信号から前記第１プリアンブル信号を検出する第２プリアンブル検出部と、前記第１周波数チャネルに隣接する２つの周波数チャネルのうちの他方の第３周波数チャネルにおける信号成分の電力値を前記ＡＤ変換部から出力されるデジタル信号に基づいて検出する隣接電力値検出部と、前記第１プリアンブル検出部による検出結果と前記第２プリアンブル検出部による検出結果と前記隣接電力値検出部による検出結果とに基づいて前記ＡＤ変換部から出力されているデジタル信号が干渉信号に係るデジタル信号であるか否かを判定する判定部と、を更に備えるようにしてもよい。【００４５】
これによれば、受信中の無線パケット信号が干渉信号であるか否かの判定を早期に行うことが可能になる。【００４６】
上記の受信装置において、前記利得制御部は、前記判定部によって前記ＡＤ変換部から出力されているデジタル信号が干渉信号に係るデジタル信号であると判定されなかった場合、前記可変利得増幅部の利得の値を固定するようにしてもよい。【００４７】
これによれば、利得制御部は可変利得増幅部の利得の値の固定を適したタイミングで行うことができる。【００４８】
上記の受信装置において、前記受信装置は、前記ＡＤ変換部から出力されるデジタル信号から宛先に関する宛先情報を抽出する宛先情報抽出部を更に備え、前記判定部は、前記宛先情報抽出部により抽出される宛先情報に基づいて前記ＡＤ変換部から出力されているデジタル信号が干渉信号に係るデジタル信号であるか否かを更に判定するようにしてもよい。【００４９】
これによれば、受信中の無線パケット信号が干渉信号であるか否かの判定をより詳細に行うことが可能になる。【００５０】
上記の受信装置において、前記隣接電力値検出部は、更に、前記第２周波数チャネルに隣接する２つの周波数チャネルのうちの前記第１周波数チャネルでない方の第４周波数チャネルにおける信号成分の電力値を前記ＡＤ変換部から出力されるデジタル信号に基づいて検出し、前記受信装置は、前記ＡＤ変換部から出力されているデジタル信号に基づいて前記第１周波数チャネルのガードバンドにおけるサブキャリアの有無を検出し、前記第２周波数チャネルのガードバンドにおけるサブキャリアの有無を検出する帯域外サブキャリア検出部を更に備え、前記判定部は、前記ＡＤ変換部から出力されているデジタル信号が干渉信号に係るデジタル信号であるか否かの判定を、前記第１プリアンブル検出部による検出結果と前記第２プリアンブル検出部による検出結果と前記隣接電力値検出部による検出結果と前記帯域外サブキャリア検出部による検出結果とに基づいて行うようにしてもよい。【００５１】
これによれば、受信中の無線パケット信号が干渉信号であるか否かの判定を早期に行うことが可能になる。
【図面の簡単な説明】
【００５２】
【図１】第１の実施の形態の無線通信システムのシステム構成図。
【図２】図１の無線通信システムにおいて送受信される無線パケット信号のフレームフォーマットを示す図。
【図３】図１の無線通信機器の機器構成図。
【図４】図３のＳＴＳ開始検出部の構成図。
【図５】図４のＳＴＳ開始検出部の一動作例を示すタイミングチャート。
【図６】図３のＡＧＣ部が行う可変利得制御部の利得制御処理の手順を示すフローチャート。
【図７】図６のビット飽和利得制御処理の手順を示すフローチャート。
【図８】図６のＳＴＳ検出開始利得制御処理の手順を示すフローチャート。
【図９】図３の無線通信機器がビット飽和発生時に行う受信動作の一例を説明するための図。
【図１０】図３の無線通信機器がＳＴＳ検出開始時に行う受信動作の一例を説明するための図。
【図１１】第２の実施の形態の無線通信機器の機器構成図。
【図１２】図１１のＡＧＣ部が行う低雑音増幅部及び可変利得増幅部の利得制御処理の手順を示すフローチャート。
【図１３】図１１のＡＧＣ部が行う低雑音増幅部及び可変利得増幅部の利得制御処理の手順を示すフローチャート。
【図１４】図１２の強入力利得制御処理の手順を示すフローチャート。
【図１５】第３の実施の形態の無線通信機器の機器構成図。
【図１６】図１５のＡＧＣ部が行う低雑音増幅部及び可変利得増幅部の利得制御処理の手順を示すフローチャート。
【図１７】図１５のＡＧＣ部が行う低雑音増幅部及び可変利得増幅部の利得制御処理の手順を示すフローチャート。
【図１８】第４の実施の形態の無線通信機器の機器構成図。
【図１９】図１８のＡＧＣ部が行う低雑音増幅部及び可変利得増幅部の利得制御及びＨＰＦ機能部の動作モードの切り替え制御に係る処理の手順を示すフローチャート。
【図２０】図１８のＡＧＣ部が行う低雑音増幅部及び可変利得増幅部の利得制御及びＨＰＦ機能部の動作モードの切り替え制御に係る処理の手順を示すフローチャート。
【図２１】第５の実施の形態の無線通信機器の機器構成図。
【図２２】図２１のＡＧＣ部が行うビット飽和利得制御処理の手順を示すフローチャート。
【図２３】図２１のＡＧＣ部が行うＳＴＳ検出開始利得制御処理の手順を示すフローチャート。
【図２４】図２１の無線通信機器がビット飽和発生時に行う受信動作の一例を説明するための図。
【図２５】図２１の無線通信機器がＳＴＳ検出開始時に行う受信動作の一例を説明するための図。
【図２６】第６の実施の形態の無線通信システムにおいて送受信される無線パケット信号のフレームフォーマットを示す図。
【図２７】第６の実施の形態の無線通信機器が判定対象とする無線パケット信号と周波数チャネルとの関係を説明するための模式図。
【図２８】第６の実施の形態の無線通信機器の機器構成図。
【図２９】図２８の判定部が行う無線パケット信号の判定処理の手順を示すフローチャート。
【図３０】第６の実施の形態の無線通信機器が判定対象とする無線パケット信号と周波数チャネルとの関係を説明するための模式図。
【図３１】第６の実施の形態の無線通信機器が判定対象とする無線パケット信号と周波数チャネルとの関係を説明するための模式図。
【図３２】図３０及び図３１の無線パケット信号の電力スペクトラムを説明するための模式図。
【図３３】図３０及び図３１の無線パケット信号の電力スペクトラムを説明するための模式図。
【図３４】図３０及び図３１の無線パケット信号の電力スペクトラムを説明するための模式図。
【図３５】第７の実施の形態の無線通信機器の機器構成図。
【図３６】図３５の判定部が行う無線パケット信号の判定処理の手順を示すフローチャート。
【図３７】第８の実施の形態の無線通信機器の機器構成図。
【図３８】図３７の判定部及びＡＧＣ部が行う無線パケット信号の判定及び利得制御に係る処理の手順を示すフローチャート。
【図３９】図３７の判定部及びＡＧＣ部が行う無線パケット信号の判定及び利得制御に係る処理の手順を示すフローチャート。
【図４０】図３７の判定部及びＡＧＣ部が行う無線パケット信号の判定及び利得制御に係る処理の手順を示すフローチャート。
【図４１】無線通信システムにおいて送受信される無線パケット信号の他のフレームフォーマットを示す図。
【図４２】従来の無線通信機器の機器構成図。
【符号の説明】
【００５３】
１００  無線通信機器
１０１  アンテナ
１０２  可変利得増幅部
１０３  周波数変換部
１０４  ＡＤ変換部
１０５  デジタル信号電力検出部
１０６  ビット飽和検出部
１０７  ＳＴＳ検出部
１０８  ＳＴＳ開始検出部
１０９  ＬＴＳ検出部
１１０  復調部
１１１  ＡＧＣ部
【発明を実施するための最良の形態】
【００５４】
≪第１の実施の形態≫
以下、本発明の第１の実施の形態について図面を参照しつつ説明する。【００５５】
＜無線通信システムの構成＞
本実施の形態の無線通信システムのシステム構成を図１に示す。但し、図１の無線通信システムはＩＥＥＥ８０２．１１ａ規格に準拠した無線ＬＡＮシステムであるとする。【００５６】
無線通信システム１は無線通信機器２，３，４などの複数の無線通信機器を含む。無線通信システム１において、無線通信機器間ではアナログ信号である無線パケット信号の送受信が行われる。【００５７】
例えば、無線通信機器２が無線通信機器３に対して無線パケット信号を送信し、無線通信機器３は無線通信機器２によって送信された無線パケット信号を受信する。また、無線通信機器３が無線通信機器２に対して無線パケット信号を送信し、無線通信機器２は無線通信機器３によって送信された無線パケット信号を受信する。なお、無線通信機器２と無線通信機器４とが無線通信を行う場合や、無線通信機器３と無線通信機器４とが無線通信を行う場合もある。【００５８】
＜無線パケット信号のフレームフォーマット＞
図１の無線通信機器２〜４の構成及び動作を説明する前に、無線通信システム１において送受信される無線パケット信号のフレームフォーマットについて図２を参照しつつ説明する。図２は図１の無線通信システム１において送受信されるＩＥＥＥ８０２．１１ａ規格において使用できるとされている無線パケット信号のフレームフォーマットを示す図である。なお、ＩＥＥＥ８０２．１１ａ規格の場合、周波数チャネルＡの帯域幅は２０ＭＨｚである。【００５９】
無線パケット信号Ｐ１０の先頭には、１０個のショートトレーニングシンボル（以下、「ＳＴＳ」と言う。）１１1〜１１10が付加されている。ＳＴＳは、無線通信システム１が定めた送受信側で既知である所定の波形パターン（以下、「第１波形パターン」と言う。）をしたシンボルである。ＳＴＳ１１1〜１１10は無線パケット信号の検出、自動利得制御、キャリア周波数誤差の粗調整及びシンボルタイミングの検出などに利用される。なお、以下において、ＳＴＳ１１1〜１１10の信号部分を「ショートプリアンブル信号」と言う。また、ＳＴＳのシンボル時間をＴSTSとする。【００６０】
無線パケット信号Ｐ１０には、ショートプリアンブル信号に続いて、ロングトレーニングシンボル（以下、「ＬＴＳ」と言う。）の一部をコピーしたガードインターバル（以下、「ＧＩ」と言う。）１２1と２個のＬＴＳ１２2，１２3とが付加されている。ＬＴＳ１２2，１２3は、無線通信システム１が定めた送受信側で既知である所定の波形パターン（以下、「第２波形パターン」と言う。）をしたシンボルである。ＬＴＳ１２2，１２3はキャリア周波数誤差の微調整及びチャネル推定（基準振幅及び基準位相の推定）などに利用される。なお、以下において、ＧＩ１２1とＬＴＳ１２2，１２3とを含む信号部分を「ロングプリアンブル信号」と言う。【００６１】
無線パケット信号Ｐ１０は、ロングプリアンブル信号に続いて、データ長及び伝送速度などの制御情報を持つ制御シンボル（以下、「ＳＩＧＮＡＬシンボル」と言う。）１３を含み、ＳＩＧＮＡＬシンボル１３に続いて、送信データに係るシンボル（以下、「ＤＡＴＡシンボル」と言う。）１４を含む。但し、ＤＡＴＡシンボル１４は１以上あり、宛先情報及び送信元情報はＤＡＴＡシンボルによって送受信される。なお、図示していないが、ＳＩＧＮＡＬシンボル１３の前にもその一部をコピーしたガードインターバルがあり、ＤＡＴＡシンボル１４の前にもその一部をコピーしたガードインターバルがある。【００６２】
＜無線通信機器の構成＞
以下、図１の無線通信機器２，３，４などの無線通信機器１００の構成について図３を参照しつつ説明する。図３は図１の無線通信機器２，３，４などの無線通信機器１００の機器構成図である。【００６３】
無線通信機器１００は、アンテナ１０１と、可変利得増幅部１０２と、周波数変換部１０３と、ＡＤ変換部１０４と、デジタル信号電力検出部１０５と、ビット飽和検出部１０６と、ＳＴＳ検出部１０７と、ＳＴＳ開始検出部１０８と、ＬＴＳ検出部１０９と、復調部１１０と、ＡＧＣ部１１１とを備える。【００６４】
［可変利得増幅部１０２］
可変利得増幅部１０２は、利得の値が可変であり、アンテナ１０１によって受信されたＲＦ（Radio Frequency）帯のアナログ信号（以下、「受信アナログ信号」と言う。）を増幅し、増幅後のＲＦ帯のアナログ信号を周波数変換部１０３へ出力する。但し、可変利得増幅部１０２はＡＧＣ部１１１によって利得が制御される。【００６５】
［周波数変換部１０３］
周波数変換部１０３は、可変利得増幅部１０２から入力される増幅後のＲＦ帯のアナログ信号をベースバンド帯のアナログ信号（以下、「アナログベースバンド信号」と言う。）に周波数変換し、アナログベースバンド信号をＡＤ変換部１０４へ出力する。【００６６】
［ＡＤ変換部１０４］
ＡＤ変換部１０４は、入力に係る所定のダイナミックレンジを持ち、周波数変換部１０３から入力されるアナログベースバンド信号を所定のサンプリング周波数で所定のビット数のデジタル信号（以下、「デジタルベースバンド信号」と言う。）に変換する。そして、ＡＤ変換部１０４は、デジタルベースバンド信号をデジタル信号電力検出部１０５、ビット飽和検出部１０６、ＳＴＳ検出部１０７、ＬＴＳ検出部１０９及び復調部１１０へ出力する。【００６７】
［デジタル信号電力検出部１０５］
デジタル信号電力検出部１０５は、ＡＤ変換部１０４から入力されるデジタルベースバンド信号の電力値を検出し、検出した電力値を示すデジタル電力値信号をＡＧＣ部１１１へ出力する。【００６８】
［ビット飽和検出部１０６］
ビット飽和検出部１０６は、ＡＤ変換部１０４から入力される所定のビット数のデジタルベースバンド信号のビット飽和を検出する。ビット飽和検出部１０６は、デジタルベースバンド信号がビット飽和している期間はハイレベルのビット飽和検出信号をＡＧＣ部１１１へ出力し、デジタルベースバンド信号がビット飽和していない期間はローレベルのビット飽和検出信号をＡＧＣ部１１１へ出力する。但し、ビット飽和検出部１０６は、デジタルベースバンド信号のビット飽和の検出処理をデジタルベースバンド信号が表す信号値が所定のレンジ外にあるか否かに基づいて行う。【００６９】
なお、所定のレンジを、デジタルベースバンド信号がビット飽和しているか否かに基づいて定める場合のほか、例えばデジタルベースバンド信号の変化からＳＴＳを検出できるか否かを考慮して定めるようにしてもよい。【００７０】
［ＳＴＳ検出部１０７］
ＳＴＳ検出部１０７は、ＡＤ変換部１０４から入力されるデジタルベースバンド信号と上記の第１波形パターンのＳＴＳに基づく基準信号との相互相関演算を行う。そして、ＳＴＳ検出部１０７は、相互相関演算の結果得られる相関値を観測して相関値のピークを見つけることによってデジタルベースバンド信号からＳＴＳを検出する。【００７１】
ＳＴＳ検出部１０７は、デジタルベースバンド信号からＳＴＳを検出すると、所定のパルス期間ハイレベルのＳＴＳ検出信号をＳＴＳ開始検出部１０８へ出力し、当該パルス期間以外の期間はローレベルのＳＴＳ検出信号をＳＴＳ開始検出部１０８へ出力する。【００７２】
［ＳＴＳ開始検出部１０８］
ＳＴＳ開始検出部１０８は、ＳＴＳ検出部１０７から入力されるＳＴＳ検出信号に基づいてＳＴＳがシンボル時間ＴSTS間隔で連続して検出される区間（以下、「ＳＴＳ検出区間」と言う。）の開始を検出する。そして、ＳＴＳ開始検出部１０８は、ＳＴＳ検出区間の開始を検出すると、パルス期間ハイレベルのＳＴＳ検出区間開始信号をＡＧＣ部１１１へ出力し、当該パルス期間以外の期間はローレベルのＳＴＳ検出区間開始信号をＡＧＣ部１１１へ出力する。但し、ＳＴＳ検出区間の開始タイミングはシンボル時間ＴSTS間隔で連続して検出されるＳＴＳのうちの２番目のＳＴＳが検出されるタイミングである。【００７３】
（ＳＴＳ開始検出部１０８の構成）
ＳＴＳ開始検出部１０８は、図４に示す構成であり、遅延部１３１と、タイマ１３２と、ＳＴＳ区間検出部１３３と、ＳＴＳ区間開始検出部１３４とを備える。【００７４】
「遅延部１３１」
遅延部１３１は、ＳＴＳ検出部１０７から入力されるＳＴＳ検出信号Ｓ１をシンボル時間ＴSTS遅延させて、遅延信号（以下、「ＳＴＳ検出遅延信号」と言う。）Ｓ２をＳＴＳ区間検出部１３３へ出力する。【００７５】
「タイマ１３２」
タイマ１３２は、ＳＴＳ検出部１０７から入力されたＳＴＳ検出信号Ｓ１の立ち上がりタイミングで計時カウンタのカウント値を０に設定し、タイムアウト時間をシンボル時間ＴSTSに設定し、計時カウンタのカウント動作を開始する。そして、タイマ１３２は、計時カウンタのカウント値がタイムアウト時間ＴSTSになると、タイミング信号Ｓ３をＳＴＳ区間検出部１３３へ出力する。なお、同じ無線パケット信号のＳＴＳはシンボル時間ＴSTSの間隔で連続して検出されることからタイムアウト時間をシンボル時間ＴSTSとしている。【００７６】
「ＳＴＳ区間検出部１３３」
ＳＴＳ区間検出部１３３は、タイマ１３２からタイミング信号Ｓ３が入力されるタイミングで、ＳＴＳ検出部１０７から入力されるＳＴＳ検出信号Ｓ１と遅延部１３１から入力されるＳＴＳ検出遅延信号Ｓ２との論理積を演算する。ＳＴＳ区間検出部１３３は、論理積が１であるときタイミング信号Ｓ３が入力されてから次のタイミング信号Ｓ３が入力されるまでの間、ハイレベルのＳＴＳ区間信号Ｓ４をＳＴＳ区間開始検出部１３４へ出力する。一方、論理積が０であるとき、ＳＴＳ区間検出部１３３は、タイミング信号Ｓ３が入力されてから次のタイミング信号Ｓ３が入力されるまでの間、ローレベルのＳＴＳ区間信号Ｓ４をＳＴＳ区間開始検出部１３４へ出力する。【００７７】
「ＳＴＳ区間開始検出部１３４」
ＳＴＳ区間開始検出部１３４は、ＳＴＳ区間検出部１３３から入力されるＳＴＳ区間信号Ｓ４を観測してＳＴＳ区間信号Ｓ４の立ち上がりを見つける。そして、ＳＴＳ区間開始検出部１３４は、ＳＴＳ検出信号Ｓ４の立ち上がりを見つけると、パルス期間ハイレベルのＳＴＳ検出区間開始信号Ｓ５をＡＧＣ部１１１へ出力し、当該パルス期間以外の期間ローレベルのＳＴＳ検出区間開始信号Ｓ５をＡＧＣ部１１１へ出力する。【００７８】
これにより、ＳＴＳがシンボル時間ＴSTS間隔で連続して検出される区間（ＳＴＳ検出区間）の開始タイミングにおいてパルス信号が発生する。また、ＳＴＳがシンボル時間ＴSTS間隔で連続して検出される区間（ＳＴＳ検出区間）では１つのパルス信号のみが発生することになる。【００７９】
（ＳＴＳ開始検出部１０８の動作）
図４に構成を示したＳＴＳ開始検出部１０８の一動作例を図５に示す。【００８０】
ＳＴＳ検出部１０７は図５（ａ）に示すＳＴＳ検出信号Ｓ１を出力し、ＳＴＳ検出信号Ｓ１は、遅延部１３１、タイマ１３２及びＳＴＳ区間検出部１３３に入力される。【００８１】
ＳＴＳ検出信号Ｓ１は遅延部１３１によってシンボル時間ＴSTS分遅延させられて、図５（ｂ）に示すＳＴＳ検出遅延信号Ｓ２がＳＴＳ区間検出部１３３に入力される。【００８２】
タイマ１３２は、時間Ｔ1ではＳＴＳ検出信号Ｓ１がローレベルのままなので動作しない。【００８３】
ＳＴＳ検出信号Ｓ１が時間Ｔ2にローレベルからハイレベルへ遷移し、これを受けて、タイマ１３２は計時カウンタのカウント値を０に、タイムアウト時間をＴSTSに設定した後、計時カウンタのカウント動作を開始する。そして、タイマ１３２は、計時カウンタのカウント値がタイムアウト時間ＴSTSになると（時間Ｔ3）、タイミング信号Ｓ３をＳＴＳ区間検出部１３３へ出力する。【００８４】
ＳＴＳ区間検出部１３３は、タイマ１３２からタイミング信号Ｓ３の入力を受けて、ＳＴＳ検出信号Ｓ１とＳＴＳ検出遅延信号Ｓ２との論理積を演算する。ＳＴＳ検出信号Ｓ１及びＳＴＳ検出遅延信号Ｓ２の双方がハイレベルであるので論理積の値は１になり、ＳＴＳ区間検出部１３３はＳＴＳ区間信号Ｓ４をローレベルからハイレベルへ遷移させる。ＳＴＳ区間信号Ｓ４がローレベルからハイレベルへ遷移したことを受けて、ＳＴＳ区間開始検出部１３４は、パルス期間ハイレベルのＳＴＳ検出区間開始信号Ｓ５をＡＧＣ部１１１へ出力する。【００８５】
ＳＴＳ検出信号Ｓ１が時間Ｔ3にローレベルからハイレベルへ遷移し、これを受けて、タイマ１３２は計時カウンタのカウント値を０に、タイムアウト時間をＴSTSに設定した後、計時カウンタのカウント動作を開始する。そして、タイマ１３２は、計時カウンタのカウント値がタイムアウト時間ＴSTSになると（時間Ｔ4）、タイミング信号Ｓ３をＳＴＳ区間検出部１３３へ出力する。【００８６】
ＳＴＳ区間検出部１３３は、タイマ１３２からタイミング信号Ｓ３の入力を受けて、ＳＴＳ検出信号Ｓ１とＳＴＳ検出遅延信号Ｓ２との論理積を演算する。ＳＴＳ検出信号Ｓ１及びＳＴＳ検出遅延信号Ｓ２の双方がハイレベルであるので論理積の値は１になり、ＳＴＳ区間検出部１３３はＳＴＳ区間信号Ｓ４のレベルをハイレベルのまま維持する。ＳＴＳ区間信号Ｓ４がハイレベルのままなので、ＳＴＳ区間開始検出部１３４はＳＴＳ検出区間開始信号Ｓ５をローレベルのまま維持する。【００８７】
ＳＴＳ検出信号Ｓ１が時間Ｔ4〜Ｔ10にローレベルからハイレベルへ遷移し、ＳＴＳ開始検出部１０８において時間Ｔ3における動作と同様の動作が行われる。【００８８】
ＳＴＳ検出信号Ｓ１が時間Ｔ11にローレベルからハイレベルへ遷移し、これを受けて、タイマ１３２は計時カウンタのカウント値を０に、タイムアウト時間をＴSTSに設定した後、計時カウンタのカウント動作を開始する。そして、タイマ１３２は、計時カウンタのカウント値がタイムアウト時間ＴSTSになると（時間Ｔ12）、タイミング信号Ｓ３をＳＴＳ区間検出部１３３へ出力する。【００８９】
ＳＴＳ区間検出部１３３は、タイマ１３２からタイミング信号Ｓ３の入力を受けて、ＳＴＳ検出信号Ｓ１とＳＴＳ検出遅延信号Ｓ２との論理積を演算する。ＳＴＳ検出信号Ｓ１がローレベルであり、ＳＴＳ検出遅延信号Ｓ２がハイレベルであるので論理積の値は０になり、ＳＴＳ区間検出部１３３はＳＴＳ区間信号Ｓ４をハイレベルからローレベルへ遷移させる。ＳＴＳ区間開始検出部１３４は、ＳＴＳ区間信号Ｓ４のレベルがローレベルからハイレベルへ遷移していないのでＳＴＳ検出区間開始信号Ｓ５をローレベルのまま維持する。【００９０】
［ＬＴＳ検出部１０９］
ＬＴＳ検出部１０９は、ＡＤ変換部１０４から入力されるデジタルベースバンド信号と上記の第２波形パターンのＬＴＳに基づく基準信号との相互相関演算を行う。そして、ＬＴＳ検出部１０９は、相互相関演算の結果得られる相関値を観測して相関値のピークを見つけることによってデジタルベースバンド信号からＬＴＳを検出する。ＬＴＳ検出部１０９は、デジタルベースバンド信号からＬＴＳを検出すると、パルス期間ハイレベルのＬＴＳ検出信号をＡＧＣ部１１１へ出力し、当該パルス期間以外の期間はローレベルのＬＴＳ検出信号をＡＧＣ部１１１へ出力する。【００９１】
［復調部１１０］
復調部１１０は、ＡＤ変換部１０４から入力されるデジタルベースバンド信号を復調し、復調により得られたデジタル信号を後段の処理部（例えば、誤り訂正処理を行う処理部）へ出力する。【００９２】
復調部１１０は、ＳＩＧＮＡＬシンボルに含まれるデータ長の情報に基づいて無線パケット信号の復調が完了したか否かを判定する。そして、復調部１１０は、復調が完了したと判定すると、パルス期間ハイレベルの復調完了信号をＡＧＣ部１１１へ出力し、当該パルス期間以外の期間はローレベルの復調完了信号をＡＧＣ部１１１へ出力する。【００９３】
［ＡＧＣ部１１１］
ＡＧＣ部１１１は、可変利得増幅部１０２に予め定められた所定の利得の値（以下、「初期利得値」と言う。）を設定し、デジタル信号電力検出部１０５から入力されるデジタル電力値信号に基づいて可変利得増幅部１０２の利得制御を行う。ＡＧＣ部１１１は、可変利得増幅部１０２の利得制御の開始の判断を、ビット飽和検出部１０６から入力されるビット飽和検出信号と、ＳＴＳ開始検出部１０８から入力されるＳＴＳ検出区間開始信号と、ＬＴＳ検出部１０９から入力されるＬＴＳ検出信号と、復調部１１０から入力される復調完了信号とに基づいて行う（図６から図８参照。）。【００９４】
但し、ＡＧＣ部１１１は、ビット飽和検出信号がハイレベルにあることを契機として（デジタルベースバンド信号がビット飽和したことを契機として）可変利得増幅部１０２の利得の制御を開始する場合、可変利得増幅部１０２に設定する利得の値の算出及び可変利得増幅部１０２に算出した利得の値の設定を２回行う（図７参照。）。【００９５】
これに対して、ＡＧＣ部１１１は、ＳＴＳ検出区間開始信号がローレベルからハイレベルへ遷移したことを契機として（ＳＴＳ検出区間が開始されたことを契機として）可変利得増幅部１０２の利得の制御を開始する場合、可変利得増幅部１０２に設定する利得の値の算出及び可変利得増幅部１０２に算出した利得の値の設定を１回行う（図８参照。）。【００９６】
このように、可変利得増幅部１０２に設定する利得の値の算出及び可変利得増幅部１０２に算出した利得の値の設定の組み合わせを実行する回数（以下、「利得制御回数」と言う。）を異なるようにしたのは次の理由による。【００９７】
ＡＤ変換部１０４から出力されているデジタルベースバンド信号がビット飽和を起こしていない場合には、ＡＤ変換部１０４から出力されているデジタルベースバンド信号からＡＤ変換部１０４に入力されているアナログベースバンド信号の振幅がどの程度のレベルであるかが分かる。このため、ＡＤ変換部１０４から出力されるデジタルベースバンド信号を所望のレンジ内に収束させるために、ＡＤ変換部１０４から出力されているデジタルベースバンド信号からＡＤ変換部１０４に入力されているアナログベースバンド信号の振幅をどの程度変化させればよいかが分かる。つまり、ＡＤ変換部１０４から出力されているデジタルベースバンド信号を用いることによって、ＡＤ変換部１０４から出力されるデジタルベースバンド信号を所望のレンジ内に収束させるための可変利得増幅部１０２の利得の値が分かる。【００９８】
これに対して、ＡＤ変換部１０４から出力されているデジタルベースバンド信号がビット飽和を起こしている場合には、ＡＤ変換部１０４から出力されているデジタルベースバンド信号からはＡＤ変換部１０４に入力されているアナログベースバンド信号の振幅があるレンジ外にあることしか分からない。このため、ＡＤ変換部１０４から出力されるデジタルベースバンド信号を所望のレンジ内に収束させるために、ＡＤ変換部１０４に入力されているアナログベースバンド信号の振幅をどの程度変化させればよいかがＡＤ変換部１０４から出力されているデジタルベースバンド信号からは分からない。つまり、ＡＤ変換部１０４から出力されているビット飽和を起こしているデジタルベースバンド信号からは、ＡＤ変換部１０４から出力されるデジタルベースバンド信号を所望のレンジ内に収束させるための可変利得増幅部１０２の利得の値が分からない。【００９９】
従って、ＡＤ変換部１０４から出力されるデジタルベースバンド信号を所望のレンジ内に収束させるために、デジタルベースバンド信号がビット飽和を起こしている場合における可変利得増幅部１０２の利得制御回数を、デジタルベースバンド信号がビット飽和を起こしていない場合における可変利得増幅部１０２の利得制御回数より多くする必要があると考えられる。【０１００】
このことを踏まえて、ビット飽和検出信号がハイレベルにあることを契機とする利得制御回数を、ＳＴＳ検出区間開始信号がローレベルからハイレベルへ遷移したことを契機とする利得制御回数より多くしている。【０１０１】
（ＡＧＣ部１１１の動作）
以下、図３のＡＧＣ部１１１が行う可変利得増幅部１０２の利得制御処理について図６を参照しつつ説明する。図６は図３のＡＧＣ部１１１が行う可変利得増幅部１０２の利得制御処理の手順を示すフローチャートである。【０１０２】
ＡＧＣ部１１１は、可変利得増幅部１０２に予め定められた利得の値（初期利得値）を設定する（ステップＳ１０１）。【０１０３】
なお、アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。【０１０４】
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１へ出力する。【０１０５】
ＳＴＳ検出部１０７は、ＡＤ変換部１０４から出力されているデジタルベースバンド信号からＳＴＳを検出するための検出処理を行う。そして、ＳＴＳ開始検出部１０８はＳＴＳ検出部１０７から入力されるＳＴＳ検出信号に基づいてＳＴＳ検出区間の開始を検出するための検出処理を行い、検出結果に応じたＳＴＳ検出区間開始信号をＡＧＣ部１１１へ出力する。【０１０６】
ＡＧＣ部１１１は、ビット飽和検出信号に基づいてＡＤ変換部１０４から出力されているデジタルベースバンド信号がビット飽和を起こしているか否かを判定する（ステップＳ１０２）。なお、ＡＧＣ部１１１は、ビット飽和検出信号がハイレベルにあればデジタルベースバンド信号がビット飽和を起こしていると判定し、ビット飽和検出信号がローレベルにあればデジタルベースバンド信号がビット飽和を起こしていないと判定する。【０１０７】
ＡＧＣ部１１１は、デジタルベースバンド信号がビット飽和を起こしていると判定した場合には（Ｓ１０２：ＹＥＳ）、可変利得増幅部１０２に設定する利得の値の算出と可変利得増幅部１０２に算出した利得の値の設定との組み合わせを２回行う図７に処理手順を示すビット飽和利得制御処理を行い（ステップＳ１０３）、ステップＳ１０６の処理へ進む。なお、ＳＴＳ検出部１０７はビット飽和利得制御処理の実行期間やビット飽和利得制御処理の実行終了後もＳＴＳの検出処理を行っているため、ＳＴＳ検出部１０７はビット飽和利得制御処理の実行期間やビット飽和利得制御処理の実行終了後にＳＴＳを検出することがある。【０１０８】
ＡＧＣ部１１１は、デジタルベースバンド信号がビット飽和を起こしていないと判定した場合には（Ｓ１０２：ＮＯ）、ＳＴＳ検出区間開始信号に基づいて、ＳＴＳ検出区間の開始が検出されたか否かを判定する（ステップＳ１０４）。なお、ＡＧＣ部１１１は、ＳＴＳ検出区間開始信号がローレベルからハイレベルへ遷移した場合にＳＴＳ検出区間の開始が検出されたと判定する。【０１０９】
ＡＧＣ部１１１は、ＳＴＳ検出区間の開始が検出されていないと判定した場合には（Ｓ１０４：ＮＯ）、ステップＳ１０２の処理へ進む。【０１１０】
ＡＧＣ部１１１は、ＳＴＳ検出区間の開始が検出されたと判定した場合には（Ｓ１０４：ＹＥＳ）、可変利得増幅部１０２に設定する利得の値の算出と可変利得増幅部１０２に算出した利得の値の設定との組み合わせを１回行う図８に処理手順を示すＳＴＳ検出開始利得制御処理を行い（ステップＳ１０５）、ステップＳ１０６の処理へ進む。なお、ＳＴＳ検出部１０７はＳＴＳ検出開始利得制御処理の実行終了後もＳＴＳの検出処理を行っているため、ＳＴＳ検出部１０７はＳＴＳ検出開始利得制御処理の実行終了後にＳＴＳを検出することがある。【０１１１】
なお、ＬＴＳ検出部１０９は、ＡＤ変換部１０４から出力されているデジタルベースバンド信号からＬＴＳを検出するための検出処理を行い、検出結果に応じたＬＴＳ検出信号をＡＧＣ部１１１へ出力する。【０１１２】
ＡＧＣ部１１１は、計時カウンタのカウント値Ｔを０に設定し、タイムアウト時間をＴOUTに設定する（ステップＳ１０６）。なお、タイムアウト時間ＴOUTは、例えば、自機器宛の無線パケット信号に起因するビット飽和が検出されてから或いは自機器宛の無線パケット信号に起因するＳＴＳ検出区間の開始が検出されてから当該自機器宛の無線パケット信号に含まれるＬＴＳが検出されるまでの時間より長くなるように設定される。【０１１３】
ＡＧＣ部１１１は、ＬＴＳ検出信号に基づいてＡＤ変換部１０４から出力されているデジタルベースバンド信号からＬＴＳが検出されたか否かを判定する（ステップＳ１０７）。なお、ＡＧＣ部１１１は、ＬＴＳ検出信号がローレベルからハイレベルへ遷移した場合にＬＴＳが検出されたと判定する。【０１１４】
ＡＧＣ部１１１は、デジタルベースバンド信号からＬＴＳが検出されていないと判定した場合には（Ｓ１０７：ＮＯ）、ビット飽和検出信号に基づいてＡＤ変換部１０４から出力されているデジタルベースバンド信号がビット飽和を起こしているか否かを判定する（ステップＳ１０８）。ＡＧＣ部１１１は、デジタルベースバンド信号がビット飽和を起こしていると判定した場合には（Ｓ１０８：ＹＥＳ）、ステップＳ１０３の処理へ進む。【０１１５】
ＡＧＣ部１１１は、デジタルベースバンド信号がビット飽和を起こしていないと判定した場合には（Ｓ１０８：ＮＯ）、ＳＴＳ検出区間開始信号に基づいてＳＴＳ検出区間の開始が検出されたか否かを判定する（ステップＳ１０９）。ＡＧＣ部１１１は、ＳＴＳ検出区間の開始が検出されたと判定した場合には（Ｓ１０９：ＹＥＳ）、ステップＳ１０５の処理へ進む。【０１１６】
ＡＧＣ部１１１は、ＳＴＳ検出区間の開始が検出されていないと判定した場合には（Ｓ１０９：ＮＯ）、計時カウンタのカウント値Ｔがタイムアウト時間ＴOUTになったか否かを判定する（ステップＳ１１０）。ＡＧＣ部１１１は、カウント値Ｔがタイムアウト時間ＴOUTになっていないと判定した場合には（Ｓ１１０：ＮＯ）、計時カウンタのカウント値Ｔを１カウントアップし（ステップＳ１１１）、ステップＳ１０７の処理へ進む。一方、ＡＧＣ部１１１は、カウント値Ｔがタイムアウト時間ＴOUTになったと判定した場合には（Ｓ１１０：ＹＥＳ）、ステップＳ１０１の処理へ進む。【０１１７】
ＡＧＣ部１１１は、デジタルベースバンド信号からＬＴＳが検出されたと判定した場合には（Ｓ１０７：ＹＥＳ）、可変利得増幅部１０２の利得の値を固定する（ステップＳ１１２）。【０１１８】
なお、復調部１１０は、ＡＤ変換部１０４から出力されているデジタルベースバンド信号の復調を行い、復調完了信号をＡＧＣ部１１１へ出力する。【０１１９】
ＡＧＣ部１１１は、復調完了信号に基づいて無線パケット信号の復調が完了したか否かを判定する（ステップＳ１１３）。なお、ＡＧＣ部１１１は、復調完了信号がローレベルからハイレベルへ遷移した場合に無線パケット信号の復調が完了したと判定する。【０１２０】
ＡＧＣ部１１１は、無線パケット信号の復調が完了したと判定するまで（Ｓ１１３：ＮＯ）、ステップＳ１１３の処理を継続して行う。一方、ＡＧＣ部１１１は、無線パケット信号の復調が完了したと判定した場合には（Ｓ１１３：ＹＥＳ）、ステップＳ１０１の処理へ進む。なお、ＡＧＣ部１１１は無線パケットの復調完了後所定時間経過してからステップＳ１０１の処理へ進むようにしてもよい。【０１２１】
上述したステップＳ１０２，Ｓ１０８の判定処理において、例えば自機器の無線通信とは無関係な信号に起因するビット飽和のために肯定的な判定がされる場合がある。また、上述したステップＳ１０４，Ｓ１０９の判定処理において、例えば無線通信機器１００がＳＴＳを誤検出したために肯定的な判定がされる場合がある。【０１２２】
このような場合に、デジタルベースバンド信号のビット飽和が起これば（Ｓ１０８：ＹＥＳ）、ビット飽和利得制御処理が実行されて可変利得増幅部１０２の利得が再調整される（ステップＳ１０３）。このため、ＡＤ変換部１０４から出力されるデジタルベースバンド信号が継続してビット飽和する状況を回避でき、ＳＴＳの検出能力が高くなる。【０１２３】
また、上記のような場合に、ＳＴＳ検出区間の開始が検出されれば（Ｓ１０９：ＹＥＳ）、ＳＴＳ検出開始利得制御処理が実行されて可変利得増幅部１０２の利得が再調整される（ステップＳ１０５）。このため、ＬＴＳ、ＳＩＧＮＡＬシンボル及びＤＡＴＡシンボルに対する処理を、これらと同じ無線パケット信号に含まれるＳＴＳに基づいて利得調整された可変利得増幅１０２の出力に基づいて行うことが可能になる。【０１２４】
さらに、上記のような場合に、ビット飽和利得制御処理或いはＳＴＳ検出開始利得制御処理が実行されてからタイムアウト時間ＴOUTが経過するまでにＬＴＳが検出されなければ（Ｓ１１０：ＹＥＳ）、可変利得増幅部１０２に初期利得値が再設定される（ステップＳ１０１）。このため、自機器の無線通信とは無関係な信号によって可変利得増幅部１０２の利得の値が設定され続ける状況を回避でき、ＳＴＳの検出能力が高くなる。【０１２５】
「ビット飽和利得制御処理」
図６のビット飽和利得制御処理（ステップＳ１０３）の手順を図７に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１へ出力している。【０１２６】
ＡＧＣ部１１１は、デジタル電力値信号が示すデジタルベースバンド信号の電力値と予め定められたデジタルベースバンド信号の基準の電力値（以下、「基準デジタル電力値」と言う。）とに基づいて可変利得増幅部１０２に設定する利得の値を算出し（ステップＳ１３１）、算出した利得の値を可変利得増幅部１０２に設定する（ステップＳ１３２）。【０１２７】
ＡＧＣ部１１１は、計時カウンタのカウント値Ｔを０に設定し、タイムアウト時間をＴOUT1に設定する（ステップＳ１３３）。なお、タイムアウト時間ＴOUT1と後述するタイムアウト時間ＴOUT2は、可変利得増幅部１０２がＡＧＣ部１１１によって設定された利得の値で安定して動作するまでの時間と、可変利得増幅部１０２の出力信号が可変利得増幅部１０２から出力されてから周波数変換部１０３及びＡＤ変換部１０４によって処理が施された後ＡＤ変換部１０４から出力されるまでの時間とを考慮して定められる。【０１２８】
ＡＧＣ部１１１は、計時カウンタのカウント値Ｔがタイムアウト時間ＴOUT1になったか否かを判定する（ステップＳ１３４）。ＡＧＣ部１１１は、カウント値Ｔがタイムアウト時間ＴOUT1になっていないと判定した場合には（Ｓ１３４：ＮＯ）、計時カウンタのカウント値Ｔを１カウントアップし（ステップＳ１３５）、ステップＳ１３４の処理へ進む。一方、ＡＧＣ部１１１は、カウント値Ｔがタイムアウト時間ＴOUT1になったと判定した場合には（Ｓ１３４：ＹＥＳ）、ステップＳ１３６の処理へ進む。【０１２９】
以上のステップＳ１３１からステップＳ１３５までの処理によって、ＡＧＣ部１１１による１回目の可変利得増幅部１０２の利得制御が行われる。【０１３０】
ＡＧＣ部１１１は、デジタル電力値信号が示すデジタルベースバンド信号の電力値と基準デジタル電力値とに基づいて可変利得増幅部１０２に設定する利得の値を算出し（ステップＳ１３６）、算出した利得の値を可変利得増幅部１０２に設定する（ステップＳ１３７）。【０１３１】
ＡＧＣ部１１１は、計時カウンタのカウント値Ｔを０に設定し、タイムアウト時間をＴOUT2に設定する（ステップＳ１３８）。【０１３２】
ＡＧＣ部１１１は、計時カウンタのカウント値Ｔがタイムアウト時間ＴOUT2になったか否かを判定する（ステップＳ１３９）。ＡＧＣ部１１１は、カウント値Ｔがタイムアウト時間ＴOUT2になっていないと判定した場合には（Ｓ１３９：ＮＯ）、計時カウンタのカウント値Ｔを１カウントアップし（ステップＳ１４０）、ステップＳ１３９の処理へ進む。一方、ＡＧＣ部１１１は、カウント値Ｔがタイムアウト時間ＴOUT2になったと判定した場合には（Ｓ１３９：ＹＥＳ）、図６のステップＳ１０６の処理へ進む。【０１３３】
以上のステップＳ１３６からステップＳ１４０までの処理によって、ＡＧＣ部１１１による２回目の可変利得増幅部１０２の利得制御が行われる。【０１３４】
上述したように、図７に処理手順を示すビット飽和利得制御処理では、ＡＧＣ部１１１は、可変利得制御部１０２に設定する利得の値の算出及び可変利得増幅部１０２に算出した利得の値の設定を２回行う。【０１３５】
「ＳＴＳ検出開始利得制御処理」
図６のＳＴＳ検出開始利得制御処理（ステップＳ１０５）の手順を図８に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１へ出力している。【０１３６】
ＡＧＣ部１１１は、デジタル電力値信号が示すデジタルベースバンド信号の電力値と基準デジタル電力値とに基づいて可変利得増幅部１０２に設定する利得の値を算出し（ステップＳ１５１）、算出した利得の値を可変利得増幅部１０２に設定する（ステップＳ１５２）。【０１３７】
ＡＧＣ部１１１は、計時カウンタのカウント値Ｔを０に設定し、タイムアウト時間をＴOUT2に設定する（ステップＳ１５３）。なお、ＳＴＳ検出開始利得制御処理の１回目の利得制御処理のタイムアウト時間をビット飽和利得制御処理の２回目の利得制御処理のタイムアウト時間と同じにしているが、両者のタイムアウト時間を同じにしなくてもよい。【０１３８】
ＡＧＣ部１１１は、計時カウンタのカウント値Ｔがタイムアウト時間ＴOUT2になったか否かを判定する（ステップＳ１５４）。ＡＧＣ部１１１は、カウント値Ｔがタイムアウト時間ＴOUT2になっていないと判定した場合には（Ｓ１５４：ＮＯ）、計時カウンタのカウント値Ｔを１カウントアップし（ステップＳ１５５）、ステップＳ１５４の処理へ進む。一方、ＡＧＣ部１１１は、カウント値Ｔがタイムアウト時間ＴOUT2になったと判定した場合には（Ｓ１５４：ＹＥＳ）、図６のステップＳ１０６の処理へ進む。【０１３９】
以上のステップＳ１５１からステップＳ１５５までの処理によって、ＡＧＣ部１１１による１回目の可変利得増幅部１０２の利得制御が行われる。【０１４０】
上述したように、図８に処理手順を示すＳＴＳ検出開始利得制御処理では、ＡＧＣ部１１１は、可変利得制御部１０２に設定する利得の値の算出及び可変利得増幅部１０２に算出した利得の値の設定を１回行う。【０１４１】
図７及び図８から分かるとおり、図７に処理手順を示すビット飽和利得制御処理における利得制御回数は、図８に処理手順を示すＳＴＳ検出開始利得制御処理における利得制御回数より多くなっている。【０１４２】
＜無線通信機器の動作＞
以下、ビット飽和発生時における無線通信機器１００の受信動作の一例及びＳＴＳ検出開始時における無線通信機器１００の受信動作の一例について図９及び図１０を参照しつつ説明する。なお、図９（ａ）及び図１０（ａ）において、ＳＴＳｓは図２のショートプリアンブル信号を示し、ＬＴＳｓは図２のロングプリアンブル信号を示し、ＤＡＴＡｓは１以上のＤＡＴＡシンボルを示す。【０１４３】
但し、図９（ａ）及び図１０（ａ）中のレンジＲBSはＡＤ変換部１０４から出力されるデジタルベースバンド信号がビット飽和を起こさないＡＤ変換部１０４に入力されるアナログベースバンド信号のレベルを示す。つまり、レンジＲBS外のアナログベースバンド信号がＡＤ変換部１０４に入力されると、ＡＤ変換部１０４から出力されるデジタルベースバンド信号はビット飽和を起こす。【０１４４】
また、図９（ａ）及び図１０（ａ）中のレンジＲDの両端部はデジタルベースバンド信号の電力値が基準デジタル電力値である場合の、ＡＤ変換部１０４に入力されるアナログベースバンド信号のレベルを示す。【０１４５】
［ビット飽和発生時の動作］
図９（ｂ）に示すように、ＡＧＣ部１１１は可変利得増幅部１０２に初期利得値Ｇ1を設定する。【０１４６】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。【０１４７】
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１へ出力する。【０１４８】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１へ出力する。【０１４９】
時間ＴＡ1において、図９（ａ）に示すように、ＡＤ変換部１０４に入力されるアナログベースバンド信号がレンジＲBS外になったとする。ＡＤ変換部１０４から出力されるデジタルベースバンド信号がビット飽和を起こし、ビット飽和検出部１０６はデジタルベースバンド信号のビット飽和を検出し、ビット飽和検出信号をパルス期間ハイレベルにする（図９の破線Ａ１内参照）。【０１５０】
ＡＧＣ部１１１は、ビット飽和検出信号がハイレベルになったことを受けて、図７に処理手順を示したビット飽和利得制御処理を開始し、ステップＳ１３１からステップ１３５の処理を実行することによって１回目の利得制御を行う。これによって、時間ＴＡ2に可変利得増幅部１０２の利得の値が初期利得値Ｇ1から利得値Ｇ2aになる（図９の破線Ａ１内参照）。【０１５１】
図９の例では、１回目の利得制御によってＡＤ変換部１０４に入力されるアナログベースバンド信号がレンジＲBS内になる。ＳＴＳ検出部１０７はＡＤ変換部１０４から出力されているデジタルベースバンド信号からＳＴＳを検出し始め、シンボル時間ＴSTS間隔で連続してパルス期間ハイレベルのＳＴＳ検出信号を出力する。これを受けて、ＳＴＳ区間検出部１３３は時間ＴＡ3にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１へ出力する。ここでは、ビット飽和利得制御処理の期間なので、ＡＧＣ部１１１はＳＴＳ検出区間の開始が検出されたことを契機とする可変利得増幅部１０２の利得制御を行わない（図９の破線Ａ２内参照）。【０１５２】
ＡＧＣ部１１１は、図７のステップＳ１３６からステップＳ１４０の処理を実行することによって２回目の利得制御を行う。これによって、時間ＴＡ4に可変利得制御部１０２の利得の値が利得値Ｇ2aから利得値Ｇ2bになる（図９の破線Ａ１内参照）。なお、ビット飽和利得制御処理における利得制御回数は２回であるので、ＡＧＣ部１１１はビット飽和利得制御処理を終了する。【０１５３】
なお、ＡＧＣ部１１１は、ビット飽和利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。【０１５４】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１へ出力する。無線通信機器１００は、ＡＤ変換部１０４から出力されるＬＴＳに関連したデジタルベースバンド信号とＬＴＳに基づく基準信号とに基づいてチャネル推定を行う。【０１５５】
時間ＴＡ5において、ＡＧＣ部１１１は、ＬＴＳ検出部１０９から入力されるＬＴＳ検出信号がローレベルからハイレベルへ遷移したことを受けて、可変利得増幅部１０２の利得の値を利得値Ｇ2bに固定する。なお、ＬＴＳは２つあるので、時間ＴＡ6においてもＬＴＳ検出信号はパルス期間ハイレベルになる。【０１５６】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１へ出力する。【０１５７】
復調部１１０は時間ＴＡ7に無線パケット信号の復調を完了すると、パルス期間ハイレベルの復調完了信号をＡＧＣ部１１１へ出力する。ＡＧＣ部１１１は、復調完了信号がローレベルからハイレベルへ遷移したことを受けて、可変利得増幅部１０２の利得の値を初期利得値Ｇ1に設定する。【０１５８】
［ＳＴＳ検出開始時の動作例］
図１０（ｂ）に示すように、ＡＧＣ部１１１は可変利得増幅部１０２に初期利得値Ｇ1を設定する。【０１５９】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。【０１６０】
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１へ出力する。【０１６１】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１へ出力する。【０１６２】
時間ＴＢ1において、図１０（ａ）に示すように、ＡＤ変換部１０４に入力されるアナログベースバンド信号がレンジＲBS内にある無線パケット信号を受信したとする。ＳＴＳ検出部１０７はＡＤ変換部１０４から出力されているデジタルベースバンド信号からＳＴＳを検出し始め、シンボル時間ＴSTS間隔で連続してパルス期間ハイレベルのＳＴＳ検出信号を出力する。これを受けて、ＳＴＳ区間検出部１３３は時間ＴＢ2にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１へ出力する（図１０の破線Ａ３内参照）。【０１６３】
ＡＧＣ部１１１は、ＳＴＳ検出区間開始信号がローレベルからハイレベルへ遷移したことを受けて、図８に処理手順を示したＳＴＳ検出開始利得制御処理を開始し、ステップＳ１５１からステップＳ１５５の処理を実行することによって１回目の利得制御を行う。これによって、時間ＴＢ3に可変利得増幅部１０２の利得の値が初期利得値Ｇ1から利得値Ｇ3になる（図１０の破線Ａ３内参照）。なお、ＳＴＳ検出開始利得制御処理における利得制御回数は１回であるので、ＡＧＣ部１１１はＳＴＳ検出開始利得制御処理を終了する。【０１６４】
なお、ＡＧＣ部１１１は、ＳＴＳ検出開始利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。【０１６５】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１へ出力する。無線通信機器１００は、ＡＤ変換部１０４から出力されるＬＴＳに関連したデジタルベースバンド信号とＬＴＳに基づく基準信号とに基づいてチャネル推定を行う。【０１６６】
時間ＴＢ4において、ＡＧＣ部１１１は、ＬＴＳ検出部１０９から入力されるＬＴＳ検出信号がローレベルからハイレベルへ遷移したことを受けて、可変利得増幅部１０２の利得の値を利得値Ｇ3に固定する。なお、ＬＴＳは２つあるので、時間ＴＢ5においてもＬＴＳ検出信号はパルス期間ハイレベルになる。【０１６７】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１へ出力する。【０１６８】
復調部１１０は時間ＴＢ6に無線パケット信号の復調を完了すると、パルス期間ハイレベルの復調完了信号をＡＧＣ部１１１へ出力する。ＡＧＣ部１１１は、復調完了信号がローレベルからハイレベルへ遷移したことを受けて、可変利得増幅部１０２の利得の値を初期利得値Ｇ1に設定する。【０１６９】
≪第２の実施の形態≫
以下、本発明の第２の実施の形態について図面を参照しつつ説明する。【０１７０】
第１の実施の形態の無線通信機器１００はデジタルベースバンド信号の電力値に基づいて利得制御される可変利得増幅部１０２を備える。【０１７１】
これに対して、本実施の形態の無線通信機器は、デジタルベースバンド信号の電力値に基づいて利得制御される可変利得増幅部に加え、受信アナログ信号の電力値に基づいて利得制御される可変利得増幅部（本実施の形態では、低雑音増幅部）を更に備える。【０１７２】
＜無線通信機器の構成＞
以下、本実施の形態の無線通信機器１００ａの構成について図１１を参照しつつ説明する。図１１は本実施の形態の無線通信機器１００ａの機器構成図である。なお、本実施の形態において、第１の実施の形態と実質的に同じ構成要素には第１の実施の形態と同じ符号を付し、第１の実施の形態の説明が適用できるため本実施の形態ではその説明を省略する。【０１７３】
無線通信機器１００ａは、アンテナ１０１と、低雑音増幅部１３１と、周波数変換部１３２と、可変利得増幅部１３３と、ＡＤ変換部１３４と、デジタル信号電力検出部１０５と、ビット飽和検出部１０６と、ＳＴＳ検出部１０７と、ＳＴＳ開始検出部１０８と、ＬＴＳ検出部１０９と、アナログ信号電力検出部１３５と、比較部１３６と、復調部１１０と、ＡＧＣ部１１１ａとを備える。【０１７４】
［低雑音増幅部１３１］
低雑音増幅部（Low Noise Amp）１３１は、利得の値が可変であり、アンテナ１０１によって受信されたＲＦ帯の受信アナログ信号を増幅し、増幅後のＲＦ帯のアナログ信号を周波数変換部１３２へ出力する。但し、低雑音増幅部１３１はＡＧＣ部１１１ａによって２つの利得の値の何れかに利得制御される。なお、以下において、２つの利得の値のうち、値が大きい方の利得の値を「高利得制御値」と言い、値が小さい方の利得の値を「低利得制御値」と言う。【０１７５】
［周波数変換部１３２］
周波数変換部１３２は、低雑音増幅部１３１から入力される増幅後のＲＦ帯のアナログ信号をベースバンド帯のアナログ信号に周波数変換し、ベースバンド帯のアナログ信号を可変利得増幅部１３３へ出力する。【０１７６】
［可変利得増幅部１３３］
可変利得増幅部１３３は、利得の値が可変であり、周波数変換部１３２から入力されるベースバンド帯のアナログ信号を増幅し、増幅後のベースバンド帯のアナログ信号をＡＤ変換部１３４へ出力する。但し、可変利得増幅部１３３はＡＧＣ部１１１ａによって利得が制御される。【０１７７】
［ＡＤ変換部１３４］
ＡＤ変換部１３４は、入力に係る所定のダイナミックレンジを持ち、可変利得増幅部１３３から入力される増幅後のベースバンド帯のアナログ信号を所定のサンプリング周波数で所定のビット数のデジタル信号（デジタルベースバンド信号）に変換する。そして、ＡＤ変換部１３４は、デジタルベースバンド信号をデジタル信号電力検出部１０５、ビット飽和検出部１０６、ＳＴＳ検出部１０７、ＬＴＳ検出部１０９及び復調部１１０へ出力する。【０１７８】
［アナログ信号電力検出部１３５］
アナログ信号電力検出部１３５は、アンテナ１０１によって受信された受信アナログ信号の電力値を検出し、検出した電力値を示すアナログ電力値信号を比較部１３６へ出力する。【０１７９】
［比較部１３６］
以下において、受信アナログ信号の電力値が予め定められた電力値（以下、「電力閾値」と言う。）を超えている場合、「受信アナログ信号が強入力である」と言う。【０１８０】
比較部１３６は、電力閾値を予め記憶しており、アナログ信号電力検出部１３５から入力されるアナログ電力値信号が示す受信アナログ信号の電力値と電力閾値とを比較する。そして、比較部１３６は受信アナログ信号の電力値が電力閾値を超える場合に、受信アナログ信号が強入力であると判定し、ハイレベルの強入力判定信号をＡＧＣ部１１１ａへ出力する。一方、比較部１３６は受信アナログ信号の電力値が電力閾値以下の場合に、受信アナログ信号が強入力でないと判定し、ローレベルの強入力判定信号をＡＧＣ部１１１ａへ出力する。【０１８１】
［ＡＧＣ部１１１ａ］
ＡＧＣ部１１１ａは、低雑音利得増幅部１３１に高利得値を初期設定し、比較部１３６から入力される強入力判定信号と復調部１１０から入力される復調完了信号とに基づいて低雑音増幅部１３１の利得制御を行う（図１２から図１３参照。）。【０１８２】
ＡＧＣ部１１１ａは、可変利得増幅部１３３に予め定められた所定の利得の値を設定し、デジタル信号電力検出部１０５から入力されるデジタル電力値信号に基づいて可変利得増幅部１３３の利得制御を行う。ＡＧＣ部１１１ａは、可変利得増幅部１３３の利得制御の開始の判断を、ビット飽和検出部１０６から入力されるビット飽和検出信号と、ＳＴＳ開始検出部１０８から入力されるＳＴＳ検出区間開始信号と、比較部１３６から入力される強入力判定信号と、ＬＴＳ検出部１０９から入力されるＬＴＳ検出信号と、復調部１１０から入力される復調完了信号とに基づいて行う（図１２から図１３、図７から図８及び図１４参照。）。【０１８３】
但し、ＡＧＣ部１１１ａは、ビット飽和検出信号がハイレベルにあることを契機として（デジタルベースバンド信号がビット飽和したことを契機として）可変利得増幅部１３３の利得の制御を開始する場合、可変利得増幅部１３３に設定する利得の値の算出及び可変利得増幅部１３３に算出した利得の値の設定を２回行う（図７参照。）。【０１８４】
同様に、ＡＧＣ部１１１ａは、強入力判定信号がハイレベルにあることを契機として（受信アナログ信号が強入力であることを契機として）可変利得増幅部１３３の利得の制御を開始する場合、可変利得増幅部１３３に設定する利得の値の算出及び可変利得増幅部１３３に算出した利得の値の設定を２回行う（図１４参照。）。【０１８５】
これに対して、ＡＧＣ部１１１ａは、ＳＴＳ検出区間開始信号がローレベルからハイレベルへ遷移したことを契機として（ＳＴＳ検出区間が開始されたことを契機として）可変利得増幅部１３３の利得の制御を開始する場合、可変利得増幅部１３３に設定する利得の値の算出及び可変利得増幅部１３３に算出した利得の値の設定を１回行う（図８参照。）。【０１８６】
受信アナログ信号が強入力である場合、低雑音増幅部１３１の利得の値を高利得制御値から低利得制御値に切り替えたとしても、ＡＤ変換部１３４から出力されているデジタルベースバンド信号がビット飽和を起こしている可能性がある。このことを踏まえ、強入力判定信号がハイレベルにあることを契機とする利得制御回数を、ＳＴＳ検出区間開始信号がローレベルからハイレベルへ遷移したことを契機とする利得制御回数より多くしている。【０１８７】
（ＡＧＣ部１１１ａの動作）
以下、図１１のＡＧＣ部１１１ａが行う低雑音増幅部１３１及び可変利得増幅部１３３の利得制御処理について図１２及び図１３を参照しつつ説明する。図１２及び図１３は図１１のＡＧＣ部１１１ａが行う低雑音増幅部１３１及び可変利得増幅部１３３の利得制御処理の手順を示すフローチャートである。【０１８８】
ＡＧＣ部１１１ａは、可変利得増幅部１３３に予め定められた利得値（初期利得値）を設定し（ステップＳ２０１）、低雑音増幅部１３１に高利得制御値を設定する（ステップＳ２０２）。【０１８９】
なお、アンテナ１０１によって受信されたＲＦ帯のアナログ信号（受信アナログ信号）は、低雑音増幅部１３１、周波数変換部１３２、可変利得増幅部１３３、及びＡＤ変換部１３４の夫々によって所定の処理が施され、デジタルベースバンド信号がＡＤ変換部１３４から出力される。【０１９０】
アンテナ１０１によって受信されたＲＦ帯のアナログ信号（受信アナログ信号）の電力値がアナログ信号電力検出部１３５によって検出される。そして、比較部１３６は、アナログ信号電力検出部１３５から入力されるアナログ電力値信号が示す受信アナログ信号の電力値と電力閾値とを比較し、比較結果に応じた強入力判定信号をＡＧＣ部１１１ａへ出力する。【０１９１】
ビット飽和検出部１０６は、ＡＤ変換部１３４から出力されているデジタルベースバンド信号のビット飽和を検出するための検出処理を行い、検出結果に応じたビット飽和検出信号をＡＧＣ部１１１ａへ出力する。【０１９２】
ＳＴＳ検出部１０７は、ＡＤ変換部１３４から出力されているデジタルベースバンド信号からＳＴＳを検出するための検出処理を行う。そして、ＳＴＳ開始検出部１０８はＳＴＳ検出部１０７から入力されるＳＴＳ検出信号に基づいてＳＴＳ検出区間の開始を検出するための検出処理を行い、検出結果に応じたＳＴＳ検出区間開始信号をＡＧＣ部１１１ａへ出力する。【０１９３】
ＡＧＣ部１１１ａは、強入力判定信号に基づいて受信アナログ信号が強入力であるか否かを判定する（ステップＳ２０３）。なお、強入力判定信号がハイレベルであれば受信アナログ信号が強入力であると判定し、ローレベルであれば受信アナログ信号が強入力でないと判定する。【０１９４】
ＡＧＣ部１１１ａは、受信アナログ信号が強入力であると判定した場合には（Ｓ２０３：ＹＥＳ）、低雑音増幅部１３１に低利得制御値を設定する（ステップＳ２０４）。そして、ＡＧＣ部１１１ａは、可変利得増幅部１３３に設定する利得の値の算出と可変利得増幅部１３３に算出した利得の値の設定との組み合わせを２回行う図１４に処理手順を示す強入力利得制御処理を行い（ステップＳ２０５）、ステップＳ２１０の処理へ進む。なお、ＳＴＳ検出部１０７は強入力利得制御処理の実行期間や強入力利得制御処理の実行終了後もＳＴＳの検出処理を行っているため、ＳＴＳ検出部１０７は強入力利得制御処理の実行期間や強入力利得制御処理の実行終了後にＳＴＳを検出することがある。【０１９５】
ＡＧＣ部１１１ａは、受信アナログ信号が強入力でないと判定した場合には（Ｓ２０３：ＮＯ）、ビット飽和検出信号に基づいてＡＤ変換部１３４から出力されているデジタルベースバンド信号がビット飽和を起こしているか否かを判定する（ステップＳ２０６）。【０１９６】
ＡＧＣ部１１１ａは、デジタルベースバンド信号がビット飽和を起こしていると判定した場合には（Ｓ２０６：ＹＥＳ）、可変利得増幅部１３３に設定する利得の値の算出と可変利得増幅部１３３に算出した利得の値の設定との組み合わせを２回行う図７に示した処理手順と実質的に同じ処理手順のビット飽和利得制御処理を行い（ステップＳ２０７）、ステップＳ２１０の処理へ進む。なお、ＳＴＳ検出部１０７はビット飽和利得制御処理の実行期間やビット飽和利得制御処理の実行終了後もＳＴＳの検出処理を行っているため、ＳＴＳ検出部１０７はビット飽和利得制御処理の実行期間やビット飽和利得制御処理の実行終了後にＳＴＳを検出することがある。【０１９７】
ＡＧＣ部１１１ａは、デジタルベースバンド信号がビット飽和を起こしていないと判定した場合には（Ｓ２０６：ＮＯ）、ＳＴＳ検出区間開始信号に基づいてＳＴＳ検出区間の開始が検出されたか否かを判定する（ステップＳ２０８）。ＡＧＣ部１１１ａは、ＳＴＳ検出区間の開始が検出されていないと判定した場合には（Ｓ２０８：ＮＯ）、ステップＳ２０３の処理へ進む。【０１９８】
ＡＧＣ部１１１ａは、ＳＴＳ検出区間の開始が検出されたと判定した場合には（Ｓ２０８：ＹＥＳ）、可変利得増幅部１３３に設定する利得の値の算出と可変利得増幅部１３３に算出した利得の値の設定との組み合わせを１回行う図８に示した処理手順と実質的に同じ処理手順のＳＴＳ検出開始利得制御処理を行い（ステップＳ２０９）、ステップＳ２１０の処理へ進む。なお、ＳＴＳ検出部１０７はＳＴＳ検出開始利得制御処理の実行終了後もＳＴＳの検出処理を行っているため、ＳＴＳ検出部１０７はＳＴＳ検出開始利得制御処理の実行終了後にＳＴＳを検出することがある。【０１９９】
なお、ＬＴＳ検出部１０９は、ＡＤ変換部１３４から出力されているデジタルベースバンド信号からＬＴＳを検出するための検出処理を行い、検出結果に応じたＬＴＳ検出信号をＡＧＣ部１１１ａへ出力する。【０２００】
ＡＧＣ部１１１ａは、計時カウンタのカウント値Ｔを０に設定し、タイムアウト時間をＴOUTに設定する（ステップＳ２１０）。なお、タイムアウト時間ＴOUTは、例えば、自機器宛の無線パケット信号に起因して受信アナログ信号が強入力と判定されてから、自機器宛の無線パケット信号に起因するビット飽和が検出されてから、或いは、自機器宛の無線パケット信号に起因するＳＴＳ検出区間の開始が検出されてから当該自機器宛の無線パケット信号に含まれるＬＴＳが検出されるまでの時間より長くなるように設定される。【０２０１】
ＡＧＣ部１１１ａは、ＬＴＳ検出信号に基づいてＡＤ変換部１３４から出力されているデジタルベースバンド信号からＬＴＳが検出されたか否かを判定する（ステップＳ２１１）。【０２０２】
ＡＧＣ部１１１ａは、デジタルベースバンド信号からＬＴＳが検出されていないと判定した場合には（Ｓ２１１：ＮＯ）、強入力判定信号に基づいて受信アナログ信号が強入力であるか否かを判定する（ステップＳ２１２）。ＡＧＣ部１１１ａは、受信アナログ信号が強入力であると判定した場合には（Ｓ２１２：ＹＥＳ）、ステップＳ２０４の処理へ進む。【０２０３】
ＡＧＣ部１１１ａは、受信アナログ信号が強入力でないと判定した場合には（Ｓ２１２：ＮＯ）、ビット飽和検出信号に基づいてＡＤ変換部１３４から出力されているデジタルベースバンド信号がビット飽和を起こしているか否かを判定する（ステップＳ２１３）。ＡＧＣ部１１１ａは、デジタルベースバンド信号がビット飽和を起こしていると判定した場合には（Ｓ２１３：ＹＥＳ）、ステップＳ２０７の処理へ進む。【０２０４】
ＡＧＣ部１１１ａは、デジタルベースバンド信号がビット飽和を起こしていないと判定した場合には（Ｓ２１３：ＮＯ）、ＳＴＳ検出区間開始信号に基づいてＳＴＳ検出区間の開始が検出されたか否かを判定する（ステップＳ２１４）。ＡＧＣ部１１１ａは、ＳＴＳ検出区間の開始が検出されたと判定した場合には（Ｓ２１４：ＹＥＳ）、ステップＳ２０９の処理へ進む。【０２０５】
ＡＧＣ部１１１ａは、ＳＴＳ検出区間の開始が検出されていないと判定した場合には（Ｓ２１４：ＮＯ）、計時カウンタのカウント値Ｔがタイムアウト時間ＴOUTになったか否かを判定する（ステップＳ２１５）。ＡＧＣ部１１１ａは、カウント値Ｔがタイムアウト時間ＴOUTになっていないと判定した場合には（Ｓ２１５：ＮＯ）、計時カウンタのカウント値Ｔを１カウントアップし（ステップＳ２１６）、ステップＳ２１１の処理へ進む。一方、ＡＧＣ部１１１ａは、カウント値Ｔがタイムアウト時間ＴOUTになったと判定した場合には（Ｓ２１５：ＹＥＳ）、ステップＳ２０１の処理へ進む。【０２０６】
ＡＧＣ部１１１ａは、デジタルベースバンド信号からＬＴＳが検出されたと判定した場合には（Ｓ２１１：ＹＥＳ）、可変利得増幅部１３３の利得の値を固定し（ステップＳ２１７）、低雑音増幅部１３１の利得の値を固定する（ステップＳ２１８）。【０２０７】
なお、復調部１１０は、ＡＤ変換部１３４から出力されているデジタルベースバンド信号の復調を行い、復調完了信号をＡＧＣ部１１１ａへ出力する。【０２０８】
ＡＧＣ部１１１ａは、復調完了信号に基づいて無線パケット信号の復調が完了したか否かを判定する（ステップＳ２１９）。ＡＧＣ部１１１ａは、無線パケット信号の復調が完了したと判定するまで（Ｓ２１９：ＮＯ）、ステップＳ２１９の処理を継続して行う。一方、ＡＧＣ部１１１ａは、無線パケット信号の復調が完了したと判定した場合には（Ｓ２１９：ＹＥＳ）、ステップＳ２０１の処理へ進む。なお、ＡＧＣ部１１１は無線パケットの復調完了後所定時間経過してからステップＳ１０１の処理へ進むようにしてもよい。【０２０９】
上述したステップＳ２０３，Ｓ２１２の判定処理において、例えば自機器の無線通信とは無関係な信号に起因する強入力のために肯定的な判定がされる場合がある。また、上述したＳ２０６，Ｓ２１３の判定処理において、例えば自機器の無線通信とは無関係な信号に起因するビット飽和のために肯定的な判定がされる場合がある。さらに、上述したステップＳ２０８，Ｓ２１４の処理において、例えば無線通信機器１００がＳＴＳを誤検出したために肯定的な判定がされる場合がある。【０２１０】
このような場合に、受信アナログ信号が強入力になれば（Ｓ２１２：ＹＥＳ）、低雑音利得増幅部１３１に低利得制御値が設定され、強入力利得制御処理が実行されて可変利得増幅部１３３の利得が再調整される（ステップＳ２０４，Ｓ２０５）。このため、ＡＤ変換部１３４から出力されているデジタルベースバンド信号がビット飽和することを回避でき、ＳＴＳの検出能力が高くなる。【０２１１】
また、上記の場合に、デジタルベースバンド信号のビット飽和が起これば（Ｓ２１３：ＹＥＳ）、ビット飽和利得制御処理が実行されて可変利得増幅部１３３の利得が再調整される（ステップＳ２０７）。このため、ＡＤ変換部１３４から出力されるデジタルベースバンド信号が継続してビット飽和する状況を回避でき、ＳＴＳの検出能力が高くなる。【０２１２】
さらに、上記のような場合に、ＳＴＳ検出区間の開始が検出されれば（Ｓ２１４：ＹＥＳ）、ＳＴＳ検出開始利得制御処理が実行されて可変利得増幅部１３３の利得が再調整される（ステップＳ２０９）。このため、ＬＴＳ、ＳＩＧＮＡＬシンボル及びＤＡＴＡシンボルに対する処理を、これらと同じ無線パケット信号に含まれるＳＴＳに基づいて利得調整された可変利得増幅１３３の出力に基づいて行うことが可能になる。【０２１３】
さらに、上記のような場合に、強入力利得制御処理、ビット飽和利得制御処理或いはＳＴＳ検出開始利得制御処理が実行されてからタイムアウト時間ＴOUTが経過するまでにＬＴＳが検出されなければ（Ｓ２１５：ＹＥＳ）、可変利得増幅部１３３に初期利得値が再設定され、低雑音増幅部１３１に高利得制御値が再設定される（ステップＳ２０１，Ｓ２０２）。このため、自機器の無線通信とは無関係な信号によって可変利得増幅部１３３の利得の値が設定され続ける状況を回避でき、ＳＴＳの検出能力が高くなる。【０２１４】
「強入力利得制御処理」
図１２の強入力利得制御処理（ステップＳ２０５）の手順を図１４に示す。なお、デジタル信号電力検出部１０５は、ＡＤ変換部１３４から出力されているデジタルベースバンド信号の電力値を検出し、検出した電力値を示すデジタル電力値信号をＡＧＣ部１１１ａへ出力している。【０２１５】
ＡＧＣ部１１１ａは、デジタル電力値信号が示すデジタルベースバンド信号の電力値と基準デジタル電力値とに基づいて可変利得増幅部１３３に設定する利得の値を算出し（ステップＳ２３１）、算出した利得の値を可変利得増幅部１３３に設定する（ステップＳ２３２）。【０２１６】
ＡＧＣ部１１１ａは、計時カウンタのカウント値Ｔを０に設定し、タイムアウト時間をＴOUT1に設定する（ステップＳ２３３）。なお、タイムアウト時間ＴOUT1と後述するタイムアウト時間ＴOUT2は、可変利得増幅部１３３がＡＧＣ部１１１ａによって設定された利得の値で安定して動作するまでの時間と、可変利得増幅部１３３の出力信号が可変利得増幅部１３３から出力されてからＡＤ変換部１３４から出力されるまでの時間とを考慮して定められる。但し、強入力利得制御処理の１回目及び２回目の利得制御処理のタイムアウト時間を夫々ビット飽和利得制御処理の１回目及び２回目の利得制御処理のタイムアウト時間と同じにしているが、両者のタイムアウト時間を同じにしなくてもよい。【０２１７】
ＡＧＣ部１１１ａは、計時カウンタのカウント値Ｔがタイムアウト時間ＴOUT1になったか否かを判定する（ステップＳ２３４）。ＡＧＣ部１１１ａは、カウント値Ｔがタイムアウト時間ＴOUT1になっていないと判定した場合には（Ｓ２３４：ＮＯ）、計時カウンタのカウント値Ｔを１カウントアップし（ステップＳ２３５）、ステップＳ２３４の処理へ進む。一方、ＡＧＣ部１１１ａは、カウント値Ｔがタイムアウト時間ＴOUT1になったと判定した場合には（Ｓ２３４：ＹＥＳ）、ステップＳ２３６の処理へ進む。【０２１８】
以上のステップＳ２３１からステップＳ２３５までの処理によって、ＡＧＣ部１１１ａによる１回目の可変利得増幅部１３３の利得制御が行われる。【０２１９】
ＡＧＣ部１１１ａは、デジタル電力値信号が示すデジタルベースバンド信号の電力値と基準デジタル電力値とに基づいて可変利得増幅部１３３に設定する利得の値を算出し（ステップＳ２３６）、算出した利得の値を可変利得増幅部１３３に設定する（ステップＳ２３７）。【０２２０】
ＡＧＣ部１１１ａは、計時カウンタのカウント値Ｔを０に設定し、タイムアウト時間をＴOUT2に設定する（ステップＳ２３８）。【０２２１】
ＡＧＣ部１１１ａは、計時カウンタのカウント値Ｔがタイムアウト時間ＴOUT2になったか否かを判定する（ステップＳ２３９）。ＡＧＣ部１１１ａは、カウント値Ｔがタイムアウト時間ＴOUT2になっていないと判定した場合には（Ｓ２３９：ＮＯ）、計時カウンタのカウント値Ｔを１カウントアップし（ステップＳ２４０）、ステップＳ２３９の処理へ進む。一方、ＡＧＣ部１１１ａは、カウント値Ｔがタイムアウト時間ＴOUT2になったと判定した場合には（Ｓ２３９：ＹＥＳ）、図１２のステップＳ２１０の処理へ進む。【０２２２】
以上のステップＳ２３６からステップＳ２４０までの処理によって、ＡＧＣ部１１１ａによる２回目の可変利得増幅部１３３の利得制御が行われる。【０２２３】
上述したように、図１４に処理手順を示す強入力利得制御処理では、ＡＧＣ部１１１ａは、可変利得制御部１３３に設定する利得の値の算出及び可変利得増幅部１３３に算出した利得の値の設定を２回行う。【０２２４】
図８及び図１４から分かるとおり、図１４に処理手順を示す強入力利得制御処理における利得制御回数は、図８に処理手順を示すＳＴＳ検出開始利得制御処理における利得制御回数より多くなっている。【０２２５】
上述した無線通信機器１００ａによれば、受信アナログ信号の増幅を２段階で行うことによってトータルの利得幅を大きくすることができる。また、低雑音増幅部１３１の利得制御により応答性の早い利得制御を実現しつつ、可変利得増幅部１３３の利得制御により精細な利得制御を実現することができる。【０２２６】
≪第３の実施の形態≫
以下、本発明の第３の実施の形態について図面を参照しつつ説明する。【０２２７】
第２の実施の形態の無線通信機器１００ａのＡＧＣ部１１１ａは、強入力判定を行った後にビット飽和判定を行う。これに対して、本実施の形態の無線通信機器のＡＧＣ部は、ビット飽和判定を行った後に強入力判定を行う。【０２２８】
＜無線通信機器の構成＞
以下、本実施の形態の無線通信機器１００ｂの構成について図１５を参照しつつ説明する。図１５は本実施の形態の無線通信機器１００ｂの機器構成図である。なお、本実施の形態において、第１及び第２の実施の形態と実質的に同じ構成要素には第１及び第２の実施の形態と同じ符号を付し、第１及び第２の実施の形態の説明が適用できるため本実施の形態ではその説明を省略する。【０２２９】
無線通信機器１００ｂは、アンテナ１０１と、低雑音増幅部１３１と、周波数変換部１３２と、可変利得増幅部１３３と、ＡＤ変換部１３４と、デジタル信号電力検出部１０５と、ビット飽和検出部１０６と、ＳＴＳ検出部１０７と、ＳＴＳ開始検出部１０８と、ＬＴＳ検出部１０９と、アナログ信号電力検出部１３５と、比較部１３６と、復調部１１０と、ＡＧＣ部１１１ｂとを備える。【０２３０】
［ＡＧＣ部１１１ｂ］
ＡＧＣ部１１１ａは、受信アナログ信号が強入力であるかの判定を行った後にＡＤ変換部１３４から出力されているデジタルベースバンド信号がビット飽和を起こしているか否かを判定する。これに対して、ＡＧＣ部１１１ｂは、ＡＤ変換部１３４から出力されているデジタルベースバンド信号がビット飽和を起こしているか否かの判定を行った後に、受信アナログ信号が強入力であるか否かを判定する（図１６から図１７、図７から図８及び図１４参照）。【０２３１】
（ＡＧＣ部１１１ｂの動作）
以下、図１５のＡＧＣ部１１１ｂが行う低雑音増幅部１３１及び可変利得増幅部１３３の利得制御処理について図１６及び図１７を参照しつつ説明する。図１６及び図１７は図１５のＡＧＣ部１１１ｂが行う低雑音増幅部１３１及び可変利得増幅部１３３の利得制御処理の手順を示すフローチャートである。なお、ここでは、ＡＧＣ部１１１ａの動作と相違するＡＧＣ部１１１ｂの動作を主に説明する。【０２３２】
ＡＧＣ部１１１ｂは、可変利得増幅部１３３に予め定められた利得値（初期利得値）を設定し（ステップＳ３０１）、低雑音増幅部１３１に高利得制御値を設定する（ステップＳ３０２）。【０２３３】
ＡＧＣ部１１１ｂは、ビット飽和検出部１０６から入力されるビット飽和検出信号に基づいてＡＤ変換部１３４から出力されているデジタルベースバンド信号がビット飽和を起こしているか否かを判定する（ステップＳ３０３）。【０２３４】
ＡＧＣ部１１１ｂは、デジタルベースバンド信号がビット飽和を起こしていると判定した場合には（Ｓ３０３：ＹＥＳ）、比較部１３６から入力される強入力判定信号に基づいて受信アナログ信号が強入力であるか否かを判定する（ステップＳ３０４）。【０２３５】
ＡＧＣ部１１１ｂは、受信アナログ信号が強入力であると判定した場合には（Ｓ３０４：ＹＥＳ）、低雑音増幅部１３１に低利得制御値を設定する（ステップＳ３０５）。そして、ＡＧＣ部１１１ｂは、可変利得増幅部１３３に設定する利得の値の算出と可変利得増幅部１３３に算出した利得の値の設定との組み合わせを２回行う図１４に示した処理手順と実質的に同じ処理手順の強入力利得制御処理を行い（ステップＳ３０６）、ステップＳ３１０の処理へ進む。【０２３６】
ＡＧＣ部１１１ｂは、受信アナログ信号が強入力でないと判定した場合には（Ｓ３０４：ＮＯ）、可変利得増幅部１３３に設定する利得の値の算出と可変利得増幅部１３３に算出した利得の値の設定との組み合わせを２回行う図７に示した処理手順と実質的に同じ処理手順のビット飽和利得制御処理を行い（ステップＳ３０７）、ステップＳ３１０の処理へ進む。【０２３７】
ＡＧＣ部１１１ｂは、デジタルベースバンド信号がビット飽和を起こしていないと判定した場合には（Ｓ３０３：ＮＯ）、ＳＴＳ開始検出部１０８から入力されるＳＴＳ検出区間開始信号に基づいてＳＴＳ検出区間の開始が検出されたか否かを判定する（ステップＳ３０８）。ＡＧＣ部１１１ｂは、ＳＴＳ検出区間の開始が検出されていないと判定した場合には（Ｓ３０８：ＮＯ）、ステップＳ３０３の処理へ進む。【０２３８】
ＡＧＣ部１１１ｂは、ＳＴＳ検出区間の開始が検出されたと判定した場合には（Ｓ３０８：ＹＥＳ）、可変利得増幅部１３３に設定する利得の値の算出と可変利得増幅部１３３に算出した利得の値の設定との組み合わせを１回行う図８に示した処理手順と実質的に同じ処理手順のＳＴＳ検出開始利得制御処理を行い（ステップＳ３０９）、ステップＳ３１０の処理へ進む。【０２３９】
ＡＧＣ部１１１ｂは、計時カウンタのカウント値Ｔを０に設定し、タイムアウト時間をＴOUTに設定する（ステップＳ３１０）。【０２４０】
ＡＧＣ部１１１ｂは、ＬＴＳ検出部１０９から入力されるＬＴＳ検出信号に基づいてＡＤ変換部１３４から出力されているデジタルベースバンド信号からＬＴＳが検出されたか否かを判定する（ステップＳ３１１）。【０２４１】
ＡＧＣ部１１１ｂは、デジタルベースバンド信号からＬＴＳが検出されていないと判定した場合には（Ｓ３１１：ＮＯ）、ビット飽和検出部１０６から入力されるビット飽和検出信号に基づいてＡＤ変換部１３４から出力されているデジタルベースバンド信号がビット飽和を起こしているか否かを判定する（ステップＳ３１２）。ＡＧＣ部１１１ｂは、デジタルベースバンド信号がビット飽和を起こしていると判定した場合には（Ｓ３１２：ＹＥＳ）、ステップＳ３０４の処理へ進む。【０２４２】
ＡＧＣ部１１１ｂは、デジタルベースバンド信号がビット飽和を起こしていないと判定した場合には（Ｓ３１２：ＮＯ）、ＳＴＳ開始検出部１０８から入力されるＳＴＳ検出区間開始信号に基づいてＳＴＳ検出区間の開始が検出されたか否かを判定する（ステップＳ３１３）。ＡＧＣ部１１１ｂは、ＳＴＳ検出区間の開始が検出されたと判定した場合には（Ｓ３１３：ＹＥＳ）、ステップＳ３０９の処理へ進む。【０２４３】
ＡＧＣ部１１１ｂは、ＳＴＳ検出区間の開始が検出されていないと判定した場合には（Ｓ３１３：ＮＯ）、計時カウンタのカウント値Ｔがタイムアウト時間ＴOUTになったか否かを判定する（ステップＳ３１４）。ＡＧＣ部１１１ｂは、カウント値Ｔがタイムアウト時間ＴOUTになっていないと判定した場合には（Ｓ３１４：ＮＯ）、計時カウンタのカウント値Ｔを１カウントアップし（ステップＳ３１５）、ステップＳ３１１の処理へ進む。一方、ＡＧＣ部１１１ｂは、カウント値Ｔがタイムアウト時間ＴOUTになったと判定した場合には（Ｓ３１４：ＹＥＳ）、ステップＳ３０１の処理へ進む。【０２４４】
ＡＧＣ部１１１ｂは、デジタルベースバンド信号からＬＴＳが検出されたと判定した場合には（Ｓ３１１：ＹＥＳ）、ステップＳ３１６へ進み、ステップＳ３１６からステップＳ３１８において図１３のステップＳ２１７からステップＳ２１９と実質的に同じ処理を行う。【０２４５】
≪第４の実施の形態≫
以下、本発明の第４の実施の形態について図面を参照しつつ説明する。【０２４６】
本実施の形態の無線通信機器は、第２の実施の形態の無線通信機器１００ａに、直流成分を含む低周波成分を除去した後のアナログ信号に基づいて可変利得増幅部１３３の利得制御を行うための機能を付加したものである。【０２４７】
＜無線通信機器の構成＞
以下、本実施の形態の無線通信機器の構成について図１８を参照しつつ説明する。図１８は本実施の形態の無線通信機器の機器構成図である。なお、本実施の形態において、第１及び第２の実施の形態と実質的に同じ構成要素には第１及び第２の実施の形態と同じ符号を付し、第１及び第２の実施の形態の説明が適用できるため本実施の形態ではその説明を省略する。【０２４８】
無線通信機器１００ｃは、アンテナ１０１と、低雑音増幅器１３１と、周波数変換部１３２と、ＨＰＦ機能部１５１と、可変利得増幅部１３３と、ＡＤ変換部１３４と、デジタル信号電力検出部１０５と、ビット飽和検出部１０６と、ＳＴＳ検出部１０７と、ＳＴＳ開始検出部１０８と、ＬＴＳ検出部１０９と、アナログ信号電力検出部１３５と、比較部１３６と、復調部１１０と、ＡＧＣ部１１１ｃとを備える。【０２４９】
［ＨＰＦ機能部１５１］
ＨＰＦ機能部１５１は、周波数変換部１３２から入力されるベースバンド帯のアナログ信号から直流成分を含む低周波成分を除去して高周波成分のみ出力するＨＰＦ（High Pass Filter）機能が有効な動作モード（以下、「ＨＰＦ機能有効モード」と言う。）と、周波数変換部１３２から入力されるベースバンド帯のアナログ信号をそのまま出力するＨＰＦ機能が無効な動作モード（以下、「ＨＰＦ機能無効モード」と言う。）との何れかの動作モードで動作する。但し、ＨＰＦ機能部１５１の動作モードの切り替え制御はＡＧＣ部１１１ｃによって行われる（図１９から図２０参照。）。【０２５０】
ＨＰＦ機能部１５１は、切り替えスイッチ１５１ａと、ＨＰＦ（High Pass Filter）１５１ｂとを備える。【０２５１】
動作モードがＨＰＦ機能有効モードの場合、周波数変換部１３２から出力されるベースバンド帯のアナログ信号がＨＰＦ１５１ｂを通過して可変利得増幅部１３３に入力されるように、切り替えスイッチ１５１ａは周波数変換部１３２をＨＰＦ１５１ｂに接続する。【０２５２】
動作モードがＨＰＦ機能無効モードの場合、周波数変換部１３２から出力されるベースバンド帯のアナログ信号が可変利得増幅部１３３に直接入力されるように、切り替えスイッチ１５１ａは周波数変換部１３２を可変利得増幅部１３３に接続する。【０２５３】
ＨＰＦ１５１ｂは、入力されるベースバンド帯のアナログ信号から直流成分を含む低周波成分を除去して高周波成分のみを出力するハイパスフィルタである。なお、ＨＰＦ１５１ｂのカットオフ周波数は、通過させたい信号成分の周波数成分或いは除去したい信号成分の周波数を考慮して定められる。【０２５４】
［ＡＧＣ部１１１ｃ］
ＡＧＣ部１１１ｃには、ＡＧＣ部１１１ａが行う処理と実質的に同じ処理を行うのに加え、ＨＰＦ機能部１５１の動作モードの切り替え制御を行う（図１９から図２０、図７から図８及び図１４参照。）。【０２５５】
（ＡＧＣ部１１１ｃの動作）
以下、図１８のＡＧＣ部１１１ｃが行う低雑音増幅部１３１及び可変利得増幅部１３３の利得制御及びＨＰＦ機能部１５１の動作モードの切り替え制御に係る処理について図１９及び図２０を参照しつつ説明する。図１９及び図２０は図１８のＡＧＣ部１１１ｃが行う低雑音増幅部１３１及び可変利得増幅部１３３の利得制御及びＨＰＦ機能１５１の動作モードの切り替え制御に係る処理の手順を示すフローチャートである。なお、ここでは、ＡＧＣ部１１１ａの動作と相違するＡＧＣ部１１１ｂの動作を主に説明する。【０２５６】
ＡＧＣ部１１１ｃは、可変利得増幅部１３３に予め定められた利得値（初期利得値）を設定し（ステップＳ４０１）、低雑音増幅部１３１に高利得制御値を設定し（ステップＳ４０２）、ＨＰＦ機能部１５１の動作モードをＨＰＦ機能有効モードに設定する（ステップＳ４０３）。【０２５７】
ＨＰＦ機能部１５１のＨＰＦ１５１ｂは、例えばダイレクトコンバージョン方式を用いた周波数変換部１３２によって発生する直流成分を除去する。これによって、ＨＰＦ機能部１５１の動作モードがＨＰＦ機能有効モードである場合、ＡＤ変換部１０４から出力されるデジタルベースバンド信号の電力値は、周波数変換部１３２によって発生する直流成分の電力値のオフセットを含まない。このため、ＡＧＣ部１１１ｃは、可変利得増幅部１３３の利得の制御を正確に行うことができる。【０２５８】
ＡＧＣ部１１１ｃは、ステップＳ４０４からステップＳ４１０において図１２のステップＳ２０３からステップＳ２０９と実質的に同じ処理を行う。なお、ステップＳ４０６の強入力利得制御処理の処理手順は、図１４に示した処理手順と実質的に同じ処理手順である。ステップＳ４０８のビット飽和利得制御処理の処理手順は、図７に示した処理手順と実質的に同じ処理手順である。ステップＳ４１０のＳＴＳ検出開始利得制御処理の処理手順は、図８に示した処理手順と実質的に同じ処理手順である。【０２５９】
ＡＧＣ部１１１ｃは、強入力利得制御処理、ビット飽和利得制御処理、及びＳＴＳ検出開始利得制御処理の何れかの処理を行った後、ＨＰＦ機能部１５１の動作モードをＨＰＦ機能有効モードからＨＰＦ機能無効モードへ切り替える（ステップＳ４１１）。【０２６０】
ＨＰＦ機能部１５１の動作モードがＨＰＦ機能無効モードである場合、周波数変換部１３２から出力されるベースバンド帯のアナログ信号からＨＰＦ機能部１５１によって信号成分が除去されることはない。このため、ＳＩＧＮＡＬシンボルやＤＡＴＡシンボルに関連したベースバンド帯のアナログ信号から信号成分が除去されることがなく、ＨＰＦ機能部１５１を設けたことによる復調部１１０の復調精度の劣化が生じない。【０２６１】
ＡＧＣ部１１１ｃは、ステップＳ４１２からステップＳ４２１において図１２及び図１３のステップＳ２１０からステップＳ２１９と実質的に同じ処理を行う。【０２６２】
≪第５の実施の形態≫
以下、本発明の第５の実施の形態について図面を参照しつつ説明する。【０２６３】
本実施の形態の無線通信機器が備えるＡＧＣ部は、第１の実施の形態の無線通信機器１００が備えるＡＧＣ部１１１と異なり、予め定められた期間可変利得増幅部に設定する利得の値の算出及び可変利得増幅部に算出した利得の値の設定を繰り返し行うものである。【０２６４】
＜無線通信機器の構成＞
以下、本実施の形態の無線通信機器１００ｄの構成について図２１を参照しつつ説明する。図２１は本実施の形態の無線通信機器１００ｄの機器構成図である。なお、本実施の形態において、第１の実施の形態と実質的に同じ構成要素には第１の実施の形態と同じ符号を付し、第１の実施の形態の説明が適用できるため本実施の形態ではその説明を省略する。【０２６５】
無線通信機器１００ｄは、アンテナ１０１と、可変利得増幅部１０２と、周波数変換部１０３と、ＡＤ変換部１０４と、デジタル信号電力検出部１０５と、ビット飽和検出部１０６と、ＳＴＳ検出部１０７と、ＳＴＳ開始検出部１０８と、ＬＴＳ検出部１０９と、復調部１１０と、ＡＧＣ部１１１ｄとを備える。【０２６６】
［ＡＧＣ部１１１ｄ］
ＡＧＣ部１１１ｄは、ＡＧＣ部１１１に入力される信号と同じ信号が入力され、入力される信号に基づいて可変利得増幅部１０２の利得制御を行う（図６、図２２及び図２３参照。）。【０２６７】
（ＡＧＣ部１１１ｄの動作）
ＡＧＣ部１１１ｄは可変利得増幅部１０２の利得の制御を図６に示した処理手順に従って行う。なお、ＡＧＣ部１１１ｄは、ＡＧＣ部１１１と異なるビット飽和利得制御処理（ステップＳ１０３）とＳＴＳ検出開始利得制御処理（ステップＳ１０５）とを行う。【０２６８】
「ビット飽和利得制御処理」
ＡＧＣ部１１１ｄが行うビット飽和利得制御処理（ステップＳ１０３）の手順を図２２に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１ｄへ出力している。【０２６９】
ＡＧＣ部１１１ｄは、計時カウンタのカウント値Ｔを０に設定し、タイムアウト時間をＴOUT5に設定する（ステップＳ５３１）。【０２７０】
ＡＧＣ部１１１ｄは、デジタル電力値信号が示すデジタルベースバンド信号の電力値と基準デジタル電力値とに基づいて可変利得増幅部１０２に設定する仮の利得の値を算出し（ステップＳ５３２）、算出した仮の利得の値に所定の係数Ｋを乗算する（ステップＳ５３３）。そして、ＡＧＣ部１１１ｄは、可変利得増幅部１０２に乗算の結果得られた利得の値を設定する（ステップＳ５３４）。なお、係数Ｋには、０より大きい値が設定される。【０２７１】
ＡＧＣ部１１１ｄ、計時カウンタのカウント値Ｔがタイムアウト時間ＴOUT5になったか否かを判定する（ステップＳ５３５）。ＡＧＣ部１１１ｄは、カウント値Ｔがタイムアウト時間ＴOUT5になっていないと判定した場合には（Ｓ５３５：ＮＯ）、計時カウンタのカウント値Ｔを１カウントアップし（ステップＳ５３６）、ステップＳ５３２の処理へ進む。一方、ＡＧＣ部１１１ｄは、カウント値Ｔがタイムアウト時間ＴOUT5になったと判定した場合には（Ｓ５３５：ＹＥＳ）、ステップＳ５３７の処理へ進む。【０２７２】
ＡＧＣ部１１１ｄは、計時カウンタのカウント値Ｔを０に設定し、タイムアウト時間をＴOUT6に設定する（ステップＳ５３７）。【０２７３】
ＡＧＣ部１１１ｄは、デジタル電力値信号が示すデジタルベースバンド信号の電力値と基準デジタル電力値とに基づいて可変利得増幅部１０２に設定する仮の利得の値を算出し（ステップＳ５３８）、算出した仮の利得の値に所定の係数Ｋを乗算する（ステップＳ５３９）。そして、ＡＧＣ部１１１ｄは、可変利得増幅部１０２に乗算の結果得られた利得の値を設定する（ステップＳ５４０）。【０２７４】
ＡＧＣ部１１１ｄ、計時カウンタのカウント値Ｔがタイムアウト時間ＴOUT6になったか否かを判定する（ステップＳ５４１）。ＡＧＣ部１１１ｄは、カウント値Ｔがタイムアウト時間ＴOUT6になっていないと判定した場合には（Ｓ５４１：ＮＯ）、計時カウンタのカウント値Ｔを１カウントアップし（ステップＳ５４２）、ステップＳ５３８の処理へ進む。一方、ＡＧＣ部１１１ｄは、カウント値Ｔがタイムアウト時間ＴOUT6になったと判定した場合には（Ｓ５４１：ＹＥＳ）、図６のステップＳ１０６の処理へ進む。【０２７５】
上述したように、図２２に処理手順を示すビット飽和利得制御処理では、ＡＧＣ部１１１ｄは、可変利得制御部１０２の利得の制御を時間ＴOUT5＋ＴOUT6の間繰り返し行う。【０２７６】
「ＳＴＳ検出開始利得制御処理」
ＡＧＣ部１１１ｄが行うＳＴＳ検出開始利得制御処理（ステップＳ１０５）の手順を図２３に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１ｄへ出力している。【０２７７】
ＡＧＣ部１１１ｄは、計時カウンタのカウント値Ｔを０に設定し、タイムアウト時間をＴOUT6に設定する（ステップＳ５５１）。【０２７８】
ＡＧＣ部１１１ｄは、デジタル電力値信号が示すデジタルベースバンド信号の電力値と基準デジタル電力値とに基づいて可変利得増幅部１０２に設定する仮の利得の値を算出し（ステップＳ５５２）、算出した仮の利得の値に所定の係数Ｋを乗算する（ステップＳ５５３）。そして、ＡＧＣ部１１１ｄは、可変利得増幅部１０２に乗算の結果得られた利得の値を設定する（ステップＳ５５４）。【０２７９】
ＡＧＣ部１１１ｄ、計時カウンタのカウント値Ｔがタイムアウト時間ＴOUT6になったか否かを判定する（ステップＳ５５５）。ＡＧＣ部１１１ｄは、カウント値Ｔがタイムアウト時間ＴOUT6になっていないと判定した場合には（Ｓ５５５：ＮＯ）、計時カウンタのカウント値Ｔを１カウントアップし（ステップＳ５５６）、ステップＳ５５２の処理へ進む。一方、ＡＧＣ部１１１ｄは、カウント値Ｔがタイムアウト時間ＴOUT6になったと判定した場合には（Ｓ５５５：ＹＥＳ）、図６のステップＳ１０６の処理へ進む。【０２８０】
上述したように、図２３に処理手順を示すＳＴＳ検出開始利得制御処理では、ＡＧＣ部１１１ｄは、可変利得制御部１０２の利得の制御を時間ＴOUT6の間繰り返し行う。【０２８１】
図２２及び図２３から分かるとおり、ビット飽和利得制御処理における利得制御時間ＴOUT5＋ＴOUT6は、ＳＴＳ検出開始利得制御処理における利得制御時間ＴOUT6より長くなっている。【０２８２】
＜無線通信機器の動作＞
以下、ビット飽和発生時における無線通信機器１００ｄの受信動作の一例及びＳＴＳ検出開始時における無線通信機器１００ｄの受信動作の一例について図２４及び図２５を参照しつつ説明する。なお、図２４（ａ）及び図２５（ａ）において、ＳＴＳｓは図２のショートプリアンブル信号を示し、ＬＴＳｓは図２のロングプリアンブル信号を示し、ＤＡＴＡｓは１以上のＤＡＴＡシンボルを示す。【０２８３】
但し、図２４（ａ）及び図２５（ａ）中のレンジＲBSはＡＤ変換部１０４から出力されるデジタルベースバンド信号がビット飽和を起こさないＡＤ変換部１０４に入力されるアナログベースバンド信号のレベルを示す。つまり、レンジＲBS外のアナログベースバンド信号がＡＤ変換部１０４に入力されると、ＡＤ変換部１０４から出力されるデジタルベースバンド信号はビット飽和を起こす。【０２８４】
また、図２４（ａ）及び図２５（ａ）中のレンジＲDの両端部はデジタルベースバンド信号の電力値が基準デジタル電力値である場合の、ＡＤ変換部１０４に入力されるアナログベースバンド信号のレベルを示す。【０２８５】
［ビット飽和発生時の動作］
図２４（ｂ）に示すように、ＡＧＣ部１１１ｄは可変利得増幅部１０２に初期利得値Ｇ1を設定する。【０２８６】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。【０２８７】
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１ｄへ出力する。【０２８８】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１ｄへ出力する。【０２８９】
時間ＴＣ1において、図２４（ａ）に示すように、ＡＤ変換部１０４に入力されるアナログベースバンド信号がレンジＲBS外になったとする。ＡＤ変換部１０４から出力されているデジタルベースバンド信号がビット飽和を起こし、ビット飽和検出部１０６はデジタルベースバンド信号のビット飽和を検出し、ビット飽和検出信号をパルス期間ハイレベルにする（図２４の破線Ｂ１内参照）。【０２９０】
ＡＧＣ部１１１ｄは、ビット飽和検出信号がローレベルからハイレベルへ遷移したことを受けて、図２２に処理手順を示したビット飽和利得制御処理を開始し、ステップＳ５３１からステップ５３６の処理を実行することによって時間ＴOUT5の間可変利得増幅部１０２に対する利得制御を行う。更に、ＡＧＣ部１１１ｄは、ステップＳ５３７からステップ５４２の処理を実行することによって時間ＴOUT6の間可変利得増幅部１０２に対する利得制御を行う。つまり、ＡＧＣ部１１１ｄは、時間ＴOUT5＋ＴOUT6の間可変利得増幅部１０２に対する利得制御を行う。これによって、時間ＴＣ3に可変利得増幅部１０２の利得の値が初期利得値Ｇ1から利得値Ｇ4にまで下がる（図２４の破線Ｂ１内参照）。なお、ビット飽和利得制御処理における利得制御時間はＴOUT5＋ＴOUT6であるので、ＡＧＣ部１１１ｄはビット飽和利得制御処理を終了する。【０２９１】
図２４の例では、ＡＧＣ部１１１ｄによるビット飽和利得制御処理期間に、ＡＤ変換部１０４に入力されるアナログベースバンド信号がレンジＲBS内になる。ＳＴＳ検出部１０７はＡＤ変換部１０４から出力されているデジタルベースバンド信号からＳＴＳを検出し始め、シンボル時間ＴSTS間隔で連続してパルス期間ハイレベルのＳＴＳ検出信号を出力する。これを受けて、ＳＴＳ区間検出部１３３は時間ＴＣ2にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１ｄへ出力する。ここでは、ビット飽和利得制御処理の期間なので、ＡＧＣ部１１１ｄはＳＴＳ検出区間の開始が検出されたことを契機とする可変利得増幅部１０２の利得制御を行わない（図２４の破線Ｂ２内参照）。【０２９２】
なお、ＡＧＣ部１１１ｄは、ビット飽和利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。【０２９３】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１ｄへ出力する。無線通信機器１００ｄは、ＡＤ変換部１０４から出力されるＬＴＳに関連したデジタルベースバンド信号とＬＴＳに基づく基準信号とに基づいてチャネル推定を行う。【０２９４】
時間ＴＣ4において、ＡＧＣ部１１１ｄは、ＬＴＳ検出部１０９から入力されるＬＴＳ検出信号がローレベルからハイレベルへ遷移したことを受けて、可変利得増幅部１０２の利得の値を利得値Ｇ4に固定する。なお、ＬＴＳは２つあるので、時間ＴＣ5においてもＬＴＳ検出信号はパルス期間ハイレベルになる。【０２９５】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１ｄへ出力する。【０２９６】
復調部１１０は時間ＴＣ6に無線パケット信号の復調を完了すると、パルス期間ハイレベルの復調完了信号をＡＧＣ部１１１ｄへ出力する。ＡＧＣ部１１１ｄは、復調完了信号がローレベルからハイレベルへ遷移したことを受けて、可変利得増幅部１０２の利得の値を初期利得値Ｇ1に設定する。【０２９７】
［ＳＴＳ検出開始時の動作例］
図２５（ｂ）に示すように、ＡＧＣ部１１１ｄは可変利得増幅部１０２に初期利得値Ｇ1を設定する。【０２９８】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。【０２９９】
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１ｄへ出力する。【０３００】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１ｄへ出力する。【０３０１】
時間ＴＤ1において、図２５（ａ）に示すように、ＡＤ変換部１０４に入力されるアナログベースバンド信号がレンジＲBS内にある無線パケット信号を受信したとする。ＳＴＳ検出部１０７はＡＤ変換部１０４から出力されているデジタルベースバンド信号からＳＴＳを検出し始め、シンボル時間ＴSTS間隔で連続してパルス期間ハイレベルのＳＴＳ検出信号を出力する。これを受けて、ＳＴＳ区間検出部１３３は時間ＴＤ2にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１ｄへ出力する（図２５の破線Ｂ３内参照）。【０３０２】
ＡＧＣ部１１１ｄは、ＳＴＳ検出区間開始信号がローレベルからハイレベルへ遷移したことを受けて、図２３に処理手順を示したＳＴＳ検出開始利得制御処理を開始し、ステップＳ５５１からステップＳ５５６の処理を実行することによって時間ＴOUT6の間可変利得増幅部１０２に対する利得制御を行う。これによって、時間ＴＤ3に可変利得増幅部１０２の利得の値が初期利得値Ｇ1から利得値Ｇ5にまで下がる（図２５の破線Ｂ３内参照）。なお、ＳＴＳ検出開始利得制御処理における利得制御時間はＴOUT6であるので、ＡＧＣ部１１１ｄはＳＴＳ検出開始利得制御処理を終了する。【０３０３】
なお、ＡＧＣ部１１１ｄは、ＳＴＳ検出開始利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。【０３０４】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１ｄへ出力する。無線通信機器１００ｄは、ＡＤ変換部１０４から出力されるＬＴＳに関連したデジタルベースバンド信号とＬＴＳに基づく基準信号とに基づいてチャネル推定を行う。【０３０５】
時間ＴＤ4において、ＡＧＣ部１１１ｄは、ＬＴＳ検出部１０９から入力されるＬＴＳ検出信号がローレベルからハイレベルへ遷移したことを受けて、可変利得増幅部１０２の利得の値を利得値Ｇ5に固定する。なお、ＬＴＳは２つあるので、時間ＴＤ5においてもＬＴＳ検出信号はパルス期間ハイレベルになる。【０３０６】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１ｄへ出力する。【０３０７】
復調部１１０は時間ＴＤ6に無線パケット信号の復調を完了すると、パルス期間ハイレベルの復調完了信号をＡＧＣ部１１１ｄへ出力する。ＡＧＣ部１１１ｄは、復調部１１０から入力される復調完了信号がローレベルからハイレベルへ遷移したことを受けて、可変利得増幅部１０２の利得の値を初期利得値Ｇ1に設定する。【０３０８】
≪第６の実施の形態≫
無線通信システムにおいて、無線通信機器は自機器が無線通信に用いる周波数チャネルにおいてＳＴＳを検出したとしても、検出されたＳＴＳが付加された無線パケット信号が自機器宛の無線パケット信号であるとは限らない。【０３０９】
そして、無線通信機器は、無線パケット信号が自機器宛の無線パケット信号でない場合には無駄に電力が消費されないようにするために復調処理を実行せず、或いは、実行中の復調処理を停止することが好ましい。【０３１０】
そこで、無駄な電力を抑えるために、無線パケット信号が自機器宛の無線パケット信号（以下、「希望パケット信号」と言う。）であるか、希望パケット信号以外の無線パケット信号（以下、「干渉パケット信号」と言う。）であるか否かの判定を早期に行うことができる判定手法を提案する。【０３１１】
なお、以下において、無線パケット信号が希望パケット信号であるか干渉パケット信号であるかを早期に判定するための判定方法を第６及び第７の実施の形態で説明した後に、第８の実施の形態において第１の実施の形態の無線通信機器に第６の実施の形態で説明した判定方法を組み込んだ無線通信機器を説明する。【０３１２】
以下、本発明の第６の実施の形態について図面を参照しつつ説明する。本実施の形態及び後述する実施の形態の無線通信システムはＩＥＥＥ８０２．１１ｎ規格の無線通信システムであるとする。但し、本実施の形態及び後述する実施の形態において、無線通信に用いられるフレームフォーマットは、ＩＥＥＥ８０２．１１ｎ規格において使用できるとされているミックスドモード（ＩＥＥＥ８０２．１１ａの無線通信機器とＩＥＥＥ８０２．１１ｎ規格の無線通信機器とが混在するモード）のフレームフォーマットであるとする。なお、ＩＥＥＥ８０２．１１ｎ規格において使用できるとされているフレームフォーマットには、ミックスドモードのフレームフォーマットの他に、レガシーモード（既存のＩＥＥＥ８０２．１１ａ規格の無線通信機器対応のモード）のフレームフォーマット（図２参照）、及びグリーンフィールドモード（ＩＥＥＥ８０２．１１ｎ規格に準拠した無線通信機器専用の高効率のモード）のフレームフォーマット（図４１参照）がある。【０３１３】
＜無線パケット信号のフレームフォーマット＞
ミックスドモードのフレームフォーマットを図２６に示す。【０３１４】
ミックスドモードのフレームフォーマットには、無線パケット信号が１つの周波数チャネルＡを伝送する場合の図２６（ａ）に示すフレームフォーマットと、無線パケット信号が２つの周波数チャネルＡ，Ｂを連結して広帯域化した周波数チャネルを伝送する場合の図２６（ｂ）に示すフレームフォーマットとがある。【０３１５】
図２６（ａ）に示すフレームフォーマットを持つ無線パケット信号Ｐ２０には、先頭に図２のＳＴＳ１１1〜１１10からなるショートプリアンブル信号ＳＴＳｓが付加されている。そして、無線パケット信号Ｐ２０には、ショートプリアンブル信号ＳＴＳｓに続いて、図２のＧＩ１２1及びＬＴＳ１２2，１２3からなるロングプリアンブル信号ＬＴＳｓが付加されている。そして、無線パケット信号Ｐ２０は、ロングプリアンブル信号ＬＴＳｓに続いてＳＩＧＮＡＬシンボルを含む。なお、ショートプリアンブル信号ＳＴＳｓ、ロングプリアンブル信号ＬＴＳｓ及びＳＩＧＮＡＬシンボルは、ＩＥＥＥ８０２．１１ａ規格の無線通信機器用の信号部分である。【０３１６】
無線パケット信号Ｐ２０は、ＳＩＧＮＡＬシンボルに続いて、ＭＩＭＯ多重されたストリーム数、データ長及び伝送速度などの制御情報を持つ制御シンボル（High Throughput SIGNAL Symbol：以下、「ＨＴＳＩＧＮＡＬシンボル」と言う。）を含む。【０３１７】
無線パケット信号Ｐ２０は、ＨＴＳＩＧＮＡＬシンボルに続いて、複数個のＨＴＳＴＳ（High Throughput Short Training Symbol）を含むＨＴショートプリアンブル信号ＨＴＳＴＳｓと、複数個のＨＴＬＴＳ（High Throughput Long Training Symbol）を含むＨＴロングプリアンブル信号ＨＴＳＴＳｓとを含む。なお、ＨＴＳＩＧＮＡＬシンボル、ＨＴショートプリアンブル信号ＨＴＳＴＳｓ及びＨＴロングプリアンブル信号ＨＴＬＴＳｓは、ＩＥＥＥ８０２．１１ｎ規格の無線通信機器用の信号部分である。但し、ＨＴＳＴＳは自動利得制御、キャリア周波数誤差の粗調整及びシンボルタイミングの検出などに利用される。ＨＴＬＴＳはキャリア周波数誤差の微調整及びチャネル推定（基準振幅及び基準位相の推定）などに用いられる。なお、ＨＴロングプリアンブル信号ＨＴＬＴＳｓはＭＩＭＯチャネル数分ある。【０３１８】
無線パケット信号Ｐ２０は、プリアンブル信号ＨＴＬＴＳｓに続いて送信データに係るＤＡＴＡシンボルを含む。但し、ＤＡＴＡシンボルは１以上あり、宛先情報及び送信元情報はＤＡＴＡシンボルによって送受信される。【０３１９】
図２６（ｂ）に示すフレームフォーマットを持つ無線パケット信号Ｐ２５は、２つの周波数チャネルＡ，Ｂの夫々に、ショートプリアンブル信号ＳＴＳｓ、ロングプリアンブル信号ＬＴＳｓ、ＳＩＧＮＡＬシンボル及びＨＴＳＩＧＮＡＬシンボルを含む。そして、無線パケット信号Ｐ２５は、２つの周波数チャネルＡ，Ｂを連結して広帯域化した周波数チャネルにＨＴショートプリアンブル信号ＨＴＳＴＳｓ、ＨＴロングプリアンブル信号ＨＴＬＴＳｓ及びＤＡＴＡシンボルを含む。但し、ＤＡＴＡシンボルは１以上あり、宛先情報及び送信元情報はＤＡＴＡシンボルによって送受信される。【０３２０】
なお、ＨＴショートプリアンブル信号ＨＴＳＴＳｓ以降の部分はＭＩＭＯ多重やチャネル結合によって高速化が図られており、ＩＥＥＥ８０２．１１ｎ規格の無線通信機器はＨＴショートプリアンブル信号ＨＴＳＴＳｓ以降の部分を復調できるが、ＩＥＥＥ８０２．１１ａ規格の無線通信機器はＨＴショートプリアンブル信号ＨＴＳＴＳｓ以降の部分を復調することができない。しかし、ミックスドモードのフレームフォーマットを持つ無線パケット信号Ｐ２０，Ｐ２５を受信したＩＥＥＥ８０２．１１ａ規格の無線通信機器は、ＳＴＳ及びＬＴＳの検出によって復調を開始し、ＳＩＧＮＡＬシンボルを復調することによってデータ長を特定できる。このため、ＩＥＥＥ８０２．１１ａ規格の無線通信機器は、ＨＴショートプリアンブル信号ＨＴＳＴＳｓ以降の部分を復調できなくても復調誤りを起こした信号として処理可能である。このように、ＩＥＥＥ８０２．１１ａ規格の通信プロトコルとＩＥＥＥ８０２．１１ｎ規格の通信プロトコルとは共存可能な通信プロトコルになっている。【０３２１】
以下において、１つの周波数チャネルを伝送する図２６（ａ）に示したフレームフォーマットを持つ無線パケット信号を「狭帯域パケット信号」と言う。また、隣接する２つの周波数チャネルを結合して広帯域化した周波数チャネルを伝送する図２６（ｂ）に示したフレームフォーマットを持つ無線パケット信号を「広帯域パケット信号」と言う。【０３２２】
＜無線パケット信号と周波数チャネルとの関係＞
本実施の形態の無線通信機器が判定対象とする無線パケット信号と周波数チャネルとの関係について図２７を参照しつつ説明する。図２７は本実施の形態の無線通信機器が判定対象とする無線パケット信号と周波数チャネルとの関係を説明するための模式図である。【０３２３】
図２７では、帯域幅が互いに等しい４つの周波数チャネルＣＨ１〜ＣＨ４を示しており、無線通信機器は周波数チャネルＣＨ２をプライマリーチャネルとし、周波数チャネルＣＨ３をセカンダリーチャネルとして無線通信を行うものとする。なお、以下において、周波数チャネルＣＨ２を適宜「プライマリーチャネルＣＨ２」と言い、周波数チャネルＣＨ３を適宜「セカンダリーチャネルＣＨ３」と言う。【０３２４】
プライマリーチャネルＣＨ２を伝送する無線パケット信号６０１及びセカンダリーチャネルＣＨ３を伝送する無線パケット信号６０３は、図２６（ａ）のフレームフォーマットを持つ狭帯域パケット信号である。なお、無線パケット信号６０１は、希望パケット信号の場合もあれば、干渉パケット信号の場合もある。また、無線パケット信号６０３は、本実施の形態では、干渉パケット信号である。【０３２５】
無線パケット信号６０２，６０４，６０５は、図２６（ｂ）のフレームフォーマットを持つ広帯域パケット信号である。但し、無線パケット信号６０２は、希望パケット信号の場合もあれば、干渉パケット信号の場合もある。また、無線パケット信号６０４，６０５は、干渉パケット信号である。【０３２６】
＜無線通信機器の構成＞
以下、本実施の形態の無線通信機器の構成について図２８を参照しつつ説明する。図２８は本実施の形態の無線通信機器の機器構成図である。【０３２７】
無線通信機器２００は、ＡＤ変換部２０１と、プライマリーＳＴＳ検出部２０２と、セカンダリーＳＴＳ検出部２０３と、隣接チャネル電力検出部２０４と、判定部２０５と、復調部２０６とを備える。【０３２８】
なお、以下において、プライマリーチャネルＣＨ２を伝送するＳＴＳを「プライマリーＳＴＳ」と言い、セカンダリーチャネルＣＨ３を伝送するＳＴＳを「セカンダリーＳＴＳ」と言う。【０３２９】
［ＡＤ変換部２０１］
周波数変換部２０１は、入力されるアナログベースバンド信号をデジタルベースバンド信号に周波数変換し、デジタルベースバンド信号をプライマリーＳＴＳ検出部２０２、セカンダリーＳＴＳ検出部２０３、隣接チャネル電力検出部２０４及び復調部２０６へ出力する。【０３３０】
［プライマリーＳＴＳ検出部２０２］
プライマリーＳＴＳ検出部２０２は、プライマリーチャネルＣＨ２の帯域を観測して、ＡＤ変換部２０１から出力されるデジタルベースバンド信号からプライマリーＳＴＳを検出するための検出処理を行い、プライマリーＳＴＳを検出するとパルス期間ハイレベルのプライマリーＳＴＳ検出信号を判定部２０５へ出力する。【０３３１】
［セカンダリーＳＴＳ検出部２０３］
セカンダリーＳＴＳ検出部２０３は、セカンダリーチャネルＣＨ３の帯域を観測して、ＡＤ変換部２０１から出力されるデジタルベースバンド信号からセカンダリーＳＴＳを検出するための検出処理を行い、セカンダリーＳＴＳを検出するとパルス期間ハイレベルのセカンダリーＳＴＳ検出信号を判定部２０５へ出力する。なお、プライマリーＳＴＳ検出部２０２及びセカンダリーＳＴＳ検出部２０３はＳＴＳ検出部１０７と同様の処理によってプライマリーＳＴＳの検出処理及びセカンダリーＳＴＳの検出処理を行う。【０３３２】
［隣接チャネル電力検出部２０４］
なお、以下において、プライマリーチャネルＣＨ２に隣接する周波数チャネルのうちセカンダリーチャネルＣＨ３でない方の周波数チャネルＣＨ１を適宜「プライマリー隣接チャネルＣＨ１」と言う。【０３３３】
隣接チャネル電力検出部２０４は、プライマリー隣接チャネルＣＨ１の帯域を観測して、プライマリー隣接チャネルＣＨ１の帯域におけるデジタルベースバンド信号の信号成分（以下、「プライマリー隣接チャネル成分」と言う。）の電力値を検出する。そして、隣接チャネル電力検出部２０４は、プライマリー隣接チャネル成分の電力値と所定の成分電力閾値（信号が存在すると判定するための予め定められた閾値）とを比較する。隣接チャネル電力検出部２０４は、プライマリー隣接チャネル成分の電力値が成分電力閾値以上になると、プライマリー隣接チャネルＣＨ１の信号成分を検出したとして、パルス期間ハイレベルのプライマリー隣接チャネル検出信号を判定部２０５へ出力する。【０３３４】
但し、隣接チャネル電力検出部２０４は、ＢＰＦ（Band Pass Filter）を用いて、ＡＤ変換部２０１から出力されているデジタルベースバンド信号からプライマリー隣接チャネル成分を取り出して、プライマリー隣接チャネル成分の電力値を検出する。なお、隣接チャネル電力検出部２０４は、ＢＰＦを用いる代わりに、フーリエ変換、ウェーブレット変換或いはフィルタバンクなどを用いてＡＤ変換部２０１から出力されているデジタルベースバンド信号からプライマリー隣接チャネル成分を取り出すようにしてもよい。【０３３５】
［判定部２０５］
判定部２０５には、プライマリーＳＴＳ検出部２０２からプライマリーＳＴＳ検出信号が入力され、セカンダリーＳＴＳ検出部２０３からセカンダリーＳＴＳ検出信号が入力され、隣接チャネル電力検出部２０４からプライマリー隣接チャネル検出信号が入力され、復調部２０６の後述する制御情報抽出部２３５から制御情報通知信号が入力される。【０３３６】
判定部２０５は、プライマリーＳＴＳ検出信号と、セカンダリーＳＴＳ検出信号と、プライマリー隣接チャネル検出信号とに基づいて、受信している無線パケット信号が図２７のどの無線パケット信号６０１〜６０５に相当するかを判定する。当該判定は、無線パケット信号を受信した場合には、当該無線パケット信号のＳＴＳの受信期間において実行することができる。従って、受信した無線パケット信号が無線パケット信号６０１〜６０５の何れに相当するかの判定処理を、無線パケット信号を受信してから短期間のうちに終了することが可能になる。【０３３７】
判定部２０５は、希望パケット信号の可能性及び干渉パケット信号の双方の可能性がある無線パケット信号６０１，６０２を受信していると判定した場合、さらに、制御情報通知信号に含まれる宛先情報に基づいて受信中の無線パケット信号６０１，６０２が自機器宛の無線パケット信号であるか否かを判定する。【０３３８】
［復調部２０６］
復調部２０６は、ＡＤ変換部２０１から入力されるデジタルベースバンド信号の復調処理を行うものであり、ＦＦＴ部２３１と、干渉測定部２３２と、サブキャリア復調部２３３と、復号部２３４と、制御情報抽出部２３５とを備える。但し、ＦＦＴ部２３１、干渉測定部２３２、サブキャリア復調部２３３、復号部２３４及び制御情報抽出部２３５の起動及び停止は判定部２０５によって制御される。【０３３９】
（ＦＦＴ部２３１）
ＦＦＴ（Fast Fourier Transform）部２３１は、ＡＤ変換部２０１から入力されるデジタルベースバンド信号を高速フーリエ変換することによって複数のサブキャリアに分離し、複数のサブキャリアに係るデジタル信号（以下、「デジタルサブキャリア信号」と言う。）を干渉測定部２３２とサブキャリア復調部２３３とへ出力する。なお、デジタルベースバンド信号をサブキャリアに分離する手段として、高速フーリエ変換の他に、例えば、ウェーブレット或いはフィルタバンクが挙げられる。【０３４０】
（干渉測定部２３２）
干渉測定部２３２は、ＦＦＴ部２３１から出力されている各デジタルサブキャリア信号に基づいて各サブキャリアに係る干渉パケット信号の特徴量を測定し、測定した各サブキャリアに係る干渉パケット信号の特徴量を保持する。但し、干渉測定部２３２は、例えば、サブキャリア毎に、干渉パケット信号を行列要素とする干渉信号行列の共分散行列を算出することによって干渉パケット信号の特徴量の測定を行う。【０３４１】
（サブキャリア復調部２３３）
サブキャリア復調部２３３は、サブキャリア毎に、ＬＴＳ或いはＨＴＬＴＳに関連したＦＦＴ部２３１から出力されている各サブキャリアのデジタルサブキャリア信号に基づいてチャネル推定（基準振幅及び基準位相の推定）を行う。【０３４２】
サブキャリア復調部２３３は、ＳＩＧＮＡＬシンボル、ＨＴＳＩＧＮＡＬシンボル及びＤＡＴＡシンボルに関連したＦＦＴ部２３１から出力されている各デジタルサブキャリア信号の復調を行う。但し、サブキャリア復調部２３３は、受信中の無線パケット信号が自機器宛の無線パケット信号であると判定されるまでは、推定した基準振幅及び基準位相を用いて復調処理を行う。また、サブキャリア復調部２３３は、受信中の無線パケット信号が自機器宛の無線パケット信号であると判定された後は、推定した基準振幅及び基準位相と干渉測定部２３２に保持されている特徴量とを用いて復調処理を行う。【０３４３】
（復号部２３４）
復号部２３４は、サブキャリア復調部２３３による復調によって得られたデジタル信号を用いてデマッピング処理を実行し、デマッピング処理の結果得られたデジタル信号（以下、「復号データ」と言う。）を出力する。【０３４４】
（制御情報抽出部２３５）
制御情報抽出部２３５は、ＳＩＧＮＡＬシンボル或いはＨＴＳＩＧＮＡＬシンボルに関連した復号部２３４から出力される復号データからデータ長、伝送速度及び狭帯域パケット信号か広帯域パケット信号か示す情報などを抽出する。また、制御情報抽出部２３５は、ＤＡＴＡシンボルに関連した復号部２３４から出力される復号データから宛先情報及び送信元情報を抽出する。そして、制御情報抽出部２３５は、抽出した情報を含む制御情報通知信号を順次判定部２０５へ出力する。【０３４５】
＜無線通信機器の動作＞
以下、図２８の判定部２０５が行う無線パケット信号の判定処理について図２９を参照しつつ説明する。図２９は図２８の判定部２０５が行う無線パケット信号の判定処理の手順を示すフローチャートである。【０３４６】
なお、アナログベースバンド信号がＡＤ変換部２０１に入力される。アナログベースバンド信号はＡＤ変換部２０１によってデジタルベースバンド信号に変換され、デジタルベースバンド信号がＡＤ変換部２０１から出力される。【０３４７】
プライマリーＳＴＳ検出部２０２、セカンダリーＳＴＳ検出部２０３及び隣接チャネル電力検出部２０４は、所定の処理を行い、プライマリーＳＴＳ検出信号、セカンダリーＳＴＳ検出信号及びプライマリー隣接チャネル検出信号を判定部２０５へ出力する。【０３４８】
判定部２０５は、プライマリーＳＴＳ検出信号に基づいてプライマリーチャネルＣＨ２においてプライマリーＳＴＳが検出されたか否かを判定する（ステップＳ６０１）。なお、判定部２０５は、プライマリーＳＴＳ検出信号がローレベルからハイレベルへ遷移した場合にプライマリーＳＴＳが検出されたと判定する。【０３４９】
判定部２０５は、プライマリーＳＴＳが検出されていないと判定した場合には（Ｓ６０１：ＮＯ）、セカンダリーＳＴＳ検出信号に基づいてセカンダリーチャネルＣＨ３においてセカンダリーＳＴＳが検出されたか否かを判定する（ステップＳ６０２）。なお、判定部２０５は、セカンダリーＳＴＳ検出信号がローレベルからハイレベルへ遷移した場合にセカンダリーＳＴＳが検出されたと判定する。【０３５０】
判定部２０５は、セカンダリーＳＴＳが検出されていないと判定した場合には（Ｓ６０２：ＮＯ）、ステップＳ６０１の処理へ進む。【０３５１】
判定部２０５は、セカンダリーＳＴＳが検出されたと判定した場合には（Ｓ６０２：ＹＥＳ）、受信中の無線パケット信号が干渉パケット信号（無線パケット信号６０３，６０４）であると判定し、復調部２０６に対して干渉パケット処理を指示する（ステップＳ６０３）。なお、復調部２０６は、この指示を受けて、ＦＦＴ部２３１及び干渉測定部２３２を起動し、干渉測定部２３２は干渉パケット信号の特徴量の測定を行い、測定した干渉パケットの特徴量を保持する（干渉パケット処理）。但し、干渉パケット処理では、サブキャリア復調部２３３、復号部２３４及び制御情報抽出部２３５は動作を停止している。【０３５２】
判定部２０５は、プライマリーＳＴＳが検出されたと判定した場合には（Ｓ６０１：ＹＥＳ）、セカンダリーＳＴＳ検出信号に基づいてセカンダリーチャネルＣＨ３においてセカンダリーＳＴＳがプライマリーＳＴＳとほぼ同時に検出されたか否かを判定する（ステップＳ６０４）。なお、判定部２０５は、プライマリーＳＴＳ検出信号がローレベルからハイレベルへ遷移した時間とほぼ同時にセカンダリーＳＴＳ検出信号がローレベルからハイレベルへ遷移した場合にセカンダリーＳＴＳがプライマリーＳＴＳと略同時に検出されたと判定する。【０３５３】
なお、プライマリーＳＴＳとセカンダリーＳＴＳの波形が同一であれば、同一のパケット信号に係るプライマリーＳＴＳとセカンダリーＳＴＳとは同時に検出される。しかしながら、伝送路による遅延及び送信側で予め与えられた遅延などによって、プライマリーＳＴＳとセカンダリーＳＴＳとの検出に若干の時間差が生じることがある。このことを踏まえ、プライマリーＳＴＳとセカンダリーＳＴＳとが同時に送信されたとみなせる時間幅を設定しておき、当該時間幅内にプライマリーＳＴＳとセカンダリーＳＴＳが検出された場合に、セカンダリーＳＴＳがプライマリーＳＴＳとほぼ同時に検出されたと判定する。【０３５４】
判定部２０５は、プライマリーＳＴＳとほぼ同時にセカンダリーＳＴＳが検出されたと判定した場合には（Ｓ６０４：ＹＥＳ）、受信中の無線パケット信号が希望パケット信号及び干渉パケット信号の双方の可能性がある広帯域パケット信号（無線パケット信号６０２）であると判定する。そして、判定部２０５は、復調部２０６に対して広帯域パケット処理を指示する（ステップＳ６０５）。なお、復調部２０６は、この指示を受けて、ＦＦＴ部２３１、サブキャリア復調部２３３、復号部２３４及び制御情報抽出部２３５を起動し、プライマリーチャネルＣＨ２及びセカンダリーチャネルＣＨ３に関する広帯域パケット処理を実行する。当該広帯域パケット処理の実行中に、制御情報抽出部２３５から判定部２０５へ宛先情報を含む制御情報通知信号が出力される。【０３５５】
判定部２０５は、プライマリーＳＴＳとほぼ同時にセカンダリーＳＴＳが検出されなかったと判定した場合には（Ｓ６０４：ＮＯ）、プライマリー隣接チャネル検出信号に基づいてプライマリー隣接チャネルＣＨ１の信号成分がプライマリーＳＴＳとほぼ同時に検出されたか否かを判定する（ステップＳ６０６）。なお、判定部２０５は、プライマリーＳＴＳ検出信号がローレベルからハイレベルへ遷移した時間とほぼ同時にプライマリー隣接チャネル検出信号がローレベルからハイレベルへ遷移した場合にプライマリー隣接チャネルＣＨ１の信号成分がプライマリーＳＴＳと略同時に検出されたと判定する。【０３５６】
なお、プライマリーＳＴＳとプライマリー隣接チャネルＣＨ１を伝送するＳＴＳ（以下、「プライマリー隣接ＳＴＳ」と言う。）の波形が同一であれば、同一のパケット信号に係るプライマリーＳＴＳとプライマリー隣接ＳＴＳとは同時に検出される。しかしながら、伝送路による遅延及び送信側で予め与えられた遅延などによって、プライマリーＳＴＳとプライマリー隣接ＳＴＳとの検出に若干の時間差が生じることがある。このことを踏まえ、プライマリーＳＴＳとプライマリー隣接ＳＴＳとが同時に送信されたとみなせる時間幅を設定しておき、当該時間幅内にプライマリーＳＴＳとプライマリー隣接チャネルＣＨ１の信号成分が検出された場合に、プライマリー隣接チャネルＣＨ１の信号成分がプライマリーＳＴＳとほぼ同時に検出されたと判定する。【０３５７】
判定部２０５は、プライマリーＳＴＳとほぼ同時にプライマリー隣接チャネルＣＨ１の信号成分が検出されたと判定した場合には（Ｓ６０６：ＹＥＳ）、受信中の無線パケット信号が干渉パケット信号（無線パケット信号６０５）であると判定し、復調部２０６に対して干渉パケット処理を指示する（ステップＳ６０３）。なお、復調部２０６は、この指示を受けて、ＦＦＴ部２３１及び干渉測定部２３２を起動し、干渉パケット処理を行う。【０３５８】
判定部２０５は、プライマリーＳＴＳとほぼ同時にプライマリー隣接チャネルＣＨ１の信号成分が検出されなかったと判定した場合には（Ｓ６０６：ＮＯ）、受信中の無線パケット信号が希望パケット信号及び干渉パケット信号の双方の可能性がある狭帯域パケット信号（無線パケット信号６０１）であると判定し、復調部２０６に対して狭帯域パケット処理を指示する（ステップＳ６０７）。なお、復調部２０６は、この指示を受けて、ＦＦＴ部２３１、サブキャリア復調部２３３、復号部２３４及び制御情報抽出部２３５を起動し、プライマリーチャネルＣＨ２に関する狭帯域パケット処理を実行する。当該狭帯域パケット処理の実行中に、制御情報抽出部２３５から判定部２０５へ宛先情報を含む制御情報通知信号が出力される。【０３５９】
制御情報抽出部２３５によって宛先情報が復号データから抽出されると、判定部２０５は、制御情報抽出部２３５から入力される制御情報通知信号に含まれる宛先情報に基づいて受信中の無線パケット信号が自機器宛の無線パケット信号であるか否かを判定する（ステップＳ６０８）。【０３６０】
判定部２０５は、受信中の無線パケット信号が自機器宛の無線パケット信号でない、つまり干渉パケット信号であると判定した場合には（Ｓ６０８：ＮＯ）、復調部２０６に対して干渉パケット処理を指示する（ステップＳ６０３）。なお、復調部２０６は、この指示を受けて、サブキャリア復調部２３３、復号部２３４及び制御情報抽出部２３５の動作を停止させるとともに、干渉測定部２３２を起動し、干渉パケット処理を行う。【０３６１】
判定部２０５は、受信中の無線パケット信号が自機器宛の無線パケット信号である、つまり希望パケット信号であると判定した場合には（Ｓ６０８：ＹＥＳ）、復調部２０６に対してデータ受信処理を指示する（ステップＳ６０９）。なお、復調部２０６は、この指示を受けて、更に干渉測定部２３２を起動させ、干渉測定部２３２に保持されている以前に受信した干渉パケット信号の特徴量を用いたデータ受信処理を行う。【０３６２】
なお、復調部２０６の処理がハードウェアロジックによって行われている場合には、動作を止める各部に対してクロックの供給を止めることによって或いは電源供給を止めることによって、当該各部の動作を止めることができる。或いは、復調部２０６の処理が汎用プロセッサを用いてプログラム処理されている場合には、動作を止める各部に関する処理ルーチンを呼び出さないようにすることによって、当該各部に関する処理が行われないようにする。【０３６３】
上述したステップＳ６０１，Ｓ６０２，Ｓ６０４，Ｓ６０６の各判定処理は、無線パケット信号が受信されている場合、当該無線パケット信号の先頭に付加されたＳＴＳ（プライマリーＳＴＳ、セカンダリーＳＴＳ）に関する信号区間において実行されることになる。このため、受信している無線パケット信号が干渉パケット信号（無線パケット信号６０３、６０４、６０５）であるか希望パケット信号及び干渉パケット信号の双方の可能性がある無線パケット信号６０１，６０２であるかの判定を、無線パケット信号の受信を開始してから短時間のうちに終了することができる。【０３６４】
ステップＳ６０１，Ｓ６０２，Ｓ６０４の各判定処理及びステップＳ６０８の判定処理の結果に応じて、復調部２０６の各部の動作の起動及び停止が制御されるため、復号部２０６の各部の不要な動作による無駄な電力消費を抑えることができる。【０３６５】
≪第７の実施の形態≫
以下、本発明の第７の実施の形態について図面を参照しつつ説明する。【０３６６】
例えば、無線通信機器は、隣接する２つの周波数チャネルを連結して広帯域化した周波数チャネルの使用を他の無線通信機器に通知する場合、図２６（ａ）のフレームフォーマットを持つ狭帯域パケット信号を当該隣接する２つの周波数チャネルの夫々において略同時に送信する。なお、以下において、隣接する周波数チャネルを略同時に伝送する狭帯域パケット信号の対を「対狭帯域パケット信号」と言う。【０３６７】
本実施の形態の無線通信機器は、第６の実施の形態の無線通信機器が判定対象とする無線パケット信号に加え、対狭帯域パケット信号も判定対象とする。【０３６８】
＜無線パケット信号と周波数チャネルとの関係＞
本実施の形態の無線通信機器が判定対象とする無線パケット信号と周波数チャネルとの関係について図３０及び図３１を参照しつつ説明する。図３０及び図３１は本実施の形態の無線通信機器が判定対象とする無線パケット信号と周波数チャネルとの関係を説明するための模式図である。【０３６９】
図３０及び図３１では、帯域幅が互いに等しい４つの周波数チャネルＣＨ１〜ＣＨ４を示しており、無線通信機器は周波数チャネルＣＨ２をプライマリーチャネルとし、周波数チャネルＣＨ３をセカンダリーチャネルとして無線通信を行うものとする。【０３７０】
プライマリーチャネルＣＨ２を伝送する無線パケット信号７０１及びセカンダリーチャネルＣＨ３を伝送する無線パケット信号７０６は、図２６（ａ）のフレームフォーマットを持つ狭帯域パケット信号である。なお、無線パケット信号７０１は、希望パケット信号の場合もあれば、干渉パケット信号の場合もある。また、無線パケット信号７０６は、第６の実施の形態と異なり、希望パケット信号の場合もあれば、干渉パケット信号の場合もある。これは、無線通信機器が一の周波数チャネルの使用を図２６（ａ）のフレームフォーマットを持つ狭帯域パケット信号を用いて他の無線通信機器に通知することを考慮したものである。【０３７１】
無線パケット信号７０２，７０７，７０８は、図２６（ｂ）のフレームフォーマットを持つ広帯域パケット信号である。但し、無線パケット信号７０２は、希望パケット信号の場合もあれば、干渉パケット信号の場合もある。また、無線パケット信号７０７，７０８は、干渉パケット信号である。【０３７２】
無線パケット信号７０３ａ，７０３ｂ，７０４ａ，７０４ｂ，７０５ａ，７０５ｂは、図２６（ａ）のフレームフォーマットを持つ狭帯域パケット信号である。但し、無線パケット信号７０３ａと無線パケット信号７０３ｂとは対狭帯域パケット信号７０３を構成し、無線パケット信号７０４ａと無線パケット信号７０４ｂとは対狭帯域パケット信号７０４を構成し、無線パケット信号７０５ａと無線パケット信号７０５ｂとは対狭帯域パケット信号７０５を構成する。なお、対狭帯域パケット信号７０３〜７０５は、希望パケット信号の場合もあれば、干渉パケット信号の場合もある。【０３７３】
＜無線パケット信号の電力スペクトラム＞
図２６（ａ）に示したフレームフォーマットを持つ狭帯域パケット信号は、隣接する周波数チャネルを伝送する無線パケット信号に対して影響を及ぼさないように、自身が伝送する周波数チャネルのガードバンドを除く帯域にのみサブキャリアを有する。言い換えると、狭帯域パケット信号は、自身が伝送する周波数チャネルのガードバンドにはサブキャリアを有しない。【０３７４】
図２６（ｂ）に示したフレームフォーマットを持つ広帯域パケット信号は、互いに隣接する２つの周波数チャネルを結合して広帯域化した周波数チャネルを伝送する。このため、広帯域パケット信号では、隣接する２つの周波数チャネルに設けられた、２つの周波数チャネルが隣接する側のガードバンドにもサブキャリアを配置することができる。なお、以下において、ガードバンドに配置されたサブキャリアを「帯域外サブキャリア」と言う。【０３７５】
以下、図３０及び図３１の各無線パケット信号のサブキャリアの電力スペクトラムについて図３２から図３４を参照しつつ説明する。図３２から図３４は図３０及び図３１の無線パケット信号の電力スペクトラムを説明するための模式図である。【０３７６】
図３２は、広帯域パケット信号に関する図２６（ｂ）のフレームフォーマットのＨＴＬＴＳ及びＤＡＴＡシンボルを構成するサブキャリアの電力スペクトラムを示す。【０３７７】
図３２（ａ）の電力スペクトラムは図３１の広帯域パケット信号７０８に関するものであり、広帯域パケット信号７０８は周波数チャネルＣＨ１とプライマリーチャネルＣＨ２とにおいてそれらが互いに隣接する側のガードバンドに帯域外サブキャリアを含む。図３２（ｂ）の電力スペクトラムは図３０の広帯域パケット信号７０２に関するものであり、広帯域パケット信号７０２はプライマリーチャネルＣＨ２とセカンダリーチャネルＣＨ３とにおいてそれらが互いに隣接する側のガードバンドに帯域外サブキャリアを含む。図３２（ｃ）の電力スペクトラムは図３１の広帯域パケット信号７０７に関するものであり、広帯域パケット信号７０７はセカンダリーチャネルＣＨ３と周波数チャネルＣＨ４とにおいてそれらが互いに隣接する側のガードバンドに帯域外サブキャリアを含む。【０３７８】
図３３は、狭帯域パケット信号に関する図２６（ａ）のフレームフォーマットにおけるＨＴＬＴＳ及びＤＡＴＡシンボルを構成するサブキャリアの電力スペクトラムを示す。【０３７９】
図３３（ａ）の電力スペクトラムは図３０の狭帯域パケット信号７０１に関するものであり、狭帯域パケット信号７０１はプライマリーチャネルＣＨ２のガードバンドに帯域外サブキャリアを含まない。図３３（ｂ）の電力スペクトラムは図３１の狭帯域パケット信号７０６に関するものであり、狭帯域パケット信号７０６はセカンダリーチャネルＣＨ３のガードバンドに帯域外サブキャリアを含まない。【０３８０】
図３４は、図２６（ａ）のフレームフォーマットを持つ２つの狭帯域パケット信号におけるＨＴＬＴＳ及びＤＡＴＡシンボルを構成するサブキャリアの電力スペクトラムを示す。【０３８１】
図３４（ａ）の電力スペクトラムは図３１の対狭帯域パケット信号７０４に関するものであり、対狭帯域パケット信号７０４は周波数チャネルＣＨ１及びプライマリーチャネルＣＨ２の夫々のガードバンドに帯域外サブキャリアを含まない。図３４（ｂ）の電力スペクトラムは図３０の対狭帯域パケット信号７０３に関するものであり、対狭帯域パケット信号７０３はプライマリーチャネルＣＨ２及びセカンダリーチャネルＣＨ３の夫々のガードバンドに帯域外サブキャリアを含まない。図３４（ｃ）の電力スペクトラムは図３１の対狭帯域パケット信号７０５に関するものであり、対狭帯域パケット信号７０５はセカンダリーチャネルＣＨ３及び周波数チャネルＣＨ４の夫々のガードバンドに帯域外サブキャリアを含まない。【０３８２】
上述したことから分かる通り、広帯域パケット信号におけるＨＴＬＴＳ及びＤＡＴＡシンボルにのみ帯域外サブキャリアが存在する。従って、帯域外サブキャリアの存在の有無により、無線パケット信号が広帯域パケット信号であるか、それ以外の無線パケット信号（狭帯域パケット信号、対狭帯域パケット信号）であるかの判定を行うことが可能である。【０３８３】
＜無線通信機器の構成＞
以下、本実施の形態の無線通信機器の構成について図３５を参照しつつ説明する。図３５は本実施の形態の無線通信機器の機器構成図である。なお、本実施の形態において、第６の実施の形態と実質的に同じ構成要素には第６の実施の形態と同じ符号を付し、第６の実施の形態の説明が適用できるため本実施の形態ではその説明を省略する。【０３８４】
無線通信機器２００ａは、ＡＤ変換部２０１と、プライマリーＳＴＳ検出部２０２と、セカンダリーＳＴＳ検出部２０３と、隣接チャネル電力検出部２０４ａと、判定部２０５ａと、復調部２０６ａとを備える。【０３８５】
［隣接チャネル電力検出部２０４ａ］
なお、以下において、セカンダリーチャネルＣＨ３に隣接する周波数チャネルのうちプライマリーチャネルＣＨ２でない方の周波数チャネルＣＨ４を適宜「セカンダリー隣接チャネルＣＨ４」と言う。【０３８６】
隣接チャネル電力検出部２０４ａは、隣接チャネル電力検出部２０４が行うプライマリー隣接チャネルＣＨ１に関する処理に加え、次の処理も行う。【０３８７】
隣接チャネル電力検出部２０４ａは、セカンダリー隣接チャネルＣＨ４の帯域を観測して、セカンダリー隣接チャネルＣＨ４の帯域におけるデジタルベースバンド信号の信号成分（以下、「セカンダリー隣接チャネル成分」と言う。）の電力値を検出する。そして、隣接チャネル電力検出部２０４ａは、セカンダリー隣接チャネル成分の電力値と成分電力閾値とを比較する。隣接チャネル電力検出部２０４ａは、セカンダリー隣接チャネル成分の電力値が成分電力閾値以上になると、セカンダリー隣接チャネルＣＨ４の信号成分を検出したとして、パルス期間ハイレベルのセカンダリー隣接チャネル検出信号を判定部２０５ａへ出力する。なお、デジタルベースバンド信号からセカンダリー隣接チャネル成分を取り出すための手段として、ＢＰＦ、フーリエ変換、ウェーブレット変換或いはフィルタバンクなどを用いることができる。【０３８８】
［判定部２０５ａ］
判定部２０５ａには、判定部２０５に入力される信号に加え、隣接チャネル電力検出部２０４ａからセカンダリー隣接チャネル検出信号が入力され、復調部２０６ａの後述する帯域外サブキャリア検出部２５１からプライマリー帯域外サブキャリア検出信号及びセカンダリー帯域外サブキャリア検出信号が入力される。【０３８９】
判定部２０５ａは、プライマリーＳＴＳ検出信号と、セカンダリーＳＴＳ検出信号と、プライマリー隣接チャネル検出信号と、セカンダリー隣接チャネル検出信号とに基づいて、受信している無線パケット信号が図３０及び図３１のどの無線パケット信号７０１〜７０８に相当するかを判定する。【０３９０】
プライマリーＳＴＳ検出信号、セカンダリーＳＴＳ検出信号、プライマリー隣接チャネル検出信号及びセカンダリー隣接チャネル検出信号のみでは、受信中の無線パケット信号が、無線パケット信号７０４と無線パケット信号７０８との何れであるの判別ができず、また、無線パケット信号７０５と無線パケット信号７０７との何れであるかの判別ができない。【０３９１】
そこで、判定部２０５ａは、プライマリー帯域外サブキャリア検出信号或いはセカンダリー帯域外サブキャリア検出信号に基づいて、受信している無線パケット信号が対狭帯域パケット信号７０４と無線パケット信号７０８との何れであるか、或いは、受信している無線パケット信号が対狭帯域無線パケット信号７０５と無線パケット信号７０７との何れであるか、を判定する。当該判定はＨＴＬＴＳの受信期間において行うことができるため、ＤＡＴＡシンボルを受信する前に当該判定を終了することができる。【０３９２】
判定部２０５ａは、希望パケット信号及び干渉パケット信号の双方の可能性がある無線パケット信号７０１〜７０６を受信していると判定した場合、さらに、制御情報通知信号に含まれる宛先情報に基づいて無線パケット信号７０１〜７０６が自機器宛の無線パケット信号であるか否かを判定する。【０３９３】
［復調部２０６ａ］
復調部２０６ａは、ＡＤ変換部２０１から入力されるデジタルベースバンド信号の復調処理を行うものであり、復調部２０６の構成要素に加え、帯域外サブキャリア検出部２５１を備える。但し、ＦＦＴ部２３１、干渉測定部２３２、サブキャリア復調部２３３、復号部２３４及び制御情報抽出部２３５の起動及び停止は判定部２０５ａによって制御される。【０３９４】
（帯域外サブキャリア検出部２５１）
帯域外サブキャリア検出部２５１は、ＨＴＬＴＳｓに関連したＦＦＴ部２３１から出力されているデジタルサブキャリア信号に基づいてプライマリーチャネルＣＨ２における帯域外サブキャリアの有無を検出するための検出処理を行う。そして、帯域外サブキャリア検出部２５１は、プライマリーチャネルＣＨ２における帯域外サブキャリアの存在を検出している間ハイレベルのプライマリー帯域外サブキャリア検出信号を判定部２０５ａへ出力する。【０３９５】
また、帯域外サブキャリア検出部２５１は、ＨＴＬＴＳｓに関連したＦＦＴ部２３１から出力されているデジタルサブキャリア信号に基づいてセカンダリーチャネルＣＨ２における帯域外サブキャリアの有無を検出するための検出処理を行う。そして、帯域外サブキャリア検出部２５１は、セカンダリーチャネルＣＨ３における帯域外サブキャリアの存在を検出している間ハイレベルのセカンダリー帯域外サブキャリア検出信号を判定部２０５ａへ出力する。【０３９６】
＜無線通信機器の動作＞
以下、図３５の判定部２０５ａが行う無線パケット信号の判定処理について図３６を参照しつつ説明する。図３６は図３５の判定部２０５ａが行う無線パケット信号の判定処理の手順を示すフローチャートである。【０３９７】
なお、アナログベースバンド信号がＡＤ変換部２０１に入力される。アナログベースバンド信号はＡＤ変換部２０１によってデジタルベースバンド信号に変換され、デジタルベースバンド信号がＡＤ変換部２０１から出力される。【０３９８】
プライマリーＳＴＳ検出部２０２、セカンダリーＳＴＳ検出部２０３及び隣接チャネル電力検出部２０４は、所定の処理を行い、プライマリーＳＴＳ検出信号、セカンダリーＳＴＳ検出信号、プライマリー隣接チャネル検出信号及びセカンダリー隣接チャネル検出信号を判定部２０５ａへ出力する。【０３９９】
判定部２０５ａは、プライマリーＳＴＳ検出信号に基づいてプライマリーチャネルＣＨ２においてプライマリーＳＴＳが検出されたか否かを判定する（ステップＳ７０１）。【０４００】
判定部２０５ａは、プライマリーＳＴＳが検出されていないと判定した場合には（Ｓ７０１：ＮＯ）、セカンダリーＳＴＳ検出信号に基づいてセカンダリーチャネルＣＨ３においてセカンダリーＳＴＳが検出されたか否かを判定する（ステップＳ７０２）。判定部２０５ａは、セカンダリーＳＴＳが検出されていないと判定した場合には（Ｓ７０２：ＮＯ）、ステップＳ７０１の処理へ進む。【０４０１】
判定部２０５ａは、セカンダリーＳＴＳが検出されたと判定した場合には（Ｓ７０２：ＹＥＳ）、セカンダリー隣接チャネル検出信号に基づいてセカンダリー隣接チャネルＣＨ４の信号成分がセカンダリーＳＴＳとほぼ同時に検出されたか否かを判定する（ステップＳ７０３）。なお、判定部２０５ａは、セカンダリーＳＴＳ検出信号がローレベルからハイレベルへ遷移した時間とほぼ同時にセカンダリー隣接チャネル検出信号がローレベルからハイレベルへ遷移した場合にセカンダリー隣接チャネルＣＨ４の信号成分がセカンダリーＳＴＳと略同時に検出されたと判定する。【０４０２】
なお、セカンダリーＳＴＳとセカンダリー隣接チャネルＣＨ４を伝送するＳＴＳ（以下、「セカンダリー隣接ＳＴＳ」と言う。）の波形が同一であれば、同一のパケット信号に係るセカンダリーＳＴＳとセカンダリー隣接ＳＴＳとは同時に検出される。しかしながら、伝送路による遅延及び送信側で予め与えられた遅延などによって、セカンダリーＳＴＳとセカンダリー隣接ＳＴＳとの検出に若干の時間差が生じることがある。このことを踏まえ、セカンダリーＳＴＳとセカンダリー隣接ＳＴＳとが同時に送信されたとみなせる時間幅を設定しておき、当該時間幅内にセカンダリーＳＴＳとセカンダリー隣接チャネルＣＨ４の信号成分が検出された場合に、セカンダリー隣接チャネルＣＨ４の信号成分がセカンダリーＳＴＳとほぼ同時に検出されたと判定する。【０４０３】
判定部２０５ａは、セカンダリーＳＴＳとほぼ同時にセカンダリー隣接チャネルＣＨ４の信号成分が検出されなかったと判定した場合には（Ｓ７０３：ＮＯ）、受信中の無線パケット信号が希望パケット信号と干渉パケット信号との双方の可能性がある狭帯域パケット信号（無線パケット信号７０６）であると判定し、復調部２０６ａに対して狭帯域パケット処理を指示する（ステップＳ７０９）。なお、復調部２０６ａは、この指示を受けて、ＦＦＴ部２３１、サブキャリア復調部２３３、復号部２３４及び制御情報抽出部２３５を起動し、セカンダリーチャネルＣＨ３に関する狭帯域パケット処理を実行する。当該狭帯域パケット処理の実行中に、制御情報抽出部２３５から判定部２０５ａへ宛先情報を含む制御情報通知信号が出力される。【０４０４】
判定部２０５ａは、セカンダリーＳＴＳとほぼ同時にセカンダリー隣接チャネルＣＨ４の信号成分が検出されたと判定した場合には（Ｓ７０３：ＹＥＳ）、帯域外サブキャリア検出部２５１から入力されるセカンダリー帯域外サブキャリア検出信号に基づいてセカンダリーチャネルＣＨ３において帯域外サブキャリアが検出されたか否かを判定する（ステップＳ７０４）。なお、判定部２０５ａはセカンダリー帯域外サブキャリア検出信号がハイレベルの場合にセカンダリーチャネルＣＨ３において帯域外サブキャリアが検出されたと判定する。【０４０５】
但し、セカンダリーＳＴＳとほぼ同時にセカンダリー隣接チャネルＣＨ４の信号成分が検出された場合、復調部２０６ａのＦＦＴ部２３１、サブキャリア復調部２３３、復号部２３４及び帯域外サブキャリア検出部２５１が起動させられる。そして、ロングプリアンブル信号ＬＴＳｓ、ＳＩＧＮＡＬシンボル、ＨＴＳＩＧＮＡＬシンボル及びＨＴショートプリアンブル信号ＨＴＳＴＳｓ及びＨＴロングプリアンブル信号ＨＴＬＴＳｓに対する処理が行われる。【０４０６】
判定部２０５ａは、帯域外サブキャリアが検出されていないと判定した場合には（Ｓ７０４：ＮＯ）、受信中の無線パケット信号が対狭帯域パケット信号７０５を構成する狭帯域パケット信号７０５ａであると判定し、復調部２０６ａに対して狭帯域パケット処理を指示する（ステップＳ７０９）。なお、復調部２０６ａは、この指示を受けて、動作中のＦＦＴ部２３１、サブキャリア復調部２３３及び復号部２３４を除く帯域外サブキャリア検出部２５１の動作を停止させるとともに、制御情報抽出部２３５を起動し、セカンダリーチャネルＣＨ３に関する狭帯域パケット処理を実行する。当該狭帯域パケット処理の実行中に、制御情報抽出部２３５から判定部２０５ａへ宛先情報を含む制御情報通知信号が出力される。【０４０７】
判定部２０５ａは、帯域外サブキャリアが検出されたと判定した場合には（Ｓ７０４：ＹＥＳ）、受信中の無線パケット信号が干渉パケット信号（広帯域パケット信号７０７）であると判定し、復調部２０６ａに対して干渉パケット処理を指示する（ステップＳ７０５）。なお、復調部２０６ａは、この指示を受けて、ＦＦＴ部２３１を除く動作中の各部を停止させるとともに、干渉測定部２３２を起動し、干渉パケット処理を行う。【０４０８】
ステップＳ７０１の判定処理において、判定部２０５ａは、プライマリーＳＴＳが検出されたと判定した場合には（Ｓ７０１：ＹＥＳ）、セカンダリーＳＴＳ検出信号に基づいてセカンダリーチャネルＣＨ３においてセカンダリーＳＴＳがプライマリーＳＴＳとほぼ同時に検出されたか否かを判定する（ステップＳ７０６）。【０４０９】
判定部２０５ａは、プライマリーＳＴＳとほぼ同時にセカンダリーＳＴＳが検出されたと判定した場合には（Ｓ７０６：ＹＥＳ）、受信中の無線パケット信号が希望パケット信号及び干渉パケット信号の双方の可能性がある広帯域パケット信号（無線パケット信号７０２，７０３）であると判定し、復調部２０６ａに対して広帯域パケット処理を指示する（ステップＳ７０７）。なお、復調部２０６ａは、この指示を受けて、ＦＦＴ部２３１、サブキャリア復調部２３３、復号部２３４及び制御情報抽出部２３５を起動し、プライマリーチャネルＣＨ２及びセカンダリーチャネルＣＨ３に関する広帯域パケット処理を実行する。当該広帯域パケット処理の実行中に、制御情報抽出部２３５から判定部２０５ａへ宛先情報を含む制御情報通知信号が出力される。【０４１０】
判定部２０５ａは、プライマリーＳＴＳとほぼ同時にセカンダリーＳＴＳが検出されなかったと判定した場合には（Ｓ７０６：ＮＯ）、プライマリー隣接チャネル検出信号に基づいてプライマリー隣接チャネルＣＨ１の信号成分がプライマリーＳＴＳとほぼ同時に検出されたか否かを判定する（ステップＳ７０８）。【０４１１】
判定部２０５ａは、プライマリーＳＴＳとほぼ同時にプライマリー隣接チャネルＣＨ１の信号成分が検出されたと判定した場合には（Ｓ７０８：ＮＯ）、受信中の無線パケット信号が希望パケット信号及び干渉パケット信号の双方の可能性がある狭帯域パケット信号（無線パケット信号７０１）であると判定し、復調部２０６ａに対して狭帯域パケット処理を指示する（ステップＳ７０９）。なお、復調部２０６ａは、この指示を受けて、ＦＦＴ部２３１、サブキャリア復調部２３３、復号部２３４及び制御情報抽出部２３５を起動し、プライマリーチャネルＣＨ２に関する狭帯域パケット処理を実行する。当該狭帯域パケット処理の実行中に、制御情報抽出部２３５から判定部２０５ａへ宛先情報を含む制御情報通知信号が出力される。【０４１２】
判定部２０５ａは、プライマリーＳＴＳとほぼ同時にプライマリー隣接チャネルＣＨ１の信号成分が検出されたと判定した場合には（Ｓ７０８：ＹＥＳ）、帯域外サブキャリア検出部２５１から入力されるプライマリー帯域外サブキャリア検出信号に基づいてプライマリーチャネルＣＨ２において帯域外サブキャリアが検出されたか否かを判定する（ステップＳ７１０）。なお、判定部２０５ａはプライマリー帯域外サブキャリア検出信号がハイレベルの場合にプライマリーチャネルＣＨ２において帯域外サブキャリアが検出されたと判定する。【０４１３】
但し、プライマリーＳＴＳとほぼ同時にプライマリー隣接チャネルＣＨ４の信号成分が検出された場合、復調部２０６ａのＦＦＴ部２３１、サブキャリア復調部２３３、復号部２３４及び帯域外サブキャリア検出部２５１が起動させられる。そして、ロングプリアンブル信号ＬＴＳｓ、ＳＩＧＮＡＬシンボル、ＨＴＳＩＧＮＡＬシンボル及びＨＴショートプリアンブル信号ＨＴＳＴＳｓ及びＨＴロングプリアンブル信号ＨＴＬＴＳｓに対する処理が行われる。【０４１４】
判定部２０５ａは、帯域外サブキャリアが検出されなかったと判定した場合には（Ｓ７１０：ＮＯ）、受信中の無線パケット信号が対狭帯域パケット信号７０４を構成する帯域パケット信号７０４ａであると判定し、復調部２０６ａに対して狭帯域パケット処理を指示する（ステップＳ７０９）。なお、復調部２０６ａは、この指示を受けて、動作中のＦＦＴ部２３１、サブキャリア復調部２３３及び復号部２３４を除く帯域外サブキャリア検出部２５１の動作を停止させるとともに、制御情報抽出部２３５を起動し、プライマリーチャネルＣＨ２に関する狭帯域パケット処理を実行する。当該狭帯域パケット処理の実行中に、制御情報抽出部２３５から判定部２０５ａへ宛先情報を含む制御情報通知信号が出力される。【０４１５】
判定部２０５ａは、帯域外サブキャリアが検出されたと判定した場合には（Ｓ７１０：ＹＥＳ）、受信中の無線パケット信号が干渉パケット信号（広帯域パケット信号７０８）であると判定し、復調部２０６ａに対して干渉パケット処理を指示する（ステップＳ７０５）。なお、復調部２０６ａは、この指示を受けて、ＦＦＴ部２３１を除く動作中の各部を停止させるとともに、干渉測定部２３２を起動し、干渉パケット処理を行う。【０４１６】
制御情報抽出部２３５によって宛先情報が復号データから抽出されると、判定部２０５ａは、制御情報抽出部２３５から入力される制御情報通知信号に含まれる宛先情報に基づいて受信中の無線パケット信号が自機器宛の無線パケット信号であるか否かを判定する（ステップＳ７１１）。【０４１７】
判定部２０５ａは、受信中の無線パケット信号が自機器宛の無線パケット信号でない、つまり干渉パケット信号であると判定した場合には（Ｓ７１１：ＮＯ）、復調部２０６ａに対して干渉パケット処理を指示する（ステップＳ７０５）。なお、復調部２０６ａは、この指示を受けて、ＦＦＴ部２３１を除く動作中の各部を停止させるとともに、干渉測定部２３２を起動し、干渉パケット処理を行う。【０４１８】
判定部２０５ａは、受信中の無線パケット信号が自機器宛の無線パケット信号である、つまり希望パケット信号であると判定した場合には（Ｓ７１１：ＹＥＳ）、復調部２０６ａに対してデータ受信処理を指示する（ステップＳ７１２）。なお、復調部２０６は、この指示を受けて、更に干渉測定部２３２を起動させ、以前に受信していた干渉パケット信号の特徴量を用いたデータ受信処理を行う。【０４１９】
上述したステップＳ７０１〜Ｓ７０３，Ｓ７０６，Ｓ７０８の各判定処理は、無線パケット信号が受信されている場合、当該無線パケット信号の先頭に付加されたＳＴＳ（プライマリーＳＴＳ、セカンダリーＳＴＳ）に関する信号区間において実行される。また、ステップＳ７０４，Ｓ７１０の各処理は、無線パケット信号のＤＡＴＡシンボルの前に付加されているＨＴロングプリアンブル信号ＨＴＬＴＳｓに関する信号区間において実行される。このため、受信している無線パケット信号が図３０及び図３１の無線パケット信号７０１〜７０８の何れであるかの判定を早期に行うことができる。この結果、復号部２０６ａの各部の不要な動作を抑制することができ、復号部２０６ａの各部の不要な動作による無駄な電力消費を抑えることができる。【０４２０】
≪第８の実施の形態≫
以下、第８の実施の形態について図面を参照しつつ説明する。【０４２１】
本実施の無線通信機器は、第６の実施の形態で説明した無線パケット信号の判定方法を第１の実施の形態に組み込んだものである。但し、第６の実施の形態の無線通信機器は、無線パケット信号の先頭に付加されるＳＴＳを用いて受信中の無線パケット信号の判定処理を行う。これに対して、本実施の形態の無線通信機器は、無線パケット信号にＳＴＳに続いて付加されるＬＴＳを用いて受信中の無線パケット信号の判定処理を行う。なお、以下において、プライマリーチャネルＣＨ２を伝送するＬＴＳを、「プライマリーＬＴＳ」と言い、セカンダリーチャネルＣＨ３を伝送するＬＴＳを「セカンダリーＬＴＳ」と言う。【０４２２】
＜無線通信機器の構成＞
以下、本実施の形態の無線通信機器３００の構成について図３７を参照しつつ説明する。図３７は本実施の形態の無線通信機器３００の機器構成図である。なお、本実施の形態において、第１の実施の形態と実質的に同じ構成要素には第１の実施の形態と同じ符号を付し、第１の実施の形態の説明が適用できるため本実施の形態ではその説明を省略する。【０４２３】
無線通信機器３００は、アンテナ１０１と、可変利得増幅部１０２と、周波数変換部１０３と、ＡＤ変換部１０４と、デジタル信号電力検出部１０５と、ビット飽和検出部１０６と、ＳＴＳ検出部１０７ｇと、ＳＴＳ開始検出部１０８と、プライマリーＬＴＳ検出部３０１と、セカンダリーＬＴＳ検出部３０２と、隣接チャネル電力検出部３０３と、判定部３０４と、復調部３０５と、ＡＧＣ部３０６とを備える。【０４２４】
［ＳＴＳ検出部１０７ｇ］
ＳＴＳ検出部１０７ｇは、プライマリーチャネルＣＨ２及びセカンダリーチャネルＣＨ３の夫々において、プライマリーＳＴＳ及びセカンダリーＳＴＳの検出処理を行う。ＳＴＳ検出部１０７ｇは、プライマリーＳＴＳ及びセカンダリーＳＴＳの少なくとも一方を検出すると、パルス期間ハイレベルのＳＴＳ検出信号をＳＴＳ開始検出部１０８へ出力する。【０４２５】
［プライマリーＬＴＳ検出部３０１］
プライマリーＬＴＳ検出部３０１は、プライマリーチャネルＣＨ２の帯域を観測して、ＡＤ変換部１０４から出力されるデジタルベースバンド信号からプライマリーＬＴＳを検出するための検出処理を行う。そして、プライマリーＬＴＳ検出部３０１は、プライマリーＬＴＳを検出すると、パルス期間ハイレベルのプライマリーＬＴＳ検出信号を判定部３０４へ出力する。【０４２６】
［セカンダリーＬＴＳ検出部３０２］
セカンダリーＬＴＳ検出部３０２は、セカンダリーチャネルＣＨ３の帯域を観測して、ＡＤ変換部１０４から出力されるデジタルベースバンド信号からセカンダリーＬＴＳを検出するための検出処理を行う。セカンダリーＬＴＳ検出部３０２は、セカンダリーＬＴＳを検出するとパルス期間ハイレベルのセカンダリーＬＴＳ検出信号を判定部３０４へ出力する。なお、プライマリーＬＴＳ検出部３０１及びセカンダリーＬＴＳ検出部３０３はＬＴＳ検出部１０９と同様の処理によってプライマリーＬＴＳの検出処理及びセカンダリーＬＴＳの検出処理を行う。【０４２７】
［隣接チャネル電力検出部３０３］
隣接チャネル電力検出部３０３は、プライマリー隣接チャネルＣＨ１の帯域を観測して、プライマリー隣接チャネルＣＨ１の帯域におけるデジタルベースバンド信号の信号成分（プライマリー隣接チャネル成分）の電力値を検出する。そして、隣接チャネル電力検出部３０３は、プライマリー隣接チャネル成分の電力値と成分電力閾値とを比較する。隣接チャネル電力検出部３０３は、プライマリー隣接チャネル成分の電力値が成分電力閾値以上になると、プライマリー隣接チャネルＣＨ１の信号成分を検出したとして、パルス期間ハイレベルのプライマリー隣接チャネル検出信号を判定部３０４へ出力する。なお、デジタルベースバンド信号からプライマリー隣接チャネル成分を取り出すための手段として、ＢＰＦ、フーリエ変換、ウェーブレット変換或いはフィルタバンクなどを用いることができる。【０４２８】
［判定部３０４］
判定部３０４には、プライマリーＬＴＳ検出部３０１からプライマリーＬＴＳ検出信号が入力され、セカンダリーＬＴＳ検出部３０２からセカンダリーＬＴＳ検出信号が入力され、隣接チャネル電力検出部３０３からプライマリー隣接チャネル検出信号が入力され、復調部３０５から制御情報通知信号が入力される。【０４２９】
判定部３０４は、プライマリーＬＴＳ検出信号と、セカンダリーＬＴＳ検出信号と、プライマリー隣接チャネル検出信号とに基づいて、受信している無線パケット信号が図２７の無線パケット信号６０１〜６０５の何れに相当するかを判定する。判定部３０４は、受信している無線パケット信号が希望パケット信号及び干渉パケット信号の双方の可能性がある無線パケット信号（無線パケット信号６０１，６０２）であると判定した場合、パルス期間ハイレベルのパケット判定信号をＡＧＣ部３０６へ出力する。【０４３０】
判定部３０４は、希望パケット信号の可能性及び干渉パケット信号の双方の可能性がある無線パケット信号６０１，６０２を受信していると判定した場合、さらに、制御情報通知信号に含まれる宛先情報に基づいて受信中の無線パケット信号６０１，６０２が自機器宛の無線パケット信号であるか否かを判定する。【０４３１】
［復調部３０５］
復調部３０５は、復調部２０６の機能を備え、例えば宛先情報を含む制御情報通知信号を判定部３０４へ出力する。また、復調部３０５は、受信中の無線パケット信号の復調が完了するとパルス期間ハイレベルの復調完了信号をＡＧＣ部３０６へ出力するとともに、動作を停止する。【０４３２】
［ＡＧＣ部３０６］
ＡＧＣ部３０６は、可変利得増幅部１０２に予め定められた所定の利得の値（初期利得値）を設定し、デジタル信号電力検出部１０５から入力されるデジタル電力値信号に基づいて可変利得増幅部１０２の利得制御を行う。ＡＧＣ部３０６は、可変利得増幅部１０２の利得制御の開始の判断を、ビット飽和検出部１０６から入力されるビット飽和検出信号と、ＳＴＳ開始検出部１０８から入力されるＳＴＳ検出区間開始信号と、判定部３０４から入力されるパケット判定信号と、復調部３０５から入力される復調完了信号とに基づいて行う。【０４３３】
＜無線通信機器の動作＞
以下、図３７の判定部３０４及びＡＧＣ部３０６が行う無線パケット信号の判定及び利得制御に係る処理について図３８から図４０を参照しつつ説明する。図３８から図４０は図３７の判定部３０４及びＡＧＣ部３０６が行う無線パケット信号の判定及び利得制御に係る処理の手順を示すフローチャートである。【０４３４】
ＡＧＣ部３０６は、ステップＳ８０１からステップＳ８０６において図６のステップＳ１０１からステップＳ１０６と実質的に同じ処理を行う。なお、ステップＳ８０３のビット飽和利得制御処理の処理手順は、図７に示した処理手順と実質的に同じ処理手順である。ステップＳ８０５のＳＴＳ検出開始利得制御処理の処理手順は、図８に示した処理手順と実質的に同じ処理手順である。【０４３５】
判定部３０４は、プライマリーＬＴＳ検出信号に基づいてプライマリーチャネルＣＨ２においてプライマリーＬＴＳが検出されたか否かを判定する（ステップＳ８０７）。なお、判定部３０４は、プライマリーＬＴＳ検出信号がローレベルからハイレベルへ遷移した場合にプライマリーＬＴＳが検出されたと判定する。【０４３６】
判定部３０４は、プライマリーＬＴＳが検出されていないと判定した場合には（Ｓ８０７：ＮＯ）、セカンダリーＬＴＳ検出信号に基づいてセカンダリーチャネルＣＨ３においてセカンダリーＬＴＳが検出されたか否かを判定する（ステップＳ８０８）。なお、判定部３０４は、セカンダリーＬＴＳ検出信号がローレベルからハイレベルへ遷移した場合にセカンダリーＬＴＳが検出されたと判定する。【０４３７】
判定部３０４によってセカンダリーＬＴＳが検出されていないと判定された場合には（Ｓ８０８：ＮＯ）、ステップＳ８１９の処理が行われる。【０４３８】
判定部３０４は、セカンダリーＬＴＳが検出されたと判定した場合には（Ｓ８０８：ＹＥＳ）、受信中の無線パケット信号が干渉パケット信号（無線パケット信号６０３，６０４）であると判定し、復調部３０５に対して干渉パケット処理を指示する（ステップＳ８０９）。なお、復調部３０５は、この指示を受けて、干渉パケット処理を行う。【０４３９】
判定部３０４は、プライマリーＬＴＳが検出されたと判定した場合には（Ｓ８０７：ＹＥＳ）、セカンダリーＬＴＳ検出信号に基づいてセカンダリーチャネルＣＨ３においてセカンダリーＬＴＳがプライマリーＬＴＳとほぼ同時に検出されたか否かを判定する（ステップＳ８１０）。なお、判定部３０４は、プライマリーＬＴＳ検出信号がローレベルからハイレベルへ遷移した時間とほぼ同時にセカンダリーＬＴＳ検出信号がローレベルからハイレベルへ遷移した場合にセカンダリーＬＴＳがプライマリーＬＴＳと略同時に検出されたと判定する。【０４４０】
なお、プライマリーＬＴＳとセカンダリーＬＴＳとの波形が同一であれば、同一のパケット信号に係るプライマリーＬＴＳとセカンダリーＬＴＳとは同時に検出される。しかしながら、伝送路による遅延及び送信側で予め与えられた遅延などによって、プライマリーＬＴＳとセカンダリーＬＴＳとの検出に若干の時間差が生じることがある。このことを踏まえ、プライマリーＬＴＳとセカンダリーＬＴＳとが同時に送信されたとみなせる時間幅を設定しておき、当該時間幅内にプライマリーＬＴＳとセカンダリーＬＴＳが検出された場合に、セカンダリーＬＴＳがプライマリーＬＴＳとほぼ同時に検出されたと判定する。【０４４１】
判定部３０４は、プライマリーＬＴＳとほぼ同時にセカンダリーＬＳＴが検出されたと判定した場合には（Ｓ８１０：ＹＥＳ）、受信中の無線パケット信号が希望パケット信号及び干渉パケット信号の双方の可能性がある広帯域パケット信号（無線パケット信号６０２）であると判定し、パケット判定信号をパルス期間ハイレベルにする。ＡＧＣ部３０６はパケット判定信号がローレベルからハイレベルへ遷移したことを受けて、可変利得増幅部１０２の利得の値を固定する（ステップＳ８１１）。判定部３０４は、復調部３０５に対して広帯域パケット処理を指示する（ステップＳ８１２）。なお、復調部３０５は、この指示を受けて、広帯域パケット処理を行う。当該広帯域パケット処理の実行中に、復調部３０５から判定部３０４へ宛先情報を含む制御情報通知信号が出力される。【０４４２】
判定部３０４は、プライマリーＬＴＳとほぼ同時にセカンダリーＬＴＳが検出されなかったと判定した場合には（Ｓ８１０：ＮＯ）、プライマリーＬＴＳの検出より前の所定の期間にプライマリー隣接チャネル検出信号に基づいてプライマリー隣接チャネルＣＨ１の信号成分が検出されたか否かを判定する（ステップＳ８１３）。なお、判定部３０４は、プライマリーＬＴＳ検出信号がローレベルからハイレベルへ遷移するより前の所定の期間にプライマリー隣接チャネル検出信号がローレベルからハイレベルへ遷移した場合に、プライマリーＬＴＳの検出より前の所定の期間にプライマリー隣接チャネルＣＨ１の信号成分が検出されたと判定する。【０４４３】
但し、無線パケット信号の先頭に付加されるＳＴＳが自機器に到来すると、プライマリー隣接チャネルＣＨ１の信号成分が検出される。このことから、同一の無線パケット信号では、プライマリー隣接チャネルＣＨ１の信号成分はＬＴＳの検出より複数のＳＴＳに係る信号区間の時間分先にプライマリー隣接チャネルＣＨ１の信号成分が検出される。なお、上記の所定の期間は、複数のＳＴＳに係る信号区間の時間、及び伝送路による遅延などを考慮して設定されるようにすればよい。【０４４４】
判定部３０４は、プライマリーＬＴＳの検出より前の所定の期間内にプライマリー隣接チャネルＣＨ１の信号成分が検出されたと判定した場合には（Ｓ８１３：ＹＥＳ）、受信中の無線パケット信号が干渉パケット信号（無線パケット信号６０５）であると判定し、復調部３０５に対して干渉パケット処理を指示する（ステップＳ８０９）。なお、復調部３０５は、この指示を受けて、干渉パケット処理を行う。【０４４５】
判定部３０４は、プライマリーＬＴＳの検出より前の所定の期間内にプライマリー隣接チャネルＣＨ１の信号成分が検出されなかったと判定した場合には（Ｓ８１３：ＮＯ）、受信中の無線パケット信号が希望パケット信号及び干渉パケット信号の双方の可能性がある狭帯域パケット信号（無線パケット信号６０１）であると判定し、パケット判定信号をパルス期間ハイレベルにする。ＡＧＣ部３０６は、パケット判定信号がローレベルからハイレベルへ遷移したことを受けて、可変利得増幅部１０２の利得の値を固定する（ステップＳ８１４）。判定部３０４は、復調部３０５に対して狭帯域パケット処理を指示する（ステップＳ８１５）。なお、復調部３０５は、この指示を受けて、狭帯域パケット処理を行う。当該狭帯域パケット処理の実行中に、復調部３０５から判定部３０４へ宛先情報を含む制御情報通知信号が出力される。【０４４６】
復調部３０５によって宛先情報が復号データから抽出されると、判定部３０４は、復調部３０５から入力される制御情報通知信号に含まれる宛先情報に基づいて受信中の無線パケット信号が自機器宛の無線パケット信号であるか否かを判定する（ステップＳ８１６）。【０４４７】
判定部３０４は、受信中の無線パケット信号が自機器宛の無線パケット信号でない、つまり干渉パケット信号であると判定した場合には（Ｓ８１６：ＮＯ）、復調部３０５に対して干渉パケット処理を指示する（ステップＳ８０９）。なお、復調部２０６は、この指示を受けて、干渉パケット処理を行う。【０４４８】
判定部３０４は、受信中の無線パケット信号が自機器宛の無線パケット信号である、つまり希望パケット信号であると判定した場合には（Ｓ８０９：ＹＥＳ）、復調部３０５に対してデータ受信処理を指示する（ステップＳ８１７）。なお、復調部３０５は、この指示を受けて、データ受信処理を行う。当該データ受信処理の実行中に、復調部３０５からＡＧＣ部３０６へ復調完了信号が出力される。【０４４９】
ＡＧＣ部３０６は、復調完了信号に基づいて無線パケット信号の復調が完了したか否かを判定する（ステップＳ８１８）。なお、ＡＧＣ部３０６は、復調完了信号がローレベルからハイレベルへ遷移した場合に無線パケット信号の復調が完了したと判定する。【０４５０】
ＡＧＣ部３０６は、無線パケット信号の復調が完了したと判定するまで（Ｓ８１８：ＮＯ）、ステップＳ８１８の処理を継続して行う。一方、ＡＧＣ部３０６は、無線パケット信号の復調が完了したと判定した場合には（Ｓ８１８：ＹＥＳ）、ステップＳ８０１の処理へ進む。【０４５１】
ＡＧＣ部３０６は、ビット飽和検出信号に基づいてＡＤ変換部１０４から出力されているデジタルベースバンド信号がビット飽和を起こしているか否かを判定する（ステップＳ８１９）。ＡＧＣ部３０６は、デジタルベースバンド信号がビット飽和を起こしていると判定した場合には（Ｓ８１８：ＹＥＳ）、復調部３０５に対して干渉パケット処理の停止を指示し（ステップＳ８２０）、ステップＳ８０３の処理へ進む。なお、復調部３０５は、干渉パケット処理の停止の指示を受けて、干渉パケット処理を実行していれば、干渉パケット処理を停止する。【０４５２】
ＡＧＣ部３０６は、デジタルベースバンド信号がビット飽和を起こしていないと判定した場合には（Ｓ８１９：ＮＯ）、ＳＴＳ検出区間開始信号に基づいてＳＴＳ検出区間の開始が検出されたか否かを判定する（ステップＳ８２１）。ＡＧＣ部３０６は、ＳＴＳ検出区間の開始が検出されたと判定した場合には（Ｓ８２１：ＹＥＳ）、復調部３０５に対して干渉パケット処理の停止を指示し（ステップＳ８２２）、ステップＳ８０５の処理へ進む。なお、復調部３０５は、干渉パケット処理の停止の指示を受けて、干渉パケット処理を実行していれば、干渉パケット処理を停止する。【０４５３】
ＡＧＣ部３０６は、ＳＴＳ検出区間の開始が検出されていないと判定した場合には（Ｓ８２１：ＮＯ）、計時カウンタのカウント値Ｔがタイムアウト時間ＴOUTになったか否かを判定する（ステップＳ８２３）。ＡＧＣ部３０６は、カウント値Ｔがタイムアウト時間ＴOUTになっていないと判定した場合には（Ｓ８２３：ＮＯ）、計時カウンタのカウント値Ｔを１カウントアップし（ステップＳ８２４）、ステップＳ８０７の処理が行われる。一方、ＡＧＣ部３０６は、カウント値Ｔがタイムアウト時間ＴOUTになったと判定した場合には（Ｓ８２３：ＹＥＳ）、ステップＳ８０１の処理へ進む。【０４５４】
≪補足≫
本発明は、上記の実施の形態に限られるものではなく、例えば、次のようなものであってもよい。【０４５５】
（１）第１及び第８の実施の形態の無線通信機器では、ＳＴＳ検出開始利得制御処理における利得制御回数を１回とし、ビット飽和利得制御処理における利得制御回数を２回としている。しかしながら、これに限られるものではなく、例えば、ＳＴＳ検出開始利得制御処理における利得制御回数をＭ（Ｍは１以上の整数）回とし、ビット飽和利得制御処理における利得制御回数をＮ（ＮはＭより大きき整数）回とすればよい。【０４５６】
また、第２から第４の実施の形態の無線通信機器では、ＳＴＳ検出開始利得制御処理における利得制御回数を１回とし、ビット飽和利得制御処理における利得制御回数を２回とし、強入力利得制御処理における利得制御回数を２回としている。しかしながら、これに限られるものではなく、例えば、ＳＴＳ検出開始利得制御処理における利得制御回数をＰ（Ｐは１以上の整数）回とし、ビット飽和利得制御処理における利得制御回数をＱ（ＱはＰより大きい整数）回とし、強入力利得制御処理における利得制御回数をＲ（ＲはＰより大きい整数）回とすればよい。【０４５７】
さらに、第５の実施の形態の無線通信機器では、ＳＴＳ検出開始利得制御処理における利得制御時間をＴOUT5とし、ビット飽和利得制御処理における利得制御時間をＴOUT5＋ＴOUT6としている。しかしながら、これに限られるものではなく、例えば、ビット飽和利得制御処理における利得制御時間がＳＴＳ検出開始利得制御処理における利得制御時間より長くなっていればよい。【０４５８】
（２）第２から第４の実施の形態では、低雑音増幅部１３１が２つの利得の値の何れかに制御されるとしているが、これに限らず、Ｎ（Ｎは３以上の整数）個の利得の何れかに制御されるようにしてもよい。この場合、比較部１３６は、（Ｎ−１）個の閾値を持ち、アナログ信号電力検出部１３５から入力されるアナログ電力値信号が示すアナログ信号の電力値と（Ｎ−１）個の閾値とを比較することによって低雑音増幅部１３１に設定する利得の値を決定するようにすればよい。【０４５９】
（３）第１から第５及び第８の実施の形態では、周波数変換部１０３，１３２はＲＦ帯のアナログ信号をベースバンド帯のアナログ信号に変換するとしているが、これに限られるものではない。周波数変換部１０３，１３２はＲＦ帯のアナログ信号をＩＦ（Intermediate Frequency）帯のアナログ信号など信号処理に適した周波数帯のアナログ信号に変換すればよい。なお、第６及び第７の実施の形態においても、ＡＤ変換部２０１に入力されるアナログ信号はベースバンド帯のアナログ信号である必要はなく、例えば信号処理に適した周波数帯のアナログ信号であればよい。【０４６０】
（４）第３の実施の形態において説明した無線通信機器１００ｂに対して第４の実施の形態において説明したＨＰＦ機能部１５１を適用するようにしてもよい。【０４６１】
（５）第４の実施の形態のＡＧＣ部１１１ｃが行う低雑音増幅部１３１及び可変利得増幅部１３３の利得制御及びＨＰＦ機能部１５１の動作モードの切り替え制御に係る処理は次のようなものであってもよい。【０４６２】
ステップＳ４１４の判定処理において肯定的な判定がなされた場合（Ｓ４１４：ＹＥＳ）、ＡＧＣ部１１１ｃはＨＰＦ機能部１５１の動作モードをＨＰＦ機能有効モードに切り替えてからステップＳ４０５の処理へ進む。ステップＳ４１５の判定処理において肯定的な判定がなされた場合（Ｓ４１５：ＹＥＳ）、ＡＧＣ部１１１ｃはＨＰＦ機能部１５１の動作モードをＨＰＦ機能有効モードに切り替えてからステップＳ４０８の処理へ進む。ステップＳ４１６の判定処理において肯定的な判定がなされた場合（Ｓ４１６：ＹＥＳ）、ＡＧＣ部１１１ｃはＨＰＦ機能部１５１の動作モードをＨＰＦ機能有効モードに切り替えてからステップＳ４１０の処理へ進む。【０４６３】
（６）第２から第４の実施の形態のＳＴＳ検出開始利得制御処理、ビット飽和利得制御処理、及び強入力利得制御処理におけるＡＧＣ部１１１ａ，１１１ｂ，１１１ｃが行う可変利得制御部１３３の利得制御を、可変利得増幅部１３３に設定する利得の値の算出と可変利得増幅部１３３に算出した利得の値の設定を利得制御時間繰り返す処理（図２３のステップＳ５５１〜ステップＳ５５６参照）により実現してもよい。なお、この場合、ビット飽和利得制御処理における利得制御時間、及び強入力利得制御処理における利得制御時間の夫々を、ＳＴＳ検出開始利得制御処理における利得制御時間より長くすることが好ましい。【０４６４】
また、第８の実施の形態のＳＴＳ検出開始利得制御処理、及びビット飽和利得制御処理におけるＡＧＣ部３０６が行う可変利得制御部１０２の利得制御を、可変利得増幅部１０２に設定する利得の値の算出と可変利得増幅部１０２に算出した利得の値の設定を利得制御時間繰り返す処理（図２３のステップＳ５５１〜ステップＳ５５６参照）により実現してもよい。なお、この場合、ビット飽和利得制御処理における利得制御時間をＳＴＳ検出開始利得制御処理における利得制御時間より長くすることが好ましい。【０４６５】
（７）第１から第５の形態のＳＴＳ検出部１０７は、ＳＴＳの検出をデジタルベースバンド信号とＳＴＳに基づく基準信号との相互相関演算を行うことによって実現しているが、これに限られるものではない。例えば、ＳＴＳ検出部１０７はＡＤ変換部１０４から入力されるデジタルベースバンド信号とシンボル時間ＴSTS遅延させたデジタルベースバンド信号との自己相関演算を行うことによってＳＴＳの検出処理を行うようにしてもよい。【０４６６】
また、第１から第５の形態のＬＴＳ検出部１０９は、ＬＴＳの検出をデジタルベースバンド信号とＬＴＳに基づく基準信号との相互相関演算を行うことによって実現しているが、これに限られるものではない。例えば、ＬＴＳ検出部１０９はＡＤ変換部１０４から入力されるデジタルベースバンド信号とＬＴＳのシンボル時間遅延させたデジタルベースバンド信号との自己相関演算を行うことによってＬＴＳの検出処理を行うようにしてもよい。【０４６７】
なお、他の実施の形態におけるＳＴＳの検出処理及びＬＴＳの検出処理においても同様である。【０４６８】
（８）第６及び第７の実施の形態では、無線通信機器２００，２００ａは、プライマリーＳＴＳ及びセカンダリーＳＴＳを用いて無線パケット信号の判定を行っているが、これに限られるものではなく、例えば、プライマリーＬＴＳ及びセカンダリーＬＴＳを用いて無線パケット信号の判定を行ってもよい。【０４６９】
（９）第６及び第７の実施の形態では、判定対象の無線パケット信号は、図２６（ａ）及び図２６（ｂ）のミックスドモードのフレームフォーマットの何れかを持つ無線パケット信号であるとしているが、これに限られるものではない。判定対象の無線パケット信号に、図２のレガシーモードのフレームフォーマットを持つ無線パケット信号を加えてもよく、図４１（ａ）及び図４１（ｂ）のグリーンフィールドモードのフレームフォーマットを持つ無線パケット信号を加えても良い。なお、第８の実施の形態においても同様である。【０４７０】
以下、グリーンフィールドモードのフレームフォーマットについて概略を述べる。【０４７１】
グリーンフィールドモードのフレームフォーマットには、無線パケット信号が１つの周波数チャネルＡを伝送する場合の図４１（ａ）に示すフレームフォーマットと、無線パケット信号が２つの周波数チャネルＡ，Ｂを連結して広帯域化した周波数チャネルを伝送する場合の図４１（ｂ）に示すフレームフォーマットとがある。【０４７２】
図４１（ａ）に示すフレームフォーマットを持つ無線パケット信号Ｐ３０には、先頭にショートプリアンブル信号ＳＴＳｓが付加され、ショートプリアンブル信号ＳＴＳｓに続いてＨＴロングプリアンブル信号ＨＴＬＴＳｓが付加されている。無線パケット信号Ｐ３０は、ＨＴロングプリアンブル信号ＨＴＬＴＳｓに続いてＨＴＳＩＧＮＡＬシンボル、ＨＴロングプリアンブル信号ＨＴＬＴＳｓ及びＤＡＴＡシンボルを含む。但し、ＨＴＳＩＧＮＡＬシンボルに続くＨＴロングプリアンブル信号ＨＴＬＴＳｓはＭＩＭＯチャネル数より１少ない数分ある。なお、ＤＡＴＡシンボルは１以上あり、宛先情報及び送信元情報はＤＡＴＡシンボルによって送受信される。【０４７３】
図４１（ｂ）に示すフレームフォーマットを持つ無線パケット信号Ｐ３５は、２つの周波数チャネルＡ，Ｂの夫々に、ショートプリアンブル信号ＳＴＳｓを含む。そして、無線パケット信号Ｐ３５は、２つの周波数チャネルＡ，Ｂを連結して広帯域化した周波数チャネルにＨＴロングプリアンブル信号ＨＴＬＴＳｓ、ＨＴＳＩＧＮＡＬシンボル、ＨＴロングプリアンブル信号ＨＴＬＴＳｓ及びＤＡＴＡシンボルを含む。但し、ＨＴＳＩＧＮＡＬシンボルに続くＨＴロングプリアンブル信号ＨＴＬＴＳｓはＭＩＭＯチャネル数より１少ない数分ある。なお、ＤＡＴＡシンボルは１以上あり、宛先情報及び送信元情報はＤＡＴＡシンボルによって送受信される。【０４７４】
（１０）第２から第４の実施の形態に、第８の実施の形態において説明した無線パケット信号の判定処理に係る処理フロー（ステップＳ８０７〜ステップＳ８１７）を適用してもよく、例えば、次のようにすればよい。【０４７５】
無線通信機器は、第２の実施の形態の場合はステップＳ２１０の処理の後、第３の実施の形態の場合はステップＳ３１０の処理の後、第４の実施の形態の場合はステップＳ４１２の処理の後、ステップＳ８０７の処理へ移行するようにする。また、無線通信機器は、ステップＳ８０８において否定的な判定を行った場合には（Ｓ８０２：ＮＯ）、第２の実施の形態の場合はステップＳ２１２の処理へ、第３の実施の形態の場合はステップＳ３１２の処理へ、第４の実施の形態の場合はステップＳ４１４の処理へ移行するようにする。また、無線通信機器は、ステップＳ８０９の処理の後、第２の実施の形態の場合はステップＳ２１２の処理へ、第３の実施の形態の場合はステップＳ３１２の処理へ、第４の実施の形態の場合はステップＳ４１４の処理へ移行するようにする。無線通信機器は、ステップＳ８１１とステップＳ８１２との間、及び、ステップＳ８１４とステップＳ８１５との間に、低雑音増幅部１３１の利得の値を固定する処理を行う。【０４７６】
（１１）第８の実施の形態において、無線パケット信号の判定処理に係る処理フロー（ステップＳ８０７〜ステップＳ８１７）を、第７の実施の形態において説明した無線パケット信号の判定処理に係る処理フローに置き換えてもよく、例えば、次のようにすればよい。【０４７７】
無線通信機器は、ステップＳ８０６の処理の後、ステップＳ７０１の処理へ移行するようにする。また、無線通信機器は、ステップＳ７０２において無線通信機器が否定的な判定を行った場合には（Ｓ７０２：ＮＯ）、ステップＳ８１９の処理へ移行するようにする。さらに、無線通信機器は、ステップＳ７０５の処理の後、ステップＳ８０１の処理へ移行するようにする。さらに、無線通信機器は、ステップＳ７１２の処理の後、ステップＳ８１８の処理へ移行するようにする。【０４７８】
そして、無線通信機器は、ステップＳ７０６において無線通信機器が肯定的な判定を行った場合には（Ｓ７０６：ＮＯ）、可変利得増幅部の利得の値を固定した後、ステップＳ７０７の処理へ移行するようにする。また、無線通信機器は、ステップＳ７０８において無線通信機器が肯定的な判定を行った場合には（Ｓ７０８：ＮＯ）、可変利得増幅部の利得の値を固定した後、ステップＳ７０９の処理へ移行するようにする。【０４７９】
但し、ステップＳ７０１の判定対象をプライマリーＳＴＳからプライマリーＬＴＳに置き換え、ステップＳ７０６，７０８の判定対象をセカンダリーＳＴＳからセカンダリーＬＴＳに置き換える。【０４８０】
また、ステップＳ７０３及びステップＳ７０８の判定処理では、ステップＳ８１３と同様に、セカンダリーＬＴＳの検出より前の所定の期間にセカンダリー隣接チャネルの信号成分が検出されたか、プライマリーＬＴＳの検出より前の所定の期間にプライマリー隣接チャネルの信号成分が検出されたか、を判定するようにする。【０４８１】
なお、第７の実施の形態において説明した無線パケット信号の判定処理に係る処理フローを第２から第５の実施の形態に適用するようにしてもよく、例えば次のようにすればよい。【０４８２】
第５の実施の形態の場合、第８の実施の形態において、無線パケット信号の判定処理に係る処理フロー（ステップＳ８０７〜ステップＳ８１７）を、上記のようにして、第７の実施の形態において説明した無線パケット信号の判定処理に係る処理フローに置き換え、ビット飽和利得制御処理及びＳＴＳ検出開始利得制御処理を夫々図２２及び図２３の処理手順で行うようにする。【０４８３】
第２の実施の形態の場合、ステップＳ２１１、ステップＳ２１７及びステップＳ２１８の処理を図３６の判定処理に置き換える。無線通信機器は、ステップＳ７０２の判定処理で否定的な判定がなされた場合（Ｓ７０２：ＮＯ）、及びステップＳ７０５の処理が行われた後、ステップＳ２１２の処理へ移行するようにする。また、無線通信機器は、広帯域パケット処理が行われる前、及び狭帯域パケット処理が行われる前に、低雑音増幅部１３１の利得値及び可変利得増幅部１３３の利得値を固定するようにする。さらに、無線通信機器は、ステップＳ７１２の処理が行われた後、ステップＳ２１９の処理へ移行するようにする。さらに、無線通信機器は、ステップＳ２１２の判定処理で肯定的な判定がされた場合（Ｓ２１２：ＹＥＳ）、ステップＳ２１３の判定処理で肯定的な判定がされた場合（Ｓ２１３：ＹＥＳ）、ステップＳ２１４の判定処理で肯定的な判定がされた場合（Ｓ２１４：ＹＥＳ）、干渉パケット処理を停止した後、次の処理へ進むようにする。【０４８４】
第３の実施の形態の場合、ステップＳ３１１、ステップＳ３１６及びステップＳ３１７の処理を図３６の判定処理に置き換える。無線通信機器は、ステップＳ７０２の判定処理で否定的な判定がなされた場合（Ｓ７０２：ＮＯ）、及びステップＳ７０５の処理が行われた後、ステップＳ３１２の処理へ移行するようにする。また、無線通信機器は、広帯域パケット処理が行われる前、及び狭帯域パケット処理が行われる前に、低雑音増幅部１３１の利得値及び可変利得増幅部１３３の利得値を固定するようにする。さらに、無線通信機器は、ステップＳ７１２の処理が行われた後、ステップＳ３１８の処理へ移行するようにする。さらに、無線通信機器は、ステップＳ３１２の判定処理で肯定的な判定がされた場合（Ｓ３１２：ＹＥＳ）、ステップＳ３１３の判定処理で肯定的な判定がされた場合（Ｓ３１３：ＹＥＳ）、干渉パケット処理を停止した後、次の処理へ進むようにする。【０４８５】
第４の実施の形態の場合、ステップＳ４１３、ステップＳ４１９及びステップＳ４２０の処理を図３６の判定処理に置き換える。無線通信機器は、ステップＳ７０２の判定処理で否定的な判定がなされた場合（Ｓ７０２：ＮＯ）、及びステップＳ７０５の処理が行われた後、ステップＳ４１４の処理へ移行するようにする。また、無線通信機器は、広帯域パケット処理が行われる前、及び狭帯域パケット処理が行われる前に、低雑音増幅部１３１の利得値及び可変利得増幅部１３３の利得値を固定するようにする。さらに、無線通信機器は、ステップＳ７１２の処理が行われた後、ステップＳ４２１の処理へ移行するようにする。さらに、無線通信機器は、ステップＳ４１４の判定処理で肯定的な判定がされた場合（Ｓ４１４：ＹＥＳ）、ステップＳ４１５の判定処理で肯定的な判定がされた場合（Ｓ４１５：ＹＥＳ）、ステップＳ４１６の判定処理で肯定的な判定がされた場合（Ｓ４１６：ＹＥＳ）、干渉パケット処理を停止した後、次の処理へ進むようにする。【０４８６】
但し、第２から第４の実施の形態に対する第７の実施の形態の無線パケット信号の判定処理の適用に際して、ステップＳ７０１の判定対象をプライマリーＳＴＳからプライマリーＬＴＳに置き換え、ステップＳ７０６，７０８の判定対象をセカンダリーＳＴＳからセカンダリーＬＴＳに置き換える。また、ステップＳ７０３及びステップＳ７０８の判定処理では、ステップＳ８１３と同様に、セカンダリーＬＴＳの検出より前の所定の期間にセカンダリー隣接チャネルの信号成分が検出されたか、プライマリーＬＴＳの検出より前の所定の期間にプライマリー隣接チャネルの信号成分が検出されたか、を判定するようにする。【０４８７】
（１２）第６及び第７の実施の形態の無線パケット信号の判定処理は、単に、受信している無線パケット信号が無線パケット信号（第６の実施の形態の場合は無線パケット信号６０１〜６０５、第７の実施の形態の場合は無線パケット信号７０１〜７０８）の何れであるかの判定に用いてもよい。【０４８８】
（１３）第６から第８の実施の形態では、復調部２０６，２０６ａ，３０５が干渉に係る信号の特徴量を測定する機能を備えているが、これに限られるものではなく、復調部２０６，２０６ａ，３０５が干渉に係る信号の特徴量を測定する機能を備えていなくてもよい。この場合、無線パケット信号が干渉に係る信号であると判定されると復調部２０６，２０６ａ，３０５を構成する全ての機能部の動作を停止させるようにしてもよい。【０４８９】
（１４）第６及び第７の実施の形態では、無線通信機器２００，２００ａは、ＡＤ変換部２０１から出力されるデジタルベースバンド信号を用いて無線パケット信号の判定処理を行っているが、これに限らず、アナログ信号、例えばＲＦ帯やＩＦ帯などの信号処理に適したアナログ信号を用いて無線パケット信号の判定処理を行うようにしてもよい。【０４９０】
（１５）第８の実施の形態では、ステップＳ８０８の判定処理で否定的な判定がされた場合（Ｓ８０８：ＮＯ）、ステップＳ８１９の処理へ移行しているが、これに限られるものではなく、ステップＳ８０８の判定処理で否定的な判定がされた場合も（Ｓ８０８：ＮＯ）干渉パケット処理を復調部３０５に行わせ、ステップＳ８１９の処理へ移行するようにしてもよい。こうすることによって、ステップＳ８０３及びステップＳ８０５で利得制御された後に、プライマリーチャネル及びセカンダリーチャネルの双方にＬＴＳを検出できない、別の無線システムからの干渉信号に対しても干渉信号の特徴量を測定し、後に希望信号を受信した場合に当該干渉信号の抑圧を行うことが可能になる。なお、上記の補足（１１）の変形例並びに第６及び第７の実施の形態においても同様の変形が可能である。【０４９１】
（１６）第１から第８の実施の形態の無線通信機器は、受信側で既知のプリアンブル信号を含むフレームフォーマット、或いは、受信側で既知の第１プリアンブル信号及び第２プリアンブル信号を持つフレームフォーマットに対して適用可能である。【０４９２】
（１７）第１から第８の実施の形態において説明した無線通信機器は、ＩＥＥＥ８０２．１１ａ規格に準拠した無線通信システム、ＩＥＥＥ８０２．１１ｎ規格に準拠した無線通信システムなど各種無線通信システムに適用することが可能である。【０４９３】
また、第１から第８の実施の形態において説明した無線通信機器は、ＣＳＭＡ（Carrier Sense Multiple Access）方式、ＴＤＭＡ（Time Division Multiple Access）方式、ＣＤＭＡ（Code Division Multiple Access）方式及びＳＤＭＡ（Space Division Multiple Access）方式などの各種アクセス方式に適用可能である。【０４９４】
（１８）上記の各実施の形態の無線通信機器は、典型的には集積回路であるＬＳＩ(Large Scale Integration)として実現されてよい。各回路を個別に１チップとしてもよいし、全ての回路又は一部の回路を含むように１チップ化されてもよい。【０４９５】
ここでは、ＬＳＩとして記載したが、集積度の違いにより、ＩＣ(Integrated Circuit)、システムＬＳＩ、スーパＬＳＩ、ウルトラＬＳＩと呼称されることもある。【０４９６】
また、集積回路化の手法はＬＳＩに限るものではなく、専用回路又は汎用プロセッサで実現してもよい。ＬＳＩ製造後にプログラム化することが可能なＦＰＧＡ（Field Programmable Gate Array）、ＬＳＩ内部の回路セルの接続や設定を再構成可能なリコンフィギュラブル・プロセッサを利用してもよい。【０４９７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０４９８】
本発明は、先頭に付加されたプリアンブル信号が付加された無線パケット信号を受信する無線通信機器に利用することができる。
【図１】
2008139672.tif 000003
【図２】
2008139672.tif 000004
【図３】
2008139672.tif 000005
【図４】
2008139672.tif 000006
【図５】
2008139672.tif 000007
【図６】
2008139672.tif 000008
【図７】
2008139672.tif 000009
【図８】
2008139672.tif 000010
【図９】
2008139672.tif 000011
【図１０】
2008139672.tif 000012
【図１１】
2008139672.tif 000013
【図１２】
2008139672.tif 000014
【図１３】
2008139672.tif 000015
【図１４】
2008139672.tif 000016
【図１５】
2008139672.tif 000017
【図１６】
2008139672.tif 000018
【図１７】
2008139672.tif 000019
【図１８】
2008139672.tif 000020
【図１９】
2008139672.tif 000021
【図２０】
2008139672.tif 000022
【図２１】
2008139672.tif 000023
【図２２】
2008139672.tif 000024
【図２３】
2008139672.tif 000025
【図２４】
2008139672.tif 000026
【図２５】
2008139672.tif 000027
【図２６】
2008139672.tif 000028
【図２７】
2008139672.tif 000029
【図２８】
2008139672.tif 000030
【図２９】
2008139672.tif 000031
【図３０】
2008139672.tif 000032
【図３１】
2008139672.tif 000033
【図３２】
2008139672.tif 000034
【図３３】
2008139672.tif 000035
【図３４】
2008139672.tif 000036
【図３５】
2008139672.tif 000037
【図３６】
2008139672.tif 000038
【図３７】
2008139672.tif 000039
【図３８】
2008139672.tif 000040
【図３９】
2008139672.tif 000041
【図４０】
2008139672.tif 000042
【図４１】
2008139672.tif 000043
【図４２】
2008139672.tif 000044
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
利得の値が可変であり、入力されるアナログ信号を増幅する可変利得増幅部と、
前記可変利得増幅部による増幅後のアナログ信号をデジタル信号に変換するＡＤ変換部と、
前記ＡＤ変換部から出力されるデジタル信号が所定のレンジ外にあるか否かを判定するデジタル信号判定部と、
前記ＡＤ変換部から出力されるデジタル信号から無線パケット信号の先頭に付加されるプリアンブル信号に係る区間の開始を検出するプリアンブル開始検出部と、
前記ＡＤ変換部から出力されるデジタル信号に基づいて前記可変利得増幅部の利得を制御する利得制御部と、
を備え、
前記利得制御部は、
前記デジタル信号判定部によって前記ＡＤ変換部から出力されているデジタル信号が前記レンジ外にあると判定されて前記可変利得増幅部の利得の制御を行う場合には、前記可変利得増幅部の利得の制御を第１利得制御処理により行い、
前記プリアンブル開始検出部によって前記プリアンブル信号に係る区間の開始が検出されて前記可変利得増幅部の利得の制御を行う場合には、前記可変利得増幅部の利得の制御を前記第１利得制御処理と異なる第２利得制御処理により行う
ことを特徴とする受信装置。
【請求項２】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせをＭ（Ｍは１以上の整数）回行い、
前記第１利得制御処理は、設定する利得の値の算出と算出した利得の値の設定との組み合わせをＮ（ＮはＭより大きい整数）回行う
ことを特徴とする請求項１記載の受信装置。
【請求項３】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理及び前記第２利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合及び前記プリアンブル開始検出部によって前記プリアンブル信号に係る区間の開始が検出された場合の何れかの場合には前記可変利得増幅部の利得の制御を再度行う
ことを特徴とする請求項１記載の受信装置。
【請求項４】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理及び前記第２利得制御処理の何れかを行った後所定時間前記プリアンブル検出部によって前記第１プリアンブル信号が検出されなかった場合には、前記可変利得増幅部に予め定められた利得の値を設定する
ことを特徴とする請求項１記載の受信装置。
【請求項５】
（削除）
【請求項６】
（削除）
【請求項７】
前記受信装置は、
利得の値が可変であり、入力される第１アナログ信号を増幅し、増幅された第１アナログ信号を前記アナログ信号として前記可変利得増幅部へ出力する第１可変利得増幅部と、
前記第１アナログ信号が所定の電力値以上の強入力であるか否かを判定する強入力判定部と、
を更に備え、
前記利得制御部は、
更に、前記第１アナログ信号に基づいて前記第１可変利得増幅部の利得の制御を行い、
前記強入力判定部によって前記第１アナログ信号が強入力であると判定された場合に、前記第１可変利得増幅部の利得の値が小さくなるように当該第１可変利得増幅部の利得を制御し、
前記利得制御部は、前記強入力判定部によって前記第１アナログ信号が強入力であると判定されて前記可変利得増幅部の利得の制御を行う場合には、前記可変利得増幅部の利得の制御を前記第２利得制御処理と異なる第３利得制御処理により行う
ことを特徴とする請求項１記載の受信装置。
【請求項８】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせをＰ（Ｐは１以上の整数）回行い、
前記第１利得制御処理は、設定する利得の値の算出と算出した利得の値の設定との組み合わせをＱ（ＱはＰより大きい整数）回行い、
前記第３利得制御処理は、設定する利得の値の算出と算出した利得の値の設定との組み合わせをＲ（ＲはＰより大きい整数）回行う
ことを特徴とする請求項７記載の受信装置。
【請求項９】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理、前記第２利得制御処理及び前記第３利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合、前記プリアンブル開始検出部によって前記プリアンブル信号に係る区間の開始が検出された場合及び前記強入力判定部によって前記第１アナログ信号が強入力であると判定された場合の何れかの場合には前記可変利得増幅部の利得の制御を再度行う
ことを特徴とする請求項７記載の受信装置。
【請求項１０】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理、前記第２利得制御処理及び前記第３利得制御処理の何れかを行った後所定時間前記プリアンブル検出部によって前記第１プリアンブル信号が検出されなかった場合には、前記可変利得増幅部に予め定められた利得の値を設定する
ことを特徴とする請求項７記載の受信装置。
【請求項１１】
前記受信装置は、
前記第１可変利得増幅部から出力される増幅後の第１アナログ信号から直流成分を含む低周波成分を除去して除去後の第１アナログ信号を前記アナログ信号として前記可変利得増幅部へ出力する第１動作モードと、前記第１可変利得増幅部から出力される増幅後の第１アナログ信号をそのまま前記アナログ信号として前記可変利得増幅部へ出力する第２動作モードとが前記利得制御部によって切り替えられるフィルタ部
を更に備え、
前記利得制御部は、前記フィルタ部の動作モードを前記第１動作モードに設定し、前記第１利得制御処理、前記第２利得制御処理及び前記第３利得制御処理の何れかが終了した後に前記フィルタ部の動作モードを前記第１動作モードから前記第２動作モードに切り替える
ことを特徴とする請求項７記載の受信装置。
【請求項１２】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせを第１所定期間繰り返して行い、
前記第１利得制御処理は、設定する利得の値の算出と算出した利得の値の設定との組み合わせを前記第１所定期間より長い第２所定期間繰り返して行う
ことを特徴とする請求項１記載の受信装置。
【請求項１３】
前記受信装置は、
周波数チャネルのうちの一の第１周波数チャネルにおいて、前記ＡＤ変換部から出力されるデジタル信号から前記無線パケット信号に前記プリアンブル信号より後に付加される第１プリアンブル信号を検出する第１プリアンブル検出部と、
前記第１周波数チャネルに隣接する２つの周波数チャネルのうちの一方の第２周波数チャネルにおいて、前記ＡＤ変換部から出力されるデジタル信号から前記第１プリアンブル信号を検出する第２プリアンブル検出部と、
前記第１周波数チャネルに隣接する２つの周波数チャネルのうちの他方の第３周波数チャネルにおける信号成分の電力値を前記ＡＤ変換部から出力されるデジタル信号に基づいて検出する隣接電力値検出部と、
前記第１プリアンブル検出部による検出結果と前記第２プリアンブル検出部による検出結果と前記隣接電力値検出部による検出結果とに基づいて前記ＡＤ変換部から出力されているデジタル信号が干渉信号に係るデジタル信号であるか否かを判定する判定部と、
を更に備えることを特徴とする請求項１記載の受信装置。
【請求項１４】
前記利得制御部は、前記判定部によって前記ＡＤ変換部から出力されているデジタル信号が干渉信号に係るデジタル信号であると判定されなかった場合、前記可変利得増幅部の利得の値を固定する
ことを特徴とする請求項１３記載の受信装置。
【請求項１５】
前記受信装置は、
前記ＡＤ変換部から出力されるデジタル信号から宛先に関する宛先情報を抽出する宛先情報抽出部
を更に備え、
前記判定部は、前記宛先情報抽出部により抽出される宛先情報に基づいて前記ＡＤ変換部から出力されているデジタル信号が干渉信号に係るデジタル信号であるか否かを更に判定する
ことを特徴とする請求項１３記載の受信装置。
【請求項１６】
前記隣接電力値検出部は、更に、前記第２周波数チャネルに隣接する２つの周波数チャネルのうちの前記第１周波数チャネルでない方の第４周波数チャネルにおける信号成分の電力値を前記ＡＤ変換部から出力されるデジタル信号に基づいて検出し、
前記受信装置は、
前記ＡＤ変換部から出力されているデジタル信号に基づいて前記第１周波数チャネルのガードバンドにおけるサブキャリアの有無を検出し、前記第２周波数チャネルのガードバンドにおけるサブキャリアの有無を検出する帯域外サブキャリア検出部
を更に備え、
前記判定部は、前記ＡＤ変換部から出力されているデジタル信号が干渉信号に係るデジタル信号であるか否かの判定を、前記第１プリアンブル検出部による検出結果と前記第２プリアンブル検出部による検出結果と前記隣接電力値検出部による検出結果と前記帯域外サブキャリア検出部による検出結果とに基づいて行う
ことを特徴とする請求項１３記載の受信装置。
【請求項１７】
利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号に基づいて前記可変利得増幅部の利得を制御する利得制御部と、を備えた受信装置において行われる受信方法であって、
前記ＡＤ変換部から出力されるデジタル信号が所定のレンジ外にあるか否かを判定するデジタル信号判定ステップと、
前記ＡＤ変換部から出力されるデジタル信号から無線パケット信号の先頭に付加されるプリアンブル信号に係る区間の開始を検出するプリアンブル開始検出ステップと、
前記デジタル信号判定ステップにおいて前記ＡＤ変換部から出力されているデジタル信号が前記レンジ外にあると判定されて前記利得制御部が前記可変利得増幅部の利得の制御を行う場合には、前記利得制御部は前記可変利得増幅部の利得の制御を第１利得制御処理により行う第１利得制御ステップと、
前記プリアンブル開始検出ステップにおいて前記プリアンブル信号に係る区間の開始が検出されて前記利得制御部が前記可変利得増幅部の利得の制御を行う場合には、前記利得制御部は前記可変利得増幅部の利得の制御を前記第１利得制御処理と異なる第２利得制御処理により行う第２利得制御ステップと、
を有することを特徴とする受信方法。
【手続補正書】
【提出日】平成21年10月9日(2009.10.9)
【手続補正１】
【補正対象書類名】明細書
【補正対象項目名】全文
【補正方法】変更
【補正の内容】
【発明の詳細な説明】
【技術分野】
【０００１】
本発明は、無線ＬＡＮ（Local Area Network）システムなどの無線通信システムにおける無線信号の受信技術に関する。
【背景技術】
【０００２】
例えば、デジタル無線通信システムでは、無線通信機器は、受信したアナログ信号である無線パケット信号をデジタル信号に変換するためのＡＤコンバータ（Analog to Digital Converter）を搭載する。そして、無線通信機器は、ＡＤコンバータの入力に係るダイナミックレンジが有限であることから、ＡＤコンバータに入力されるアナログ信号の信号レベルが上記ダイナミックレンジ内に収まるように調整するための自動利得制御装置を搭載する。
【０００３】
自動利得制御装置とＡＤコンバータとを搭載した従来の無線通信機器として、ＩＥＥＥ（Institute of Electrical and Electronics Engineers）８０２．１１ａ規格に準拠した無線通信機器がある（例えば、特許文献１参照。）
図４２に示す従来の無線通信機器１０００では、ＡＧＣ（Auto Gain Control）部１００９は、まず、可変利得増幅部１００２に所定の利得の値を設定する。
【０００４】
アンテナ１００１によって受信されたアナログ信号は、可変利得増幅部１００２によって増幅され、周波数変換部１００３によって周波数変換され、ＡＤ変換部（ＡＤコンバータに該当）１００４によってデジタル信号に変換される。
また、アンテナ１００１によって受信されているアナログ信号の電力値がアナログ信号電力検出部１００５によって検出され、検出された電力値を示すアナログ信号はＡＤ変換部１００６によってデジタル信号に変換される。
【０００５】
ＡＧＣ部１００９は、ＳＴＳ検出部１００７によってＡＤ変換部１００４から出力されているデジタル信号からショートトレーニングシンボルが検出されると、ＡＤ変換部１００６から入力されるデジタル信号が示す電力値に基づいて可変利得増幅部１００２に設定する利得の値を算出し、可変利得増幅部１００２に算出した利得の値を設定する。
ＡＧＣ部１００９は、ＬＴＳ検出部１００８によってＡＤ変換部１００４から出力されているデジタル信号からロングトレーニングシンボルが検出されると復調部１０１０による無線パケット信号の復調が完了するまで、可変利得増幅部１００２の利得の値を固定する。
【０００６】
上述したように、ＡＧＣ部１００９は、ショートトレーニングシンボルが検出された場合にのみアンテナ１００１によって受信されたアナログ信号の電力値に基づいて可変利得増幅部１００２の利得を制御する。
【先行技術文献】
【特許文献】
【０００７】
【特許文献１】特開２００３−８６７６号公報
【発明の概要】
【発明が解決しようとする課題】
【０００８】
しかしながら、ＡＤ変換部１００４から出力されているデジタル信号が所定のレンジ外にある場合には、当該デジタル信号はアンテナ１００１によって受信されたアナログ信号の振幅の変化を表せなくなってしまう。この結果、例えば、ＡＤ変換部１００４からショートトレーニングシンボルに関するデジタル信号が出力されていてもＳＴＳ検出部１００７はショートトレーニングシンボルを検出できない。
【０００９】
このため、ＡＤ変換部１００４から出力されているデジタル信号が所定のレンジ外にある場合にも、ＡＤ変換部１００４から出力されるデジタル信号が所望のレンジ内に収まるように、ＡＧＣ部１００９は可変利得増幅部１００２の利得制御を行う必要がある。
そこで、本発明は、自装置が備えるＡＤコンバータから出力されているデジタル信号が所定のレンジ外にある場合とショートトレーニングシンボルなどのプリアンブル信号が検出された場合とにおいて自装置が備える可変利得増幅部の利得制御を最適に行うことが可能な受信装置及び受信方法を提供することを目的とする。
【課題を解決するための手段】
【００１０】
上記目的を達成するために本発明の受信装置は、利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号が所定のレンジ外にあるか否かを判定するデジタル信号判定部と、前記ＡＤ変換部から出力されるデジタル信号から無線パケット信号の先頭に付加されるプリアンブル信号に係る区間の開始を検出するプリアンブル開始検出部と、前記ＡＤ変換部から出力されるデジタル信号に基づいて前記可変利得増幅部の利得を制御する利得制御部と、を備え、前記利得制御部は、前記デジタル信号判定部によって前記ＡＤ変換部から出力されているデジタル信号が前記レンジ外にあると判定されて前記可変利得増幅部の利得の制御を行う場合には、前記可変利得増幅部の利得の制御を第１利得制御処理により行い、前記プリアンブル開始検出部によって前記プリアンブル信号に係る区間の開始が検出されて前記可変利得増幅部の利得の制御を行う場合には、前記可変利得増幅部の利得の制御を前記第１利得制御処理と異なる第２利得制御処理により行う。
【００１１】
本発明の受信方法は、利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号に基づいて前記可変利得増幅部の利得を制御する利得制御部と、を備えた受信装置において行われる受信方法であって、前記ＡＤ変換部から出力されるデジタル信号が所定のレンジ外にあるか否かを判定するデジタル信号判定ステップと、前記ＡＤ変換部から出力されるデジタル信号から無線パケット信号の先頭に付加されるプリアンブル信号に係る区間の開始を検出するプリアンブル開始検出ステップと、前記デジタル信号判定ステップにおいて前記ＡＤ変換部から出力されているデジタル信号が前記レンジ外にあると判定されて前記利得制御部が前記可変利得増幅部の利得の制御を行う場合には、前記利得制御部は前記可変利得増幅部の利得の制御を第１利得制御処理により行う第１利得制御ステップと、前記プリアンブル開始検出ステップにおいて前記プリアンブル信号に係る区間の開始が検出されて前記利得制御部が前記可変利得増幅部の利得の制御を行う場合には、前記利得制御部は前記可変利得増幅部の利得の制御を前記第１利得制御処理と異なる第２利得制御処理により行う第２利得制御ステップと、を有する。
【発明の効果】
【００１２】
上記受信装置及び受信方法の夫々によれば、利得制御部は無線パケット信号の先頭に付加されるプリアンブル信号に係る区間の開始が検出された場合のみならずＡＤ変換部から出力されるデジタル信号がレンジ外にある場合にも可変利得増幅部の利得の制御を行う。このため、ＡＤ変換部から出力されるデジタル信号が所定のレンジ外にあることによるプリアンブル信号の検出ができなくなる状況が継続することを回避できる。
【００１３】
また、利得制御部は、ＡＤ変換部から出力されているデジタル信号がレンジ外にある場合とプリアンブル信号に係る区間の開始が検出された場合とで異なる利得制御処理を行う。このため、夫々の場合における適した利得制御処理を利得制御部に行わせることが可能になる。
上記の受信装置において、前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、前記第２利得制御処理は、設定する利得の値の算出と算出した利得の値の設定との組み合わせをＭ（Ｍは１以上の整数）回行い、前記第１利得制御処理は、設定する利得の値の算出と算出した利得の値の設定との組み合わせをＮ（ＮはＭより大きい整数）回行うようにしてもよい。
【００１４】
ＡＤ変換部から出力されるデジタル信号が所定のレンジ外にある場合、ＡＤ変換部から出力されるデジタル信号が所定のレンジ内にある場合に比べ、可変利得増幅部の利得制御を多くする必要があると考えられる。
このことから、上記の受信装置では、ＡＤ変換部から出力されるデジタル信号が所定のレンジ外にある場合の可変利得増幅部の利得制御を行う回数をプリアンブル信号に係る区間の開始が検出された場合の可変利得増幅部の利得制御を行う回数より多くしている。
【００１５】
このため、上記の受信装置によれば、ＡＤ変換部から出力されているデジタル信号が所定のレンジ外にある場合とプリアンブル信号に係る区間の開始が検出された場合との夫々において適した利得制御処理が実現されている。
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理及び前記第２利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合及び前記プリアンブル開始検出部によって前記プリアンブル信号に係る区間の開始が検出された場合の何れかの場合には前記可変利得増幅部の利得の制御を再度行うようにしてもよい。
【００１６】
これによれば、利得制御部はプリアンブル信号に係る区間の開始が検出された場合に可変利得増幅部の利得の制御を再度行い、ＡＤ変換部から出力されるデジタル信号が所定のレンジ外になった場合に可変利得増幅部の利得の制御を再度行う。このため、無線通信の状況に適した利得の値で可変利得増幅部を動作させることが可能になる。
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理及び前記第２利得制御処理の何れかを行った後所定時間前記プリアンブル検出部によって前記第１プリアンブル信号が検出されなかった場合には、前記可変利得増幅部に予め定められた利得の値を設定するようにしてもよい。
【００１７】
これによれば、利得制御部は第１プリアンブル信号が所定期間検出されなかった場合、可変利得増幅部に予め定められた利得の値を設定するため、無線通信の状況に適した利得の値で可変利得増幅部を動作させることが可能になる。
上記の受信装置において、前記受信装置は、利得の値が可変であり、入力される第１アナログ信号を増幅し、増幅された第１アナログ信号を前記アナログ信号として前記可変利得増幅部へ出力する第１可変利得増幅部を更に備え、前記利得制御部は、更に、前記第１アナログ信号に基づいて前記第１可変利得増幅部の利得の制御を行うようにしてもよい。
【００１８】
これによれば、トータルの利得の幅を大きくすることが可能になる。
上記の受信装置において、前記受信装置は、前記第１アナログ信号が所定の電力値以上の強入力であるか否かを判定する強入力判定部を更に備え、前記利得制御部は、前記強入力判定部によって前記第１アナログ信号が強入力であると判定された場合に、前記第１可変利得増幅部の利得の値が小さくなるように当該第１可変利得増幅部の利得を制御するようにしてもよい。
【００１９】
これによれば、第１可変利得増幅の適した利得制御が実現される。
上記の受信装置において、前記利得制御部は、前記強入力判定部によって前記第１アナログ信号が強入力であると判定されて前記可変利得増幅部の利得の制御を行う場合には、前記可変利得増幅部の利得の制御を前記第２利得制御処理と異なる第３利得制御処理により行うようにしてもよい。
【００２０】
これによれば、利得制御部は、第１アナログ信号が強入力である場合とプリアンブル信号に係る区間の開始が検出された場合とで異なる利得制御処理を行う。このため、夫々の場合における適した利得制御処理を利得制御部に行わせることが可能になる。
上記の受信装置において、前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、前記第２利得制御処理は、設定する利得の値の算出と算出した利得の値の設定との組み合わせをＰ（Ｐは１以上の整数）回行い、前記第１利得制御処理は、設定する利得の値の算出と算出した利得の値の設定との組み合わせをＱ（ＱはＰより大きい整数）回行い、前記第３利得制御処理は、設定する利得の値の算出と算出した利得の値の設定との組み合わせをＲ（ＲはＰより大きい整数）回行うようにしてもよい。
【００２１】
第１アナログ信号が強入力である場合、ＡＤ変換部から出力されるデジタル信号が所定のレンジ外の可能性がある。また、ＡＤ変換部から出力されるデジタル信号が所定のレンジ外にある場合、ＡＤ変換部から出力されるデジタル信号が所定のレンジ内にある場合に比べ、可変利得増幅部の利得制御を多くする必要があると考えられる。
これらのことから、上記の受信装置では、ＡＤ変換部から出力されるデジタル信号がレンジ外にある場合の可変利得増幅部の利得制御を行う回数及び第１アナログ信号が強入力である場合の可変利得増幅部の利得制御を行う回数の夫々をプリアンブル信号に係る区間の開始が検出された場合の可変利得増幅部の利得制御を行う回数より多くしている。
【００２２】
このため、上記の受信装置によれば、ＡＤ変換部から出力されているデジタル信号がレンジ外にある場合と第１アナログ信号が強入力である場合とプリアンブル信号に係る区間の開始が検出された場合との夫々において適した利得制御処理が実現されている。
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理、前記第２利得制御処理及び前記第３利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合、前記プリアンブル開始検出部によって前記プリアンブル信号に係る区間の開始が検出された場合及び前記強入力判定部によって前記第１アナログ信号が強入力であると判定された場合の何れかの場合には前記可変利得増幅部の利得の制御を再度行うようにしてもよい。
【００２３】
これによれば、利得制御部はプリアンブル信号に係る区間の開始が検出された場合に可変利得増幅部の利得の制御を再度行い、ＡＤ変換部から出力されるデジタル信号がレンジ外になった場合に可変利得増幅部の利得の制御を再度行い、第１アナログ信号が強入力である場合に可変利得増幅部の利得の制御を再度行う。このため、無線通信の状況に適した利得の値で可変利得増幅部を動作させることが可能になる。
【００２４】
上記の受信装置において、前記受信装置は、前記無線パケット信号に前記プリアンブル信号より後に付加される第１プリアンブル信号を前記ＡＤ変換部から出力されるデジタル信号から検出するプリアンブル検出部を更に備え、前記利得制御部は、前記第１利得制御処理、前記第２利得制御処理及び前記第３利得制御処理の何れかを行った後所定時間前記プリアンブル検出部によって前記第１プリアンブル信号が検出されなかった場合には、前記可変利得増幅部に予め定められた利得の値を設定するようにしてもよい。
【００２５】
これによれば、利得制御部は第１プリアンブル信号が所定期間検出されなかった場合、可変利得増幅部に予め定められた利得の値を設定するため、無線通信の状況に適した利得の値で可変利得増幅部を動作させることが可能になる。
上記の受信装置において、前記受信装置は、前記第１可変利得増幅部から出力される増幅後の第１アナログ信号から直流成分を含む低周波成分を除去して除去後の第１アナログ信号を前記アナログ信号として前記可変利得増幅部へ出力する第１動作モードと、前記第１可変利得増幅部から出力される増幅後の第１アナログ信号をそのまま前記アナログ信号として前記可変利得増幅部へ出力する第２動作モードとが前記利得制御部によって切り替えられるフィルタ部を更に備え、前記利得制御部は、前記フィルタ部の動作モードを前記第１動作モードに設定し、前記第１利得制御処理、前記第２利得制御処理及び前記第３利得制御処理の何れかが終了した後に前記フィルタ部の動作モードを前記第１動作モードから前記第２動作モードに切り替えるようにしてもよい。
【００２６】
これによれば、可変利得増幅部の利得制御を正確に行うことが可能になる。
上記の受信装置において、前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、前記第２利得制御処理は、設定する利得の値の算出と算出した利得の値の設定との組み合わせを第１所定期間繰り返して行い、前記第１利得制御処理は、設定する利得の値の算出と算出した利得の値の設定との組み合わせを前記第１所定期間より長い第２所定期間繰り返して行うようにしてもよい。
【００２７】
ＡＤ変換部から出力されるデジタル信号が所定のレンジ外にある場合、ＡＤ変換部から出力されるデジタル信号が所定のレンジ内にある場合に比べ、可変利得増幅部の利得制御を多くする必要があると考えられる。
このことから、上記の受信装置では、ＡＤ変換部から出力されるデジタル信号が所定のレンジ外にある場合の可変利得増幅部の利得制御を行う時間をプリアンブル信号に係る区間の開始が検出された場合の可変利得増幅部の利得制御を行う時間より多くしている。
【００２８】
このため、上記の受信装置によれば、ＡＤ変換部から出力されているデジタル信号がレンジ外にある場合とプリアンブル信号に係る区間の開始が検出された場合との夫々において適した利得制御処理が実現されている。
上記の受信装置において、前記受信装置は、周波数チャネルのうちの一の第１周波数チャネルにおいて、前記ＡＤ変換部から出力されるデジタル信号から前記無線パケット信号に前記プリアンブル信号より後に付加される第１プリアンブル信号を検出する第１プリアンブル検出部と、前記第１周波数チャネルに隣接する２つの周波数チャネルのうちの一方の第２周波数チャネルにおいて、前記ＡＤ変換部から出力されるデジタル信号から前記第１プリアンブル信号を検出する第２プリアンブル検出部と、前記第１周波数チャネルに隣接する２つの周波数チャネルのうちの他方の第３周波数チャネルにおける信号成分の電力値を前記ＡＤ変換部から出力されるデジタル信号に基づいて検出する隣接電力値検出部と、前記第１プリアンブル検出部による検出結果と前記第２プリアンブル検出部による検出結果と前記隣接電力値検出部による検出結果とに基づいて前記ＡＤ変換部から出力されているデジタル信号が干渉信号に係るデジタル信号であるか否かを判定する判定部と、を更に備えるようにしてもよい。
【００２９】
これによれば、受信中の無線パケット信号が干渉信号であるか否かの判定を早期に行うことが可能になる。
上記の受信装置において、前記利得制御部は、前記判定部によって前記ＡＤ変換部から出力されているデジタル信号が干渉信号に係るデジタル信号であると判定されなかった場合、前記可変利得増幅部の利得の値を固定するようにしてもよい。
【００３０】
これによれば、利得制御部は可変利得増幅部の利得の値の固定を適したタイミングで行うことができる。
上記の受信装置において、前記受信装置は、前記ＡＤ変換部から出力されるデジタル信号から宛先に関する宛先情報を抽出する宛先情報抽出部を更に備え、前記判定部は、前記宛先情報抽出部により抽出される宛先情報に基づいて前記ＡＤ変換部から出力されているデジタル信号が干渉信号に係るデジタル信号であるか否かを更に判定するようにしてもよい。
【００３１】
これによれば、受信中の無線パケット信号が干渉信号であるか否かの判定をより詳細に行うことが可能になる。
上記の受信装置において、前記隣接電力値検出部は、更に、前記第２周波数チャネルに隣接する２つの周波数チャネルのうちの前記第１周波数チャネルでない方の第４周波数チャネルにおける信号成分の電力値を前記ＡＤ変換部から出力されるデジタル信号に基づいて検出し、前記受信装置は、前記ＡＤ変換部から出力されているデジタル信号に基づいて前記第１周波数チャネルのガードバンドにおけるサブキャリアの有無を検出し、前記第２周波数チャネルのガードバンドにおけるサブキャリアの有無を検出する帯域外サブキャリア検出部を更に備え、前記判定部は、前記ＡＤ変換部から出力されているデジタル信号が干渉信号に係るデジタル信号であるか否かの判定を、前記第１プリアンブル検出部による検出結果と前記第２プリアンブル検出部による検出結果と前記隣接電力値検出部による検出結果と前記帯域外サブキャリア検出部による検出結果とに基づいて行うようにしてもよい。
【００３２】
これによれば、受信中の無線パケット信号が干渉信号であるか否かの判定を早期に行うことが可能になる。
【図面の簡単な説明】
【００３３】
【図１】第１の実施の形態の無線通信システムのシステム構成図。
【図２】図１の無線通信システムにおいて送受信される無線パケット信号のフレームフォーマットを示す図。
【図３】図１の無線通信機器の機器構成図。
【図４】図３のＳＴＳ開始検出部の構成図。
【図５】図４のＳＴＳ開始検出部の一動作例を示すタイミングチャート。
【図６】図３のＡＧＣ部が行う可変利得制御部の利得制御処理の手順を示すフローチャート。
【図７】図６のビット飽和利得制御処理の手順を示すフローチャート。
【図８】図６のＳＴＳ検出開始利得制御処理の手順を示すフローチャート。
【図９】図３の無線通信機器がビット飽和発生時に行う受信動作の一例を説明するための図。
【図１０】図３の無線通信機器がＳＴＳ検出開始時に行う受信動作の一例を説明するための図。
【図１１】第２の実施の形態の無線通信機器の機器構成図。
【図１２】図１１のＡＧＣ部が行う低雑音増幅部及び可変利得増幅部の利得制御処理の手順を示すフローチャート。
【図１３】図１１のＡＧＣ部が行う低雑音増幅部及び可変利得増幅部の利得制御処理の手順を示すフローチャート。
【図１４】図１２の強入力利得制御処理の手順を示すフローチャート。
【図１５】第３の実施の形態の無線通信機器の機器構成図。
【図１６】図１５のＡＧＣ部が行う低雑音増幅部及び可変利得増幅部の利得制御処理の手順を示すフローチャート。
【図１７】図１５のＡＧＣ部が行う低雑音増幅部及び可変利得増幅部の利得制御処理の手順を示すフローチャート。
【図１８】第４の実施の形態の無線通信機器の機器構成図。
【図１９】図１８のＡＧＣ部が行う低雑音増幅部及び可変利得増幅部の利得制御及びＨＰＦ機能部の動作モードの切り替え制御に係る処理の手順を示すフローチャート。
【図２０】図１８のＡＧＣ部が行う低雑音増幅部及び可変利得増幅部の利得制御及びＨＰＦ機能部の動作モードの切り替え制御に係る処理の手順を示すフローチャート。
【図２１】第５の実施の形態の無線通信機器の機器構成図。
【図２２】図２１のＡＧＣ部が行うビット飽和利得制御処理の手順を示すフローチャート。
【図２３】図２１のＡＧＣ部が行うＳＴＳ検出開始利得制御処理の手順を示すフローチャート。
【図２４】図２１の無線通信機器がビット飽和発生時に行う受信動作の一例を説明するための図。
【図２５】図２１の無線通信機器がＳＴＳ検出開始時に行う受信動作の一例を説明するための図。
【図２６】第６の実施の形態の無線通信システムにおいて送受信される無線パケット信号のフレームフォーマットを示す図。
【図２７】第６の実施の形態の無線通信機器が判定対象とする無線パケット信号と周波数チャネルとの関係を説明するための模式図。
【図２８】第６の実施の形態の無線通信機器の機器構成図。
【図２９】図２８の判定部が行う無線パケット信号の判定処理の手順を示すフローチャート。
【図３０】第６の実施の形態の無線通信機器が判定対象とする無線パケット信号と周波数チャネルとの関係を説明するための模式図。
【図３１】第６の実施の形態の無線通信機器が判定対象とする無線パケット信号と周波数チャネルとの関係を説明するための模式図。
【図３２】図３０及び図３１の無線パケット信号の電力スペクトラムを説明するための模式図。
【図３３】図３０及び図３１の無線パケット信号の電力スペクトラムを説明するための模式図。
【図３４】図３０及び図３１の無線パケット信号の電力スペクトラムを説明するための模式図。
【図３５】第７の実施の形態の無線通信機器の機器構成図。
【図３６】図３５の判定部が行う無線パケット信号の判定処理の手順を示すフローチャート。
【図３７】第８の実施の形態の無線通信機器の機器構成図。
【図３８】図３７の判定部及びＡＧＣ部が行う無線パケット信号の判定及び利得制御に係る処理の手順を示すフローチャート。
【図３９】図３７の判定部及びＡＧＣ部が行う無線パケット信号の判定及び利得制御に係る処理の手順を示すフローチャート。
【図４０】図３７の判定部及びＡＧＣ部が行う無線パケット信号の判定及び利得制御に係る処理の手順を示すフローチャート。
【図４１】無線通信システムにおいて送受信される無線パケット信号の他のフレームフォーマットを示す図。
【図４２】従来の無線通信機器の機器構成図。
【発明を実施するための形態】
【００３４】
≪第１の実施の形態≫
以下、本発明の第１の実施の形態について図面を参照しつつ説明する。
＜無線通信システムの構成＞
本実施の形態の無線通信システムのシステム構成を図１に示す。但し、図１の無線通信システムはＩＥＥＥ８０２．１１ａ規格に準拠した無線ＬＡＮシステムであるとする。
【００３５】
無線通信システム１は無線通信機器２，３，４などの複数の無線通信機器を含む。無線通信システム１において、無線通信機器間ではアナログ信号である無線パケット信号の送受信が行われる。
例えば、無線通信機器２が無線通信機器３に対して無線パケット信号を送信し、無線通信機器３は無線通信機器２によって送信された無線パケット信号を受信する。また、無線通信機器３が無線通信機器２に対して無線パケット信号を送信し、無線通信機器２は無線通信機器３によって送信された無線パケット信号を受信する。なお、無線通信機器２と無線通信機器４とが無線通信を行う場合や、無線通信機器３と無線通信機器４とが無線通信を行う場合もある。
【００３６】
＜無線パケット信号のフレームフォーマット＞
図１の無線通信機器２〜４の構成及び動作を説明する前に、無線通信システム１において送受信される無線パケット信号のフレームフォーマットについて図２を参照しつつ説明する。図２は図１の無線通信システム１において送受信されるＩＥＥＥ８０２．１１ａ規格において使用できるとされている無線パケット信号のフレームフォーマットを示す図である。なお、ＩＥＥＥ８０２．１１ａ規格の場合、周波数チャネルＡの帯域幅は２０ＭＨｚである。
【００３７】
無線パケット信号Ｐ１０の先頭には、１０個のショートトレーニングシンボル（以下、「ＳＴＳ」と言う。）１１１〜１１１０が付加されている。ＳＴＳは、無線通信システム１が定めた送受信側で既知である所定の波形パターン（以下、「第１波形パターン」と言う。）をしたシンボルである。ＳＴＳ１１１〜１１１０は無線パケット信号の検出、自動利得制御、キャリア周波数誤差の粗調整及びシンボルタイミングの検出などに利用される。なお、以下において、ＳＴＳ１１１〜１１１０の信号部分を「ショートプリアンブル信号」と言う。また、ＳＴＳのシンボル時間をＴＳＴＳとする。
【００３８】
無線パケット信号Ｐ１０には、ショートプリアンブル信号に続いて、ロングトレーニングシンボル（以下、「ＬＴＳ」と言う。）の一部をコピーしたガードインターバル（以下、「ＧＩ」と言う。）１２１と２個のＬＴＳ１２２，１２３とが付加されている。ＬＴＳ１２２，１２３は、無線通信システム１が定めた送受信側で既知である所定の波形パターン（以下、「第２波形パターン」と言う。）をしたシンボルである。ＬＴＳ１２２，１２３はキャリア周波数誤差の微調整及びチャネル推定（基準振幅及び基準位相の推定）などに利用される。なお、以下において、ＧＩ１２１とＬＴＳ１２２，１２３とを含む信号部分を「ロングプリアンブル信号」と言う。
【００３９】
無線パケット信号Ｐ１０は、ロングプリアンブル信号に続いて、データ長及び伝送速度などの制御情報を持つ制御シンボル（以下、「ＳＩＧＮＡＬシンボル」と言う。）１３を含み、ＳＩＧＮＡＬシンボル１３に続いて、送信データに係るシンボル（以下、「ＤＡＴＡシンボル」と言う。）１４を含む。但し、ＤＡＴＡシンボル１４は１以上あり、宛先情報及び送信元情報はＤＡＴＡシンボルによって送受信される。なお、図示していないが、ＳＩＧＮＡＬシンボル１３の前にもその一部をコピーしたガードインターバルがあり、ＤＡＴＡシンボル１４の前にもその一部をコピーしたガードインターバルがある。
【００４０】
＜無線通信機器の構成＞
以下、図１の無線通信機器２，３，４などの無線通信機器１００の構成について図３を参照しつつ説明する。図３は図１の無線通信機器２，３，４などの無線通信機器１００の機器構成図である。
無線通信機器１００は、アンテナ１０１と、可変利得増幅部１０２と、周波数変換部１０３と、ＡＤ変換部１０４と、デジタル信号電力検出部１０５と、ビット飽和検出部１０６と、ＳＴＳ検出部１０７と、ＳＴＳ開始検出部１０８と、ＬＴＳ検出部１０９と、復調部１１０と、ＡＧＣ部１１１とを備える。
【００４１】
［可変利得増幅部１０２］
可変利得増幅部１０２は、利得の値が可変であり、アンテナ１０１によって受信されたＲＦ（Radio Frequency）帯のアナログ信号（以下、「受信アナログ信号」と言う。）を増幅し、増幅後のＲＦ帯のアナログ信号を周波数変換部１０３へ出力する。但し、可変利得増幅部１０２はＡＧＣ部１１１によって利得が制御される。
【００４２】
［周波数変換部１０３］
周波数変換部１０３は、可変利得増幅部１０２から入力される増幅後のＲＦ帯のアナログ信号をベースバンド帯のアナログ信号（以下、「アナログベースバンド信号」と言う。）に周波数変換し、アナログベースバンド信号をＡＤ変換部１０４へ出力する。
［ＡＤ変換部１０４］
ＡＤ変換部１０４は、入力に係る所定のダイナミックレンジを持ち、周波数変換部１０３から入力されるアナログベースバンド信号を所定のサンプリング周波数で所定のビット数のデジタル信号（以下、「デジタルベースバンド信号」と言う。）に変換する。そして、ＡＤ変換部１０４は、デジタルベースバンド信号をデジタル信号電力検出部１０５、ビット飽和検出部１０６、ＳＴＳ検出部１０７、ＬＴＳ検出部１０９及び復調部１１０へ出力する。
【００４３】
［デジタル信号電力検出部１０５］
デジタル信号電力検出部１０５は、ＡＤ変換部１０４から入力されるデジタルベースバンド信号の電力値を検出し、検出した電力値を示すデジタル電力値信号をＡＧＣ部１１１へ出力する。
［ビット飽和検出部１０６］
ビット飽和検出部１０６は、ＡＤ変換部１０４から入力される所定のビット数のデジタルベースバンド信号のビット飽和を検出する。ビット飽和検出部１０６は、デジタルベースバンド信号がビット飽和している期間はハイレベルのビット飽和検出信号をＡＧＣ部１１１へ出力し、デジタルベースバンド信号がビット飽和していない期間はローレベルのビット飽和検出信号をＡＧＣ部１１１へ出力する。但し、ビット飽和検出部１０６は、デジタルベースバンド信号のビット飽和の検出処理をデジタルベースバンド信号が表す信号値が所定のレンジ外にあるか否かに基づいて行う。
【００４４】
なお、所定のレンジを、デジタルベースバンド信号がビット飽和しているか否かに基づいて定める場合のほか、例えばデジタルベースバンド信号の変化からＳＴＳを検出できるか否かを考慮して定めるようにしてもよい。
［ＳＴＳ検出部１０７］
ＳＴＳ検出部１０７は、ＡＤ変換部１０４から入力されるデジタルベースバンド信号と上記の第１波形パターンのＳＴＳに基づく基準信号との相互相関演算を行う。そして、ＳＴＳ検出部１０７は、相互相関演算の結果得られる相関値を観測して相関値のピークを見つけることによってデジタルベースバンド信号からＳＴＳを検出する。
【００４５】
ＳＴＳ検出部１０７は、デジタルベースバンド信号からＳＴＳを検出すると、所定のパルス期間ハイレベルのＳＴＳ検出信号をＳＴＳ開始検出部１０８へ出力し、当該パルス期間以外の期間はローレベルのＳＴＳ検出信号をＳＴＳ開始検出部１０８へ出力する。
［ＳＴＳ開始検出部１０８］
ＳＴＳ開始検出部１０８は、ＳＴＳ検出部１０７から入力されるＳＴＳ検出信号に基づいてＳＴＳがシンボル時間ＴＳＴＳ間隔で連続して検出される区間（以下、「ＳＴＳ検出区間」と言う。）の開始を検出する。そして、ＳＴＳ開始検出部１０８は、ＳＴＳ検出区間の開始を検出すると、パルス期間ハイレベルのＳＴＳ検出区間開始信号をＡＧＣ部１１１へ出力し、当該パルス期間以外の期間はローレベルのＳＴＳ検出区間開始信号をＡＧＣ部１１１へ出力する。但し、ＳＴＳ検出区間の開始タイミングはシンボル時間ＴＳＴＳ間隔で連続して検出されるＳＴＳのうちの２番目のＳＴＳが検出されるタイミングである。
【００４６】
（ＳＴＳ開始検出部１０８の構成）
ＳＴＳ開始検出部１０８は、図４に示す構成であり、遅延部１３１と、タイマ１３２と、ＳＴＳ区間検出部１３３と、ＳＴＳ区間開始検出部１３４とを備える。
「遅延部１３１」
遅延部１３１は、ＳＴＳ検出部１０７から入力されるＳＴＳ検出信号Ｓ１をシンボル時間ＴＳＴＳ遅延させて、遅延信号（以下、「ＳＴＳ検出遅延信号」と言う。）Ｓ２をＳＴＳ区間検出部１３３へ出力する。
【００４７】
「タイマ１３２」
タイマ１３２は、ＳＴＳ検出部１０７から入力されたＳＴＳ検出信号Ｓ１の立ち上がりタイミングで計時カウンタのカウント値を０に設定し、タイムアウト時間をシンボル時間ＴＳＴＳに設定し、計時カウンタのカウント動作を開始する。そして、タイマ１３２は、計時カウンタのカウント値がタイムアウト時間ＴＳＴＳになると、タイミング信号Ｓ３をＳＴＳ区間検出部１３３へ出力する。なお、同じ無線パケット信号のＳＴＳはシンボル時間ＴＳＴＳの間隔で連続して検出されることからタイムアウト時間をシンボル時間ＴＳＴＳとしている。
【００４８】
「ＳＴＳ区間検出部１３３」
ＳＴＳ区間検出部１３３は、タイマ１３２からタイミング信号Ｓ３が入力されるタイミングで、ＳＴＳ検出部１０７から入力されるＳＴＳ検出信号Ｓ１と遅延部１３１から入力されるＳＴＳ検出遅延信号Ｓ２との論理積を演算する。ＳＴＳ区間検出部１３３は、論理積が１であるときタイミング信号Ｓ３が入力されてから次のタイミング信号Ｓ３が入力されるまでの間、ハイレベルのＳＴＳ区間信号Ｓ４をＳＴＳ区間開始検出部１３４へ出力する。一方、論理積が０であるとき、ＳＴＳ区間検出部１３３は、タイミング信号Ｓ３が入力されてから次のタイミング信号Ｓ３が入力されるまでの間、ローレベルのＳＴＳ区間信号Ｓ４をＳＴＳ区間開始検出部１３４へ出力する。
【００４９】
「ＳＴＳ区間開始検出部１３４」
ＳＴＳ区間開始検出部１３４は、ＳＴＳ区間検出部１３３から入力されるＳＴＳ区間信号Ｓ４を観測してＳＴＳ区間信号Ｓ４の立ち上がりを見つける。そして、ＳＴＳ区間開始検出部１３４は、ＳＴＳ検出信号Ｓ４の立ち上がりを見つけると、パルス期間ハイレベルのＳＴＳ検出区間開始信号Ｓ５をＡＧＣ部１１１へ出力し、当該パルス期間以外の期間ローレベルのＳＴＳ検出区間開始信号Ｓ５をＡＧＣ部１１１へ出力する。
【００５０】
これにより、ＳＴＳがシンボル時間ＴＳＴＳ間隔で連続して検出される区間（ＳＴＳ検出区間）の開始タイミングにおいてパルス信号が発生する。また、ＳＴＳがシンボル時間ＴＳＴＳ間隔で連続して検出される区間（ＳＴＳ検出区間）では１つのパルス信号のみが発生することになる。
（ＳＴＳ開始検出部１０８の動作）
図４に構成を示したＳＴＳ開始検出部１０８の一動作例を図５に示す。
【００５１】
ＳＴＳ検出部１０７は図５（ａ）に示すＳＴＳ検出信号Ｓ１を出力し、ＳＴＳ検出信号Ｓ１は、遅延部１３１、タイマ１３２及びＳＴＳ区間検出部１３３に入力される。
ＳＴＳ検出信号Ｓ１は遅延部１３１によってシンボル時間ＴＳＴＳ分遅延させられて、図５（ｂ）に示すＳＴＳ検出遅延信号Ｓ２がＳＴＳ区間検出部１３３に入力される。
タイマ１３２は、時間Ｔ１ではＳＴＳ検出信号Ｓ１がローレベルのままなので動作しない。
【００５２】
ＳＴＳ検出信号Ｓ１が時間Ｔ２にローレベルからハイレベルへ遷移し、これを受けて、タイマ１３２は計時カウンタのカウント値を０に、タイムアウト時間をＴＳＴＳに設定した後、計時カウンタのカウント動作を開始する。そして、タイマ１３２は、計時カウンタのカウント値がタイムアウト時間ＴＳＴＳになると（時間Ｔ３）、タイミング信号Ｓ３をＳＴＳ区間検出部１３３へ出力する。
【００５３】
ＳＴＳ区間検出部１３３は、タイマ１３２からタイミング信号Ｓ３の入力を受けて、ＳＴＳ検出信号Ｓ１とＳＴＳ検出遅延信号Ｓ２との論理積を演算する。ＳＴＳ検出信号Ｓ１及びＳＴＳ検出遅延信号Ｓ２の双方がハイレベルであるので論理積の値は１になり、ＳＴＳ区間検出部１３３はＳＴＳ区間信号Ｓ４をローレベルからハイレベルへ遷移させる。ＳＴＳ区間信号Ｓ４がローレベルからハイレベルへ遷移したことを受けて、ＳＴＳ区間開始検出部１３４は、パルス期間ハイレベルのＳＴＳ検出区間開始信号Ｓ５をＡＧＣ部１１１へ出力する。
【００５４】
ＳＴＳ検出信号Ｓ１が時間Ｔ３にローレベルからハイレベルへ遷移し、これを受けて、タイマ１３２は計時カウンタのカウント値を０に、タイムアウト時間をＴＳＴＳに設定した後、計時カウンタのカウント動作を開始する。そして、タイマ１３２は、計時カウンタのカウント値がタイムアウト時間ＴＳＴＳになると（時間Ｔ４）、タイミング信号Ｓ３をＳＴＳ区間検出部１３３へ出力する。
【００５５】
ＳＴＳ区間検出部１３３は、タイマ１３２からタイミング信号Ｓ３の入力を受けて、ＳＴＳ検出信号Ｓ１とＳＴＳ検出遅延信号Ｓ２との論理積を演算する。ＳＴＳ検出信号Ｓ１及びＳＴＳ検出遅延信号Ｓ２の双方がハイレベルであるので論理積の値は１になり、ＳＴＳ区間検出部１３３はＳＴＳ区間信号Ｓ４のレベルをハイレベルのまま維持する。ＳＴＳ区間信号Ｓ４がハイレベルのままなので、ＳＴＳ区間開始検出部１３４はＳＴＳ検出区間開始信号Ｓ５をローレベルのまま維持する。
【００５６】
ＳＴＳ検出信号Ｓ１が時間Ｔ４〜Ｔ１０にローレベルからハイレベルへ遷移し、ＳＴＳ開始検出部１０８において時間Ｔ３における動作と同様の動作が行われる。
ＳＴＳ検出信号Ｓ１が時間Ｔ１１にローレベルからハイレベルへ遷移し、これを受けて、タイマ１３２は計時カウンタのカウント値を０に、タイムアウト時間をＴＳＴＳに設定した後、計時カウンタのカウント動作を開始する。そして、タイマ１３２は、計時カウンタのカウント値がタイムアウト時間ＴＳＴＳになると（時間Ｔ１２）、タイミング信号Ｓ３をＳＴＳ区間検出部１３３へ出力する。
【００５７】
ＳＴＳ区間検出部１３３は、タイマ１３２からタイミング信号Ｓ３の入力を受けて、ＳＴＳ検出信号Ｓ１とＳＴＳ検出遅延信号Ｓ２との論理積を演算する。ＳＴＳ検出信号Ｓ１がローレベルであり、ＳＴＳ検出遅延信号Ｓ２がハイレベルであるので論理積の値は０になり、ＳＴＳ区間検出部１３３はＳＴＳ区間信号Ｓ４をハイレベルからローレベルへ遷移させる。ＳＴＳ区間開始検出部１３４は、ＳＴＳ区間信号Ｓ４のレベルがローレベルからハイレベルへ遷移していないのでＳＴＳ検出区間開始信号Ｓ５をローレベルのまま維持する。
【００５８】
［ＬＴＳ検出部１０９］
ＬＴＳ検出部１０９は、ＡＤ変換部１０４から入力されるデジタルベースバンド信号と上記の第２波形パターンのＬＴＳに基づく基準信号との相互相関演算を行う。そして、ＬＴＳ検出部１０９は、相互相関演算の結果得られる相関値を観測して相関値のピークを見つけることによってデジタルベースバンド信号からＬＴＳを検出する。ＬＴＳ検出部１０９は、デジタルベースバンド信号からＬＴＳを検出すると、パルス期間ハイレベルのＬＴＳ検出信号をＡＧＣ部１１１へ出力し、当該パルス期間以外の期間はローレベルのＬＴＳ検出信号をＡＧＣ部１１１へ出力する。
【００５９】
［復調部１１０］
復調部１１０は、ＡＤ変換部１０４から入力されるデジタルベースバンド信号を復調し、復調により得られたデジタル信号を後段の処理部（例えば、誤り訂正処理を行う処理部）へ出力する。
復調部１１０は、ＳＩＧＮＡＬシンボルに含まれるデータ長の情報に基づいて無線パケット信号の復調が完了したか否かを判定する。そして、復調部１１０は、復調が完了したと判定すると、パルス期間ハイレベルの復調完了信号をＡＧＣ部１１１へ出力し、当該パルス期間以外の期間はローレベルの復調完了信号をＡＧＣ部１１１へ出力する。
【００６０】
［ＡＧＣ部１１１］
ＡＧＣ部１１１は、可変利得増幅部１０２に予め定められた所定の利得の値（以下、「初期利得値」と言う。）を設定し、デジタル信号電力検出部１０５から入力されるデジタル電力値信号に基づいて可変利得増幅部１０２の利得制御を行う。ＡＧＣ部１１１は、可変利得増幅部１０２の利得制御の開始の判断を、ビット飽和検出部１０６から入力されるビット飽和検出信号と、ＳＴＳ開始検出部１０８から入力されるＳＴＳ検出区間開始信号と、ＬＴＳ検出部１０９から入力されるＬＴＳ検出信号と、復調部１１０から入力される復調完了信号とに基づいて行う（図６から図８参照。）。
【００６１】
但し、ＡＧＣ部１１１は、ビット飽和検出信号がハイレベルにあることを契機として（デジタルベースバンド信号がビット飽和したことを契機として）可変利得増幅部１０２の利得の制御を開始する場合、可変利得増幅部１０２に設定する利得の値の算出及び可変利得増幅部１０２に算出した利得の値の設定を２回行う（図７参照。）。
これに対して、ＡＧＣ部１１１は、ＳＴＳ検出区間開始信号がローレベルからハイレベルへ遷移したことを契機として（ＳＴＳ検出区間が開始されたことを契機として）可変利得増幅部１０２の利得の制御を開始する場合、可変利得増幅部１０２に設定する利得の値の算出及び可変利得増幅部１０２に算出した利得の値の設定を１回行う（図８参照。）。
【００６２】
このように、可変利得増幅部１０２に設定する利得の値の算出及び可変利得増幅部１０２に算出した利得の値の設定の組み合わせを実行する回数（以下、「利得制御回数」と言う。）を異なるようにしたのは次の理由による。
ＡＤ変換部１０４から出力されているデジタルベースバンド信号がビット飽和を起こしていない場合には、ＡＤ変換部１０４から出力されているデジタルベースバンド信号からＡＤ変換部１０４に入力されているアナログベースバンド信号の振幅がどの程度のレベルであるかが分かる。このため、ＡＤ変換部１０４から出力されるデジタルベースバンド信号を所望のレンジ内に収束させるために、ＡＤ変換部１０４から出力されているデジタルベースバンド信号からＡＤ変換部１０４に入力されているアナログベースバンド信号の振幅をどの程度変化させればよいかが分かる。つまり、ＡＤ変換部１０４から出力されているデジタルベースバンド信号を用いることによって、ＡＤ変換部１０４から出力されるデジタルベースバンド信号を所望のレンジ内に収束させるための可変利得増幅部１０２の利得の値が分かる。
【００６３】
これに対して、ＡＤ変換部１０４から出力されているデジタルベースバンド信号がビット飽和を起こしている場合には、ＡＤ変換部１０４から出力されているデジタルベースバンド信号からはＡＤ変換部１０４に入力されているアナログベースバンド信号の振幅があるレンジ外にあることしか分からない。このため、ＡＤ変換部１０４から出力されるデジタルベースバンド信号を所望のレンジ内に収束させるために、ＡＤ変換部１０４に入力されているアナログベースバンド信号の振幅をどの程度変化させればよいかがＡＤ変換部１０４から出力されているデジタルベースバンド信号からは分からない。つまり、ＡＤ変換部１０４から出力されているビット飽和を起こしているデジタルベースバンド信号からは、ＡＤ変換部１０４から出力されるデジタルベースバンド信号を所望のレンジ内に収束させるための可変利得増幅部１０２の利得の値が分からない。
【００６４】
従って、ＡＤ変換部１０４から出力されるデジタルベースバンド信号を所望のレンジ内に収束させるために、デジタルベースバンド信号がビット飽和を起こしている場合における可変利得増幅部１０２の利得制御回数を、デジタルベースバンド信号がビット飽和を起こしていない場合における可変利得増幅部１０２の利得制御回数より多くする必要があると考えられる。
【００６５】
このことを踏まえて、ビット飽和検出信号がハイレベルにあることを契機とする利得制御回数を、ＳＴＳ検出区間開始信号がローレベルからハイレベルへ遷移したことを契機とする利得制御回数より多くしている。
（ＡＧＣ部１１１の動作）
以下、図３のＡＧＣ部１１１が行う可変利得増幅部１０２の利得制御処理について図６を参照しつつ説明する。図６は図３のＡＧＣ部１１１が行う可変利得増幅部１０２の利得制御処理の手順を示すフローチャートである。
【００６６】
ＡＧＣ部１１１は、可変利得増幅部１０２に予め定められた利得の値（初期利得値）を設定する（ステップＳ１０１）。
なお、アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。
【００６７】
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１へ出力する。
ＳＴＳ検出部１０７は、ＡＤ変換部１０４から出力されているデジタルベースバンド信号からＳＴＳを検出するための検出処理を行う。そして、ＳＴＳ開始検出部１０８はＳＴＳ検出部１０７から入力されるＳＴＳ検出信号に基づいてＳＴＳ検出区間の開始を検出するための検出処理を行い、検出結果に応じたＳＴＳ検出区間開始信号をＡＧＣ部１１１へ出力する。
【００６８】
ＡＧＣ部１１１は、ビット飽和検出信号に基づいてＡＤ変換部１０４から出力されているデジタルベースバンド信号がビット飽和を起こしているか否かを判定する（ステップＳ１０２）。なお、ＡＧＣ部１１１は、ビット飽和検出信号がハイレベルにあればデジタルベースバンド信号がビット飽和を起こしていると判定し、ビット飽和検出信号がローレベルにあればデジタルベースバンド信号がビット飽和を起こしていないと判定する。
【００６９】
ＡＧＣ部１１１は、デジタルベースバンド信号がビット飽和を起こしていると判定した場合には（Ｓ１０２：ＹＥＳ）、可変利得増幅部１０２に設定する利得の値の算出と可変利得増幅部１０２に算出した利得の値の設定との組み合わせを２回行う図７に処理手順を示すビット飽和利得制御処理を行い（ステップＳ１０３）、ステップＳ１０６の処理へ進む。なお、ＳＴＳ検出部１０７はビット飽和利得制御処理の実行期間やビット飽和利得制御処理の実行終了後もＳＴＳの検出処理を行っているため、ＳＴＳ検出部１０７はビット飽和利得制御処理の実行期間やビット飽和利得制御処理の実行終了後にＳＴＳを検出することがある。
【００７０】
ＡＧＣ部１１１は、デジタルベースバンド信号がビット飽和を起こしていないと判定した場合には（Ｓ１０２：ＮＯ）、ＳＴＳ検出区間開始信号に基づいて、ＳＴＳ検出区間の開始が検出されたか否かを判定する（ステップＳ１０４）。なお、ＡＧＣ部１１１は、ＳＴＳ検出区間開始信号がローレベルからハイレベルへ遷移した場合にＳＴＳ検出区間の開始が検出されたと判定する。
【００７１】
ＡＧＣ部１１１は、ＳＴＳ検出区間の開始が検出されていないと判定した場合には（Ｓ１０４：ＮＯ）、ステップＳ１０２の処理へ進む。
ＡＧＣ部１１１は、ＳＴＳ検出区間の開始が検出されたと判定した場合には（Ｓ１０４：ＹＥＳ）、可変利得増幅部１０２に設定する利得の値の算出と可変利得増幅部１０２に算出した利得の値の設定との組み合わせを１回行う図８に処理手順を示すＳＴＳ検出開始利得制御処理を行い（ステップＳ１０５）、ステップＳ１０６の処理へ進む。なお、ＳＴＳ検出部１０７はＳＴＳ検出開始利得制御処理の実行終了後もＳＴＳの検出処理を行っているため、ＳＴＳ検出部１０７はＳＴＳ検出開始利得制御処理の実行終了後にＳＴＳを検出することがある。
【００７２】
なお、ＬＴＳ検出部１０９は、ＡＤ変換部１０４から出力されているデジタルベースバンド信号からＬＴＳを検出するための検出処理を行い、検出結果に応じたＬＴＳ検出信号をＡＧＣ部１１１へ出力する。
ＡＧＣ部１１１は、計時カウンタのカウント値Ｔを０に設定し、タイムアウト時間をＴＯＵＴに設定する（ステップＳ１０６）。なお、タイムアウト時間ＴＯＵＴは、例えば、自機器宛の無線パケット信号に起因するビット飽和が検出されてから或いは自機器宛の無線パケット信号に起因するＳＴＳ検出区間の開始が検出されてから当該自機器宛の無線パケット信号に含まれるＬＴＳが検出されるまでの時間より長くなるように設定される。
【００７３】
ＡＧＣ部１１１は、ＬＴＳ検出信号に基づいてＡＤ変換部１０４から出力されているデジタルベースバンド信号からＬＴＳが検出されたか否かを判定する（ステップＳ１０７）。なお、ＡＧＣ部１１１は、ＬＴＳ検出信号がローレベルからハイレベルへ遷移した場合にＬＴＳが検出されたと判定する。
ＡＧＣ部１１１は、デジタルベースバンド信号からＬＴＳが検出されていないと判定した場合には（Ｓ１０７：ＮＯ）、ビット飽和検出信号に基づいてＡＤ変換部１０４から出力されているデジタルベースバンド信号がビット飽和を起こしているか否かを判定する（ステップＳ１０８）。ＡＧＣ部１１１は、デジタルベースバンド信号がビット飽和を起こしていると判定した場合には（Ｓ１０８：ＹＥＳ）、ステップＳ１０３の処理へ進む。
【００７４】
ＡＧＣ部１１１は、デジタルベースバンド信号がビット飽和を起こしていないと判定した場合には（Ｓ１０８：ＮＯ）、ＳＴＳ検出区間開始信号に基づいてＳＴＳ検出区間の開始が検出されたか否かを判定する（ステップＳ１０９）。ＡＧＣ部１１１は、ＳＴＳ検出区間の開始が検出されたと判定した場合には（Ｓ１０９：ＹＥＳ）、ステップＳ１０５の処理へ進む。
【００７５】
ＡＧＣ部１１１は、ＳＴＳ検出区間の開始が検出されていないと判定した場合には（Ｓ１０９：ＮＯ）、計時カウンタのカウント値Ｔがタイムアウト時間ＴＯＵＴになったか否かを判定する（ステップＳ１１０）。ＡＧＣ部１１１は、カウント値Ｔがタイムアウト時間ＴＯＵＴになっていないと判定した場合には（Ｓ１１０：ＮＯ）、計時カウンタのカウント値Ｔを１カウントアップし（ステップＳ１１１）、ステップＳ１０７の処理へ進む。一方、ＡＧＣ部１１１は、カウント値Ｔがタイムアウト時間ＴＯＵＴになったと判定した場合には（Ｓ１１０：ＹＥＳ）、ステップＳ１０１の処理へ進む。
【００７６】
ＡＧＣ部１１１は、デジタルベースバンド信号からＬＴＳが検出されたと判定した場合には（Ｓ１０７：ＹＥＳ）、可変利得増幅部１０２の利得の値を固定する（ステップＳ１１２）。
なお、復調部１１０は、ＡＤ変換部１０４から出力されているデジタルベースバンド信号の復調を行い、復調完了信号をＡＧＣ部１１１へ出力する。
【００７７】
ＡＧＣ部１１１は、復調完了信号に基づいて無線パケット信号の復調が完了したか否かを判定する（ステップＳ１１３）。なお、ＡＧＣ部１１１は、復調完了信号がローレベルからハイレベルへ遷移した場合に無線パケット信号の復調が完了したと判定する。
ＡＧＣ部１１１は、無線パケット信号の復調が完了したと判定するまで（Ｓ１１３：ＮＯ）、ステップＳ１１３の処理を継続して行う。一方、ＡＧＣ部１１１は、無線パケット信号の復調が完了したと判定した場合には（Ｓ１１３：ＹＥＳ）、ステップＳ１０１の処理へ進む。なお、ＡＧＣ部１１１は無線パケットの復調完了後所定時間経過してからステップＳ１０１の処理へ進むようにしてもよい。
【００７８】
上述したステップＳ１０２，Ｓ１０８の判定処理において、例えば自機器の無線通信とは無関係な信号に起因するビット飽和のために肯定的な判定がされる場合がある。また、上述したステップＳ１０４，Ｓ１０９の判定処理において、例えば無線通信機器１００がＳＴＳを誤検出したために肯定的な判定がされる場合がある。
このような場合に、デジタルベースバンド信号のビット飽和が起これば（Ｓ１０８：ＹＥＳ）、ビット飽和利得制御処理が実行されて可変利得増幅部１０２の利得が再調整される（ステップＳ１０３）。このため、ＡＤ変換部１０４から出力されるデジタルベースバンド信号が継続してビット飽和する状況を回避でき、ＳＴＳの検出能力が高くなる。
【００７９】
また、上記のような場合に、ＳＴＳ検出区間の開始が検出されれば（Ｓ１０９：ＹＥＳ）、ＳＴＳ検出開始利得制御処理が実行されて可変利得増幅部１０２の利得が再調整される（ステップＳ１０５）。このため、ＬＴＳ、ＳＩＧＮＡＬシンボル及びＤＡＴＡシンボルに対する処理を、これらと同じ無線パケット信号に含まれるＳＴＳに基づいて利得調整された可変利得増幅１０２の出力に基づいて行うことが可能になる。
【００８０】
さらに、上記のような場合に、ビット飽和利得制御処理或いはＳＴＳ検出開始利得制御処理が実行されてからタイムアウト時間ＴＯＵＴが経過するまでにＬＴＳが検出されなければ（Ｓ１１０：ＹＥＳ）、可変利得増幅部１０２に初期利得値が再設定される（ステップＳ１０１）。このため、自機器の無線通信とは無関係な信号によって可変利得増幅部１０２の利得の値が設定され続ける状況を回避でき、ＳＴＳの検出能力が高くなる。
【００８１】
「ビット飽和利得制御処理」
図６のビット飽和利得制御処理（ステップＳ１０３）の手順を図７に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１へ出力している。
【００８２】
ＡＧＣ部１１１は、デジタル電力値信号が示すデジタルベースバンド信号の電力値と予め定められたデジタルベースバンド信号の基準の電力値（以下、「基準デジタル電力値」と言う。）とに基づいて可変利得増幅部１０２に設定する利得の値を算出し（ステップＳ１３１）、算出した利得の値を可変利得増幅部１０２に設定する（ステップＳ１３２）。
ＡＧＣ部１１１は、計時カウンタのカウント値Ｔを０に設定し、タイムアウト時間をＴＯＵＴ１に設定する（ステップＳ１３３）。なお、タイムアウト時間ＴＯＵＴ１と後述するタイムアウト時間ＴＯＵＴ２は、可変利得増幅部１０２がＡＧＣ部１１１によって設定された利得の値で安定して動作するまでの時間と、可変利得増幅部１０２の出力信号が可変利得増幅部１０２から出力されてから周波数変換部１０３及びＡＤ変換部１０４によって処理が施された後ＡＤ変換部１０４から出力されるまでの時間とを考慮して定められる。
【００８３】
ＡＧＣ部１１１は、計時カウンタのカウント値Ｔがタイムアウト時間ＴＯＵＴ１になったか否かを判定する（ステップＳ１３４）。ＡＧＣ部１１１は、カウント値Ｔがタイムアウト時間ＴＯＵＴ１になっていないと判定した場合には（Ｓ１３４：ＮＯ）、計時カウンタのカウント値Ｔを１カウントアップし（ステップＳ１３５）、ステップＳ１３４の処理へ進む。一方、ＡＧＣ部１１１は、カウント値Ｔがタイムアウト時間ＴＯＵＴ１になったと判定した場合には（Ｓ１３４：ＹＥＳ）、ステップＳ１３６の処理へ進む。
【００８４】
以上のステップＳ１３１からステップＳ１３５までの処理によって、ＡＧＣ部１１１による１回目の可変利得増幅部１０２の利得制御が行われる。
ＡＧＣ部１１１は、デジタル電力値信号が示すデジタルベースバンド信号の電力値と基準デジタル電力値とに基づいて可変利得増幅部１０２に設定する利得の値を算出し（ステップＳ１３６）、算出した利得の値を可変利得増幅部１０２に設定する（ステップＳ１３７）。
【００８５】
ＡＧＣ部１１１は、計時カウンタのカウント値Ｔを０に設定し、タイムアウト時間をＴＯＵＴ２に設定する（ステップＳ１３８）。
ＡＧＣ部１１１は、計時カウンタのカウント値Ｔがタイムアウト時間ＴＯＵＴ２になったか否かを判定する（ステップＳ１３９）。ＡＧＣ部１１１は、カウント値Ｔがタイムアウト時間ＴＯＵＴ２になっていないと判定した場合には（Ｓ１３９：ＮＯ）、計時カウンタのカウント値Ｔを１カウントアップし（ステップＳ１４０）、ステップＳ１３９の処理へ進む。一方、ＡＧＣ部１１１は、カウント値Ｔがタイムアウト時間ＴＯＵＴ２になったと判定した場合には（Ｓ１３９：ＹＥＳ）、図６のステップＳ１０６の処理へ進む。
【００８６】
以上のステップＳ１３６からステップＳ１４０までの処理によって、ＡＧＣ部１１１による２回目の可変利得増幅部１０２の利得制御が行われる。
上述したように、図７に処理手順を示すビット飽和利得制御処理では、ＡＧＣ部１１１は、可変利得制御部１０２に設定する利得の値の算出及び可変利得増幅部１０２に算出した利得の値の設定を２回行う。
【００８７】
「ＳＴＳ検出開始利得制御処理」
図６のＳＴＳ検出開始利得制御処理（ステップＳ１０５）の手順を図８に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１へ出力している。
【００８８】
ＡＧＣ部１１１は、デジタル電力値信号が示すデジタルベースバンド信号の電力値と基準デジタル電力値とに基づいて可変利得増幅部１０２に設定する利得の値を算出し（ステップＳ１５１）、算出した利得の値を可変利得増幅部１０２に設定する（ステップＳ１５２）。
ＡＧＣ部１１１は、計時カウンタのカウント値Ｔを０に設定し、タイムアウト時間をＴＯＵＴ２に設定する（ステップＳ１５３）。なお、ＳＴＳ検出開始利得制御処理の１回目の利得制御処理のタイムアウト時間をビット飽和利得制御処理の２回目の利得制御処理のタイムアウト時間と同じにしているが、両者のタイムアウト時間を同じにしなくてもよい。
【００８９】
ＡＧＣ部１１１は、計時カウンタのカウント値Ｔがタイムアウト時間ＴＯＵＴ２になったか否かを判定する（ステップＳ１５４）。ＡＧＣ部１１１は、カウント値Ｔがタイムアウト時間ＴＯＵＴ２になっていないと判定した場合には（Ｓ１５４：ＮＯ）、計時カウンタのカウント値Ｔを１カウントアップし（ステップＳ１５５）、ステップＳ１５４の処理へ進む。一方、ＡＧＣ部１１１は、カウント値Ｔがタイムアウト時間ＴＯＵＴ２になったと判定した場合には（Ｓ１５４：ＹＥＳ）、図６のステップＳ１０６の処理へ進む。
【００９０】
以上のステップＳ１５１からステップＳ１５５までの処理によって、ＡＧＣ部１１１による１回目の可変利得増幅部１０２の利得制御が行われる。
上述したように、図８に処理手順を示すＳＴＳ検出開始利得制御処理では、ＡＧＣ部１１１は、可変利得制御部１０２に設定する利得の値の算出及び可変利得増幅部１０２に算出した利得の値の設定を１回行う。
【００９１】
図７及び図８から分かるとおり、図７に処理手順を示すビット飽和利得制御処理における利得制御回数は、図８に処理手順を示すＳＴＳ検出開始利得制御処理における利得制御回数より多くなっている。
＜無線通信機器の動作＞
以下、ビット飽和発生時における無線通信機器１００の受信動作の一例及びＳＴＳ検出開始時における無線通信機器１００の受信動作の一例について図９及び図１０を参照しつつ説明する。なお、図９（ａ）及び図１０（ａ）において、ＳＴＳｓは図２のショートプリアンブル信号を示し、ＬＴＳｓは図２のロングプリアンブル信号を示し、ＤＡＴＡｓは１以上のＤＡＴＡシンボルを示す。
【００９２】
但し、図９（ａ）及び図１０（ａ）中のレンジＲＢＳはＡＤ変換部１０４から出力されるデジタルベースバンド信号がビット飽和を起こさないＡＤ変換部１０４に入力されるアナログベースバンド信号のレベルを示す。つまり、レンジＲＢＳ外のアナログベースバンド信号がＡＤ変換部１０４に入力されると、ＡＤ変換部１０４から出力されるデジタルベースバンド信号はビット飽和を起こす。
【００９３】
また、図９（ａ）及び図１０（ａ）中のレンジＲＤの両端部はデジタルベースバンド信号の電力値が基準デジタル電力値である場合の、ＡＤ変換部１０４に入力されるアナログベースバンド信号のレベルを示す。
［ビット飽和発生時の動作］
図９（ｂ）に示すように、ＡＧＣ部１１１は可変利得増幅部１０２に初期利得値Ｇ１を設定する。
【００９４】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１へ出力する。
【００９５】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１へ出力する。
【００９６】
時間ＴＡ１において、図９（ａ）に示すように、ＡＤ変換部１０４に入力されるアナログベースバンド信号がレンジＲＢＳ外になったとする。ＡＤ変換部１０４から出力されるデジタルベースバンド信号がビット飽和を起こし、ビット飽和検出部１０６はデジタルベースバンド信号のビット飽和を検出し、ビット飽和検出信号をパルス期間ハイレベルにする（図９の破線Ａ１内参照）。
【００９７】
ＡＧＣ部１１１は、ビット飽和検出信号がハイレベルになったことを受けて、図７に処理手順を示したビット飽和利得制御処理を開始し、ステップＳ１３１からステップ１３５の処理を実行することによって１回目の利得制御を行う。これによって、時間ＴＡ２に可変利得増幅部１０２の利得の値が初期利得値Ｇ１から利得値Ｇ２ａになる（図９の破線Ａ１内参照）。
【００９８】
図９の例では、１回目の利得制御によってＡＤ変換部１０４に入力されるアナログベースバンド信号がレンジＲＢＳ内になる。ＳＴＳ検出部１０７はＡＤ変換部１０４から出力されているデジタルベースバンド信号からＳＴＳを検出し始め、シンボル時間ＴＳＴＳ間隔で連続してパルス期間ハイレベルのＳＴＳ検出信号を出力する。これを受けて、ＳＴＳ区間検出部１３３は時間ＴＡ３にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１へ出力する。ここでは、ビット飽和利得制御処理の期間なので、ＡＧＣ部１１１はＳＴＳ検出区間の開始が検出されたことを契機とする可変利得増幅部１０２の利得制御を行わない（図９の破線Ａ２内参照）。
【００９９】
ＡＧＣ部１１１は、図７のステップＳ１３６からステップＳ１４０の処理を実行することによって２回目の利得制御を行う。これによって、時間ＴＡ４に可変利得制御部１０２の利得の値が利得値Ｇ２ａから利得値Ｇ２ｂになる（図９の破線Ａ１内参照）。なお、ビット飽和利得制御処理における利得制御回数は２回であるので、ＡＧＣ部１１１はビット飽和利得制御処理を終了する。
【０１００】
なお、ＡＧＣ部１１１は、ビット飽和利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。
【０１０１】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１へ出力する。無線通信機器１００は、ＡＤ変換部１０４から出力されるＬＴＳに関連したデジタルベースバンド信号とＬＴＳに基づく基準信号とに基づいてチャネル推定を行う。
時間ＴＡ５において、ＡＧＣ部１１１は、ＬＴＳ検出部１０９から入力されるＬＴＳ検出信号がローレベルからハイレベルへ遷移したことを受けて、可変利得増幅部１０２の利得の値を利得値Ｇ２ｂに固定する。なお、ＬＴＳは２つあるので、時間ＴＡ６においてもＬＴＳ検出信号はパルス期間ハイレベルになる。
【０１０２】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１へ出力する。
【０１０３】
復調部１１０は時間ＴＡ７に無線パケット信号の復調を完了すると、パルス期間ハイレベルの復調完了信号をＡＧＣ部１１１へ出力する。ＡＧＣ部１１１は、復調完了信号がローレベルからハイレベルへ遷移したことを受けて、可変利得増幅部１０２の利得の値を初期利得値Ｇ１に設定する。
［ＳＴＳ検出開始時の動作例］
図１０（ｂ）に示すように、ＡＧＣ部１１１は可変利得増幅部１０２に初期利得値Ｇ１を設定する。
【０１０４】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１へ出力する。
【０１０５】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１へ出力する。
【０１０６】
時間ＴＢ１において、図１０（ａ）に示すように、ＡＤ変換部１０４に入力されるアナログベースバンド信号がレンジＲＢＳ内にある無線パケット信号を受信したとする。ＳＴＳ検出部１０７はＡＤ変換部１０４から出力されているデジタルベースバンド信号からＳＴＳを検出し始め、シンボル時間ＴＳＴＳ間隔で連続してパルス期間ハイレベルのＳＴＳ検出信号を出力する。これを受けて、ＳＴＳ区間検出部１３３は時間ＴＢ２にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１へ出力する（図１０の破線Ａ３内参照）。
【０１０７】
ＡＧＣ部１１１は、ＳＴＳ検出区間開始信号がローレベルからハイレベルへ遷移したことを受けて、図８に処理手順を示したＳＴＳ検出開始利得制御処理を開始し、ステップＳ１５１からステップＳ１５５の処理を実行することによって１回目の利得制御を行う。これによって、時間ＴＢ３に可変利得増幅部１０２の利得の値が初期利得値Ｇ１から利得値Ｇ３になる（図１０の破線Ａ３内参照）。なお、ＳＴＳ検出開始利得制御処理における利得制御回数は１回であるので、ＡＧＣ部１１１はＳＴＳ検出開始利得制御処理を終了する。
【０１０８】
なお、ＡＧＣ部１１１は、ＳＴＳ検出開始利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。
【０１０９】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１へ出力する。無線通信機器１００は、ＡＤ変換部１０４から出力されるＬＴＳに関連したデジタルベースバンド信号とＬＴＳに基づく基準信号とに基づいてチャネル推定を行う。
時間ＴＢ４において、ＡＧＣ部１１１は、ＬＴＳ検出部１０９から入力されるＬＴＳ検出信号がローレベルからハイレベルへ遷移したことを受けて、可変利得増幅部１０２の利得の値を利得値Ｇ３に固定する。なお、ＬＴＳは２つあるので、時間ＴＢ５においてもＬＴＳ検出信号はパルス期間ハイレベルになる。
【０１１０】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１へ出力する。
【０１１１】
復調部１１０は時間ＴＢ６に無線パケット信号の復調を完了すると、パルス期間ハイレベルの復調完了信号をＡＧＣ部１１１へ出力する。ＡＧＣ部１１１は、復調完了信号がローレベルからハイレベルへ遷移したことを受けて、可変利得増幅部１０２の利得の値を初期利得値Ｇ１に設定する。
≪第２の実施の形態≫
以下、本発明の第２の実施の形態について図面を参照しつつ説明する。
【０１１２】
第１の実施の形態の無線通信機器１００はデジタルベースバンド信号の電力値に基づいて利得制御される可変利得増幅部１０２を備える。
これに対して、本実施の形態の無線通信機器は、デジタルベースバンド信号の電力値に基づいて利得制御される可変利得増幅部に加え、受信アナログ信号の電力値に基づいて利得制御される可変利得増幅部（本実施の形態では、低雑音増幅部）を更に備える。
【０１１３】
＜無線通信機器の構成＞
以下、本実施の形態の無線通信機器１００ａの構成について図１１を参照しつつ説明する。図１１は本実施の形態の無線通信機器１００ａの機器構成図である。なお、本実施の形態において、第１の実施の形態と実質的に同じ構成要素には第１の実施の形態と同じ符号を付し、第１の実施の形態の説明が適用できるため本実施の形態ではその説明を省略する。
【０１１４】
無線通信機器１００ａは、アンテナ１０１と、低雑音増幅部１３１と、周波数変換部１３２と、可変利得増幅部１３３と、ＡＤ変換部１３４と、デジタル信号電力検出部１０５と、ビット飽和検出部１０６と、ＳＴＳ検出部１０７と、ＳＴＳ開始検出部１０８と、ＬＴＳ検出部１０９と、アナログ信号電力検出部１３５と、比較部１３６と、復調部１１０と、ＡＧＣ部１１１ａとを備える。
【０１１５】
［低雑音増幅部１３１］
低雑音増幅部（Low Noise Amp）１３１は、利得の値が可変であり、アンテナ１０１によって受信されたＲＦ帯の受信アナログ信号を増幅し、増幅後のＲＦ帯のアナログ信号を周波数変換部１３２へ出力する。但し、低雑音増幅部１３１はＡＧＣ部１１１ａによって２つの利得の値の何れかに利得制御される。なお、以下において、２つの利得の値のうち、値が大きい方の利得の値を「高利得制御値」と言い、値が小さい方の利得の値を「低利得制御値」と言う。
【０１１６】
［周波数変換部１３２］
周波数変換部１３２は、低雑音増幅部１３１から入力される増幅後のＲＦ帯のアナログ信号をベースバンド帯のアナログ信号に周波数変換し、ベースバンド帯のアナログ信号を可変利得増幅部１３３へ出力する。
［可変利得増幅部１３３］
可変利得増幅部１３３は、利得の値が可変であり、周波数変換部１３２から入力されるベースバンド帯のアナログ信号を増幅し、増幅後のベースバンド帯のアナログ信号をＡＤ変換部１３４へ出力する。但し、可変利得増幅部１３３はＡＧＣ部１１１ａによって利得が制御される。
【０１１７】
［ＡＤ変換部１３４］
ＡＤ変換部１３４は、入力に係る所定のダイナミックレンジを持ち、可変利得増幅部１３３から入力される増幅後のベースバンド帯のアナログ信号を所定のサンプリング周波数で所定のビット数のデジタル信号（デジタルベースバンド信号）に変換する。そして、ＡＤ変換部１３４は、デジタルベースバンド信号をデジタル信号電力検出部１０５、ビット飽和検出部１０６、ＳＴＳ検出部１０７、ＬＴＳ検出部１０９及び復調部１１０へ出力する。
【０１１８】
［アナログ信号電力検出部１３５］
アナログ信号電力検出部１３５は、アンテナ１０１によって受信された受信アナログ信号の電力値を検出し、検出した電力値を示すアナログ電力値信号を比較部１３６へ出力する。
［比較部１３６］
以下において、受信アナログ信号の電力値が予め定められた電力値（以下、「電力閾値」と言う。）を超えている場合、「受信アナログ信号が強入力である」と言う。
【０１１９】
比較部１３６は、電力閾値を予め記憶しており、アナログ信号電力検出部１３５から入力されるアナログ電力値信号が示す受信アナログ信号の電力値と電力閾値とを比較する。そして、比較部１３６は受信アナログ信号の電力値が電力閾値を超える場合に、受信アナログ信号が強入力であると判定し、ハイレベルの強入力判定信号をＡＧＣ部１１１ａへ出力する。一方、比較部１３６は受信アナログ信号の電力値が電力閾値以下の場合に、受信アナログ信号が強入力でないと判定し、ローレベルの強入力判定信号をＡＧＣ部１１１ａへ出力する。
【０１２０】
［ＡＧＣ部１１１ａ］
ＡＧＣ部１１１ａは、低雑音利得増幅部１３１に高利得制御値を初期設定し、比較部１３６から入力される強入力判定信号と復調部１１０から入力される復調完了信号とに基づいて低雑音増幅部１３１の利得制御を行う（図１２から図１３参照。）。
ＡＧＣ部１１１ａは、可変利得増幅部１３３に予め定められた所定の利得の値を設定し、デジタル信号電力検出部１０５から入力されるデジタル電力値信号に基づいて可変利得増幅部１３３の利得制御を行う。ＡＧＣ部１１１ａは、可変利得増幅部１３３の利得制御の開始の判断を、ビット飽和検出部１０６から入力されるビット飽和検出信号と、ＳＴＳ開始検出部１０８から入力されるＳＴＳ検出区間開始信号と、比較部１３６から入力される強入力判定信号と、ＬＴＳ検出部１０９から入力されるＬＴＳ検出信号と、復調部１１０から入力される復調完了信号とに基づいて行う（図１２から図１３、図７から図８及び図１４参照。）。
【０１２１】
但し、ＡＧＣ部１１１ａは、ビット飽和検出信号がハイレベルにあることを契機として（デジタルベースバンド信号がビット飽和したことを契機として）可変利得増幅部１３３の利得の制御を開始する場合、可変利得増幅部１３３に設定する利得の値の算出及び可変利得増幅部１３３に算出した利得の値の設定を２回行う（図７参照。）。
同様に、ＡＧＣ部１１１ａは、強入力判定信号がハイレベルにあることを契機として（受信アナログ信号が強入力であることを契機として）可変利得増幅部１３３の利得の制御を開始する場合、可変利得増幅部１３３に設定する利得の値の算出及び可変利得増幅部１３３に算出した利得の値の設定を２回行う（図１４参照。）。
【０１２２】
これに対して、ＡＧＣ部１１１ａは、ＳＴＳ検出区間開始信号がローレベルからハイレベルへ遷移したことを契機として（ＳＴＳ検出区間が開始されたことを契機として）可変利得増幅部１３３の利得の制御を開始する場合、可変利得増幅部１３３に設定する利得の値の算出及び可変利得増幅部１３３に算出した利得の値の設定を１回行う（図８参照。）。
【０１２３】
受信アナログ信号が強入力である場合、低雑音増幅部１３１の利得の値を高利得制御値から低利得制御値に切り替えたとしても、ＡＤ変換部１３４から出力されているデジタルベースバンド信号がビット飽和を起こしている可能性がある。このことを踏まえ、強入力判定信号がハイレベルにあることを契機とする利得制御回数を、ＳＴＳ検出区間開始信号がローレベルからハイレベルへ遷移したことを契機とする利得制御回数より多くしている。
【０１２４】
（ＡＧＣ部１１１ａの動作）
以下、図１１のＡＧＣ部１１１ａが行う低雑音増幅部１３１及び可変利得増幅部１３３の利得制御処理について図１２及び図１３を参照しつつ説明する。図１２及び図１３は図１１のＡＧＣ部１１１ａが行う低雑音増幅部１３１及び可変利得増幅部１３３の利得制御処理の手順を示すフローチャートである。
【０１２５】
ＡＧＣ部１１１ａは、可変利得増幅部１３３に予め定められた利得値（初期利得値）を設定し（ステップＳ２０１）、低雑音増幅部１３１に高利得制御値を設定する（ステップＳ２０２）。
なお、アンテナ１０１によって受信されたＲＦ帯のアナログ信号（受信アナログ信号）は、低雑音増幅部１３１、周波数変換部１３２、可変利得増幅部１３３、及びＡＤ変換部１３４の夫々によって所定の処理が施され、デジタルベースバンド信号がＡＤ変換部１３４から出力される。
【０１２６】
アンテナ１０１によって受信されたＲＦ帯のアナログ信号（受信アナログ信号）の電力値がアナログ信号電力検出部１３５によって検出される。そして、比較部１３６は、アナログ信号電力検出部１３５から入力されるアナログ電力値信号が示す受信アナログ信号の電力値と電力閾値とを比較し、比較結果に応じた強入力判定信号をＡＧＣ部１１１ａへ出力する。
【０１２７】
ビット飽和検出部１０６は、ＡＤ変換部１３４から出力されているデジタルベースバンド信号のビット飽和を検出するための検出処理を行い、検出結果に応じたビット飽和検出信号をＡＧＣ部１１１ａへ出力する。
ＳＴＳ検出部１０７は、ＡＤ変換部１３４から出力されているデジタルベースバンド信号からＳＴＳを検出するための検出処理を行う。そして、ＳＴＳ開始検出部１０８はＳＴＳ検出部１０７から入力されるＳＴＳ検出信号に基づいてＳＴＳ検出区間の開始を検出するための検出処理を行い、検出結果に応じたＳＴＳ検出区間開始信号をＡＧＣ部１１１ａへ出力する。
【０１２８】
ＡＧＣ部１１１ａは、強入力判定信号に基づいて受信アナログ信号が強入力であるか否かを判定する（ステップＳ２０３）。なお、強入力判定信号がハイレベルであれば受信アナログ信号が強入力であると判定し、ローレベルであれば受信アナログ信号が強入力でないと判定する。
ＡＧＣ部１１１ａは、受信アナログ信号が強入力であると判定した場合には（Ｓ２０３：ＹＥＳ）、低雑音増幅部１３１に低利得制御値を設定する（ステップＳ２０４）。そして、ＡＧＣ部１１１ａは、可変利得増幅部１３３に設定する利得の値の算出と可変利得増幅部１３３に算出した利得の値の設定との組み合わせを２回行う図１４に処理手順を示す強入力利得制御処理を行い（ステップＳ２０５）、ステップＳ２１０の処理へ進む。なお、ＳＴＳ検出部１０７は強入力利得制御処理の実行期間や強入力利得制御処理の実行終了後もＳＴＳの検出処理を行っているため、ＳＴＳ検出部１０７は強入力利得制御処理の実行期間や強入力利得制御処理の実行終了後にＳＴＳを検出することがある。
【０１２９】
ＡＧＣ部１１１ａは、受信アナログ信号が強入力でないと判定した場合には（Ｓ２０３：ＮＯ）、ビット飽和検出信号に基づいてＡＤ変換部１３４から出力されているデジタルベースバンド信号がビット飽和を起こしているか否かを判定する（ステップＳ２０６）。
ＡＧＣ部１１１ａは、デジタルベースバンド信号がビット飽和を起こしていると判定した場合には（Ｓ２０６：ＹＥＳ）、可変利得増幅部１３３に設定する利得の値の算出と可変利得増幅部１３３に算出した利得の値の設定との組み合わせを２回行う図７に示した処理手順と実質的に同じ処理手順のビット飽和利得制御処理を行い（ステップＳ２０７）、ステップＳ２１０の処理へ進む。なお、ＳＴＳ検出部１０７はビット飽和利得制御処理の実行期間やビット飽和利得制御処理の実行終了後もＳＴＳの検出処理を行っているため、ＳＴＳ検出部１０７はビット飽和利得制御処理の実行期間やビット飽和利得制御処理の実行終了後にＳＴＳを検出することがある。
【０１３０】
ＡＧＣ部１１１ａは、デジタルベースバンド信号がビット飽和を起こしていないと判定した場合には（Ｓ２０６：ＮＯ）、ＳＴＳ検出区間開始信号に基づいてＳＴＳ検出区間の開始が検出されたか否かを判定する（ステップＳ２０８）。ＡＧＣ部１１１ａは、ＳＴＳ検出区間の開始が検出されていないと判定した場合には（Ｓ２０８：ＮＯ）、ステップＳ２０３の処理へ進む。
【０１３１】
ＡＧＣ部１１１ａは、ＳＴＳ検出区間の開始が検出されたと判定した場合には（Ｓ２０８：ＹＥＳ）、可変利得増幅部１３３に設定する利得の値の算出と可変利得増幅部１３３に算出した利得の値の設定との組み合わせを１回行う図８に示した処理手順と実質的に同じ処理手順のＳＴＳ検出開始利得制御処理を行い（ステップＳ２０９）、ステップＳ２１０の処理へ進む。なお、ＳＴＳ検出部１０７はＳＴＳ検出開始利得制御処理の実行終了後もＳＴＳの検出処理を行っているため、ＳＴＳ検出部１０７はＳＴＳ検出開始利得制御処理の実行終了後にＳＴＳを検出することがある。
【０１３２】
なお、ＬＴＳ検出部１０９は、ＡＤ変換部１３４から出力されているデジタルベースバンド信号からＬＴＳを検出するための検出処理を行い、検出結果に応じたＬＴＳ検出信号をＡＧＣ部１１１ａへ出力する。
ＡＧＣ部１１１ａは、計時カウンタのカウント値Ｔを０に設定し、タイムアウト時間をＴＯＵＴに設定する（ステップＳ２１０）。なお、タイムアウト時間ＴＯＵＴは、例えば、自機器宛の無線パケット信号に起因して受信アナログ信号が強入力と判定されてから、自機器宛の無線パケット信号に起因するビット飽和が検出されてから、或いは、自機器宛の無線パケット信号に起因するＳＴＳ検出区間の開始が検出されてから当該自機器宛の無線パケット信号に含まれるＬＴＳが検出されるまでの時間より長くなるように設定される。
【０１３３】
ＡＧＣ部１１１ａは、ＬＴＳ検出信号に基づいてＡＤ変換部１３４から出力されているデジタルベースバンド信号からＬＴＳが検出されたか否かを判定する（ステップＳ２１１）。
ＡＧＣ部１１１ａは、デジタルベースバンド信号からＬＴＳが検出されていないと判定した場合には（Ｓ２１１：ＮＯ）、強入力判定信号に基づいて受信アナログ信号が強入力であるか否かを判定する（ステップＳ２１２）。ＡＧＣ部１１１ａは、受信アナログ信号が強入力であると判定した場合には（Ｓ２１２：ＹＥＳ）、ステップＳ２０４の処理へ進む。
【０１３４】
ＡＧＣ部１１１ａは、受信アナログ信号が強入力でないと判定した場合には（Ｓ２１２：ＮＯ）、ビット飽和検出信号に基づいてＡＤ変換部１３４から出力されているデジタルベースバンド信号がビット飽和を起こしているか否かを判定する（ステップＳ２１３）。ＡＧＣ部１１１ａは、デジタルベースバンド信号がビット飽和を起こしていると判定した場合には（Ｓ２１３：ＹＥＳ）、ステップＳ２０７の処理へ進む。
【０１３５】
ＡＧＣ部１１１ａは、デジタルベースバンド信号がビット飽和を起こしていないと判定した場合には（Ｓ２１３：ＮＯ）、ＳＴＳ検出区間開始信号に基づいてＳＴＳ検出区間の開始が検出されたか否かを判定する（ステップＳ２１４）。ＡＧＣ部１１１ａは、ＳＴＳ検出区間の開始が検出されたと判定した場合には（Ｓ２１４：ＹＥＳ）、ステップＳ２０９の処理へ進む。
【０１３６】
ＡＧＣ部１１１ａは、ＳＴＳ検出区間の開始が検出されていないと判定した場合には（Ｓ２１４：ＮＯ）、計時カウンタのカウント値Ｔがタイムアウト時間ＴＯＵＴになったか否かを判定する（ステップＳ２１５）。ＡＧＣ部１１１ａは、カウント値Ｔがタイムアウト時間ＴＯＵＴになっていないと判定した場合には（Ｓ２１５：ＮＯ）、計時カウンタのカウント値Ｔを１カウントアップし（ステップＳ２１６）、ステップＳ２１１の処理へ進む。一方、ＡＧＣ部１１１ａは、カウント値Ｔがタイムアウト時間ＴＯＵＴになったと判定した場合には（Ｓ２１５：ＹＥＳ）、ステップＳ２０１の処理へ進む。
【０１３７】
ＡＧＣ部１１１ａは、デジタルベースバンド信号からＬＴＳが検出されたと判定した場合には（Ｓ２１１：ＹＥＳ）、可変利得増幅部１３３の利得の値を固定し（ステップＳ２１７）、低雑音増幅部１３１の利得の値を固定する（ステップＳ２１８）。
なお、復調部１１０は、ＡＤ変換部１３４から出力されているデジタルベースバンド信号の復調を行い、復調完了信号をＡＧＣ部１１１ａへ出力する。
【０１３８】
ＡＧＣ部１１１ａは、復調完了信号に基づいて無線パケット信号の復調が完了したか否かを判定する（ステップＳ２１９）。ＡＧＣ部１１１ａは、無線パケット信号の復調が完了したと判定するまで（Ｓ２１９：ＮＯ）、ステップＳ２１９の処理を継続して行う。一方、ＡＧＣ部１１１ａは、無線パケット信号の復調が完了したと判定した場合には（Ｓ２１９：ＹＥＳ）、ステップＳ２０１の処理へ進む。なお、ＡＧＣ部１１１は無線パケットの復調完了後所定時間経過してからステップＳ２０１の処理へ進むようにしてもよい。
【０１３９】
上述したステップＳ２０３，Ｓ２１２の判定処理において、例えば自機器の無線通信とは無関係な信号に起因する強入力のために肯定的な判定がされる場合がある。また、上述したＳ２０６，Ｓ２１３の判定処理において、例えば自機器の無線通信とは無関係な信号に起因するビット飽和のために肯定的な判定がされる場合がある。さらに、上述したステップＳ２０８，Ｓ２１４の処理において、例えば無線通信機器１００ａがＳＴＳを誤検出したために肯定的な判定がされる場合がある。
【０１４０】
このような場合に、受信アナログ信号が強入力になれば（Ｓ２１２：ＹＥＳ）、低雑音利得増幅部１３１に低利得制御値が設定され、強入力利得制御処理が実行されて可変利得増幅部１３３の利得が再調整される（ステップＳ２０４，Ｓ２０５）。このため、ＡＤ変換部１３４から出力されているデジタルベースバンド信号がビット飽和することを回避でき、ＳＴＳの検出能力が高くなる。
【０１４１】
また、上記の場合に、デジタルベースバンド信号のビット飽和が起これば（Ｓ２１３：ＹＥＳ）、ビット飽和利得制御処理が実行されて可変利得増幅部１３３の利得が再調整される（ステップＳ２０７）。このため、ＡＤ変換部１３４から出力されるデジタルベースバンド信号が継続してビット飽和する状況を回避でき、ＳＴＳの検出能力が高くなる。
さらに、上記のような場合に、ＳＴＳ検出区間の開始が検出されれば（Ｓ２１４：ＹＥＳ）、ＳＴＳ検出開始利得制御処理が実行されて可変利得増幅部１３３の利得が再調整される（ステップＳ２０９）。このため、ＬＴＳ、ＳＩＧＮＡＬシンボル及びＤＡＴＡシンボルに対する処理を、これらと同じ無線パケット信号に含まれるＳＴＳに基づいて利得調整された可変利得増幅１３３の出力に基づいて行うことが可能になる。
【０１４２】
さらに、上記のような場合に、強入力利得制御処理、ビット飽和利得制御処理或いはＳＴＳ検出開始利得制御処理が実行されてからタイムアウト時間ＴＯＵＴが経過するまでにＬＴＳが検出されなければ（Ｓ２１５：ＹＥＳ）、可変利得増幅部１３３に初期利得値が再設定され、低雑音増幅部１３１に高利得制御値が再設定される（ステップＳ２０１，Ｓ２０２）。このため、自機器の無線通信とは無関係な信号によって可変利得増幅部１３３の利得の値が設定され続ける状況を回避でき、ＳＴＳの検出能力が高くなる。
【０１４３】
「強入力利得制御処理」
図１２の強入力利得制御処理（ステップＳ２０５）の手順を図１４に示す。なお、デジタル信号電力検出部１０５は、ＡＤ変換部１３４から出力されているデジタルベースバンド信号の電力値を検出し、検出した電力値を示すデジタル電力値信号をＡＧＣ部１１１ａへ出力している。
【０１４４】
ＡＧＣ部１１１ａは、デジタル電力値信号が示すデジタルベースバンド信号の電力値と基準デジタル電力値とに基づいて可変利得増幅部１３３に設定する利得の値を算出し（ステップＳ２３１）、算出した利得の値を可変利得増幅部１３３に設定する（ステップＳ２３２）。
ＡＧＣ部１１１ａは、計時カウンタのカウント値Ｔを０に設定し、タイムアウト時間をＴＯＵＴ１に設定する（ステップＳ２３３）。なお、タイムアウト時間ＴＯＵＴ１と後述するタイムアウト時間ＴＯＵＴ２は、可変利得増幅部１３３がＡＧＣ部１１１ａによって設定された利得の値で安定して動作するまでの時間と、可変利得増幅部１３３の出力信号が可変利得増幅部１３３から出力されてからＡＤ変換部１３４から出力されるまでの時間とを考慮して定められる。但し、強入力利得制御処理の１回目及び２回目の利得制御処理のタイムアウト時間を夫々ビット飽和利得制御処理の１回目及び２回目の利得制御処理のタイムアウト時間と同じにしているが、両者のタイムアウト時間を同じにしなくてもよい。
【０１４５】
ＡＧＣ部１１１ａは、計時カウンタのカウント値Ｔがタイムアウト時間ＴＯＵＴ１になったか否かを判定する（ステップＳ２３４）。ＡＧＣ部１１１ａは、カウント値Ｔがタイムアウト時間ＴＯＵＴ１になっていないと判定した場合には（Ｓ２３４：ＮＯ）、計時カウンタのカウント値Ｔを１カウントアップし（ステップＳ２３５）、ステップＳ２３４の処理へ進む。一方、ＡＧＣ部１１１ａは、カウント値Ｔがタイムアウト時間ＴＯＵＴ１になったと判定した場合には（Ｓ２３４：ＹＥＳ）、ステップＳ２３６の処理へ進む。
【０１４６】
以上のステップＳ２３１からステップＳ２３５までの処理によって、ＡＧＣ部１１１ａによる１回目の可変利得増幅部１３３の利得制御が行われる。
ＡＧＣ部１１１ａは、デジタル電力値信号が示すデジタルベースバンド信号の電力値と基準デジタル電力値とに基づいて可変利得増幅部１３３に設定する利得の値を算出し（ステップＳ２３６）、算出した利得の値を可変利得増幅部１３３に設定する（ステップＳ２３７）。
【０１４７】
ＡＧＣ部１１１ａは、計時カウンタのカウント値Ｔを０に設定し、タイムアウト時間をＴＯＵＴ２に設定する（ステップＳ２３８）。
ＡＧＣ部１１１ａは、計時カウンタのカウント値Ｔがタイムアウト時間ＴＯＵＴ２になったか否かを判定する（ステップＳ２３９）。ＡＧＣ部１１１ａは、カウント値Ｔがタイムアウト時間ＴＯＵＴ２になっていないと判定した場合には（Ｓ２３９：ＮＯ）、計時カウンタのカウント値Ｔを１カウントアップし（ステップＳ２４０）、ステップＳ２３９の処理へ進む。一方、ＡＧＣ部１１１ａは、カウント値Ｔがタイムアウト時間ＴＯＵＴ２になったと判定した場合には（Ｓ２３９：ＹＥＳ）、図１２のステップＳ２１０の処理へ進む。
【０１４８】
以上のステップＳ２３６からステップＳ２４０までの処理によって、ＡＧＣ部１１１ａによる２回目の可変利得増幅部１３３の利得制御が行われる。
上述したように、図１４に処理手順を示す強入力利得制御処理では、ＡＧＣ部１１１ａは、可変利得制御部１３３に設定する利得の値の算出及び可変利得増幅部１３３に算出した利得の値の設定を２回行う。
【０１４９】
図８及び図１４から分かるとおり、図１４に処理手順を示す強入力利得制御処理における利得制御回数は、図８に処理手順を示すＳＴＳ検出開始利得制御処理における利得制御回数より多くなっている。
上述した無線通信機器１００ａによれば、受信アナログ信号の増幅を２段階で行うことによってトータルの利得幅を大きくすることができる。また、低雑音増幅部１３１の利得制御により応答性の早い利得制御を実現しつつ、可変利得増幅部１３３の利得制御により精細な利得制御を実現することができる。
【０１５０】
≪第３の実施の形態≫
以下、本発明の第３の実施の形態について図面を参照しつつ説明する。
第２の実施の形態の無線通信機器１００ａのＡＧＣ部１１１ａは、強入力判定を行った後にビット飽和判定を行う。これに対して、本実施の形態の無線通信機器のＡＧＣ部は、ビット飽和判定を行った後に強入力判定を行う。
【０１５１】
＜無線通信機器の構成＞
以下、本実施の形態の無線通信機器１００ｂの構成について図１５を参照しつつ説明する。図１５は本実施の形態の無線通信機器１００ｂの機器構成図である。なお、本実施の形態において、第１及び第２の実施の形態と実質的に同じ構成要素には第１及び第２の実施の形態と同じ符号を付し、第１及び第２の実施の形態の説明が適用できるため本実施の形態ではその説明を省略する。
【０１５２】
無線通信機器１００ｂは、アンテナ１０１と、低雑音増幅部１３１と、周波数変換部１３２と、可変利得増幅部１３３と、ＡＤ変換部１３４と、デジタル信号電力検出部１０５と、ビット飽和検出部１０６と、ＳＴＳ検出部１０７と、ＳＴＳ開始検出部１０８と、ＬＴＳ検出部１０９と、アナログ信号電力検出部１３５と、比較部１３６と、復調部１１０と、ＡＧＣ部１１１ｂとを備える。
【０１５３】
［ＡＧＣ部１１１ｂ］
ＡＧＣ部１１１ａは、受信アナログ信号が強入力であるかの判定を行った後にＡＤ変換部１３４から出力されているデジタルベースバンド信号がビット飽和を起こしているか否かを判定する。これに対して、ＡＧＣ部１１１ｂは、ＡＤ変換部１３４から出力されているデジタルベースバンド信号がビット飽和を起こしているか否かの判定を行った後に、受信アナログ信号が強入力であるか否かを判定する（図１６から図１７、図７から図８及び図１４参照）。
【０１５４】
（ＡＧＣ部１１１ｂの動作）
以下、図１５のＡＧＣ部１１１ｂが行う低雑音増幅部１３１及び可変利得増幅部１３３の利得制御処理について図１６及び図１７を参照しつつ説明する。図１６及び図１７は図１５のＡＧＣ部１１１ｂが行う低雑音増幅部１３１及び可変利得増幅部１３３の利得制御処理の手順を示すフローチャートである。なお、ここでは、ＡＧＣ部１１１ａの動作と相違するＡＧＣ部１１１ｂの動作を主に説明する。
【０１５５】
ＡＧＣ部１１１ｂは、可変利得増幅部１３３に予め定められた利得値（初期利得値）を設定し（ステップＳ３０１）、低雑音増幅部１３１に高利得制御値を設定する（ステップＳ３０２）。
ＡＧＣ部１１１ｂは、ビット飽和検出部１０６から入力されるビット飽和検出信号に基づいてＡＤ変換部１３４から出力されているデジタルベースバンド信号がビット飽和を起こしているか否かを判定する（ステップＳ３０３）。
【０１５６】
ＡＧＣ部１１１ｂは、デジタルベースバンド信号がビット飽和を起こしていると判定した場合には（Ｓ３０３：ＹＥＳ）、比較部１３６から入力される強入力判定信号に基づいて受信アナログ信号が強入力であるか否かを判定する（ステップＳ３０４）。
ＡＧＣ部１１１ｂは、受信アナログ信号が強入力であると判定した場合には（Ｓ３０４：ＹＥＳ）、低雑音増幅部１３１に低利得制御値を設定する（ステップＳ３０５）。そして、ＡＧＣ部１１１ｂは、可変利得増幅部１３３に設定する利得の値の算出と可変利得増幅部１３３に算出した利得の値の設定との組み合わせを２回行う図１４に示した処理手順と実質的に同じ処理手順の強入力利得制御処理を行い（ステップＳ３０６）、ステップＳ３１０の処理へ進む。
【０１５７】
ＡＧＣ部１１１ｂは、受信アナログ信号が強入力でないと判定した場合には（Ｓ３０４：ＮＯ）、可変利得増幅部１３３に設定する利得の値の算出と可変利得増幅部１３３に算出した利得の値の設定との組み合わせを２回行う図７に示した処理手順と実質的に同じ処理手順のビット飽和利得制御処理を行い（ステップＳ３０７）、ステップＳ３１０の処理へ進む。
【０１５８】
ＡＧＣ部１１１ｂは、デジタルベースバンド信号がビット飽和を起こしていないと判定した場合には（Ｓ３０３：ＮＯ）、ＳＴＳ開始検出部１０８から入力されるＳＴＳ検出区間開始信号に基づいてＳＴＳ検出区間の開始が検出されたか否かを判定する（ステップＳ３０８）。ＡＧＣ部１１１ｂは、ＳＴＳ検出区間の開始が検出されていないと判定した場合には（Ｓ３０８：ＮＯ）、ステップＳ３０３の処理へ進む。
【０１５９】
ＡＧＣ部１１１ｂは、ＳＴＳ検出区間の開始が検出されたと判定した場合には（Ｓ３０８：ＹＥＳ）、可変利得増幅部１３３に設定する利得の値の算出と可変利得増幅部１３３に算出した利得の値の設定との組み合わせを１回行う図８に示した処理手順と実質的に同じ処理手順のＳＴＳ検出開始利得制御処理を行い（ステップＳ３０９）、ステップＳ３１０の処理へ進む。
【０１６０】
ＡＧＣ部１１１ｂは、計時カウンタのカウント値Ｔを０に設定し、タイムアウト時間をＴＯＵＴに設定する（ステップＳ３１０）。
ＡＧＣ部１１１ｂは、ＬＴＳ検出部１０９から入力されるＬＴＳ検出信号に基づいてＡＤ変換部１３４から出力されているデジタルベースバンド信号からＬＴＳが検出されたか否かを判定する（ステップＳ３１１）。
【０１６１】
ＡＧＣ部１１１ｂは、デジタルベースバンド信号からＬＴＳが検出されていないと判定した場合には（Ｓ３１１：ＮＯ）、ビット飽和検出部１０６から入力されるビット飽和検出信号に基づいてＡＤ変換部１３４から出力されているデジタルベースバンド信号がビット飽和を起こしているか否かを判定する（ステップＳ３１２）。ＡＧＣ部１１１ｂは、デジタルベースバンド信号がビット飽和を起こしていると判定した場合には（Ｓ３１２：ＹＥＳ）、ステップＳ３０４の処理へ進む。
【０１６２】
ＡＧＣ部１１１ｂは、デジタルベースバンド信号がビット飽和を起こしていないと判定した場合には（Ｓ３１２：ＮＯ）、ＳＴＳ開始検出部１０８から入力されるＳＴＳ検出区間開始信号に基づいてＳＴＳ検出区間の開始が検出されたか否かを判定する（ステップＳ３１３）。ＡＧＣ部１１１ｂは、ＳＴＳ検出区間の開始が検出されたと判定した場合には（Ｓ３１３：ＹＥＳ）、ステップＳ３０９の処理へ進む。
【０１６３】
ＡＧＣ部１１１ｂは、ＳＴＳ検出区間の開始が検出されていないと判定した場合には（Ｓ３１３：ＮＯ）、計時カウンタのカウント値Ｔがタイムアウト時間ＴＯＵＴになったか否かを判定する（ステップＳ３１４）。ＡＧＣ部１１１ｂは、カウント値Ｔがタイムアウト時間ＴＯＵＴになっていないと判定した場合には（Ｓ３１４：ＮＯ）、計時カウンタのカウント値Ｔを１カウントアップし（ステップＳ３１５）、ステップＳ３１１の処理へ進む。一方、ＡＧＣ部１１１ｂは、カウント値Ｔがタイムアウト時間ＴＯＵＴになったと判定した場合には（Ｓ３１４：ＹＥＳ）、ステップＳ３０１の処理へ進む。
【０１６４】
ＡＧＣ部１１１ｂは、デジタルベースバンド信号からＬＴＳが検出されたと判定した場合には（Ｓ３１１：ＹＥＳ）、ステップＳ３１６へ進み、ステップＳ３１６からステップＳ３１８において図１３のステップＳ２１７からステップＳ２１９と実質的に同じ処理を行う。
≪第４の実施の形態≫
以下、本発明の第４の実施の形態について図面を参照しつつ説明する。
【０１６５】
本実施の形態の無線通信機器は、第２の実施の形態の無線通信機器１００ａに、直流成分を含む低周波成分を除去した後のアナログ信号に基づいて可変利得増幅部１３３の利得制御を行うための機能を付加したものである。
＜無線通信機器の構成＞
以下、本実施の形態の無線通信機器の構成について図１８を参照しつつ説明する。図１８は本実施の形態の無線通信機器の機器構成図である。なお、本実施の形態において、第１及び第２の実施の形態と実質的に同じ構成要素には第１及び第２の実施の形態と同じ符号を付し、第１及び第２の実施の形態の説明が適用できるため本実施の形態ではその説明を省略する。
【０１６６】
無線通信機器１００ｃは、アンテナ１０１と、低雑音増幅器１３１と、周波数変換部１３２と、ＨＰＦ機能部１５１と、可変利得増幅部１３３と、ＡＤ変換部１３４と、デジタル信号電力検出部１０５と、ビット飽和検出部１０６と、ＳＴＳ検出部１０７と、ＳＴＳ開始検出部１０８と、ＬＴＳ検出部１０９と、アナログ信号電力検出部１３５と、比較部１３６と、復調部１１０と、ＡＧＣ部１１１ｃとを備える。
【０１６７】
［ＨＰＦ機能部１５１］
ＨＰＦ機能部１５１は、周波数変換部１３２から入力されるベースバンド帯のアナログ信号から直流成分を含む低周波成分を除去して高周波成分のみ出力するＨＰＦ（High Pass Filter）機能が有効な動作モード（以下、「ＨＰＦ機能有効モード」と言う。）と、周波数変換部１３２から入力されるベースバンド帯のアナログ信号をそのまま出力するＨＰＦ機能が無効な動作モード（以下、「ＨＰＦ機能無効モード」と言う。）との何れかの動作モードで動作する。但し、ＨＰＦ機能部１５１の動作モードの切り替え制御はＡＧＣ部１１１ｃによって行われる（図１９から図２０参照。）。
【０１６８】
ＨＰＦ機能部１５１は、切り替えスイッチ１５１ａと、ＨＰＦ（High Pass Filter）１５１ｂとを備える。
動作モードがＨＰＦ機能有効モードの場合、周波数変換部１３２から出力されるベースバンド帯のアナログ信号がＨＰＦ１５１ｂを通過して可変利得増幅部１３３に入力されるように、切り替えスイッチ１５１ａは周波数変換部１３２をＨＰＦ１５１ｂに接続する。
【０１６９】
動作モードがＨＰＦ機能無効モードの場合、周波数変換部１３２から出力されるベースバンド帯のアナログ信号が可変利得増幅部１３３に直接入力されるように、切り替えスイッチ１５１ａは周波数変換部１３２を可変利得増幅部１３３に接続する。
ＨＰＦ１５１ｂは、入力されるベースバンド帯のアナログ信号から直流成分を含む低周波成分を除去して高周波成分のみを出力するハイパスフィルタである。なお、ＨＰＦ１５１ｂのカットオフ周波数は、通過させたい信号成分の周波数成分或いは除去したい信号成分の周波数を考慮して定められる。
【０１７０】
［ＡＧＣ部１１１ｃ］
ＡＧＣ部１１１ｃには、ＡＧＣ部１１１ａが行う処理と実質的に同じ処理を行うのに加え、ＨＰＦ機能部１５１の動作モードの切り替え制御を行う（図１９から図２０、図７から図８及び図１４参照。）。
（ＡＧＣ部１１１ｃの動作）
以下、図１８のＡＧＣ部１１１ｃが行う低雑音増幅部１３１及び可変利得増幅部１３３の利得制御及びＨＰＦ機能部１５１の動作モードの切り替え制御に係る処理について図１９及び図２０を参照しつつ説明する。図１９及び図２０は図１８のＡＧＣ部１１１ｃが行う低雑音増幅部１３１及び可変利得増幅部１３３の利得制御及びＨＰＦ機能１５１の動作モードの切り替え制御に係る処理の手順を示すフローチャートである。なお、ここでは、ＡＧＣ部１１１ａの動作と相違するＡＧＣ部１１１ｂの動作を主に説明する。
【０１７１】
ＡＧＣ部１１１ｃは、可変利得増幅部１３３に予め定められた利得値（初期利得値）を設定し（ステップＳ４０１）、低雑音増幅部１３１に高利得制御値を設定し（ステップＳ４０２）、ＨＰＦ機能部１５１の動作モードをＨＰＦ機能有効モードに設定する（ステップＳ４０３）。
ＨＰＦ機能部１５１のＨＰＦ１５１ｂは、例えばダイレクトコンバージョン方式を用いた周波数変換部１３２によって発生する直流成分を除去する。これによって、ＨＰＦ機能部１５１の動作モードがＨＰＦ機能有効モードである場合、ＡＤ変換部１０４から出力されるデジタルベースバンド信号の電力値は、周波数変換部１３２によって発生する直流成分の電力値のオフセットを含まない。このため、ＡＧＣ部１１１ｃは、可変利得増幅部１３３の利得の制御を正確に行うことができる。
【０１７２】
ＡＧＣ部１１１ｃは、ステップＳ４０４からステップＳ４１０において図１２のステップＳ２０３からステップＳ２０９と実質的に同じ処理を行う。なお、ステップＳ４０６の強入力利得制御処理の処理手順は、図１４に示した処理手順と実質的に同じ処理手順である。ステップＳ４０８のビット飽和利得制御処理の処理手順は、図７に示した処理手順と実質的に同じ処理手順である。ステップＳ４１０のＳＴＳ検出開始利得制御処理の処理手順は、図８に示した処理手順と実質的に同じ処理手順である。
【０１７３】
ＡＧＣ部１１１ｃは、強入力利得制御処理、ビット飽和利得制御処理、及びＳＴＳ検出開始利得制御処理の何れかの処理を行った後、ＨＰＦ機能部１５１の動作モードをＨＰＦ機能有効モードからＨＰＦ機能無効モードへ切り替える（ステップＳ４１１）。
ＨＰＦ機能部１５１の動作モードがＨＰＦ機能無効モードである場合、周波数変換部１３２から出力されるベースバンド帯のアナログ信号からＨＰＦ機能部１５１によって信号成分が除去されることはない。このため、ＳＩＧＮＡＬシンボルやＤＡＴＡシンボルに関連したベースバンド帯のアナログ信号から信号成分が除去されることがなく、ＨＰＦ機能部１５１を設けたことによる復調部１１０の復調精度の劣化が生じない。
【０１７４】
ＡＧＣ部１１１ｃは、ステップＳ４１２からステップＳ４２１において図１２及び図１３のステップＳ２１０からステップＳ２１９と実質的に同じ処理を行う。
≪第５の実施の形態≫
以下、本発明の第５の実施の形態について図面を参照しつつ説明する。
本実施の形態の無線通信機器が備えるＡＧＣ部は、第１の実施の形態の無線通信機器１００が備えるＡＧＣ部１１１と異なり、予め定められた期間可変利得増幅部に設定する利得の値の算出及び可変利得増幅部に算出した利得の値の設定を繰り返し行うものである。
【０１７５】
＜無線通信機器の構成＞
以下、本実施の形態の無線通信機器１００ｄの構成について図２１を参照しつつ説明する。図２１は本実施の形態の無線通信機器１００ｄの機器構成図である。なお、本実施の形態において、第１の実施の形態と実質的に同じ構成要素には第１の実施の形態と同じ符号を付し、第１の実施の形態の説明が適用できるため本実施の形態ではその説明を省略する。
【０１７６】
無線通信機器１００ｄは、アンテナ１０１と、可変利得増幅部１０２と、周波数変換部１０３と、ＡＤ変換部１０４と、デジタル信号電力検出部１０５と、ビット飽和検出部１０６と、ＳＴＳ検出部１０７と、ＳＴＳ開始検出部１０８と、ＬＴＳ検出部１０９と、復調部１１０と、ＡＧＣ部１１１ｄとを備える。
［ＡＧＣ部１１１ｄ］
ＡＧＣ部１１１ｄは、ＡＧＣ部１１１に入力される信号と同じ信号が入力され、入力される信号に基づいて可変利得増幅部１０２の利得制御を行う（図６、図２２及び図２３参照。）。
【０１７７】
（ＡＧＣ部１１１ｄの動作）
ＡＧＣ部１１１ｄは可変利得増幅部１０２の利得の制御を図６に示した処理手順に従って行う。なお、ＡＧＣ部１１１ｄは、ＡＧＣ部１１１と異なるビット飽和利得制御処理（ステップＳ１０３）とＳＴＳ検出開始利得制御処理（ステップＳ１０５）とを行う。
「ビット飽和利得制御処理」
ＡＧＣ部１１１ｄが行うビット飽和利得制御処理（ステップＳ１０３）の手順を図２２に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１ｄへ出力している。
【０１７８】
ＡＧＣ部１１１ｄは、計時カウンタのカウント値Ｔを０に設定し、タイムアウト時間をＴＯＵＴ５に設定する（ステップＳ５３１）。
ＡＧＣ部１１１ｄは、デジタル電力値信号が示すデジタルベースバンド信号の電力値と基準デジタル電力値とに基づいて可変利得増幅部１０２に設定する仮の利得の値を算出し（ステップＳ５３２）、算出した仮の利得の値に所定の係数Ｋを乗算する（ステップＳ５３３）。そして、ＡＧＣ部１１１ｄは、可変利得増幅部１０２に乗算の結果得られた利得の値を設定する（ステップＳ５３４）。なお、係数Ｋには、０より大きい値が設定される。
【０１７９】
ＡＧＣ部１１１ｄ、計時カウンタのカウント値Ｔがタイムアウト時間ＴＯＵＴ５になったか否かを判定する（ステップＳ５３５）。ＡＧＣ部１１１ｄは、カウント値Ｔがタイムアウト時間ＴＯＵＴ５になっていないと判定した場合には（Ｓ５３５：ＮＯ）、計時カウンタのカウント値Ｔを１カウントアップし（ステップＳ５３６）、ステップＳ５３２の処理へ進む。一方、ＡＧＣ部１１１ｄは、カウント値Ｔがタイムアウト時間ＴＯＵＴ５になったと判定した場合には（Ｓ５３５：ＹＥＳ）、ステップＳ５３７の処理へ進む。
【０１８０】
ＡＧＣ部１１１ｄは、計時カウンタのカウント値Ｔを０に設定し、タイムアウト時間をＴＯＵＴ６に設定する（ステップＳ５３７）。
ＡＧＣ部１１１ｄは、デジタル電力値信号が示すデジタルベースバンド信号の電力値と基準デジタル電力値とに基づいて可変利得増幅部１０２に設定する仮の利得の値を算出し（ステップＳ５３８）、算出した仮の利得の値に所定の係数Ｋを乗算する（ステップＳ５３９）。そして、ＡＧＣ部１１１ｄは、可変利得増幅部１０２に乗算の結果得られた利得の値を設定する（ステップＳ５４０）。
【０１８１】
ＡＧＣ部１１１ｄ、計時カウンタのカウント値Ｔがタイムアウト時間ＴＯＵＴ６になったか否かを判定する（ステップＳ５４１）。ＡＧＣ部１１１ｄは、カウント値Ｔがタイムアウト時間ＴＯＵＴ６になっていないと判定した場合には（Ｓ５４１：ＮＯ）、計時カウンタのカウント値Ｔを１カウントアップし（ステップＳ５４２）、ステップＳ５３８の処理へ進む。一方、ＡＧＣ部１１１ｄは、カウント値Ｔがタイムアウト時間ＴＯＵＴ６になったと判定した場合には（Ｓ５４１：ＹＥＳ）、図６のステップＳ１０６の処理へ進む。
【０１８２】
上述したように、図２２に処理手順を示すビット飽和利得制御処理では、ＡＧＣ部１１１ｄは、可変利得制御部１０２の利得の制御を時間ＴＯＵＴ５＋ＴＯＵＴ６の間繰り返し行う。
「ＳＴＳ検出開始利得制御処理」
ＡＧＣ部１１１ｄが行うＳＴＳ検出開始利得制御処理（ステップＳ１０５）の手順を図２３に示す。なお、デジタル信号電力検出部１０５は、ＡＤ変換部１０４から出力されているデジタルベースバンド信号の電力値を検出し、検出した電力値を示すデジタル電力値信号をＡＧＣ部１１１ｄへ出力している。
【０１８３】
ＡＧＣ部１１１ｄは、計時カウンタのカウント値Ｔを０に設定し、タイムアウト時間をＴＯＵＴ６に設定する（ステップＳ５５１）。
ＡＧＣ部１１１ｄは、デジタル電力値信号が示すデジタルベースバンド信号の電力値と基準デジタル電力値とに基づいて可変利得増幅部１０２に設定する仮の利得の値を算出し（ステップＳ５５２）、算出した仮の利得の値に所定の係数Ｋを乗算する（ステップＳ５５３）。そして、ＡＧＣ部１１１ｄは、可変利得増幅部１０２に乗算の結果得られた利得の値を設定する（ステップＳ５５４）。
【０１８４】
ＡＧＣ部１１１ｄ、計時カウンタのカウント値Ｔがタイムアウト時間ＴＯＵＴ６になったか否かを判定する（ステップＳ５５５）。ＡＧＣ部１１１ｄは、カウント値Ｔがタイムアウト時間ＴＯＵＴ６になっていないと判定した場合には（Ｓ５５５：ＮＯ）、計時カウンタのカウント値Ｔを１カウントアップし（ステップＳ５５６）、ステップＳ５５２の処理へ進む。一方、ＡＧＣ部１１１ｄは、カウント値Ｔがタイムアウト時間ＴＯＵＴ６になったと判定した場合には（Ｓ５５５：ＹＥＳ）、図６のステップＳ１０６の処理へ進む。
【０１８５】
上述したように、図２３に処理手順を示すＳＴＳ検出開始利得制御処理では、ＡＧＣ部１１１ｄは、可変利得制御部１０２の利得の制御を時間ＴＯＵＴ６の間繰り返し行う。
図２２及び図２３から分かるとおり、ビット飽和利得制御処理における利得制御時間ＴＯＵＴ５＋ＴＯＵＴ６は、ＳＴＳ検出開始利得制御処理における利得制御時間ＴＯＵＴ６より長くなっている。
【０１８６】
＜無線通信機器の動作＞
以下、ビット飽和発生時における無線通信機器１００ｄの受信動作の一例及びＳＴＳ検出開始時における無線通信機器１００ｄの受信動作の一例について図２４及び図２５を参照しつつ説明する。なお、図２４（ａ）及び図２５（ａ）において、ＳＴＳｓは図２のショートプリアンブル信号を示し、ＬＴＳｓは図２のロングプリアンブル信号を示し、ＤＡＴＡｓは１以上のＤＡＴＡシンボルを示す。
【０１８７】
但し、図２４（ａ）及び図２５（ａ）中のレンジＲＢＳはＡＤ変換部１０４から出力されるデジタルベースバンド信号がビット飽和を起こさないＡＤ変換部１０４に入力されるアナログベースバンド信号のレベルを示す。つまり、レンジＲＢＳ外のアナログベースバンド信号がＡＤ変換部１０４に入力されると、ＡＤ変換部１０４から出力されるデジタルベースバンド信号はビット飽和を起こす。
【０１８８】
また、図２４（ａ）及び図２５（ａ）中のレンジＲＤの両端部はデジタルベースバンド信号の電力値が基準デジタル電力値である場合の、ＡＤ変換部１０４に入力されるアナログベースバンド信号のレベルを示す。
［ビット飽和発生時の動作］
図２４（ｂ）に示すように、ＡＧＣ部１１１ｄは可変利得増幅部１０２に初期利得値Ｇ１を設定する。
【０１８９】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１ｄへ出力する。
【０１９０】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１ｄへ出力する。
【０１９１】
時間ＴＣ１において、図２４（ａ）に示すように、ＡＤ変換部１０４に入力されるアナログベースバンド信号がレンジＲＢＳ外になったとする。ＡＤ変換部１０４から出力されているデジタルベースバンド信号がビット飽和を起こし、ビット飽和検出部１０６はデジタルベースバンド信号のビット飽和を検出し、ビット飽和検出信号をパルス期間ハイレベルにする（図２４の破線Ｂ１内参照）。
【０１９２】
ＡＧＣ部１１１ｄは、ビット飽和検出信号がローレベルからハイレベルへ遷移したことを受けて、図２２に処理手順を示したビット飽和利得制御処理を開始し、ステップＳ５３１からステップ５３６の処理を実行することによって時間ＴＯＵＴ５の間可変利得増幅部１０２に対する利得制御を行う。更に、ＡＧＣ部１１１ｄは、ステップＳ５３７からステップ５４２の処理を実行することによって時間ＴＯＵＴ６の間可変利得増幅部１０２に対する利得制御を行う。つまり、ＡＧＣ部１１１ｄは、時間ＴＯＵＴ５＋ＴＯＵＴ６の間可変利得増幅部１０２に対する利得制御を行う。これによって、時間ＴＣ３に可変利得増幅部１０２の利得の値が初期利得値Ｇ１から利得値Ｇ４にまで下がる（図２４の破線Ｂ１内参照）。なお、ビット飽和利得制御処理における利得制御時間はＴＯＵＴ５＋ＴＯＵＴ６であるので、ＡＧＣ部１１１ｄはビット飽和利得制御処理を終了する。
【０１９３】
図２４の例では、ＡＧＣ部１１１ｄによるビット飽和利得制御処理期間に、ＡＤ変換部１０４に入力されるアナログベースバンド信号がレンジＲＢＳ内になる。ＳＴＳ検出部１０７はＡＤ変換部１０４から出力されているデジタルベースバンド信号からＳＴＳを検出し始め、シンボル時間ＴＳＴＳ間隔で連続してパルス期間ハイレベルのＳＴＳ検出信号を出力する。これを受けて、ＳＴＳ区間検出部１３３は時間ＴＣ２にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１ｄへ出力する。ここでは、ビット飽和利得制御処理の期間なので、ＡＧＣ部１１１ｄはＳＴＳ検出区間の開始が検出されたことを契機とする可変利得増幅部１０２の利得制御を行わない（図２４の破線Ｂ２内参照）。
【０１９４】
なお、ＡＧＣ部１１１ｄは、ビット飽和利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。
【０１９５】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１ｄへ出力する。無線通信機器１００ｄは、ＡＤ変換部１０４から出力されるＬＴＳに関連したデジタルベースバンド信号とＬＴＳに基づく基準信号とに基づいてチャネル推定を行う。
時間ＴＣ４において、ＡＧＣ部１１１ｄは、ＬＴＳ検出部１０９から入力されるＬＴＳ検出信号がローレベルからハイレベルへ遷移したことを受けて、可変利得増幅部１０２の利得の値を利得値Ｇ４に固定する。なお、ＬＴＳは２つあるので、時間ＴＣ５においてもＬＴＳ検出信号はパルス期間ハイレベルになる。
【０１９６】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１ｄへ出力する。
【０１９７】
復調部１１０は時間ＴＣ６に無線パケット信号の復調を完了すると、パルス期間ハイレベルの復調完了信号をＡＧＣ部１１１ｄへ出力する。ＡＧＣ部１１１ｄは、復調完了信号がローレベルからハイレベルへ遷移したことを受けて、可変利得増幅部１０２の利得の値を初期利得値Ｇ１に設定する。
［ＳＴＳ検出開始時の動作例］
図２５（ｂ）に示すように、ＡＧＣ部１１１ｄは可変利得増幅部１０２に初期利得値Ｇ１を設定する。
【０１９８】
アンテナ１０１によって受信されたＲＦ帯のアナログ信号（受信アナログ信号）は、可変利得増幅部１０２、周波数変換部１０３及びＡＤ変換部１０４の夫々によって所定の処理が施され、デジタルベースバンド信号がＡＤ変換部１０４から出力される。
ビット飽和検出部１０６は、ＡＤ変換部１０４から出力されているデジタルベースバンド信号のビット飽和を検出するための検出処理を行い、検出結果に応じたビット飽和検出信号をＡＧＣ部１１１ｄへ出力する。
【０１９９】
ＳＴＳ検出部１０７はＡＤ変換部１０４から出力されているデジタルベースバンド信号からＳＴＳを検出するための検出処理を行い、検出結果に応じたＳＴＳ検出信号をＳＴＳ開始検出部１０８へ出力する。そして、ＳＴＳ開始検出部１０８のＳＴＳ区間検出部１３３はＳＴＳ検出部１０７から入力されるＳＴＳ検出信号に基づいてＳＴＳ検出区間の検出処理を行い、検出結果に応じたＳＴＳ区間信号をＳＴＳ区間開始検出部１３４へ出力する。そして、ＳＴＳ区間開始検出部１３４はＳＴＳ区間信号に基づいてＳＴＳ検出区間の開始を検出するための検出処理を行い、検出結果に応じたＳＴＳ検出区間開始信号をＡＧＣ部１１１ｄへ出力する。
【０２００】
時間ＴＤ１において、図２５（ａ）に示すように、ＡＤ変換部１０４に入力されるアナログベースバンド信号がレンジＲＢＳ内にある無線パケット信号を受信したとする。ＳＴＳ検出部１０７はＡＤ変換部１０４から出力されているデジタルベースバンド信号からＳＴＳを検出し始め、シンボル時間ＴＳＴＳ間隔で連続してパルス期間ハイレベルのＳＴＳ検出信号を出力する。これを受けて、ＳＴＳ区間検出部１３３は時間ＴＤ２にＳＴＳ区間信号をローレベルからハイレベルへ遷移させ、ＳＴＳ区間信号がローレベルからハイレベルへ遷移したことを受けて、ＳＴＳ区間開始検出部１３４はパルス期間ハイレベルのＳＴＳ検出区間開始信号をＡＧＣ部１１１ｄへ出力する（図２５の破線Ｂ３内参照）。
【０２０１】
ＡＧＣ部１１１ｄは、ＳＴＳ検出区間開始信号がローレベルからハイレベルへ遷移したことを受けて、図２３に処理手順を示したＳＴＳ検出開始利得制御処理を開始し、ステップＳ５５１からステップＳ５５６の処理を実行することによって時間ＴＯＵＴ６の間可変利得増幅部１０２に対する利得制御を行う。これによって、時間ＴＤ３に可変利得増幅部１０２の利得の値が初期利得値Ｇ１から利得値Ｇ５にまで下がる（図２５の破線Ｂ３内参照）。なお、ＳＴＳ検出開始利得制御処理における利得制御時間はＴＯＵＴ６であるので、ＡＧＣ部１１１ｄはＳＴＳ検出開始利得制御処理を終了する。
【０２０２】
なお、ＡＧＣ部１１１ｄは、ＳＴＳ検出開始利得制御処理の実行終了後も、ビット飽和検出部１０６から入力されるビット飽和検出信号に基づいてＡＤ変換部１０４から出力されているデジタルベースバンド信号がビット飽和を起こしたか、ＳＴＳ開始検出部１０８のＳＴＳ区間開始検出部１３４から入力されるＳＴＳ検出区間開始信号に基づいて新たなＳＴＳ検出区間の開始が検出されたかを判定する（図６のステップＳ１０６からステップＳ１１１参照。）。
【０２０３】
ＬＴＳ検出部１０９はＡＤ変換部１０４から入力されるデジタルベースバンド信号からＬＴＳの検出処理を行い、検出結果に応じたＬＴＳ検出信号をＡＧＣ部１１１ｄへ出力する。無線通信機器１００ｄは、ＡＤ変換部１０４から出力されるＬＴＳに関連したデジタルベースバンド信号とＬＴＳに基づく基準信号とに基づいてチャネル推定を行う。
時間ＴＤ４において、ＡＧＣ部１１１ｄは、ＬＴＳ検出部１０９から入力されるＬＴＳ検出信号がローレベルからハイレベルへ遷移したことを受けて、可変利得増幅部１０２の利得の値を利得値Ｇ５に固定する。なお、ＬＴＳは２つあるので、時間ＴＤ５においてもＬＴＳ検出信号はパルス期間ハイレベルになる。
【０２０４】
復調部１１０は、ＡＤ変換部１０４から出力されているＳＩＧＮＡＬシンボル及びＤＡＴＡシンボルに関連したデジタルベースバンド信号をチャネル推定結果に基づいて等化し、等化後のデジタルベースバンド信号をデマッピングする。復調部１１０は、ＳＩＧＮＡＬシンボルに含まれるデータ長に基づいて無線パケット信号の復調が完了したかを判定し、判定結果に応じた復調完了信号をＡＧＣ部１１１ｄへ出力する。
【０２０５】
復調部１１０は時間ＴＤ６に無線パケット信号の復調を完了すると、パルス期間ハイレベルの復調完了信号をＡＧＣ部１１１ｄへ出力する。ＡＧＣ部１１１ｄは、復調部１１０から入力される復調完了信号がローレベルからハイレベルへ遷移したことを受けて、可変利得増幅部１０２の利得の値を初期利得値Ｇ１に設定する。
≪第６の実施の形態≫
無線通信システムにおいて、無線通信機器は自機器が無線通信に用いる周波数チャネルにおいてＳＴＳを検出したとしても、検出されたＳＴＳが付加された無線パケット信号が自機器宛の無線パケット信号であるとは限らない。
【０２０６】
そして、無線通信機器は、無線パケット信号が自機器宛の無線パケット信号でない場合には無駄に電力が消費されないようにするために復調処理を実行せず、或いは、実行中の復調処理を停止することが好ましい。
そこで、無駄な電力を抑えるために、無線パケット信号が自機器宛の無線パケット信号（以下、「希望パケット信号」と言う。）であるか、希望パケット信号以外の無線パケット信号（以下、「干渉パケット信号」と言う。）であるか否かの判定を早期に行うことができる判定手法を提案する。
【０２０７】
なお、以下において、無線パケット信号が希望パケット信号であるか干渉パケット信号であるかを早期に判定するための判定方法を第６及び第７の実施の形態で説明した後に、第８の実施の形態において第１の実施の形態の無線通信機器に第６の実施の形態で説明した判定方法を組み込んだ無線通信機器を説明する。
以下、本発明の第６の実施の形態について図面を参照しつつ説明する。本実施の形態及び後述する実施の形態の無線通信システムはＩＥＥＥ８０２．１１ｎ規格の無線通信システムであるとする。但し、本実施の形態及び後述する実施の形態において、無線通信に用いられるフレームフォーマットは、ＩＥＥＥ８０２．１１ｎ規格において使用できるとされているミックスドモード（ＩＥＥＥ８０２．１１ａの無線通信機器とＩＥＥＥ８０２．１１ｎ規格の無線通信機器とが混在するモード）のフレームフォーマットであるとする。なお、ＩＥＥＥ８０２．１１ｎ規格において使用できるとされているフレームフォーマットには、ミックスドモードのフレームフォーマットの他に、レガシーモード（既存のＩＥＥＥ８０２．１１ａ規格の無線通信機器対応のモード）のフレームフォーマット（図２参照）、及びグリーンフィールドモード（ＩＥＥＥ８０２．１１ｎ規格に準拠した無線通信機器専用の高効率のモード）のフレームフォーマット（図４１参照）がある。
【０２０８】
＜無線パケット信号のフレームフォーマット＞
ミックスドモードのフレームフォーマットを図２６に示す。
ミックスドモードのフレームフォーマットには、無線パケット信号が１つの周波数チャネルＡを伝送する場合の図２６（ａ）に示すフレームフォーマットと、無線パケット信号が２つの周波数チャネルＡ，Ｂを連結して広帯域化した周波数チャネルを伝送する場合の図２６（ｂ）に示すフレームフォーマットとがある。
【０２０９】
図２６（ａ）に示すフレームフォーマットを持つ無線パケット信号Ｐ２０には、先頭に図２のＳＴＳ１１１〜１１１０からなるショートプリアンブル信号ＳＴＳｓが付加されている。そして、無線パケット信号Ｐ２０には、ショートプリアンブル信号ＳＴＳｓに続いて、図２のＧＩ１２１及びＬＴＳ１２２，１２３からなるロングプリアンブル信号ＬＴＳｓが付加されている。そして、無線パケット信号Ｐ２０は、ロングプリアンブル信号ＬＴＳｓに続いてＳＩＧＮＡＬシンボルを含む。なお、ショートプリアンブル信号ＳＴＳｓ、ロングプリアンブル信号ＬＴＳｓ及びＳＩＧＮＡＬシンボルは、ＩＥＥＥ８０２．１１ａ規格の無線通信機器用の信号部分である。
【０２１０】
無線パケット信号Ｐ２０は、ＳＩＧＮＡＬシンボルに続いて、ＭＩＭＯ多重されたストリーム数、データ長及び伝送速度などの制御情報を持つ制御シンボル（High Throughput SIGNAL Symbol：以下、「ＨＴＳＩＧＮＡＬシンボル」と言う。）を含む。
無線パケット信号Ｐ２０は、ＨＴＳＩＧＮＡＬシンボルに続いて、複数個のＨＴＳＴＳ（High Throughput Short Training Symbol）を含むＨＴショートプリアンブル信号ＨＴＳＴＳｓと、複数個のＨＴＬＴＳ（HighThroughput Long Training Symbol）を含むＨＴロングプリアンブル信号ＨＴＳＴＳｓとを含む。なお、ＨＴＳＩＧＮＡＬシンボル、ＨＴショートプリアンブル信号ＨＴＳＴＳｓ及びＨＴロングプリアンブル信号ＨＴＬＴＳｓは、ＩＥＥＥ８０２．１１ｎ規格の無線通信機器用の信号部分である。但し、ＨＴＳＴＳは自動利得制御、キャリア周波数誤差の粗調整及びシンボルタイミングの検出などに利用される。ＨＴＬＴＳはキャリア周波数誤差の微調整及びチャネル推定（基準振幅及び基準位相の推定）などに用いられる。なお、ＨＴロングプリアンブル信号ＨＴＬＴＳｓはＭＩＭＯチャネル数分ある。
【０２１１】
無線パケット信号Ｐ２０は、プリアンブル信号ＨＴＬＴＳｓに続いて送信データに係るＤＡＴＡシンボルを含む。但し、ＤＡＴＡシンボルは１以上あり、宛先情報及び送信元情報はＤＡＴＡシンボルによって送受信される。
図２６（ｂ）に示すフレームフォーマットを持つ無線パケット信号Ｐ２５は、２つの周波数チャネルＡ，Ｂの夫々に、ショートプリアンブル信号ＳＴＳｓ、ロングプリアンブル信号ＬＴＳｓ、ＳＩＧＮＡＬシンボル及びＨＴＳＩＧＮＡＬシンボルを含む。そして、無線パケット信号Ｐ２５は、２つの周波数チャネルＡ，Ｂを連結して広帯域化した周波数チャネルにＨＴショートプリアンブル信号ＨＴＳＴＳｓ、ＨＴロングプリアンブル信号ＨＴＬＴＳｓ及びＤＡＴＡシンボルを含む。但し、ＤＡＴＡシンボルは１以上あり、宛先情報及び送信元情報はＤＡＴＡシンボルによって送受信される。
【０２１２】
なお、ＨＴショートプリアンブル信号ＨＴＳＴＳｓ以降の部分はＭＩＭＯ多重やチャネル結合によって高速化が図られており、ＩＥＥＥ８０２．１１ｎ規格の無線通信機器はＨＴショートプリアンブル信号ＨＴＳＴＳｓ以降の部分を復調できるが、ＩＥＥＥ８０２．１１ａ規格の無線通信機器はＨＴショートプリアンブル信号ＨＴＳＴＳｓ以降の部分を復調することができない。しかし、ミックスドモードのフレームフォーマットを持つ無線パケット信号Ｐ２０，Ｐ２５を受信したＩＥＥＥ８０２．１１ａ規格の無線通信機器は、ＳＴＳ及びＬＴＳの検出によって復調を開始し、ＳＩＧＮＡＬシンボルを復調することによってデータ長を特定できる。このため、ＩＥＥＥ８０２．１１ａ規格の無線通信機器は、ＨＴショートプリアンブル信号ＨＴＳＴＳｓ以降の部分を復調できなくても復調誤りを起こした信号として処理可能である。このように、ＩＥＥＥ８０２．１１ａ規格の通信プロトコルとＩＥＥＥ８０２．１１ｎ規格の通信プロトコルとは共存可能な通信プロトコルになっている。
【０２１３】
以下において、１つの周波数チャネルを伝送する図２６（ａ）に示したフレームフォーマットを持つ無線パケット信号を「狭帯域パケット信号」と言う。また、隣接する２つの周波数チャネルを結合して広帯域化した周波数チャネルを伝送する図２６（ｂ）に示したフレームフォーマットを持つ無線パケット信号を「広帯域パケット信号」と言う。
＜無線パケット信号と周波数チャネルとの関係＞
本実施の形態の無線通信機器が判定対象とする無線パケット信号と周波数チャネルとの関係について図２７を参照しつつ説明する。図２７は本実施の形態の無線通信機器が判定対象とする無線パケット信号と周波数チャネルとの関係を説明するための模式図である。
【０２１４】
図２７では、帯域幅が互いに等しい４つの周波数チャネルＣＨ１〜ＣＨ４を示しており、無線通信機器は周波数チャネルＣＨ２をプライマリーチャネルとし、周波数チャネルＣＨ３をセカンダリーチャネルとして無線通信を行うものとする。なお、以下において、周波数チャネルＣＨ２を適宜「プライマリーチャネルＣＨ２」と言い、周波数チャネルＣＨ３を適宜「セカンダリーチャネルＣＨ３」と言う。
【０２１５】
プライマリーチャネルＣＨ２を伝送する無線パケット信号６０１及びセカンダリーチャネルＣＨ３を伝送する無線パケット信号６０３は、図２６（ａ）のフレームフォーマットを持つ狭帯域パケット信号である。なお、無線パケット信号６０１は、希望パケット信号の場合もあれば、干渉パケット信号の場合もある。また、無線パケット信号６０３は、本実施の形態では、干渉パケット信号である。
【０２１６】
無線パケット信号６０２，６０４，６０５は、図２６（ｂ）のフレームフォーマットを持つ広帯域パケット信号である。但し、無線パケット信号６０２は、希望パケット信号の場合もあれば、干渉パケット信号の場合もある。また、無線パケット信号６０４，６０５は、干渉パケット信号である。
＜無線通信機器の構成＞
以下、本実施の形態の無線通信機器の構成について図２８を参照しつつ説明する。図２８は本実施の形態の無線通信機器の機器構成図である。
【０２１７】
無線通信機器２００は、ＡＤ変換部２０１と、プライマリーＳＴＳ検出部２０２と、セカンダリーＳＴＳ検出部２０３と、隣接チャネル電力検出部２０４と、判定部２０５と、復調部２０６とを備える。
なお、以下において、プライマリーチャネルＣＨ２を伝送するＳＴＳを「プライマリーＳＴＳ」と言い、セカンダリーチャネルＣＨ３を伝送するＳＴＳを「セカンダリーＳＴＳ」と言う。
【０２１８】
［ＡＤ変換部２０１］
周波数変換部２０１は、入力されるアナログベースバンド信号をデジタルベースバンド信号に周波数変換し、デジタルベースバンド信号をプライマリーＳＴＳ検出部２０２、セカンダリーＳＴＳ検出部２０３、隣接チャネル電力検出部２０４及び復調部２０６へ出力する。
【０２１９】
［プライマリーＳＴＳ検出部２０２］
プライマリーＳＴＳ検出部２０２は、プライマリーチャネルＣＨ２の帯域を観測して、ＡＤ変換部２０１から出力されるデジタルベースバンド信号からプライマリーＳＴＳを検出するための検出処理を行い、プライマリーＳＴＳを検出するとパルス期間ハイレベルのプライマリーＳＴＳ検出信号を判定部２０５へ出力する。
【０２２０】
［セカンダリーＳＴＳ検出部２０３］
セカンダリーＳＴＳ検出部２０３は、セカンダリーチャネルＣＨ３の帯域を観測して、ＡＤ変換部２０１から出力されるデジタルベースバンド信号からセカンダリーＳＴＳを検出するための検出処理を行い、セカンダリーＳＴＳを検出するとパルス期間ハイレベルのセカンダリーＳＴＳ検出信号を判定部２０５へ出力する。なお、プライマリーＳＴＳ検出部２０２及びセカンダリーＳＴＳ検出部２０３はＳＴＳ検出部１０７と同様の処理によってプライマリーＳＴＳの検出処理及びセカンダリーＳＴＳの検出処理を行う。
【０２２１】
［隣接チャネル電力検出部２０４］
なお、以下において、プライマリーチャネルＣＨ２に隣接する周波数チャネルのうちセカンダリーチャネルＣＨ３でない方の周波数チャネルＣＨ１を適宜「プライマリー隣接チャネルＣＨ１」と言う。
隣接チャネル電力検出部２０４は、プライマリー隣接チャネルＣＨ１の帯域を観測して、プライマリー隣接チャネルＣＨ１の帯域におけるデジタルベースバンド信号の信号成分（以下、「プライマリー隣接チャネル成分」と言う。）の電力値を検出する。そして、隣接チャネル電力検出部２０４は、プライマリー隣接チャネル成分の電力値と所定の成分電力閾値（信号が存在すると判定するための予め定められた閾値）とを比較する。隣接チャネル電力検出部２０４は、プライマリー隣接チャネル成分の電力値が成分電力閾値以上になると、プライマリー隣接チャネルＣＨ１の信号成分を検出したとして、パルス期間ハイレベルのプライマリー隣接チャネル検出信号を判定部２０５へ出力する。
【０２２２】
但し、隣接チャネル電力検出部２０４は、ＢＰＦ（Band Pass Filter）を用いて、ＡＤ変換部２０１から出力されているデジタルベースバンド信号からプライマリー隣接チャネル成分を取り出して、プライマリー隣接チャネル成分の電力値を検出する。なお、隣接チャネル電力検出部２０４は、ＢＰＦを用いる代わりに、フーリエ変換、ウェーブレット変換或いはフィルタバンクなどを用いてＡＤ変換部２０１から出力されているデジタルベースバンド信号からプライマリー隣接チャネル成分を取り出すようにしてもよい。
【０２２３】
［判定部２０５］
判定部２０５には、プライマリーＳＴＳ検出部２０２からプライマリーＳＴＳ検出信号が入力され、セカンダリーＳＴＳ検出部２０３からセカンダリーＳＴＳ検出信号が入力され、隣接チャネル電力検出部２０４からプライマリー隣接チャネル検出信号が入力され、復調部２０６の後述する制御情報抽出部２３５から制御情報通知信号が入力される。
【０２２４】
判定部２０５は、プライマリーＳＴＳ検出信号と、セカンダリーＳＴＳ検出信号と、プライマリー隣接チャネル検出信号とに基づいて、受信している無線パケット信号が図２７のどの無線パケット信号６０１〜６０５に相当するかを判定する。当該判定は、無線パケット信号を受信した場合には、当該無線パケット信号のＳＴＳの受信期間において実行することができる。従って、受信した無線パケット信号が無線パケット信号６０１〜６０５の何れに相当するかの判定処理を、無線パケット信号を受信してから短期間のうちに終了することが可能になる。
【０２２５】
判定部２０５は、希望パケット信号の可能性及び干渉パケット信号の双方の可能性がある無線パケット信号６０１，６０２を受信していると判定した場合、さらに、制御情報通知信号に含まれる宛先情報に基づいて受信中の無線パケット信号６０１，６０２が自機器宛の無線パケット信号であるか否かを判定する。
［復調部２０６］
復調部２０６は、ＡＤ変換部２０１から入力されるデジタルベースバンド信号の復調処理を行うものであり、ＦＦＴ部２３１と、干渉測定部２３２と、サブキャリア復調部２３３と、復号部２３４と、制御情報抽出部２３５とを備える。但し、ＦＦＴ部２３１、干渉測定部２３２、サブキャリア復調部２３３、復号部２３４及び制御情報抽出部２３５の起動及び停止は判定部２０５によって制御される。
【０２２６】
（ＦＦＴ部２３１）
ＦＦＴ（Fast Fourier Transform）部２３１は、ＡＤ変換部２０１から入力されるデジタルベースバンド信号を高速フーリエ変換することによって複数のサブキャリアに分離し、複数のサブキャリアに係るデジタル信号（以下、「デジタルサブキャリア信号」と言う。）を干渉測定部２３２とサブキャリア復調部２３３とへ出力する。なお、デジタルベースバンド信号をサブキャリアに分離する手段として、高速フーリエ変換の他に、例えば、ウェーブレット或いはフィルタバンクが挙げられる。
【０２２７】
（干渉測定部２３２）
干渉測定部２３２は、ＦＦＴ部２３１から出力されている各デジタルサブキャリア信号に基づいて各サブキャリアに係る干渉パケット信号の特徴量を測定し、測定した各サブキャリアに係る干渉パケット信号の特徴量を保持する。但し、干渉測定部２３２は、例えば、サブキャリア毎に、干渉パケット信号を行列要素とする干渉信号行列の共分散行列を算出することによって干渉パケット信号の特徴量の測定を行う。
【０２２８】
（サブキャリア復調部２３３）
サブキャリア復調部２３３は、サブキャリア毎に、ＬＴＳ或いはＨＴＬＴＳに関連したＦＦＴ部２３１から出力されている各サブキャリアのデジタルサブキャリア信号に基づいてチャネル推定（基準振幅及び基準位相の推定）を行う。
サブキャリア復調部２３３は、ＳＩＧＮＡＬシンボル、ＨＴＳＩＧＮＡＬシンボル及びＤＡＴＡシンボルに関連したＦＦＴ部２３１から出力されている各デジタルサブキャリア信号の復調を行う。但し、サブキャリア復調部２３３は、受信中の無線パケット信号が自機器宛の無線パケット信号であると判定されるまでは、推定した基準振幅及び基準位相を用いて復調処理を行う。また、サブキャリア復調部２３３は、受信中の無線パケット信号が自機器宛の無線パケット信号であると判定された後は、推定した基準振幅及び基準位相と干渉測定部２３２に保持されている特徴量とを用いて復調処理を行う。
【０２２９】
（復号部２３４）
復号部２３４は、サブキャリア復調部２３３による復調によって得られたデジタル信号を用いてデマッピング処理を実行し、デマッピング処理の結果得られたデジタル信号（以下、「復号データ」と言う。）を出力する。
（制御情報抽出部２３５）
制御情報抽出部２３５は、ＳＩＧＮＡＬシンボル或いはＨＴＳＩＧＮＡＬシンボルに関連した復号部２３４から出力される復号データからデータ長、伝送速度及び狭帯域パケット信号か広帯域パケット信号か示す情報などを抽出する。また、制御情報抽出部２３５は、ＤＡＴＡシンボルに関連した復号部２３４から出力される復号データから宛先情報及び送信元情報を抽出する。そして、制御情報抽出部２３５は、抽出した情報を含む制御情報通知信号を順次判定部２０５へ出力する。
【０２３０】
＜無線通信機器の動作＞
以下、図２８の判定部２０５が行う無線パケット信号の判定処理について図２９を参照しつつ説明する。図２９は図２８の判定部２０５が行う無線パケット信号の判定処理の手順を示すフローチャートである。
なお、アナログベースバンド信号がＡＤ変換部２０１に入力される。アナログベースバンド信号はＡＤ変換部２０１によってデジタルベースバンド信号に変換され、デジタルベースバンド信号がＡＤ変換部２０１から出力される。
【０２３１】
プライマリーＳＴＳ検出部２０２、セカンダリーＳＴＳ検出部２０３及び隣接チャネル電力検出部２０４は、所定の処理を行い、プライマリーＳＴＳ検出信号、セカンダリーＳＴＳ検出信号及びプライマリー隣接チャネル検出信号を判定部２０５へ出力する。
判定部２０５は、プライマリーＳＴＳ検出信号に基づいてプライマリーチャネルＣＨ２においてプライマリーＳＴＳが検出されたか否かを判定する（ステップＳ６０１）。なお、判定部２０５は、プライマリーＳＴＳ検出信号がローレベルからハイレベルへ遷移した場合にプライマリーＳＴＳが検出されたと判定する。
【０２３２】
判定部２０５は、プライマリーＳＴＳが検出されていないと判定した場合には（Ｓ６０１：ＮＯ）、セカンダリーＳＴＳ検出信号に基づいてセカンダリーチャネルＣＨ３においてセカンダリーＳＴＳが検出されたか否かを判定する（ステップＳ６０２）。なお、判定部２０５は、セカンダリーＳＴＳ検出信号がローレベルからハイレベルへ遷移した場合にセカンダリーＳＴＳが検出されたと判定する。
【０２３３】
判定部２０５は、セカンダリーＳＴＳが検出されていないと判定した場合には（Ｓ６０２：ＮＯ）、ステップＳ６０１の処理へ進む。
判定部２０５は、セカンダリーＳＴＳが検出されたと判定した場合には（Ｓ６０２：ＹＥＳ）、受信中の無線パケット信号が干渉パケット信号（無線パケット信号６０３，６０４）であると判定し、復調部２０６に対して干渉パケット処理を指示する（ステップＳ６０３）。なお、復調部２０６は、この指示を受けて、ＦＦＴ部２３１及び干渉測定部２３２を起動し、干渉測定部２３２は干渉パケット信号の特徴量の測定を行い、測定した干渉パケットの特徴量を保持する（干渉パケット処理）。但し、干渉パケット処理では、サブキャリア復調部２３３、復号部２３４及び制御情報抽出部２３５は動作を停止している。
【０２３４】
判定部２０５は、プライマリーＳＴＳが検出されたと判定した場合には（Ｓ６０１：ＹＥＳ）、セカンダリーＳＴＳ検出信号に基づいてセカンダリーチャネルＣＨ３においてセカンダリーＳＴＳがプライマリーＳＴＳとほぼ同時に検出されたか否かを判定する（ステップＳ６０４）。なお、判定部２０５は、プライマリーＳＴＳ検出信号がローレベルからハイレベルへ遷移した時間とほぼ同時にセカンダリーＳＴＳ検出信号がローレベルからハイレベルへ遷移した場合にセカンダリーＳＴＳがプライマリーＳＴＳと略同時に検出されたと判定する。
【０２３５】
なお、プライマリーＳＴＳとセカンダリーＳＴＳの波形が同一であれば、同一のパケット信号に係るプライマリーＳＴＳとセカンダリーＳＴＳとは同時に検出される。しかしながら、伝送路による遅延及び送信側で予め与えられた遅延などによって、プライマリーＳＴＳとセカンダリーＳＴＳとの検出に若干の時間差が生じることがある。このことを踏まえ、プライマリーＳＴＳとセカンダリーＳＴＳとが同時に送信されたとみなせる時間幅を設定しておき、当該時間幅内にプライマリーＳＴＳとセカンダリーＳＴＳが検出された場合に、セカンダリーＳＴＳがプライマリーＳＴＳとほぼ同時に検出されたと判定する。
【０２３６】
判定部２０５は、プライマリーＳＴＳとほぼ同時にセカンダリーＳＴＳが検出されたと判定した場合には（Ｓ６０４：ＹＥＳ）、受信中の無線パケット信号が希望パケット信号及び干渉パケット信号の双方の可能性がある広帯域パケット信号（無線パケット信号６０２）であると判定する。そして、判定部２０５は、復調部２０６に対して広帯域パケット処理を指示する（ステップＳ６０５）。なお、復調部２０６は、この指示を受けて、ＦＦＴ部２３１、サブキャリア復調部２３３、復号部２３４及び制御情報抽出部２３５を起動し、プライマリーチャネルＣＨ２及びセカンダリーチャネルＣＨ３に関する広帯域パケット処理を実行する。当該広帯域パケット処理の実行中に、制御情報抽出部２３５から判定部２０５へ宛先情報を含む制御情報通知信号が出力される。
【０２３７】
判定部２０５は、プライマリーＳＴＳとほぼ同時にセカンダリーＳＴＳが検出されなかったと判定した場合には（Ｓ６０４：ＮＯ）、プライマリー隣接チャネル検出信号に基づいてプライマリー隣接チャネルＣＨ１の信号成分がプライマリーＳＴＳとほぼ同時に検出されたか否かを判定する（ステップＳ６０６）。なお、判定部２０５は、プライマリーＳＴＳ検出信号がローレベルからハイレベルへ遷移した時間とほぼ同時にプライマリー隣接チャネル検出信号がローレベルからハイレベルへ遷移した場合にプライマリー隣接チャネルＣＨ１の信号成分がプライマリーＳＴＳと略同時に検出されたと判定する。
【０２３８】
なお、プライマリーＳＴＳとプライマリー隣接チャネルＣＨ１を伝送するＳＴＳ（以下、「プライマリー隣接ＳＴＳ」と言う。）の波形が同一であれば、同一のパケット信号に係るプライマリーＳＴＳとプライマリー隣接ＳＴＳとは同時に検出される。しかしながら、伝送路による遅延及び送信側で予め与えられた遅延などによって、プライマリーＳＴＳとプライマリー隣接ＳＴＳとの検出に若干の時間差が生じることがある。このことを踏まえ、プライマリーＳＴＳとプライマリー隣接ＳＴＳとが同時に送信されたとみなせる時間幅を設定しておき、当該時間幅内にプライマリーＳＴＳとプライマリー隣接チャネルＣＨ１の信号成分が検出された場合に、プライマリー隣接チャネルＣＨ１の信号成分がプライマリーＳＴＳとほぼ同時に検出されたと判定する。
【０２３９】
判定部２０５は、プライマリーＳＴＳとほぼ同時にプライマリー隣接チャネルＣＨ１の信号成分が検出されたと判定した場合には（Ｓ６０６：ＹＥＳ）、受信中の無線パケット信号が干渉パケット信号（無線パケット信号６０５）であると判定し、復調部２０６に対して干渉パケット処理を指示する（ステップＳ６０３）。なお、復調部２０６は、この指示を受けて、ＦＦＴ部２３１及び干渉測定部２３２を起動し、干渉パケット処理を行う。
【０２４０】
判定部２０５は、プライマリーＳＴＳとほぼ同時にプライマリー隣接チャネルＣＨ１の信号成分が検出されなかったと判定した場合には（Ｓ６０６：ＮＯ）、受信中の無線パケット信号が希望パケット信号及び干渉パケット信号の双方の可能性がある狭帯域パケット信号（無線パケット信号６０１）であると判定し、復調部２０６に対して狭帯域パケット処理を指示する（ステップＳ６０７）。なお、復調部２０６は、この指示を受けて、ＦＦＴ部２３１、サブキャリア復調部２３３、復号部２３４及び制御情報抽出部２３５を起動し、プライマリーチャネルＣＨ２に関する狭帯域パケット処理を実行する。当該狭帯域パケット処理の実行中に、制御情報抽出部２３５から判定部２０５へ宛先情報を含む制御情報通知信号が出力される。
【０２４１】
制御情報抽出部２３５によって宛先情報が復号データから抽出されると、判定部２０５は、制御情報抽出部２３５から入力される制御情報通知信号に含まれる宛先情報に基づいて受信中の無線パケット信号が自機器宛の無線パケット信号であるか否かを判定する（ステップＳ６０８）。
判定部２０５は、受信中の無線パケット信号が自機器宛の無線パケット信号でない、つまり干渉パケット信号であると判定した場合には（Ｓ６０８：ＮＯ）、復調部２０６に対して干渉パケット処理を指示する（ステップＳ６０３）。なお、復調部２０６は、この指示を受けて、サブキャリア復調部２３３、復号部２３４及び制御情報抽出部２３５の動作を停止させるとともに、干渉測定部２３２を起動し、干渉パケット処理を行う。
【０２４２】
判定部２０５は、受信中の無線パケット信号が自機器宛の無線パケット信号である、つまり希望パケット信号であると判定した場合には（Ｓ６０８：ＹＥＳ）、復調部２０６に対してデータ受信処理を指示する（ステップＳ６０９）。なお、復調部２０６は、この指示を受けて、更に干渉測定部２３２を起動させ、干渉測定部２３２に保持されている以前に受信した干渉パケット信号の特徴量を用いたデータ受信処理を行う。
【０２４３】
なお、復調部２０６の処理がハードウェアロジックによって行われている場合には、動作を止める各部に対してクロックの供給を止めることによって或いは電源供給を止めることによって、当該各部の動作を止めることができる。或いは、復調部２０６の処理が汎用プロセッサを用いてプログラム処理されている場合には、動作を止める各部に関する処理ルーチンを呼び出さないようにすることによって、当該各部に関する処理が行われないようにする。
【０２４４】
上述したステップＳ６０１，Ｓ６０２，Ｓ６０４，Ｓ６０６の各判定処理は、無線パケット信号が受信されている場合、当該無線パケット信号の先頭に付加されたＳＴＳ（プライマリーＳＴＳ、セカンダリーＳＴＳ）に関する信号区間において実行されることになる。このため、受信している無線パケット信号が干渉パケット信号（無線パケット信号６０３、６０４、６０５）であるか希望パケット信号及び干渉パケット信号の双方の可能性がある無線パケット信号６０１，６０２であるかの判定を、無線パケット信号の受信を開始してから短時間のうちに終了することができる。
【０２４５】
ステップＳ６０１，Ｓ６０２，Ｓ６０４の各判定処理及びステップＳ６０８の判定処理の結果に応じて、復調部２０６の各部の動作の起動及び停止が制御されるため、復号部２０６の各部の不要な動作による無駄な電力消費を抑えることができる。
≪第７の実施の形態≫
以下、本発明の第７の実施の形態について図面を参照しつつ説明する。
【０２４６】
例えば、無線通信機器は、隣接する２つの周波数チャネルを連結して広帯域化した周波数チャネルの使用を他の無線通信機器に通知する場合、図２６（ａ）のフレームフォーマットを持つ狭帯域パケット信号を当該隣接する２つの周波数チャネルの夫々において略同時に送信する。なお、以下において、隣接する周波数チャネルを略同時に伝送する狭帯域パケット信号の対を「対狭帯域パケット信号」と言う。
【０２４７】
本実施の形態の無線通信機器は、第６の実施の形態の無線通信機器が判定対象とする無線パケット信号に加え、対狭帯域パケット信号も判定対象とする。
＜無線パケット信号と周波数チャネルとの関係＞
本実施の形態の無線通信機器が判定対象とする無線パケット信号と周波数チャネルとの関係について図３０及び図３１を参照しつつ説明する。図３０及び図３１は本実施の形態の無線通信機器が判定対象とする無線パケット信号と周波数チャネルとの関係を説明するための模式図である。
【０２４８】
図３０及び図３１では、帯域幅が互いに等しい４つの周波数チャネルＣＨ１〜ＣＨ４を示しており、無線通信機器は周波数チャネルＣＨ２をプライマリーチャネルとし、周波数チャネルＣＨ３をセカンダリーチャネルとして無線通信を行うものとする。
プライマリーチャネルＣＨ２を伝送する無線パケット信号７０１及びセカンダリーチャネルＣＨ３を伝送する無線パケット信号７０６は、図２６（ａ）のフレームフォーマットを持つ狭帯域パケット信号である。なお、無線パケット信号７０１は、希望パケット信号の場合もあれば、干渉パケット信号の場合もある。また、無線パケット信号７０６は、第６の実施の形態と異なり、希望パケット信号の場合もあれば、干渉パケット信号の場合もある。これは、無線通信機器が一の周波数チャネルの使用を図２６（ａ）のフレームフォーマットを持つ狭帯域パケット信号を用いて他の無線通信機器に通知することを考慮したものである。
【０２４９】
無線パケット信号７０２，７０７，７０８は、図２６（ｂ）のフレームフォーマットを持つ広帯域パケット信号である。但し、無線パケット信号７０２は、希望パケット信号の場合もあれば、干渉パケット信号の場合もある。また、無線パケット信号７０７，７０８は、干渉パケット信号である。
無線パケット信号７０３ａ，７０３ｂ，７０４ａ，７０４ｂ，７０５ａ，７０５ｂは、図２６（ａ）のフレームフォーマットを持つ狭帯域パケット信号である。但し、無線パケット信号７０３ａと無線パケット信号７０３ｂとは対狭帯域パケット信号７０３を構成し、無線パケット信号７０４ａと無線パケット信号７０４ｂとは対狭帯域パケット信号７０４を構成し、無線パケット信号７０５ａと無線パケット信号７０５ｂとは対狭帯域パケット信号７０５を構成する。なお、対狭帯域パケット信号７０３〜７０５は、希望パケット信号の場合もあれば、干渉パケット信号の場合もある。
【０２５０】
＜無線パケット信号の電力スペクトラム＞
図２６（ａ）に示したフレームフォーマットを持つ狭帯域パケット信号は、隣接する周波数チャネルを伝送する無線パケット信号に対して影響を及ぼさないように、自身が伝送する周波数チャネルのガードバンドを除く帯域にのみサブキャリアを有する。言い換えると、狭帯域パケット信号は、自身が伝送する周波数チャネルのガードバンドにはサブキャリアを有しない。
【０２５１】
図２６（ｂ）に示したフレームフォーマットを持つ広帯域パケット信号は、互いに隣接する２つの周波数チャネルを結合して広帯域化した周波数チャネルを伝送する。このため、広帯域パケット信号では、隣接する２つの周波数チャネルに設けられた、２つの周波数チャネルが隣接する側のガードバンドにもサブキャリアを配置することができる。なお、以下において、ガードバンドに配置されたサブキャリアを「帯域外サブキャリア」と言う。
【０２５２】
以下、図３０及び図３１の各無線パケット信号のサブキャリアの電力スペクトラムについて図３２から図３４を参照しつつ説明する。図３２から図３４は図３０及び図３１の無線パケット信号の電力スペクトラムを説明するための模式図である。
図３２は、広帯域パケット信号に関する図２６（ｂ）のフレームフォーマットのＨＴＬＴＳ及びＤＡＴＡシンボルを構成するサブキャリアの電力スペクトラムを示す。
【０２５３】
図３２（ａ）の電力スペクトラムは図３１の広帯域パケット信号７０８に関するものであり、広帯域パケット信号７０８は周波数チャネルＣＨ１とプライマリーチャネルＣＨ２とにおいてそれらが互いに隣接する側のガードバンドに帯域外サブキャリアを含む。図３２（ｂ）の電力スペクトラムは図３０の広帯域パケット信号７０２に関するものであり、広帯域パケット信号７０２はプライマリーチャネルＣＨ２とセカンダリーチャネルＣＨ３とにおいてそれらが互いに隣接する側のガードバンドに帯域外サブキャリアを含む。図３２（ｃ）の電力スペクトラムは図３１の広帯域パケット信号７０７に関するものであり、広帯域パケット信号７０７はセカンダリーチャネルＣＨ３と周波数チャネルＣＨ４とにおいてそれらが互いに隣接する側のガードバンドに帯域外サブキャリアを含む。
【０２５４】
図３３は、狭帯域パケット信号に関する図２６（ａ）のフレームフォーマットにおけるＨＴＬＴＳ及びＤＡＴＡシンボルを構成するサブキャリアの電力スペクトラムを示す。
図３３（ａ）の電力スペクトラムは図３０の狭帯域パケット信号７０１に関するものであり、狭帯域パケット信号７０１はプライマリーチャネルＣＨ２のガードバンドに帯域外サブキャリアを含まない。図３３（ｂ）の電力スペクトラムは図３１の狭帯域パケット信号７０６に関するものであり、狭帯域パケット信号７０６はセカンダリーチャネルＣＨ３のガードバンドに帯域外サブキャリアを含まない。
【０２５５】
図３４は、図２６（ａ）のフレームフォーマットを持つ２つの狭帯域パケット信号におけるＨＴＬＴＳ及びＤＡＴＡシンボルを構成するサブキャリアの電力スペクトラムを示す。
図３４（ａ）の電力スペクトラムは図３１の対狭帯域パケット信号７０４に関するものであり、対狭帯域パケット信号７０４は周波数チャネルＣＨ１及びプライマリーチャネルＣＨ２の夫々のガードバンドに帯域外サブキャリアを含まない。図３４（ｂ）の電力スペクトラムは図３０の対狭帯域パケット信号７０３に関するものであり、対狭帯域パケット信号７０３はプライマリーチャネルＣＨ２及びセカンダリーチャネルＣＨ３の夫々のガードバンドに帯域外サブキャリアを含まない。図３４（ｃ）の電力スペクトラムは図３１の対狭帯域パケット信号７０５に関するものであり、対狭帯域パケット信号７０５はセカンダリーチャネルＣＨ３及び周波数チャネルＣＨ４の夫々のガードバンドに帯域外サブキャリアを含まない。
【０２５６】
上述したことから分かる通り、広帯域パケット信号におけるＨＴＬＴＳ及びＤＡＴＡシンボルにのみ帯域外サブキャリアが存在する。従って、帯域外サブキャリアの存在の有無により、無線パケット信号が広帯域パケット信号であるか、それ以外の無線パケット信号（狭帯域パケット信号、対狭帯域パケット信号）であるかの判定を行うことが可能である。
【０２５７】
＜無線通信機器の構成＞
以下、本実施の形態の無線通信機器の構成について図３５を参照しつつ説明する。図３５は本実施の形態の無線通信機器の機器構成図である。なお、本実施の形態において、第６の実施の形態と実質的に同じ構成要素には第６の実施の形態と同じ符号を付し、第６の実施の形態の説明が適用できるため本実施の形態ではその説明を省略する。
【０２５８】
無線通信機器２００ａは、ＡＤ変換部２０１と、プライマリーＳＴＳ検出部２０２と、セカンダリーＳＴＳ検出部２０３と、隣接チャネル電力検出部２０４ａと、判定部２０５ａと、復調部２０６ａとを備える。
［隣接チャネル電力検出部２０４ａ］
なお、以下において、セカンダリーチャネルＣＨ３に隣接する周波数チャネルのうちプライマリーチャネルＣＨ２でない方の周波数チャネルＣＨ４を適宜「セカンダリー隣接チャネルＣＨ４」と言う。
【０２５９】
隣接チャネル電力検出部２０４ａは、隣接チャネル電力検出部２０４が行うプライマリー隣接チャネルＣＨ１に関する処理に加え、次の処理も行う。
隣接チャネル電力検出部２０４ａは、セカンダリー隣接チャネルＣＨ４の帯域を観測して、セカンダリー隣接チャネルＣＨ４の帯域におけるデジタルベースバンド信号の信号成分（以下、「セカンダリー隣接チャネル成分」と言う。）の電力値を検出する。そして、隣接チャネル電力検出部２０４ａは、セカンダリー隣接チャネル成分の電力値と成分電力閾値とを比較する。隣接チャネル電力検出部２０４ａは、セカンダリー隣接チャネル成分の電力値が成分電力閾値以上になると、セカンダリー隣接チャネルＣＨ４の信号成分を検出したとして、パルス期間ハイレベルのセカンダリー隣接チャネル検出信号を判定部２０５ａへ出力する。なお、デジタルベースバンド信号からセカンダリー隣接チャネル成分を取り出すための手段として、ＢＰＦ、フーリエ変換、ウェーブレット変換或いはフィルタバンクなどを用いることができる。
【０２６０】
［判定部２０５ａ］
判定部２０５ａには、判定部２０５に入力される信号に加え、隣接チャネル電力検出部２０４ａからセカンダリー隣接チャネル検出信号が入力され、復調部２０６ａの後述する帯域外サブキャリア検出部２５１からプライマリー帯域外サブキャリア検出信号及びセカンダリー帯域外サブキャリア検出信号が入力される。
【０２６１】
判定部２０５ａは、プライマリーＳＴＳ検出信号と、セカンダリーＳＴＳ検出信号と、プライマリー隣接チャネル検出信号と、セカンダリー隣接チャネル検出信号とに基づいて、受信している無線パケット信号が図３０及び図３１のどの無線パケット信号７０１〜７０８に相当するかを判定する。
プライマリーＳＴＳ検出信号、セカンダリーＳＴＳ検出信号、プライマリー隣接チャネル検出信号及びセカンダリー隣接チャネル検出信号のみでは、受信中の無線パケット信号が、無線パケット信号７０４と無線パケット信号７０８との何れであるの判別ができず、また、無線パケット信号７０５と無線パケット信号７０７との何れであるかの判別ができない。
【０２６２】
そこで、判定部２０５ａは、プライマリー帯域外サブキャリア検出信号或いはセカンダリー帯域外サブキャリア検出信号に基づいて、受信している無線パケット信号が対狭帯域パケット信号７０４と無線パケット信号７０８との何れであるか、或いは、受信している無線パケット信号が対狭帯域無線パケット信号７０５と無線パケット信号７０７との何れであるか、を判定する。当該判定はＨＴＬＴＳの受信期間において行うことができるため、ＤＡＴＡシンボルを受信する前に当該判定を終了することができる。
【０２６３】
判定部２０５ａは、希望パケット信号及び干渉パケット信号の双方の可能性がある無線パケット信号７０１〜７０６を受信していると判定した場合、さらに、制御情報通知信号に含まれる宛先情報に基づいて無線パケット信号７０１〜７０６が自機器宛の無線パケット信号であるか否かを判定する。
［復調部２０６ａ］
復調部２０６ａは、ＡＤ変換部２０１から入力されるデジタルベースバンド信号の復調処理を行うものであり、復調部２０６の構成要素に加え、帯域外サブキャリア検出部２５１を備える。但し、ＦＦＴ部２３１、干渉測定部２３２、サブキャリア復調部２３３、復号部２３４及び制御情報抽出部２３５の起動及び停止は判定部２０５ａによって制御される。
【０２６４】
（帯域外サブキャリア検出部２５１）
帯域外サブキャリア検出部２５１は、ＨＴＬＴＳｓに関連したＦＦＴ部２３１から出力されているデジタルサブキャリア信号に基づいてプライマリーチャネルＣＨ２における帯域外サブキャリアの有無を検出するための検出処理を行う。そして、帯域外サブキャリア検出部２５１は、プライマリーチャネルＣＨ２における帯域外サブキャリアの存在を検出している間ハイレベルのプライマリー帯域外サブキャリア検出信号を判定部２０５ａへ出力する。
【０２６５】
また、帯域外サブキャリア検出部２５１は、ＨＴＬＴＳｓに関連したＦＦＴ部２３１から出力されているデジタルサブキャリア信号に基づいてセカンダリーチャネルＣＨ２における帯域外サブキャリアの有無を検出するための検出処理を行う。そして、帯域外サブキャリア検出部２５１は、セカンダリーチャネルＣＨ３における帯域外サブキャリアの存在を検出している間ハイレベルのセカンダリー帯域外サブキャリア検出信号を判定部２０５ａへ出力する。
【０２６６】
＜無線通信機器の動作＞
以下、図３５の判定部２０５ａが行う無線パケット信号の判定処理について図３６を参照しつつ説明する。図３６は図３５の判定部２０５ａが行う無線パケット信号の判定処理の手順を示すフローチャートである。
なお、アナログベースバンド信号がＡＤ変換部２０１に入力される。アナログベースバンド信号はＡＤ変換部２０１によってデジタルベースバンド信号に変換され、デジタルベースバンド信号がＡＤ変換部２０１から出力される。
【０２６７】
プライマリーＳＴＳ検出部２０２、セカンダリーＳＴＳ検出部２０３及び隣接チャネル電力検出部２０４は、所定の処理を行い、プライマリーＳＴＳ検出信号、セカンダリーＳＴＳ検出信号、プライマリー隣接チャネル検出信号及びセカンダリー隣接チャネル検出信号を判定部２０５ａへ出力する。
判定部２０５ａは、プライマリーＳＴＳ検出信号に基づいてプライマリーチャネルＣＨ２においてプライマリーＳＴＳが検出されたか否かを判定する（ステップＳ７０１）。
【０２６８】
判定部２０５ａは、プライマリーＳＴＳが検出されていないと判定した場合には（Ｓ７０１：ＮＯ）、セカンダリーＳＴＳ検出信号に基づいてセカンダリーチャネルＣＨ３においてセカンダリーＳＴＳが検出されたか否かを判定する（ステップＳ７０２）。判定部２０５ａは、セカンダリーＳＴＳが検出されていないと判定した場合には（Ｓ７０２：ＮＯ）、ステップＳ７０１の処理へ進む。
【０２６９】
判定部２０５ａは、セカンダリーＳＴＳが検出されたと判定した場合には（Ｓ７０２：ＹＥＳ）、セカンダリー隣接チャネル検出信号に基づいてセカンダリー隣接チャネルＣＨ４の信号成分がセカンダリーＳＴＳとほぼ同時に検出されたか否かを判定する（ステップＳ７０３）。なお、判定部２０５ａは、セカンダリーＳＴＳ検出信号がローレベルからハイレベルへ遷移した時間とほぼ同時にセカンダリー隣接チャネル検出信号がローレベルからハイレベルへ遷移した場合にセカンダリー隣接チャネルＣＨ４の信号成分がセカンダリーＳＴＳと略同時に検出されたと判定する。
【０２７０】
なお、セカンダリーＳＴＳとセカンダリー隣接チャネルＣＨ４を伝送するＳＴＳ（以下、「セカンダリー隣接ＳＴＳ」と言う。）の波形が同一であれば、同一のパケット信号に係るセカンダリーＳＴＳとセカンダリー隣接ＳＴＳとは同時に検出される。しかしながら、伝送路による遅延及び送信側で予め与えられた遅延などによって、セカンダリーＳＴＳとセカンダリー隣接ＳＴＳとの検出に若干の時間差が生じることがある。このことを踏まえ、セカンダリーＳＴＳとセカンダリー隣接ＳＴＳとが同時に送信されたとみなせる時間幅を設定しておき、当該時間幅内にセカンダリーＳＴＳとセカンダリー隣接チャネルＣＨ４の信号成分が検出された場合に、セカンダリー隣接チャネルＣＨ４の信号成分がセカンダリーＳＴＳとほぼ同時に検出されたと判定する。
【０２７１】
判定部２０５ａは、セカンダリーＳＴＳとほぼ同時にセカンダリー隣接チャネルＣＨ４の信号成分が検出されなかったと判定した場合には（Ｓ７０３：ＮＯ）、受信中の無線パケット信号が希望パケット信号と干渉パケット信号との双方の可能性がある狭帯域パケット信号（無線パケット信号７０６）であると判定し、復調部２０６ａに対して狭帯域パケット処理を指示する（ステップＳ７０９）。なお、復調部２０６ａは、この指示を受けて、ＦＦＴ部２３１、サブキャリア復調部２３３、復号部２３４及び制御情報抽出部２３５を起動し、セカンダリーチャネルＣＨ３に関する狭帯域パケット処理を実行する。当該狭帯域パケット処理の実行中に、制御情報抽出部２３５から判定部２０５ａへ宛先情報を含む制御情報通知信号が出力される。
【０２７２】
判定部２０５ａは、セカンダリーＳＴＳとほぼ同時にセカンダリー隣接チャネルＣＨ４の信号成分が検出されたと判定した場合には（Ｓ７０３：ＹＥＳ）、帯域外サブキャリア検出部２５１から入力されるセカンダリー帯域外サブキャリア検出信号に基づいてセカンダリーチャネルＣＨ３において帯域外サブキャリアが検出されたか否かを判定する（ステップＳ７０４）。なお、判定部２０５ａはセカンダリー帯域外サブキャリア検出信号がハイレベルの場合にセカンダリーチャネルＣＨ３において帯域外サブキャリアが検出されたと判定する。
【０２７３】
但し、セカンダリーＳＴＳとほぼ同時にセカンダリー隣接チャネルＣＨ４の信号成分が検出された場合、復調部２０６ａのＦＦＴ部２３１、サブキャリア復調部２３３、復号部２３４及び帯域外サブキャリア検出部２５１が起動させられる。そして、ロングプリアンブル信号ＬＴＳｓ、ＳＩＧＮＡＬシンボル、ＨＴＳＩＧＮＡＬシンボル及びＨＴショートプリアンブル信号ＨＴＳＴＳｓ及びＨＴロングプリアンブル信号ＨＴＬＴＳｓに対する処理が行われる。
【０２７４】
判定部２０５ａは、帯域外サブキャリアが検出されていないと判定した場合には（Ｓ７０４：ＮＯ）、受信中の無線パケット信号が対狭帯域パケット信号７０５を構成する狭帯域パケット信号７０５ａであると判定し、復調部２０６ａに対して狭帯域パケット処理を指示する（ステップＳ７０９）。なお、復調部２０６ａは、この指示を受けて、動作中のＦＦＴ部２３１、サブキャリア復調部２３３及び復号部２３４を除く帯域外サブキャリア検出部２５１の動作を停止させるとともに、制御情報抽出部２３５を起動し、セカンダリーチャネルＣＨ３に関する狭帯域パケット処理を実行する。当該狭帯域パケット処理の実行中に、制御情報抽出部２３５から判定部２０５ａへ宛先情報を含む制御情報通知信号が出力される。
【０２７５】
判定部２０５ａは、帯域外サブキャリアが検出されたと判定した場合には（Ｓ７０４：ＹＥＳ）、受信中の無線パケット信号が干渉パケット信号（広帯域パケット信号７０７）であると判定し、復調部２０６ａに対して干渉パケット処理を指示する（ステップＳ７０５）。なお、復調部２０６ａは、この指示を受けて、ＦＦＴ部２３１を除く動作中の各部を停止させるとともに、干渉測定部２３２を起動し、干渉パケット処理を行う。
【０２７６】
ステップＳ７０１の判定処理において、判定部２０５ａは、プライマリーＳＴＳが検出されたと判定した場合には（Ｓ７０１：ＹＥＳ）、セカンダリーＳＴＳ検出信号に基づいてセカンダリーチャネルＣＨ３においてセカンダリーＳＴＳがプライマリーＳＴＳとほぼ同時に検出されたか否かを判定する（ステップＳ７０６）。
判定部２０５ａは、プライマリーＳＴＳとほぼ同時にセカンダリーＳＴＳが検出されたと判定した場合には（Ｓ７０６：ＹＥＳ）、受信中の無線パケット信号が希望パケット信号及び干渉パケット信号の双方の可能性がある広帯域パケット信号（無線パケット信号７０２，７０３）であると判定し、復調部２０６ａに対して広帯域パケット処理を指示する（ステップＳ７０７）。なお、復調部２０６ａは、この指示を受けて、ＦＦＴ部２３１、サブキャリア復調部２３３、復号部２３４及び制御情報抽出部２３５を起動し、プライマリーチャネルＣＨ２及びセカンダリーチャネルＣＨ３に関する広帯域パケット処理を実行する。当該広帯域パケット処理の実行中に、制御情報抽出部２３５から判定部２０５ａへ宛先情報を含む制御情報通知信号が出力される。
【０２７７】
判定部２０５ａは、プライマリーＳＴＳとほぼ同時にセカンダリーＳＴＳが検出されなかったと判定した場合には（Ｓ７０６：ＮＯ）、プライマリー隣接チャネル検出信号に基づいてプライマリー隣接チャネルＣＨ１の信号成分がプライマリーＳＴＳとほぼ同時に検出されたか否かを判定する（ステップＳ７０８）。
判定部２０５ａは、プライマリーＳＴＳとほぼ同時にプライマリー隣接チャネルＣＨ１の信号成分が検出されたと判定した場合には（Ｓ７０８：ＮＯ）、受信中の無線パケット信号が希望パケット信号及び干渉パケット信号の双方の可能性がある狭帯域パケット信号（無線パケット信号７０１）であると判定し、復調部２０６ａに対して狭帯域パケット処理を指示する（ステップＳ７０９）。なお、復調部２０６ａは、この指示を受けて、ＦＦＴ部２３１、サブキャリア復調部２３３、復号部２３４及び制御情報抽出部２３５を起動し、プライマリーチャネルＣＨ２に関する狭帯域パケット処理を実行する。当該狭帯域パケット処理の実行中に、制御情報抽出部２３５から判定部２０５ａへ宛先情報を含む制御情報通知信号が出力される。
【０２７８】
判定部２０５ａは、プライマリーＳＴＳとほぼ同時にプライマリー隣接チャネルＣＨ１の信号成分が検出されたと判定した場合には（Ｓ７０８：ＹＥＳ）、帯域外サブキャリア検出部２５１から入力されるプライマリー帯域外サブキャリア検出信号に基づいてプライマリーチャネルＣＨ２において帯域外サブキャリアが検出されたか否かを判定する（ステップＳ７１０）。なお、判定部２０５ａはプライマリー帯域外サブキャリア検出信号がハイレベルの場合にプライマリーチャネルＣＨ２において帯域外サブキャリアが検出されたと判定する。
【０２７９】
但し、プライマリーＳＴＳとほぼ同時にプライマリー隣接チャネルＣＨ４の信号成分が検出された場合、復調部２０６ａのＦＦＴ部２３１、サブキャリア復調部２３３、復号部２３４及び帯域外サブキャリア検出部２５１が起動させられる。そして、ロングプリアンブル信号ＬＴＳｓ、ＳＩＧＮＡＬシンボル、ＨＴＳＩＧＮＡＬシンボル及びＨＴショートプリアンブル信号ＨＴＳＴＳｓ及びＨＴロングプリアンブル信号ＨＴＬＴＳｓに対する処理が行われる。
【０２８０】
判定部２０５ａは、帯域外サブキャリアが検出されなかったと判定した場合には（Ｓ７１０：ＮＯ）、受信中の無線パケット信号が対狭帯域パケット信号７０４を構成する帯域パケット信号７０４ａであると判定し、復調部２０６ａに対して狭帯域パケット処理を指示する（ステップＳ７０９）。なお、復調部２０６ａは、この指示を受けて、動作中のＦＦＴ部２３１、サブキャリア復調部２３３及び復号部２３４を除く帯域外サブキャリア検出部２５１の動作を停止させるとともに、制御情報抽出部２３５を起動し、プライマリーチャネルＣＨ２に関する狭帯域パケット処理を実行する。当該狭帯域パケット処理の実行中に、制御情報抽出部２３５から判定部２０５ａへ宛先情報を含む制御情報通知信号が出力される。
【０２８１】
判定部２０５ａは、帯域外サブキャリアが検出されたと判定した場合には（Ｓ７１０：ＹＥＳ）、受信中の無線パケット信号が干渉パケット信号（広帯域パケット信号７０８）であると判定し、復調部２０６ａに対して干渉パケット処理を指示する（ステップＳ７０５）。なお、復調部２０６ａは、この指示を受けて、ＦＦＴ部２３１を除く動作中の各部を停止させるとともに、干渉測定部２３２を起動し、干渉パケット処理を行う。
【０２８２】
制御情報抽出部２３５によって宛先情報が復号データから抽出されると、判定部２０５ａは、制御情報抽出部２３５から入力される制御情報通知信号に含まれる宛先情報に基づいて受信中の無線パケット信号が自機器宛の無線パケット信号であるか否かを判定する（ステップＳ７１１）。
判定部２０５ａは、受信中の無線パケット信号が自機器宛の無線パケット信号でない、つまり干渉パケット信号であると判定した場合には（Ｓ７１１：ＮＯ）、復調部２０６ａに対して干渉パケット処理を指示する（ステップＳ７０５）。なお、復調部２０６ａは、この指示を受けて、ＦＦＴ部２３１を除く動作中の各部を停止させるとともに、干渉測定部２３２を起動し、干渉パケット処理を行う。
【０２８３】
判定部２０５ａは、受信中の無線パケット信号が自機器宛の無線パケット信号である、つまり希望パケット信号であると判定した場合には（Ｓ７１１：ＹＥＳ）、復調部２０６ａに対してデータ受信処理を指示する（ステップＳ７１２）。なお、復調部２０６ａは、この指示を受けて、更に干渉測定部２３２を起動させ、以前に受信していた干渉パケット信号の特徴量を用いたデータ受信処理を行う。
【０２８４】
上述したステップＳ７０１〜Ｓ７０３，Ｓ７０６，Ｓ７０８の各判定処理は、無線パケット信号が受信されている場合、当該無線パケット信号の先頭に付加されたＳＴＳ（プライマリーＳＴＳ、セカンダリーＳＴＳ）に関する信号区間において実行される。また、ステップＳ７０４，Ｓ７１０の各処理は、無線パケット信号のＤＡＴＡシンボルの前に付加されているＨＴロングプリアンブル信号ＨＴＬＴＳｓに関する信号区間において実行される。このため、受信している無線パケット信号が図３０及び図３１の無線パケット信号７０１〜７０８の何れであるかの判定を早期に行うことができる。この結果、復号部２０６ａの各部の不要な動作を抑制することができ、復号部２０６ａの各部の不要な動作による無駄な電力消費を抑えることができる。
【０２８５】
≪第８の実施の形態≫
以下、第８の実施の形態について図面を参照しつつ説明する。
本実施の無線通信機器は、第６の実施の形態で説明した無線パケット信号の判定方法を第１の実施の形態に組み込んだものである。但し、第６の実施の形態の無線通信機器は、無線パケット信号の先頭に付加されるＳＴＳを用いて受信中の無線パケット信号の判定処理を行う。これに対して、本実施の形態の無線通信機器は、無線パケット信号にＳＴＳに続いて付加されるＬＴＳを用いて受信中の無線パケット信号の判定処理を行う。なお、以下において、プライマリーチャネルＣＨ２を伝送するＬＴＳを、「プライマリーＬＴＳ」と言い、セカンダリーチャネルＣＨ３を伝送するＬＴＳを「セカンダリーＬＴＳ」と言う。
【０２８６】
＜無線通信機器の構成＞
以下、本実施の形態の無線通信機器３００の構成について図３７を参照しつつ説明する。図３７は本実施の形態の無線通信機器３００の機器構成図である。なお、本実施の形態において、第１の実施の形態と実質的に同じ構成要素には第１の実施の形態と同じ符号を付し、第１の実施の形態の説明が適用できるため本実施の形態ではその説明を省略する。
【０２８７】
無線通信機器３００は、アンテナ１０１と、可変利得増幅部１０２と、周波数変換部１０３と、ＡＤ変換部１０４と、デジタル信号電力検出部１０５と、ビット飽和検出部１０６と、ＳＴＳ検出部１０７ｇと、ＳＴＳ開始検出部１０８と、プライマリーＬＴＳ検出部３０１と、セカンダリーＬＴＳ検出部３０２と、隣接チャネル電力検出部３０３と、判定部３０４と、復調部３０５と、ＡＧＣ部３０６とを備える。
【０２８８】
［ＳＴＳ検出部１０７ｇ］
ＳＴＳ検出部１０７ｇは、プライマリーチャネルＣＨ２及びセカンダリーチャネルＣＨ３の夫々において、プライマリーＳＴＳ及びセカンダリーＳＴＳの検出処理を行う。ＳＴＳ検出部１０７ｇは、プライマリーＳＴＳ及びセカンダリーＳＴＳの少なくとも一方を検出すると、パルス期間ハイレベルのＳＴＳ検出信号をＳＴＳ開始検出部１０８へ出力する。
【０２８９】
［プライマリーＬＴＳ検出部３０１］
プライマリーＬＴＳ検出部３０１は、プライマリーチャネルＣＨ２の帯域を観測して、ＡＤ変換部１０４から出力されるデジタルベースバンド信号からプライマリーＬＴＳを検出するための検出処理を行う。そして、プライマリーＬＴＳ検出部３０１は、プライマリーＬＴＳを検出すると、パルス期間ハイレベルのプライマリーＬＴＳ検出信号を判定部３０４へ出力する。
【０２９０】
［セカンダリーＬＴＳ検出部３０２］
セカンダリーＬＴＳ検出部３０２は、セカンダリーチャネルＣＨ３の帯域を観測して、ＡＤ変換部１０４から出力されるデジタルベースバンド信号からセカンダリーＬＴＳを検出するための検出処理を行う。セカンダリーＬＴＳ検出部３０２は、セカンダリーＬＴＳを検出するとパルス期間ハイレベルのセカンダリーＬＴＳ検出信号を判定部３０４へ出力する。なお、プライマリーＬＴＳ検出部３０１及びセカンダリーＬＴＳ検出部３０３はＬＴＳ検出部１０９と同様の処理によってプライマリーＬＴＳの検出処理及びセカンダリーＬＴＳの検出処理を行う。
【０２９１】
［隣接チャネル電力検出部３０３］
隣接チャネル電力検出部３０３は、プライマリー隣接チャネルＣＨ１の帯域を観測して、プライマリー隣接チャネルＣＨ１の帯域におけるデジタルベースバンド信号の信号成分（プライマリー隣接チャネル成分）の電力値を検出する。そして、隣接チャネル電力検出部３０３は、プライマリー隣接チャネル成分の電力値と成分電力閾値とを比較する。隣接チャネル電力検出部３０３は、プライマリー隣接チャネル成分の電力値が成分電力閾値以上になると、プライマリー隣接チャネルＣＨ１の信号成分を検出したとして、パルス期間ハイレベルのプライマリー隣接チャネル検出信号を判定部３０４へ出力する。なお、デジタルベースバンド信号からプライマリー隣接チャネル成分を取り出すための手段として、ＢＰＦ、フーリエ変換、ウェーブレット変換或いはフィルタバンクなどを用いることができる。
【０２９２】
［判定部３０４］
判定部３０４には、プライマリーＬＴＳ検出部３０１からプライマリーＬＴＳ検出信号が入力され、セカンダリーＬＴＳ検出部３０２からセカンダリーＬＴＳ検出信号が入力され、隣接チャネル電力検出部３０３からプライマリー隣接チャネル検出信号が入力され、復調部３０５から制御情報通知信号が入力される。
【０２９３】
判定部３０４は、プライマリーＬＴＳ検出信号と、セカンダリーＬＴＳ検出信号と、プライマリー隣接チャネル検出信号とに基づいて、受信している無線パケット信号が図２７の無線パケット信号６０１〜６０５の何れに相当するかを判定する。判定部３０４は、受信している無線パケット信号が希望パケット信号及び干渉パケット信号の双方の可能性がある無線パケット信号（無線パケット信号６０１，６０２）であると判定した場合、パルス期間ハイレベルのパケット判定信号をＡＧＣ部３０６へ出力する。
【０２９４】
判定部３０４は、希望パケット信号の可能性及び干渉パケット信号の双方の可能性がある無線パケット信号６０１，６０２を受信していると判定した場合、さらに、制御情報通知信号に含まれる宛先情報に基づいて受信中の無線パケット信号６０１，６０２が自機器宛の無線パケット信号であるか否かを判定する。
［復調部３０５］
復調部３０５は、復調部２０６の機能を備え、例えば宛先情報を含む制御情報通知信号を判定部３０４へ出力する。また、復調部３０５は、受信中の無線パケット信号の復調が完了するとパルス期間ハイレベルの復調完了信号をＡＧＣ部３０６へ出力するとともに、動作を停止する。
【０２９５】
［ＡＧＣ部３０６］
ＡＧＣ部３０６は、可変利得増幅部１０２に予め定められた所定の利得の値（初期利得値）を設定し、デジタル信号電力検出部１０５から入力されるデジタル電力値信号に基づいて可変利得増幅部１０２の利得制御を行う。ＡＧＣ部３０６は、可変利得増幅部１０２の利得制御の開始の判断を、ビット飽和検出部１０６から入力されるビット飽和検出信号と、ＳＴＳ開始検出部１０８から入力されるＳＴＳ検出区間開始信号と、判定部３０４から入力されるパケット判定信号と、復調部３０５から入力される復調完了信号とに基づいて行う。
【０２９６】
＜無線通信機器の動作＞
以下、図３７の判定部３０４及びＡＧＣ部３０６が行う無線パケット信号の判定及び利得制御に係る処理について図３８から図４０を参照しつつ説明する。図３８から図４０は図３７の判定部３０４及びＡＧＣ部３０６が行う無線パケット信号の判定及び利得制御に係る処理の手順を示すフローチャートである。
【０２９７】
ＡＧＣ部３０６は、ステップＳ８０１からステップＳ８０６において図６のステップＳ１０１からステップＳ１０６と実質的に同じ処理を行う。なお、ステップＳ８０３のビット飽和利得制御処理の処理手順は、図７に示した処理手順と実質的に同じ処理手順である。ステップＳ８０５のＳＴＳ検出開始利得制御処理の処理手順は、図８に示した処理手順と実質的に同じ処理手順である。
【０２９８】
判定部３０４は、プライマリーＬＴＳ検出信号に基づいてプライマリーチャネルＣＨ２においてプライマリーＬＴＳが検出されたか否かを判定する（ステップＳ８０７）。なお、判定部３０４は、プライマリーＬＴＳ検出信号がローレベルからハイレベルへ遷移した場合にプライマリーＬＴＳが検出されたと判定する。
判定部３０４は、プライマリーＬＴＳが検出されていないと判定した場合には（Ｓ８０７：ＮＯ）、セカンダリーＬＴＳ検出信号に基づいてセカンダリーチャネルＣＨ３においてセカンダリーＬＴＳが検出されたか否かを判定する（ステップＳ８０８）。なお、判定部３０４は、セカンダリーＬＴＳ検出信号がローレベルからハイレベルへ遷移した場合にセカンダリーＬＴＳが検出されたと判定する。
【０２９９】
判定部３０４によってセカンダリーＬＴＳが検出されていないと判定された場合には（Ｓ８０８：ＮＯ）、ステップＳ８１９の処理が行われる。
判定部３０４は、セカンダリーＬＴＳが検出されたと判定した場合には（Ｓ８０８：ＹＥＳ）、受信中の無線パケット信号が干渉パケット信号（無線パケット信号６０３，６０４）であると判定し、復調部３０５に対して干渉パケット処理を指示する（ステップＳ８０９）。なお、復調部３０５は、この指示を受けて、干渉パケット処理を行う。
【０３００】
判定部３０４は、プライマリーＬＴＳが検出されたと判定した場合には（Ｓ８０７：ＹＥＳ）、セカンダリーＬＴＳ検出信号に基づいてセカンダリーチャネルＣＨ３においてセカンダリーＬＴＳがプライマリーＬＴＳとほぼ同時に検出されたか否かを判定する（ステップＳ８１０）。なお、判定部３０４は、プライマリーＬＴＳ検出信号がローレベルからハイレベルへ遷移した時間とほぼ同時にセカンダリーＬＴＳ検出信号がローレベルからハイレベルへ遷移した場合にセカンダリーＬＴＳがプライマリーＬＴＳと略同時に検出されたと判定する。
【０３０１】
なお、プライマリーＬＴＳとセカンダリーＬＴＳとの波形が同一であれば、同一のパケット信号に係るプライマリーＬＴＳとセカンダリーＬＴＳとは同時に検出される。しかしながら、伝送路による遅延及び送信側で予め与えられた遅延などによって、プライマリーＬＴＳとセカンダリーＬＴＳとの検出に若干の時間差が生じることがある。このことを踏まえ、プライマリーＬＴＳとセカンダリーＬＴＳとが同時に送信されたとみなせる時間幅を設定しておき、当該時間幅内にプライマリーＬＴＳとセカンダリーＬＴＳが検出された場合に、セカンダリーＬＴＳがプライマリーＬＴＳとほぼ同時に検出されたと判定する。
【０３０２】
判定部３０４は、プライマリーＬＴＳとほぼ同時にセカンダリーＬＳＴが検出されたと判定した場合には（Ｓ８１０：ＹＥＳ）、受信中の無線パケット信号が希望パケット信号及び干渉パケット信号の双方の可能性がある広帯域パケット信号（無線パケット信号６０２）であると判定し、パケット判定信号をパルス期間ハイレベルにする。ＡＧＣ部３０６はパケット判定信号がローレベルからハイレベルへ遷移したことを受けて、可変利得増幅部１０２の利得の値を固定する（ステップＳ８１１）。判定部３０４は、復調部３０５に対して広帯域パケット処理を指示する（ステップＳ８１２）。なお、復調部３０５は、この指示を受けて、広帯域パケット処理を行う。当該広帯域パケット処理の実行中に、復調部３０５から判定部３０４へ宛先情報を含む制御情報通知信号が出力される。
【０３０３】
判定部３０４は、プライマリーＬＴＳとほぼ同時にセカンダリーＬＴＳが検出されなかったと判定した場合には（Ｓ８１０：ＮＯ）、プライマリーＬＴＳの検出より前の所定の期間にプライマリー隣接チャネル検出信号に基づいてプライマリー隣接チャネルＣＨ１の信号成分が検出されたか否かを判定する（ステップＳ８１３）。なお、判定部３０４は、プライマリーＬＴＳ検出信号がローレベルからハイレベルへ遷移するより前の所定の期間にプライマリー隣接チャネル検出信号がローレベルからハイレベルへ遷移した場合に、プライマリーＬＴＳの検出より前の所定の期間にプライマリー隣接チャネルＣＨ１の信号成分が検出されたと判定する。
【０３０４】
但し、無線パケット信号の先頭に付加されるＳＴＳが自機器に到来すると、プライマリー隣接チャネルＣＨ１の信号成分が検出される。このことから、同一の無線パケット信号では、プライマリー隣接チャネルＣＨ１の信号成分はＬＴＳの検出より複数のＳＴＳに係る信号区間の時間分先にプライマリー隣接チャネルＣＨ１の信号成分が検出される。なお、上記の所定の期間は、複数のＳＴＳに係る信号区間の時間、及び伝送路による遅延などを考慮して設定されるようにすればよい。
【０３０５】
判定部３０４は、プライマリーＬＴＳの検出より前の所定の期間内にプライマリー隣接チャネルＣＨ１の信号成分が検出されたと判定した場合には（Ｓ８１３：ＹＥＳ）、受信中の無線パケット信号が干渉パケット信号（無線パケット信号６０５）であると判定し、復調部３０５に対して干渉パケット処理を指示する（ステップＳ８０９）。なお、復調部３０５は、この指示を受けて、干渉パケット処理を行う。
【０３０６】
判定部３０４は、プライマリーＬＴＳの検出より前の所定の期間内にプライマリー隣接チャネルＣＨ１の信号成分が検出されなかったと判定した場合には（Ｓ８１３：ＮＯ）、受信中の無線パケット信号が希望パケット信号及び干渉パケット信号の双方の可能性がある狭帯域パケット信号（無線パケット信号６０１）であると判定し、パケット判定信号をパルス期間ハイレベルにする。ＡＧＣ部３０６は、パケット判定信号がローレベルからハイレベルへ遷移したことを受けて、可変利得増幅部１０２の利得の値を固定する（ステップＳ８１４）。判定部３０４は、復調部３０５に対して狭帯域パケット処理を指示する（ステップＳ８１５）。なお、復調部３０５は、この指示を受けて、狭帯域パケット処理を行う。当該狭帯域パケット処理の実行中に、復調部３０５から判定部３０４へ宛先情報を含む制御情報通知信号が出力される。
【０３０７】
復調部３０５によって宛先情報が復号データから抽出されると、判定部３０４は、復調部３０５から入力される制御情報通知信号に含まれる宛先情報に基づいて受信中の無線パケット信号が自機器宛の無線パケット信号であるか否かを判定する（ステップＳ８１６）。
判定部３０４は、受信中の無線パケット信号が自機器宛の無線パケット信号でない、つまり干渉パケット信号であると判定した場合には（Ｓ８１６：ＮＯ）、復調部３０５に対して干渉パケット処理を指示する（ステップＳ８０９）。なお、復調部２０６は、この指示を受けて、干渉パケット処理を行う。
【０３０８】
判定部３０４は、受信中の無線パケット信号が自機器宛の無線パケット信号である、つまり希望パケット信号であると判定した場合には（Ｓ８０９：ＹＥＳ）、復調部３０５に対してデータ受信処理を指示する（ステップＳ８１７）。なお、復調部３０５は、この指示を受けて、データ受信処理を行う。当該データ受信処理の実行中に、復調部３０５からＡＧＣ部３０６へ復調完了信号が出力される。
【０３０９】
ＡＧＣ部３０６は、復調完了信号に基づいて無線パケット信号の復調が完了したか否かを判定する（ステップＳ８１８）。なお、ＡＧＣ部３０６は、復調完了信号がローレベルからハイレベルへ遷移した場合に無線パケット信号の復調が完了したと判定する。
ＡＧＣ部３０６は、無線パケット信号の復調が完了したと判定するまで（Ｓ８１８：ＮＯ）、ステップＳ８１８の処理を継続して行う。一方、ＡＧＣ部３０６は、無線パケット信号の復調が完了したと判定した場合には（Ｓ８１８：ＹＥＳ）、ステップＳ８０１の処理へ進む。
【０３１０】
ＡＧＣ部３０６は、ビット飽和検出信号に基づいてＡＤ変換部１０４から出力されているデジタルベースバンド信号がビット飽和を起こしているか否かを判定する（ステップＳ８１９）。ＡＧＣ部３０６は、デジタルベースバンド信号がビット飽和を起こしていると判定した場合には（Ｓ８１８：ＹＥＳ）、復調部３０５に対して干渉パケット処理の停止を指示し（ステップＳ８２０）、ステップＳ８０３の処理へ進む。なお、復調部３０５は、干渉パケット処理の停止の指示を受けて、干渉パケット処理を実行していれば、干渉パケット処理を停止する。
【０３１１】
ＡＧＣ部３０６は、デジタルベースバンド信号がビット飽和を起こしていないと判定した場合には（Ｓ８１９：ＮＯ）、ＳＴＳ検出区間開始信号に基づいてＳＴＳ検出区間の開始が検出されたか否かを判定する（ステップＳ８２１）。ＡＧＣ部３０６は、ＳＴＳ検出区間の開始が検出されたと判定した場合には（Ｓ８２１：ＹＥＳ）、復調部３０５に対して干渉パケット処理の停止を指示し（ステップＳ８２２）、ステップＳ８０５の処理へ進む。なお、復調部３０５は、干渉パケット処理の停止の指示を受けて、干渉パケット処理を実行していれば、干渉パケット処理を停止する。
【０３１２】
ＡＧＣ部３０６は、ＳＴＳ検出区間の開始が検出されていないと判定した場合には（Ｓ８２１：ＮＯ）、計時カウンタのカウント値Ｔがタイムアウト時間ＴＯＵＴになったか否かを判定する（ステップＳ８２３）。ＡＧＣ部３０６は、カウント値Ｔがタイムアウト時間ＴＯＵＴになっていないと判定した場合には（Ｓ８２３：ＮＯ）、計時カウンタのカウント値Ｔを１カウントアップし（ステップＳ８２４）、ステップＳ８０７の処理が行われる。一方、ＡＧＣ部３０６は、カウント値Ｔがタイムアウト時間ＴＯＵＴになったと判定した場合には（Ｓ８２３：ＹＥＳ）、ステップＳ８０１の処理へ進む。
【０３１３】
≪補足≫
本発明は、上記の実施の形態に限られるものではなく、例えば、次のようなものであってもよい。
（１）第１及び第８の実施の形態の無線通信機器では、ＳＴＳ検出開始利得制御処理における利得制御回数を１回とし、ビット飽和利得制御処理における利得制御回数を２回としている。しかしながら、これに限られるものではなく、例えば、ＳＴＳ検出開始利得制御処理における利得制御回数をＭ（Ｍは１以上の整数）回とし、ビット飽和利得制御処理における利得制御回数をＮ（ＮはＭより大きき整数）回とすればよい。
【０３１４】
また、第２から第４の実施の形態の無線通信機器では、ＳＴＳ検出開始利得制御処理における利得制御回数を１回とし、ビット飽和利得制御処理における利得制御回数を２回とし、強入力利得制御処理における利得制御回数を２回としている。しかしながら、これに限られるものではなく、例えば、ＳＴＳ検出開始利得制御処理における利得制御回数をＰ（Ｐは１以上の整数）回とし、ビット飽和利得制御処理における利得制御回数をＱ（ＱはＰより大きい整数）回とし、強入力利得制御処理における利得制御回数をＲ（ＲはＰより大きい整数）回とすればよい。
【０３１５】
さらに、第５の実施の形態の無線通信機器では、ＳＴＳ検出開始利得制御処理における利得制御時間をＴＯＵＴ５とし、ビット飽和利得制御処理における利得制御時間をＴＯＵＴ５＋ＴＯＵＴ６としている。しかしながら、これに限られるものではなく、例えば、ビット飽和利得制御処理における利得制御時間がＳＴＳ検出開始利得制御処理における利得制御時間より長くなっていればよい。
【０３１６】
（２）第２から第４の実施の形態では、低雑音増幅部１３１が２つの利得の値の何れかに制御されるとしているが、これに限らず、Ｎ（Ｎは３以上の整数）個の利得の何れかに制御されるようにしてもよい。この場合、比較部１３６は、（Ｎ−１）個の閾値を持ち、アナログ信号電力検出部１３５から入力されるアナログ電力値信号が示すアナログ信号の電力値と（Ｎ−１）個の閾値とを比較することによって低雑音増幅部１３１に設定する利得の値を決定するようにすればよい。
【０３１７】
（３）第１から第５及び第８の実施の形態では、周波数変換部１０３，１３２はＲＦ帯のアナログ信号をベースバンド帯のアナログ信号に変換するとしているが、これに限られるものではない。周波数変換部１０３，１３２はＲＦ帯のアナログ信号をＩＦ（Intermediate Frequency）帯のアナログ信号など信号処理に適した周波数帯のアナログ信号に変換すればよい。なお、第６及び第７の実施の形態においても、ＡＤ変換部２０１に入力されるアナログ信号はベースバンド帯のアナログ信号である必要はなく、例えば信号処理に適した周波数帯のアナログ信号であればよい。
【０３１８】
（４）第３の実施の形態において説明した無線通信機器１００ｂに対して第４の実施の形態において説明したＨＰＦ機能部１５１を適用するようにしてもよい。
（５）第４の実施の形態のＡＧＣ部１１１ｃが行う低雑音増幅部１３１及び可変利得増幅部１３３の利得制御及びＨＰＦ機能部１５１の動作モードの切り替え制御に係る処理は次のようなものであってもよい。
【０３１９】
ステップＳ４１４の判定処理において肯定的な判定がなされた場合（Ｓ４１４：ＹＥＳ）、ＡＧＣ部１１１ｃはＨＰＦ機能部１５１の動作モードをＨＰＦ機能有効モードに切り替えてからステップＳ４０５の処理へ進む。ステップＳ４１５の判定処理において肯定的な判定がなされた場合（Ｓ４１５：ＹＥＳ）、ＡＧＣ部１１１ｃはＨＰＦ機能部１５１の動作モードをＨＰＦ機能有効モードに切り替えてからステップＳ４０８の処理へ進む。ステップＳ４１６の判定処理において肯定的な判定がなされた場合（Ｓ４１６：ＹＥＳ）、ＡＧＣ部１１１ｃはＨＰＦ機能部１５１の動作モードをＨＰＦ機能有効モードに切り替えてからステップＳ４１０の処理へ進む。
【０３２０】
（６）第２から第４の実施の形態のＳＴＳ検出開始利得制御処理、ビット飽和利得制御処理、及び強入力利得制御処理におけるＡＧＣ部１１１ａ，１１１ｂ，１１１ｃが行う可変利得制御部１３３の利得制御を、可変利得増幅部１３３に設定する利得の値の算出と可変利得増幅部１３３に算出した利得の値の設定を利得制御時間繰り返す処理（図２３のステップＳ５５１〜ステップＳ５５６参照）により実現してもよい。なお、この場合、ビット飽和利得制御処理における利得制御時間、及び強入力利得制御処理における利得制御時間の夫々を、ＳＴＳ検出開始利得制御処理における利得制御時間より長くすることが好ましい。
【０３２１】
また、第８の実施の形態のＳＴＳ検出開始利得制御処理、及びビット飽和利得制御処理におけるＡＧＣ部３０６が行う可変利得制御部１０２の利得制御を、可変利得増幅部１０２に設定する利得の値の算出と可変利得増幅部１０２に算出した利得の値の設定を利得制御時間繰り返す処理（図２３のステップＳ５５１〜ステップＳ５５６参照）により実現してもよい。なお、この場合、ビット飽和利得制御処理における利得制御時間をＳＴＳ検出開始利得制御処理における利得制御時間より長くすることが好ましい。
【０３２２】
（７）第１から第５の形態のＳＴＳ検出部１０７は、ＳＴＳの検出をデジタルベースバンド信号とＳＴＳに基づく基準信号との相互相関演算を行うことによって実現しているが、これに限られるものではない。例えば、ＳＴＳ検出部１０７はＡＤ変換部１０４から入力されるデジタルベースバンド信号とシンボル時間ＴＳＴＳ遅延させたデジタルベースバンド信号との自己相関演算を行うことによってＳＴＳの検出処理を行うようにしてもよい。
【０３２３】
また、第１から第５の形態のＬＴＳ検出部１０９は、ＬＴＳの検出をデジタルベースバンド信号とＬＴＳに基づく基準信号との相互相関演算を行うことによって実現しているが、これに限られるものではない。例えば、ＬＴＳ検出部１０９はＡＤ変換部１０４から入力されるデジタルベースバンド信号とＬＴＳのシンボル時間遅延させたデジタルベースバンド信号との自己相関演算を行うことによってＬＴＳの検出処理を行うようにしてもよい。
【０３２４】
なお、他の実施の形態におけるＳＴＳの検出処理及びＬＴＳの検出処理においても同様である。
（８）第６及び第７の実施の形態では、無線通信機器２００，２００ａは、プライマリーＳＴＳ及びセカンダリーＳＴＳを用いて無線パケット信号の判定を行っているが、これに限られるものではなく、例えば、プライマリーＬＴＳ及びセカンダリーＬＴＳを用いて無線パケット信号の判定を行ってもよい。
【０３２５】
（９）第６及び第７の実施の形態では、判定対象の無線パケット信号は、図２６（ａ）及び図２６（ｂ）のミックスドモードのフレームフォーマットの何れかを持つ無線パケット信号であるとしているが、これに限られるものではない。判定対象の無線パケット信号に、図２のレガシーモードのフレームフォーマットを持つ無線パケット信号を加えてもよく、図４１（ａ）及び図４１（ｂ）のグリーンフィールドモードのフレームフォーマットを持つ無線パケット信号を加えても良い。なお、第８の実施の形態においても同様である。
【０３２６】
以下、グリーンフィールドモードのフレームフォーマットについて概略を述べる。
グリーンフィールドモードのフレームフォーマットには、無線パケット信号が１つの周波数チャネルＡを伝送する場合の図４１（ａ）に示すフレームフォーマットと、無線パケット信号が２つの周波数チャネルＡ，Ｂを連結して広帯域化した周波数チャネルを伝送する場合の図４１（ｂ）に示すフレームフォーマットとがある。
【０３２７】
図４１（ａ）に示すフレームフォーマットを持つ無線パケット信号Ｐ３０には、先頭にショートプリアンブル信号ＳＴＳｓが付加され、ショートプリアンブル信号ＳＴＳｓに続いてＨＴロングプリアンブル信号ＨＴＬＴＳｓが付加されている。無線パケット信号Ｐ３０は、ＨＴロングプリアンブル信号ＨＴＬＴＳｓに続いてＨＴＳＩＧＮＡＬシンボル、ＨＴロングプリアンブル信号ＨＴＬＴＳｓ及びＤＡＴＡシンボルを含む。但し、ＨＴＳＩＧＮＡＬシンボルに続くＨＴロングプリアンブル信号ＨＴＬＴＳｓはＭＩＭＯチャネル数より１少ない数分ある。なお、ＤＡＴＡシンボルは１以上あり、宛先情報及び送信元情報はＤＡＴＡシンボルによって送受信される。
【０３２８】
図４１（ｂ）に示すフレームフォーマットを持つ無線パケット信号Ｐ３５は、２つの周波数チャネルＡ，Ｂの夫々に、ショートプリアンブル信号ＳＴＳｓを含む。そして、無線パケット信号Ｐ３５は、２つの周波数チャネルＡ，Ｂを連結して広帯域化した周波数チャネルにＨＴロングプリアンブル信号ＨＴＬＴＳｓ、ＨＴＳＩＧＮＡＬシンボル、ＨＴロングプリアンブル信号ＨＴＬＴＳｓ及びＤＡＴＡシンボルを含む。但し、ＨＴＳＩＧＮＡＬシンボルに続くＨＴロングプリアンブル信号ＨＴＬＴＳｓはＭＩＭＯチャネル数より１少ない数分ある。なお、ＤＡＴＡシンボルは１以上あり、宛先情報及び送信元情報はＤＡＴＡシンボルによって送受信される。
【０３２９】
（１０）第２から第４の実施の形態に、第８の実施の形態において説明した無線パケット信号の判定処理に係る処理フロー（ステップＳ８０７〜ステップＳ８１７）を適用してもよく、例えば、次のようにすればよい。
無線通信機器は、第２の実施の形態の場合はステップＳ２１０の処理の後、第３の実施の形態の場合はステップＳ３１０の処理の後、第４の実施の形態の場合はステップＳ４１２の処理の後、ステップＳ８０７の処理へ移行するようにする。また、無線通信機器は、ステップＳ８０８において否定的な判定を行った場合には（Ｓ８０８：ＮＯ）、第２の実施の形態の場合はステップＳ２１２の処理へ、第３の実施の形態の場合はステップＳ３１２の処理へ、第４の実施の形態の場合はステップＳ４１４の処理へ移行するようにする。また、無線通信機器は、ステップＳ８０９の処理の後、第２の実施の形態の場合はステップＳ２１２の処理へ、第３の実施の形態の場合はステップＳ３１２の処理へ、第４の実施の形態の場合はステップＳ４１４の処理へ移行するようにする。無線通信機器は、ステップＳ８１１とステップＳ８１２との間、及び、ステップＳ８１４とステップＳ８１５との間に、低雑音増幅部１３１の利得の値を固定する処理を行う。
【０３３０】
（１１）第８の実施の形態において、無線パケット信号の判定処理に係る処理フロー（ステップＳ８０７〜ステップＳ８１７）を、第７の実施の形態において説明した無線パケット信号の判定処理に係る処理フローに置き換えてもよく、例えば、次のようにすればよい。
無線通信機器は、ステップＳ８０６の処理の後、ステップＳ７０１の処理へ移行するようにする。また、無線通信機器は、ステップＳ７０２において無線通信機器が否定的な判定を行った場合には（Ｓ７０２：ＮＯ）、ステップＳ８１９の処理へ移行するようにする。さらに、無線通信機器は、ステップＳ７０５の処理の後、ステップＳ８０１の処理へ移行するようにする。さらに、無線通信機器は、ステップＳ７１２の処理の後、ステップＳ８１８の処理へ移行するようにする。
【０３３１】
そして、無線通信機器は、ステップＳ７０６において無線通信機器が肯定的な判定を行った場合には（Ｓ７０６：ＹＥＳ）、可変利得増幅部の利得の値を固定した後、ステップＳ７０７の処理へ移行するようにする。また、無線通信機器は、ステップＳ７０８において無線通信機器が否定的な判定を行った場合には（Ｓ７０８：ＮＯ）、可変利得増幅部の利得の値を固定した後、ステップＳ７０９の処理へ移行するようにする。
【０３３２】
但し、ステップＳ７０１の判定対象をプライマリーＳＴＳからプライマリーＬＴＳに置き換え、ステップＳ７０６，７０８の判定対象をセカンダリーＳＴＳからセカンダリーＬＴＳに置き換える。
また、ステップＳ７０３及びステップＳ７０８の判定処理では、ステップＳ８１３と同様に、セカンダリーＬＴＳの検出より前の所定の期間にセカンダリー隣接チャネルの信号成分が検出されたか、プライマリーＬＴＳの検出より前の所定の期間にプライマリー隣接チャネルの信号成分が検出されたか、を判定するようにする。
【０３３３】
なお、第７の実施の形態において説明した無線パケット信号の判定処理に係る処理フローを第２から第５の実施の形態に適用するようにしてもよく、例えば次のようにすればよい。
第５の実施の形態の場合、第８の実施の形態において、無線パケット信号の判定処理に係る処理フロー（ステップＳ８０７〜ステップＳ８１７）を、上記のようにして、第７の実施の形態において説明した無線パケット信号の判定処理に係る処理フローに置き換え、ビット飽和利得制御処理及びＳＴＳ検出開始利得制御処理を夫々図２２及び図２３の処理手順で行うようにする。
【０３３４】
第２の実施の形態の場合、ステップＳ２１１、ステップＳ２１７及びステップＳ２１８の処理を図３６の判定処理に置き換える。無線通信機器は、ステップＳ７０２の判定処理で否定的な判定がなされた場合（Ｓ７０２：ＮＯ）、及びステップＳ７０５の処理が行われた後、ステップＳ２１２の処理へ移行するようにする。また、無線通信機器は、広帯域パケット処理が行われる前、及び狭帯域パケット処理が行われる前に、低雑音増幅部１３１の利得値及び可変利得増幅部１３３の利得値を固定するようにする。さらに、無線通信機器は、ステップＳ７１２の処理が行われた後、ステップＳ２１９の処理へ移行するようにする。さらに、無線通信機器は、ステップＳ２１２の判定処理で肯定的な判定がされた場合（Ｓ２１２：ＹＥＳ）、ステップＳ２１３の判定処理で肯定的な判定がされた場合（Ｓ２１３：ＹＥＳ）、ステップＳ２１４の判定処理で肯定的な判定がされた場合（Ｓ２１４：ＹＥＳ）、干渉パケット処理を停止した後、次の処理へ進むようにする。
【０３３５】
第３の実施の形態の場合、ステップＳ３１１、ステップＳ３１６及びステップＳ３１７の処理を図３６の判定処理に置き換える。無線通信機器は、ステップＳ７０２の判定処理で否定的な判定がなされた場合（Ｓ７０２：ＮＯ）、及びステップＳ７０５の処理が行われた後、ステップＳ３１２の処理へ移行するようにする。また、無線通信機器は、広帯域パケット処理が行われる前、及び狭帯域パケット処理が行われる前に、低雑音増幅部１３１の利得値及び可変利得増幅部１３３の利得値を固定するようにする。さらに、無線通信機器は、ステップＳ７１２の処理が行われた後、ステップＳ３１８の処理へ移行するようにする。さらに、無線通信機器は、ステップＳ３１２の判定処理で肯定的な判定がされた場合（Ｓ３１２：ＹＥＳ）、ステップＳ３１３の判定処理で肯定的な判定がされた場合（Ｓ３１３：ＹＥＳ）、干渉パケット処理を停止した後、次の処理へ進むようにする。
【０３３６】
第４の実施の形態の場合、ステップＳ４１３、ステップＳ４１９及びステップＳ４２０の処理を図３６の判定処理に置き換える。無線通信機器は、ステップＳ７０２の判定処理で否定的な判定がなされた場合（Ｓ７０２：ＮＯ）、及びステップＳ７０５の処理が行われた後、ステップＳ４１４の処理へ移行するようにする。また、無線通信機器は、広帯域パケット処理が行われる前、及び狭帯域パケット処理が行われる前に、低雑音増幅部１３１の利得値及び可変利得増幅部１３３の利得値を固定するようにする。さらに、無線通信機器は、ステップＳ７１２の処理が行われた後、ステップＳ４２１の処理へ移行するようにする。さらに、無線通信機器は、ステップＳ４１４の判定処理で肯定的な判定がされた場合（Ｓ４１４：ＹＥＳ）、ステップＳ４１５の判定処理で肯定的な判定がされた場合（Ｓ４１５：ＹＥＳ）、ステップＳ４１６の判定処理で肯定的な判定がされた場合（Ｓ４１６：ＹＥＳ）、干渉パケット処理を停止した後、次の処理へ進むようにする。
【０３３７】
但し、第２から第４の実施の形態に対する第７の実施の形態の無線パケット信号の判定処理の適用に際して、ステップＳ７０１の判定対象をプライマリーＳＴＳからプライマリーＬＴＳに置き換え、ステップＳ７０６，７０８の判定対象をセカンダリーＳＴＳからセカンダリーＬＴＳに置き換える。また、ステップＳ７０３及びステップＳ７０８の判定処理では、ステップＳ８１３と同様に、セカンダリーＬＴＳの検出より前の所定の期間にセカンダリー隣接チャネルの信号成分が検出されたか、プライマリーＬＴＳの検出より前の所定の期間にプライマリー隣接チャネルの信号成分が検出されたか、を判定するようにする。
【０３３８】
（１２）第６及び第７の実施の形態の無線パケット信号の判定処理は、単に、受信している無線パケット信号が無線パケット信号（第６の実施の形態の場合は無線パケット信号６０１〜６０５、第７の実施の形態の場合は無線パケット信号７０１〜７０８）の何れであるかの判定に用いてもよい。
（１３）第６から第８の実施の形態では、復調部２０６，２０６ａ，３０５が干渉に係る信号の特徴量を測定する機能を備えているが、これに限られるものではなく、復調部２０６，２０６ａ，３０５が干渉に係る信号の特徴量を測定する機能を備えていなくてもよい。この場合、無線パケット信号が干渉に係る信号であると判定されると復調部２０６，２０６ａ，３０５を構成する全ての機能部の動作を停止させるようにしてもよい。
【０３３９】
（１４）第６及び第７の実施の形態では、無線通信機器２００，２００ａは、ＡＤ変換部２０１から出力されるデジタルベースバンド信号を用いて無線パケット信号の判定処理を行っているが、これに限らず、アナログ信号、例えばＲＦ帯やＩＦ帯などの信号処理に適したアナログ信号を用いて無線パケット信号の判定処理を行うようにしてもよい。
（１５）第８の実施の形態では、ステップＳ８０８の判定処理で否定的な判定がされた場合（Ｓ８０８：ＮＯ）、ステップＳ８１９の処理へ移行しているが、これに限られるものではなく、ステップＳ８０８の判定処理で否定的な判定がされた場合も（Ｓ８０８：ＮＯ）干渉パケット処理を復調部３０５に行わせ、ステップＳ８１９の処理へ移行するようにしてもよい。こうすることによって、ステップＳ８０３及びステップＳ８０５で利得制御された後に、プライマリーチャネル及びセカンダリーチャネルの双方にＬＴＳを検出できない、別の無線システムからの干渉信号に対しても干渉信号の特徴量を測定し、後に希望信号を受信した場合に当該干渉信号の抑圧を行うことが可能になる。なお、上記の補足（１１）の変形例並びに第６及び第７の実施の形態においても同様の変形が可能である。
【０３４０】
（１６）第１から第８の実施の形態の無線通信機器は、受信側で既知のプリアンブル信号を含むフレームフォーマット、或いは、受信側で既知の第１プリアンブル信号及び第２プリアンブル信号を持つフレームフォーマットに対して適用可能である。
（１７）第１から第８の実施の形態において説明した無線通信機器は、ＩＥＥＥ８０２．１１ａ規格に準拠した無線通信システム、ＩＥＥＥ８０２．１１ｎ規格に準拠した無線通信システムなど各種無線通信システムに適用することが可能である。
【０３４１】
また、第１から第８の実施の形態において説明した無線通信機器は、ＣＳＭＡ（Carrier Sense Multiple Access）方式、ＴＤＭＡ（Time Division Multiple Access）方式、ＣＤＭＡ（CodeDivision Multiple Access）方式及びＳＤＭＡ（Space Division Multiple Access）方式などの各種アクセス方式に適用可能である。
（１８）上記の各実施の形態の無線通信機器は、典型的には集積回路であるＬＳＩ(LargeScale Integration)として実現されてよい。各回路を個別に１チップとしてもよいし、全ての回路又は一部の回路を含むように１チップ化されてもよい。
【０３４２】
ここでは、ＬＳＩとして記載したが、集積度の違いにより、ＩＣ(IntegratedCircuit)、システムＬＳＩ、スーパＬＳＩ、ウルトラＬＳＩと呼称されることもある。
また、集積回路化の手法はＬＳＩに限るものではなく、専用回路又は汎用プロセッサで実現してもよい。ＬＳＩ製造後にプログラム化することが可能なＦＰＧＡ（Field Programmable Gate Array）、ＬＳＩ内部の回路セルの接続や設定を再構成可能なリコンフィギュラブル・プロセッサを利用してもよい。
【０３４３】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０３４４】
本発明は、先頭に付加されたプリアンブル信号が付加された無線パケット信号を受信する無線通信機器に利用することができる。
【符号の説明】
【０３４５】
１００  無線通信機器
１０１  アンテナ
１０２  可変利得増幅部
１０３  周波数変換部
１０４  ＡＤ変換部
１０５  デジタル信号電力検出部
１０６  ビット飽和検出部
１０７  ＳＴＳ検出部
１０８  ＳＴＳ開始検出部
１０９  ＬＴＳ検出部
１１０  復調部
１１１  ＡＧＣ部
【手続補正２】
【補正対象書類名】特許請求の範囲
【補正対象項目名】全文
【補正方法】変更
【補正の内容】
【特許請求の範囲】
【請求項１】
利得の値が可変であり、入力されるアナログ信号を増幅する可変利得増幅部と、
前記可変利得増幅部による増幅後のアナログ信号をデジタル信号に変換するＡＤ変換部と、
前記ＡＤ変換部から出力されるデジタル信号が所定のレンジ外にあるか否かを判定するデジタル信号判定部と、
前記ＡＤ変換部から出力されるデジタル信号から無線パケット信号の先頭に付加されるプリアンブル信号に係る区間の開始を検出するプリアンブル開始検出部と、
前記ＡＤ変換部から出力されるデジタル信号に基づいて前記可変利得増幅部の利得を制御する利得制御部と、
を備え、
前記利得制御部は、
前記デジタル信号判定部によって前記ＡＤ変換部から出力されているデジタル信号が前記レンジ外にあると判定されて前記可変利得増幅部の利得の制御を行う場合には、前記可変利得増幅部の利得の制御を第１利得制御処理により行い、
前記プリアンブル開始検出部によって前記プリアンブル信号に係る区間の開始が検出されて前記可変利得増幅部の利得の制御を行う場合には、前記可変利得増幅部の利得の制御を前記第１利得制御処理と異なる第２利得制御処理により行う
ことを特徴とする受信装置。
【請求項２】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせをＭ（Ｍは１以上の整数）回行い、
前記第１利得制御処理は、設定する利得の値の算出と算出した利得の値の設定との組み合わせをＮ（ＮはＭより大きい整数）回行う
ことを特徴とする請求項１記載の受信装置。
【請求項３】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理及び前記第２利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合及び前記プリアンブル開始検出部によって前記プリアンブル信号に係る区間の開始が検出された場合の何れかの場合には前記可変利得増幅部の利得の制御を再度行う
ことを特徴とする請求項１記載の受信装置。
【請求項４】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理及び前記第２利得制御処理の何れかを行った後所定時間前記プリアンブル検出部によって前記第１プリアンブル信号が検出されなかった場合には、前記可変利得増幅部に予め定められた利得の値を設定する
ことを特徴とする請求項１記載の受信装置。
【請求項５】
前記受信装置は、
利得の値が可変であり、入力される第１アナログ信号を増幅し、増幅された第１アナログ信号を前記アナログ信号として前記可変利得増幅部へ出力する第１可変利得増幅部と、
前記第１アナログ信号が所定の電力値以上の強入力であるか否かを判定する強入力判定部と、
を更に備え、
前記利得制御部は、
更に、前記第１アナログ信号に基づいて前記第１可変利得増幅部の利得の制御を行い、
前記強入力判定部によって前記第１アナログ信号が強入力であると判定された場合に、前記第１可変利得増幅部の利得の値が小さくなるように当該第１可変利得増幅部の利得を制御し、
前記利得制御部は、前記強入力判定部によって前記第１アナログ信号が強入力であると判定されて前記可変利得増幅部の利得の制御を行う場合には、前記可変利得増幅部の利得の制御を前記第２利得制御処理と異なる第３利得制御処理により行う
ことを特徴とする請求項１記載の受信装置。
【請求項６】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせをＰ（Ｐは１以上の整数）回行い、
前記第１利得制御処理は、設定する利得の値の算出と算出した利得の値の設定との組み合わせをＱ（ＱはＰより大きい整数）回行い、
前記第３利得制御処理は、設定する利得の値の算出と算出した利得の値の設定との組み合わせをＲ（ＲはＰより大きい整数）回行う
ことを特徴とする請求項５記載の受信装置。
【請求項７】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理、前記第２利得制御処理及び前記第３利得制御処理の何れかを行った後前記プリアンブル検出部が前記第１プリアンブル信号を検出する前に、前記デジタル信号判定部によって前記ＡＤ変換部から出力されているデジタル信号が前記レンジ外にあると判定された場合、前記プリアンブル開始検出部によって前記プリアンブル信号に係る区間の開始が検出された場合及び前記強入力判定部によって前記第１アナログ信号が強入力であると判定された場合の何れかの場合には前記可変利得増幅部の利得の制御を再度行う
ことを特徴とする請求項５記載の受信装置。
【請求項８】
前記受信装置は、
前記無線パケット信号に前記プリアンブル信号より後に付加される第１プリアンブル信号を前記ＡＤ変換部から出力されるデジタル信号から検出するプリアンブル検出部
を更に備え、
前記利得制御部は、前記第１利得制御処理、前記第２利得制御処理及び前記第３利得制御処理の何れかを行った後所定時間前記プリアンブル検出部によって前記第１プリアンブル信号が検出されなかった場合には、前記可変利得増幅部に予め定められた利得の値を設定する
ことを特徴とする請求項５記載の受信装置。
【請求項９】
前記受信装置は、
前記第１可変利得増幅部から出力される増幅後の第１アナログ信号から直流成分を含む低周波成分を除去して除去後の第１アナログ信号を前記アナログ信号として前記可変利得増幅部へ出力する第１動作モードと、前記第１可変利得増幅部から出力される増幅後の第１アナログ信号をそのまま前記アナログ信号として前記可変利得増幅部へ出力する第２動作モードとが前記利得制御部によって切り替えられるフィルタ部
を更に備え、
前記利得制御部は、前記フィルタ部の動作モードを前記第１動作モードに設定し、前記第１利得制御処理、前記第２利得制御処理及び前記第３利得制御処理の何れかが終了した後に前記フィルタ部の動作モードを前記第１動作モードから前記第２動作モードに切り替える
ことを特徴とする請求項５記載の受信装置。
【請求項１０】
前記利得制御部は、前記ＡＤ変換部から出力されているデジタル信号に基づいて前記可変利得増幅部に設定する利得の値を算出し、算出した利得の値を前記可変利得増幅部に設定することによって前記可変利得増幅部の利得の制御を行うものであり、
前記第２利得制御処理は、設定する利得の値の算出と算出した利得の値の設定との組み合わせを第１所定期間繰り返して行い、
前記第１利得制御処理は、設定する利得の値の算出と算出した利得の値の設定との組み合わせを前記第１所定期間より長い第２所定期間繰り返して行う
ことを特徴とする請求項１記載の受信装置。
【請求項１１】
前記受信装置は、
周波数チャネルのうちの一の第１周波数チャネルにおいて、前記ＡＤ変換部から出力されるデジタル信号から前記無線パケット信号に前記プリアンブル信号より後に付加される第１プリアンブル信号を検出する第１プリアンブル検出部と、
前記第１周波数チャネルに隣接する２つの周波数チャネルのうちの一方の第２周波数チャネルにおいて、前記ＡＤ変換部から出力されるデジタル信号から前記第１プリアンブル信号を検出する第２プリアンブル検出部と、
前記第１周波数チャネルに隣接する２つの周波数チャネルのうちの他方の第３周波数チャネルにおける信号成分の電力値を前記ＡＤ変換部から出力されるデジタル信号に基づいて検出する隣接電力値検出部と、
前記第１プリアンブル検出部による検出結果と前記第２プリアンブル検出部による検出結果と前記隣接電力値検出部による検出結果とに基づいて前記ＡＤ変換部から出力されているデジタル信号が干渉信号に係るデジタル信号であるか否かを判定する判定部と、
を更に備えることを特徴とする請求項１記載の受信装置。
【請求項１２】
前記利得制御部は、前記判定部によって前記ＡＤ変換部から出力されているデジタル信号が干渉信号に係るデジタル信号であると判定されなかった場合、前記可変利得増幅部の利得の値を固定する
ことを特徴とする請求項１１記載の受信装置。
【請求項１３】
前記受信装置は、
前記ＡＤ変換部から出力されるデジタル信号から宛先に関する宛先情報を抽出する宛先情報抽出部
を更に備え、
前記判定部は、前記宛先情報抽出部により抽出される宛先情報に基づいて前記ＡＤ変換部から出力されているデジタル信号が干渉信号に係るデジタル信号であるか否かを更に判定する
ことを特徴とする請求項１１記載の受信装置。
【請求項１４】
前記隣接電力値検出部は、更に、前記第２周波数チャネルに隣接する２つの周波数チャネルのうちの前記第１周波数チャネルでない方の第４周波数チャネルにおける信号成分の電力値を前記ＡＤ変換部から出力されるデジタル信号に基づいて検出し、
前記受信装置は、
前記ＡＤ変換部から出力されているデジタル信号に基づいて前記第１周波数チャネルのガードバンドにおけるサブキャリアの有無を検出し、前記第２周波数チャネルのガードバンドにおけるサブキャリアの有無を検出する帯域外サブキャリア検出部
を更に備え、
前記判定部は、前記ＡＤ変換部から出力されているデジタル信号が干渉信号に係るデジタル信号であるか否かの判定を、前記第１プリアンブル検出部による検出結果と前記第２プリアンブル検出部による検出結果と前記隣接電力値検出部による検出結果と前記帯域外サブキャリア検出部による検出結果とに基づいて行う
ことを特徴とする請求項１１記載の受信装置。
【請求項１５】
利得の値が可変であり、入力されるアナログ信号を増幅する可変利得増幅部と、前記可変利得増幅部による増幅後のアナログ信号をデジタル信号に変換するＡＤ変換部と、前記ＡＤ変換部から出力されるデジタル信号に基づいて前記可変利得増幅部の利得を制御する利得制御部と、を備えた受信装置において行われる受信方法であって、
前記ＡＤ変換部から出力されるデジタル信号が所定のレンジ外にあるか否かを判定するデジタル信号判定ステップと、
前記ＡＤ変換部から出力されるデジタル信号から無線パケット信号の先頭に付加されるプリアンブル信号に係る区間の開始を検出するプリアンブル開始検出ステップと、
前記デジタル信号判定ステップにおいて前記ＡＤ変換部から出力されているデジタル信号が前記レンジ外にあると判定されて前記利得制御部が前記可変利得増幅部の利得の制御を行う場合には、前記利得制御部は前記可変利得増幅部の利得の制御を第１利得制御処理により行う第１利得制御ステップと、
前記プリアンブル開始検出ステップにおいて前記プリアンブル信号に係る区間の開始が検出されて前記利得制御部が前記可変利得増幅部の利得の制御を行う場合には、前記利得制御部は前記可変利得増幅部の利得の制御を前記第１利得制御処理と異なる第２利得制御処理により行う第２利得制御ステップと、
を有することを特徴とする受信方法。
【手続補正３】
【補正対象書類名】図面
【補正対象項目名】全図
【補正方法】変更
【補正の内容】
【図１】
2008139672.tif 000045
【図２】
2008139672.tif 000046
【図３】
2008139672.tif 000047
【図４】
2008139672.tif 000048
【図５】
2008139672.tif 000049
【図６】
2008139672.tif 000050
【図７】
2008139672.tif 000051
【図８】
2008139672.tif 000052
【図９】
2008139672.tif 000053
【図１０】
2008139672.tif 000054
【図１１】
2008139672.tif 000055
【図１２】
2008139672.tif 000056
【図１３】
2008139672.tif 000057
【図１４】
2008139672.tif 000058
【図１５】
2008139672.tif 000059
【図１６】
2008139672.tif 000060
【図１７】
2008139672.tif 000061
【図１８】
2008139672.tif 000062
【図１９】
2008139672.tif 000063
【図２０】
2008139672.tif 000064
【図２１】
2008139672.tif 000065
【図２２】
2008139672.tif 000066
【図２３】
2008139672.tif 000067
【図２４】
2008139672.tif 000068
【図２５】
2008139672.tif 000069
【図２６】
2008139672.tif 000070
【図２７】
2008139672.tif 000071
【図２８】
2008139672.tif 000072
【図２９】
2008139672.tif 000073
【図３０】
2008139672.tif 000074
【図３１】
2008139672.tif 000075
【図３２】
2008139672.tif 000076
【図３３】
2008139672.tif 000077
【図３４】
2008139672.tif 000078
【図３５】
2008139672.tif 000079
【図３６】
2008139672.tif 000080
【図３７】
2008139672.tif 000081
【図３８】
2008139672.tif 000082
【図３９】
2008139672.tif 000083
【図４０】
2008139672.tif 000084
【図４１】
2008139672.tif 000085
【図４２】
2008139672.tif 000086
【国際調査報告】
2008139672.tif 000087
2008139672.tif 000088
2008139672.tif 000089
2008139672.tif 000090